(57)【要約】      （修正有）【課題】リザーバ又はシリンジ、注入セットチューブと注入ポンプ間の接続インターフェイス用の方法及び器具を提供する。【解決手段】注入ポンプシステムは、リザーバ１、注入ポンプデバイス３０、接続インターフェイス４０及び注入セット５０を備え、リザーバ、基部２及び接続キャップ４が接続され、注入ポンプデバイスのハウジング３３内に挿入され、固定することができる一体化ユニットを形成する。キャップ及び注入ポンプデバイスには、それぞれ、少なくとも１つのセンサ又は少なくとも１つの検出可能特徴部が提供され、これらは、他方の少なくとも１つの対応する検出可能特徴部又はセンサと相互作用するように配置され、これらが位置合わせされるか、又は連結されたとき、キャップの存在、位置又は他の特性のうちの１つ以上が検出される。検出可能特徴部及びセンサは、磁気的、ＲＦ、機械的、光学的なもの、又は任意の組み合わせであってよい。【選択図】図１
2018149337.tif 000002
【特許請求の範囲】
【請求項１】
注入媒体を収容するリザーバを注入ポンプデバイス（３０）と接続するコネクタインターフェイスであって、該コネクタインターフェイスは、前記リザーバ（１）に接続して、リザーバ／キャップユニットを形成するように構成されたキャップ（４）を有し、少なくとも１つのＲＦ検出可能特徴部（４２）が、該リザーバ／キャップユニットの前記リザーバ（１）が該注入ポンプデバイス（３０）の前記リザーバ受容部（３２）内に受容されたときに、少なくとも１つのＲＦセンサ素子（３４）によって検出されるように、該キャップ（４）又は前記リザーバ（１）に配置される、コネクタインターフェイス。
【請求項２】
（ａ）前記少なくとも１つのＲＦ検出可能特徴部は、前記リザーバに対する前記キャップのハウジング、又は前記リザーバ内のプランジャに取り付けられる、無線周波数識別（ＲＦＩＤ）タグを含むか、
（ｂ）前記少なくとも１つのＲＦ検出可能特徴部は、前記ＲＦセンサとの誘導結合を介して電力を受信する受動型ＲＦデバイスを含むか、
（ｃ）前記少なくとも１つのＲＦ検出可能特徴部は、指向性アンテナ、又は、ＲＦ信号をアンテナに向かって方向づけたり、又は該アンテナからのＲＦ信号を方向づけたりするように構成される、少なくとも１つのＲＦシールド若しくは導波管を備えるアンテナを有する、ＲＦ検出可能デバイスを含むか、
（ｄ）前記少なくとも１つのＲＦ検出可能特徴部は、アンテナを有するＲＦ検出可能デバイスであって、該アンテナは、前記キャップの通気開口部に隣接して配置されるか、又は該通気開口部に配置される、ＲＦ検出可能デバイスを含むか、
（ｅ）前記少なくとも１つのＲＦ検出可能特徴部は、前記キャップ、前記リザーバ、又は前記リザーバ若しくはキャップに適用されたラベルに導電性インクで印刷されたアンテナを含むか、又は、
（ｆ）前記少なくとも１つのＲＦ検出可能特徴部は、情報を格納するメモリと、該メモリ内に格納した情報を伝達するアンテナと、を有し、該メモリは、永久情報を格納する第１のセクションと、前記ＲＦ検出可能特徴部に書き込まれる情報を格納する書き込み可能な第２のセクションと、を含み、
（ｉ）該メモリ内に格納された該情報は、前記リザーバの製造者の種類又は身元；前記リザーバのサイズ；前記リザーバ内の注入媒体の種類又は濃度；前記リザーバ内の注入媒体の体積量；前記リザーバから分配された注入媒体の体積量；前記リザーバ内の注入媒体に関連した有効期限、又は充填日に対応する日付；前記リザーバ又は前記リザーバ内の注入媒体を製造、充填、又は他の方法で処理した場所に対応する位置情報；前記リザーバ、又は注入媒体の製造、洗浄、充填又は他の方法での処理が行われたバッチに関連するロット番号又は符号；のうちの１つ以上を識別する情報を含むか、
（ｉｉ）該メモリ内に格納された該情報は、前記キャップに接続される注入セットに関する１つ以上の特性を識別する情報を含み、該１つ以上の特性は、前記注入セットの製造者の種類又は身元；前記注入セットのチューブの長さ；前記注入セットの該チューブの直径；前記注入セットの針又はカニューレの長さ；前記注入セットの該針又は該カニューレの直径；前記注入セットの有効期限、製造日又は組み立て日に対応する日付；前記注入セットが製造、又は組み立てられた場所に対応する位置情報；前記注入セットの製造、洗浄、又は他の方法での処理が行われたバッチに関連するロット番号又は他の符号；のうちの少なくとも１つを含むか、又は
（ｉｉｉ）該メモリ内に格納された該情報は、前記コネクタインターフェイスの１つ以上の特性を識別する情報を含み、該１つ以上の特性は、前記接続インターフェイスの種類又は製造者；前記キャップのサイズ寸法；前記コネクタインターフェイスの有効期限、製造日又は組み立て日に対応する日付；前記コネクタインターフェイスが製造、又は組み立てられた場所に対応する位置情報；前記コネクタインターフェイスの製造、洗浄、又は他の方法での処理が行われたバッチに関連するロット番号又は他の符号；のうちの少なくとも１つを含む、
請求項１に記載のコネクタインターフェイス。
【請求項３】
前記少なくとも１つのＲＦ検出可能特徴部（４２）は、前記キャップ（４）、リザーバ（１）、下流構造、又は注入ポンプデバイス（３０）の１つ以上の特性に関連付けられた少なくとも１つの検出可能パラメータを有する、請求項１又は２に記載のコネクタインターフェイス。
【請求項４】
前記少なくとも１つのＲＦ検出可能特徴部（４２）は、少なくとも１つの検出可能パラメータを有し、該検出可能パラメータは、前記キャップ（４）又は前記リザーバ（１）における１つ以上のＲＦ検出可能特徴部（４２）の存在；前記キャップ又は前記リザーバにおける１つ以上のＲＦ検出可能特徴部の位置又は位置パターン；前記キャップ又は前記リザーバのＲＦ検出可能特徴部の種類；前記ＲＦ検出可能特徴部により格納されたデータの種類又は内容；前記ＲＦ検出可能特徴部からのＲＦ信号の極性、方向若しくは配向、ＲＳＳＩ若しくは他のＲＦ信号強度、振幅若しくは位相のうちの１つ以上を含む、請求項１又は２に記載のコネクタインターフェイス。
【請求項５】
前記少なくとも１つのＲＦ検出可能特徴部（４２）は、前記リザーバ、前記キャップ、又は前記注入ポンプデバイスの製造者の種類又は身元；前記リザーバ、前記キャップ、又は前記注入ポンプデバイスのサイズ；前記リザーバ内の注入媒体の種類又は濃度；前記リザーバ内の注入媒体の体積量；前記リザーバ内の注入媒体に関連した製造日、有効期限、又は充填日に対応する日付；前記リザーバ、前記キャップ、又は前記注入ポンプデバイスの製造日又は有効期限に対応する日付；前記リザーバ又は前記リザーバ内の注入媒体を製造、充填、又は他の方法で処理した場所に対応する位置情報；前記キャップ又は前記注入ポンプデバイスを製造、組み立て、又は他の方法で処理した場所に対応する位置情報；前記リザーバ、前記リザーバ内の注入媒体、前記キャップ、又は前記注入ポンプデバイスの使用が認められた場所に対応する位置情報；前記リザーバ、前記キャップ、前記注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上を含む、１つ以上の特性に関連付けられた少なくとも１つの検出可能パラメータを有する、請求項１又は２に記載のコネクタインターフェイス。
【請求項６】
請求項１〜５のいずれか一項に記載のコネクタインターフェイスと、
リザーバ受容部（３２）を有する注入ポンプデバイス（３０）であって、該リザーバ受容部（３２）は、前記リザーバ（１）を受容し、前記リザーバ（１）が該リザーバ受容部（３２）内に受容されたとき、前記リザーバから注入媒体を選択的に分配し、該注入ポンプデバイスは、該リザーバ受容部（３２）内にて前記リザーバ（１）を検出する少なくとも１つの無線周波数（ＲＦ）センサ（例えば、送信機／受信機）素子（３４）を含む、注入ポンプデバイス（３０）と、を備える、注入ポンプシステム。
【請求項７】
前記注入ポンプデバイス（３０）は、前記リザーバが前記リザーバ受容部（３２）内に受容されたとき、前記リザーバ（１）からの注入媒体の前記選択的分配を制御するエレクトロニクス（６０）を含み、該エレクトロニクス（６２）は、前記少なくとも１つのＲＦ検出可能特徴部（４２）が、前記ＲＦセンサ素子（３４）により検出されるまで、前記リザーバ（１）からの注入媒体の分配を阻止するように構成される、請求項６に記載の注入ポンプシステム。
【請求項８】
エレクトロニクス（６０）は、表又は他のデータ配置を格納するメモリ（６６）と接続して提供され、前記エレクトロニクスは、前記リザーバが前記リザーバ受容部（３２）内に受容されたとき、前記リザーバ（１）からの注入媒体の前記選択的分配を制御するように構成され、前記選択的分配は、少なくとも部分的には、該表又は他のデータ配置において、前記ＲＦ検出可能特徴部の前記少なくとも１つの検出可能パラメータに関連付けられた前記１つ以上の特性に基づく、請求項６又は７に記載の注入ポンプシステム。
【請求項９】
前記エレクトロニクス（６０）は、前記メモリ（６６）内に情報を記録するように構成され、該情報は、
（ａ）前記少なくとも１つのＲＦセンサにより検出される少なくとも１つの検出可能パラメータ、又は
（ｂ）前記表又は他のデータ配置において、前記少なくとも１つのＲＦセンサにより検出される少なくとも１つの検出可能パラメータに関連付けられた少なくとも１つの特性に対応する、請求項７又は８に記載の注入ポンプ。
【請求項１０】
前記エレクトロニクス（６０）は、前記ＲＦ検出可能特徴部の前記少なくとも１つの検出可能パラメータが検出されたときの、前記注入ポンプデバイスの地理的位置に対応する位置情報を記録するように更に構成される、請求項７〜９のいずれか一項に記載の注入ポンプシステム。
【請求項１１】
前記エレクトロニクス（６０）は、前記ＲＦ検出可能特徴部（４２）の前記少なくとも１つの検出可能パラメータが検出されたときの、時間又は日付に対応する時間情報を記録するように更に構成される、請求項７〜１０のいずれか一項に記載の注入ポンプシステム。
【請求項１２】
前記少なくとも１つのＲＦ検出可能特徴部（４２）は、
（ａ）前記リザーバ／キャップユニットが前記リザーバ受容部内に受容されたときに、前記少なくとも１つのＲＦセンサとＲＦ相互作用するような１つ以上の位置にある、１つ以上のＲＦ検出可能特徴部、又は
（ｂ）前記リザーバ／キャップユニットが前記リザーバ受容部内に受容されたとき、前記１つ以上のＲＦ検出可能特徴部が前記少なくとも１つのＲＦセンサと相互作用して、前記リザーバ受容部に対する前記キャップ若しくは前記リザーバの軸方向又は回転方向の動き又は位置の検出のための、検出可能な信号がもたらされるような位置にある、複数のＲＦ検出可能特徴部を含む、請求項７〜１１のいずれか一項に記載の注入ポンプシステム。
【請求項１３】
リザーバ受容部（３２）を有する注入ポンプデバイス（３０）であって、該リザーバ受容部（３２）は、注入媒体を収容するリザーバ（１）を受容し、該リザーバが該リザーバ受容部（３２）内に受容されたとき、該リザーバ（１）から注入媒体を選択的に分配する、注入ポンプデバイス（３０）と、
該リザーバ（１）を該注入ポンプデバイス（３０）と接続するコネクタインターフェイスであって、該コネクタインターフェイスは、該リザーバ（１）に接続して、リザーバ／キャップユニットを形成するように構成されたキャップ（４）を有し、該リザーバ／キャップユニットは、ＲＦＩＤチップを収容し、
該ＲＦＩＤチップは、該リザーバ、該キャップ、又は該注入ポンプデバイスの製造者の種類又は身元；該リザーバ、該キャップ、又は該注入ポンプデバイスのサイズ；該リザーバ内の注入媒体の種類又は濃度；該リザーバ内の注入媒体の体積量；該リザーバ内の注入媒体に関連した製造日、有効期限、又は充填日に対応する日付；該リザーバ、該キャップ、又は該注入ポンプデバイスの製造日又は有効期限に対応する日付；該リザーバ又は該リザーバ内の注入媒体を製造、充填、又は他の方法で処理した場所に対応する位置情報；該キャップ又は該注入ポンプデバイスを製造、組み立て、又は他の方法で処理した場所に対応する位置情報；該リザーバ、該リザーバ内の注入媒体、該キャップ、又は該注入ポンプデバイスの使用が認められた場所に対応する位置情報；該リザーバ、該キャップ、該注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上の特性を表すデータを含む、コネクタインターフェイスと、
該リザーバ受容部内に該リザーバが受容されていることを検出するための、該注入ポンプデバイスにおける構造と、を含み、
該注入ポンプシステムは、該受容部検出構造に接続され、かつ、該リザーバが該リザーバ受容部内に受容されたと検出されたときに、該ＲＦＩＤチップに照会を行い、該ＲＦＩＤチップから特性を読み取り、該リザーバ（１）からの注入媒体の該選択的分配を制御する回路を有する、エレクトロニクスを収容し、該選択的分配は、少なくとも部分的には、該ＲＦＩＤチップから読み取られる該特性に基づく、注入ポンプシステム。
【請求項１４】
リザーバ受容部（３２）であって、注入媒体を収容するリザーバ（１）を受容し、該リザーバ（１）が該リザーバ受容部（３２）内に受容されたとき、該リザーバから注入媒体を選択的に分配する、リザーバ受容部（３２）と、
該リザーバのＲＦＩＤチップからデータを読み取るように構成されたＲＦＩＤチップリーダであって、該データは、該リザーバの内容物、又は該リザーバに接続されたチューブ若しくは注入セットの特性を表す、ＲＦＩＤチップリーダと、
該ＲＦＩＤリーダに接続され、かつ少なくとも部分的には、該読み取ったデータに従って、前記選択的分配を制御するように構成される、エレクトロニクスと、を有する、注入ポンプデバイス（３０）。
【請求項１５】
リザーバ受容部（３２）を有する注入ポンプデバイス（３０）であって、該リザーバ受容部（３２）は、注入媒体を収容するリザーバ（１）を受容し、該リザーバ（１）が該リザーバ受容部（３２）内に受容されたとき、該リザーバ（１）から注入媒体を選択的に分配する、注入ポンプデバイス（３０）を設定する方法であって、
該リザーバ（１）を該注入ポンプデバイス（３０）と接続するコネクタインターフェイス（４０）が提供され、該コネクタインターフェイスは、該リザーバ（１）に接続して、リザーバ／キャップユニットを形成するように構成されたキャップ（４）を有し、
該方法は、該リザーバ／キャップユニットの該リザーバ（１）を該注入ポンプデバイス（３０）の該リザーバ受容部（３２）内に受容させたとき、その特定のリザーバ／キャップユニットについて該ポンプを設定するために必要なデータを含むＲＦＩＤチップを、該リザーバ／キャップユニットに提供することと、
該ＲＦＩＤチップに照会を行って該データを得ることと、
該検出されたデータに応じて該ポンプを設定することと、を含む、方法。
【発明の詳細な説明】
【技術分野】
【０００１】
（関連出願の相互参照）
本出願は、２０１４年７月２１日出願の米国特許仮出願第６２／０２７，０１９号；２０１４年１２月４日出願の同第６２／０８７，４４５号；２０１５年４月２０日出願の同第６２／１５０，０６４号；２０１５年５月１１日出願の同第６２／１５９，５０４号、及び２０１５年７月１６日出願の米国特許出願第１４／８０１，３３８号；２０１５年７月１６日出願の同第１４／８０１，２６６号；２０１５年７月１６日出願の同第１４／８０１，５４８号；２０１５年７月１６日出願の同第１４／８０１，４２９号；２０１５年７月１６日出願の同第１４／８０１，５０３号の利益を主張し、これら全てについて、参照によりその全体が本明細書に組み込まれる。
【０００２】
（発明の分野）
本開示は、シリンジ及びリザーバ用の接続インターフェイスに関し、特定の実施形態では、シリンジ又はリザーバと注入ポンプ、注入セットチューブ又はその両方のインターフェイスをとる接続インターフェイスに関する。更なる実施形態は、こうした接続インターフェイスを備える注入ポンプシステム及び注入セットシステム、並びにその注入ポンプシステム及び注入セットシステムの使用方法に関する。
【背景技術】
【０００３】
注入ポンプデバイス及びシステムは、医学分野において、患者に注入媒体を送達する又は分配するために使用され、こうした注入媒体は、例えば、インスリン、癌治療用薬物、ＨＩＶ治療用薬物又は医学的若しくは生物学的状態を治療するための他の媒体などの所定の薬物治療であってよい。一形態では、こうした注入ポンプデバイスは、患者に投与するための所定の薬剤を含むシリンジ又はリザーバを受容するように構成されている比較的小型のポンプハウジングを有する。
【０００４】
注入ポンプデバイスは、典型的には、シリンジ又はリザーバ内のピストンに駆動連結部を介して接続された小型駆動モータを備える。駆動モータを動作させて、ピストンをシリンジ又はリザーバ内で選択的に動かし、リザーバからユーザに流体媒体を流し込む。通常、ある期間にわたって薬物の送達を制御し得るように、駆動モータを連続的に又は周期的に動作させるため、プログラム可能な制御法が提供される。このような注入ポンプを利用して、インスリン及び他の薬物の投与が行われており、例示的なポンプ構造体としては、米国特許第４，５６２，７５１号；同第４，６７８，４０８号；同第４，６８５，９０３号；同第５，０８０，６５３号及び同第５，０９７，１２２号に示され、かつ記載されているものがある（その全ての内容全体を参照によって本明細書に組み込む）。
【０００５】
注入セットは、ポンプ内のリザーバ又はシリンジからユーザに流す注入媒体の流体経路となるチューブ及び接続器具である。注入セットチューブをリザーバに取り付けるためのコネクタは、様々な形態であり得る。こうしたコネクタの例の一部は、米国特許第６，５８５，６９５号（その全体が本明細書に参照により組み込まれる）に記載されている。
【先行技術文献】
【特許文献】
【０００６】
【特許文献１】米国特許出願公開第２０１０／０１０４４３号明細書
【特許文献２】米国特許出願公開第２００７／０７３２３５号明細書
【発明の概要】
【発明が解決しようとする課題】
【０００７】
それにもかかわらず、注入方法を容易にし、かつ使用及び製造の容易性及び他の利点のために更なる機能を提供する好適なインターフェイス接続を提供するような、接続方法の改善された設計の開発が依然として所望されている。
【課題を解決するための手段】
【０００８】
シリンジ及びリザーバ用の接続インターフェイスは、シリンジ又はリザーバと、注入ポンプ、注入セット用チューブ又はその両方とのインターフェイスをとるように構成される。注入ポンプシステムは、注入ポンプデバイス、注入セット及び注入ポンプデバイスを注入セットと接続する接続インターフェイスを備える。特定の実施形態では、接続インターフェイスは、リザーバへ固定されて、リザーバ／キャップユニット（又は基部／リザーバ／キャップユニット）を形成するように構成されたキャップを備え、このリザーバ／キャップユニット（又は基部／リザーバ／キャップユニット）は、注入ポンプデバイスのリザーバ受容部内に装着されるように構成される。特定の実施形態では、キャップは、第１の取り外し可能なカプラと、第２の取り外し可能なカプラを備えており、ここで、第１の取り外し可能なカプラは、キャップをリザーバに対して（又はリザーバに固定された基部に対して）取り外し可能に取り付けて、リザーバ／キャップユニット（又は基部／リザーバ／キャップユニット）を形成し、一方で第２の取り外し可能なカプラは、キャップを注入ポンプデバイスに取り外し可能に取り付ける。
【０００９】
特定の実施形態では、リザーバ／キャップユニットのリザーバを注入ポンプデバイスのリザーバ受容部内に受容させるとき、少なくとも１つのセンサ素子により検出するために、少なくとも１つの検出可能特徴部が、キャップ又はリザーバに配置される。センサ素子は、磁気検出センサ、誘導型センサ、ＲＦセンサ、機械的検出センサ、光学センサ又は電気接点式センサのうちのうちのいずれか１つ以上であってよい。同様に、検出可能特徴部は、磁気検出可能特徴部、誘導検出可能特徴部、ＲＦ検出可能特徴部、機械的検出可能特徴部、光学的検出可能特徴部及び電気接点式検出可能特徴部のうちのいずれか１つ以上であってよい。
【００１０】
また、特定の実施形態は、キャップを注入ポンプデバイスに取り外し可能に取り付けるように構成される特定の第２の取り外し可能なカプラに関し、更なる実施形態では、検出可能特徴部を用いる実施形態のうちのいずれか１つ以上と共に用いられる。更には、他の実施形態は、充填リザーバ用に移送ガードを含むか又は使用するリザーバ充填システム及びプロセスに関し、更なる実施形態においてはキャップを固定して、リザーバ／キャップユニット（又は基部／リザーバ／キャップユニット）を形成するリザーバである。
【００１１】
本発明の実施形態による注入ポンプシステムは、注入媒体を収容するリザーバを受容するため、かつ、リザーバが注入ポンプデバイスの注入ポンプハウジング内に挿入され、固定されたとき、注入媒体をリザーバから選択的に分配する注入ポンプデバイスを含む。また、こうした実施形態による注入ポンプシステムは、注入ポンプデバイスによって保持される少なくとも１つのセンサ素子と、リザーバを注入ポンプデバイスと接続するコネクタインターフェイスと、を含み、コネクタインターフェイスは、リザーバに接続して、リザーバ／キャップユニットを形成するキャップを含む。また、こうした実施形態による注入ポンプシステムは、キャップが注入ポンプハウジングに対して位置合わせされたか、又は連結されたとき、注入ポンプデバイスの少なくとも１つのセンサ素子により検出されるように、リザーバ／キャップユニットに配置された、少なくとも１つの検出可能特徴部を含む。
【００１２】
本発明の実施形態による注入ポンプシステムは、注入ポンプデバイスであって、注入ポンプデバイスの注入ポンプハウジング内にリザーバが挿入され、固定されるとき、注入媒体を収容するリザーバを受容し、リザーバから注入媒体を選択的に分配する、注入ポンプデバイスと、注入ポンプデバイスによって保持される少なくとも１つのセンサ素子と、リザーバを注入ポンプデバイスと接続するコネクタインターフェイスであって、コネクタインターフェイスは、リザーバに接続して、リザーバ／キャップユニットを形成するキャップを備える、コネクタインターフェイスと、キャップが注入ポンプハウジングに対して位置合わせされたか、又は連結されたとき、注入ポンプデバイスの少なくとも１つのセンサ素子により検出されるように、リザーバ／キャップユニットに配置された、少なくとも１つの検出可能特徴部と、を含む。
【００１３】
特定の実施形態では、少なくとも１つの検出可能特徴部は、磁石又は磁気ストリップである。特定の実施形態では、少なくとも１つの検出可能特徴部は、誘導検出可能部材である。特定の実施形態では、少なくとも１つの検出可能特徴部は、無線周波数（ＲＦ）検出可能デバイスである。特定の実施形態では、少なくとも１つの検出可能特徴部は、機械的検出可能特徴部である。特定の実施形態では、少なくとも１つの検出可能特徴部は、光学的検出可能特徴部である。
【００１４】
特定の実施形態では、コネクタインターフェイスはプッシュボタン解放特徴部を具備するツイストロックを更に含む。特定の実施形態では、コネクタインターフェイスは回転式リングロック及び解放特徴部を更に含む。特定の実施形態では、コネクタインターフェイスはつまみ解放特徴部を有する爪圧入ロックを更に含む。特定の実施形態では、コネクタインターフェイスはスロット及びタブ接続特徴部を更に含む。特定の実施形態では、コネクタインターフェイスは、バネ接続特徴部を更に含む。
【００１５】
特定の実施形態では、注入ポンプシステムは、側面充填式リザーバ受容部を含む。
【００１６】
特定の実施形態では、コネクタインターフェイスは、キャップ上又は注入ポンプデバイス上に通気口を更に含む。
【００１７】
特定の実施形態では、少なくとも１つのセンサ素子及び少なくとも１つの検出可能特徴部は、検出が、磁気効果、誘導効果、ＲＦ又はＲＦＩＤ相互作用、機械的相互作用、光学的効果、及び電気接点のうちの１つ以上によって行われるように構成される。
【００１８】
磁気的検出
本発明の更なる実施形態による注入ポンプシステムは、リザーバ受容部を有する注入ポンプデバイスを含み、リザーバ受容部は、注入媒体を収容するリザーバを受容し、リザーバがリザーバ受容部内に受容されたとき、リザーバから注入媒体を選択的に分配し、注入ポンプデバイスは、少なくとも１つの磁気検出センサ素子を含む。注入ポンプシステムの実施形態は、リザーバを注入ポンプデバイスと接続するコネクタインターフェイスシステムを更に含む。特定の実施形態では、コネクタインターフェイスシステムは、リザーバに接続され、リザーバ／キャップユニットを形成するように構成されたキャップを含み、リザーバ／キャップユニットのリザーバを注入ポンプデバイスのリザーバ受容部内に受容させたとき、少なくとも１つのセンサ素子により検出されるように、少なくとも１つの磁気検出可能特徴部が、キャップ又はリザーバに配置される。更なる実施形態では、コネクタインターフェイスシステムは、注入ポンプデバイスのリザーバ受容部内に受容されるリザーバを含み、このリザーバには、リザーバがリザーバ受容部内に受容されたとき、リザーバから選択的に分配される注入媒体が収容されているか、又は後に収容される。更なる実施形態では、コネクタインターフェイスシステムは、リザーバから分配される注入媒体を運ぶチューブを介してキャップと連結される注入セットを備える。
【００１９】
本発明の実施形態によるコネクタインターフェイスシステムは、リザーバと接続し、注入ポンプデバイスへの装着用のリザーバ／キャップユニットを形成するキャップを含む。少なくとも１つの磁気検出可能特徴部が、リザーバ／キャップユニットのリザーバが注入ポンプデバイスのリザーバ受容部内に受容されたとき、注入ポンプデバイスの少なくとも１つのセンサ素子により検出されるように、キャップに配置され、この少なくとも１つの磁気検出可能特徴部は、キャップのハウジングに取り付けられる磁石を含む。
【００２０】
本発明の更なる実施形態によるコネクタインターフェイスシステムは、注入ポンプデバイスのリザーバ受容部内に受容されるリザーバを含み、このリザーバには、リザーバがリザーバ受容部内に受容されたとき、リザーバから選択的に分配される注入媒体が収容されている。また、こうした更なる実施形態のコネクタインターフェイスシステムは、リザーバを注入ポンプデバイスと接続するコネクタインターフェイスを含み、このコネクタインターフェイスは、リザーバと接続し、リザーバ／キャップユニットを形成する、キャップを含む。こうした更なる実施形態のコネクタインターフェイスシステムは、リザーバから分配される注入媒体を運ぶチューブを介してキャップと連結される注入セットと、リザーバ／キャップユニットのリザーバが注入ポンプデバイスのリザーバ受容部内に受容されたとき、注入ポンプデバイスの少なくとも１つのセンサ素子により検出される、キャップに配置された少なくとも１つの磁気検出可能特徴部と、を備える。少なくとも１つの磁気検出可能特徴部は、キャップのハウジングに取り付けられる磁石を含む。
【００２１】
キャップにおいて磁石を使用することにより、リザーバがポンプ内に十分に固定されているかどうかを自動検出しやすくなる。一旦固定されると、注入が開始される。その後リザーバが緩むと、注入が中断され、警報が鳴る。好ましい実施形態では、薬物流体用の注入ポンプは、薬物流体のリザーバ用の受容部と、リザーバ受容部内に配置可能な第１の交換可能なリザーバであって、該リザーバは、交換可能なリザーバがリザーバ受容部内にあるとき、リザーバが受容部内でロックされる第１の位置、及びリザーバをリザーバ受容部から取り外し得る第２の位置から、注入ポンプに対して回転可能なキャップと、キャップに配置される磁石と、を有する、リザーバと、検出される磁界に応じた信号を生じるように構成される、注入ポンプにおけるセンサと、を含み、磁石及びセンサは、キャップが第１の位置にあるときに検出される磁界が、キャップが第２の位置にあるときの磁界とは異なるように配置され、注入ポンプは、センサに接続された回路であって、リザーバが（ロックされた）第１の位置又は（緩んでいるか、又は取り外すために緩められた）第２の位置のどちらにあるかを信号から判定する回路を含む。感知される磁界の態様は、磁界強度、磁界の極性又は磁界の方向、又はこれらの任意の組み合わせのいずれか（特定の方向での磁界強度など）であってよい。
【００２２】
磁石及びセンサは、キャップが第１の位置にあるときは、隣接して配置され得、また、キャップが第２の位置にあるときは、離れて配置され得、前記回路は、センサにおける磁界強度が第１の閾値を超えるとき、キャップが第１の位置にあることを示すように構成される。
【００２３】
センサが、２つの磁気検出器を含み、前記回路は、第１の検出器により検出される磁界強度が、第２の検出器により検出される磁界強度と等しく、磁石が第１の磁気検出器及び第２の磁気検出器から等距離にあることが示されているとき、第１の位置を検出するなど、様々な代替が考えられる。この配置と、第１の検出器とを、その第１の検出器によって検出される、第１の磁石の磁界強度が最大となり、第１の磁石が近位にあることが示されるようにして、組み合わせて、残りの２つの検出器が、同じ磁界強度の位置を検出するようにしてもよい。このような構成では、キャップは、キャップの軸に対して、角度的に離れて配置される２つの磁石を有し、注入ポンプは、３つのセンサを有し、そのうちの第１のセンサは、キャップが第１の位置にあるときには、磁石に隣接して配置され、また、キャップが第２の位置にあるときには、離れて配置され、第２のセンサ及び第３のセンサは、キャップが第１の位置にあるときは、第２の磁石から角度的に等距離となるように配置され、前記回路は、第１のセンサにより検出される磁界強度が第１の閾値を超えるとき、かつ第２のセンサ及び第３のセンサにより検出される磁界強度が等しいとき、第１の位置を検出するように構成される。更なる実施形態では、キャップは、角度θで離間した３つの磁石を有し、注入ポンプは、４つのセンサを有し、第１の磁石は、キャップが第１の位置にあるとき、第１のセンサに隣接して配置され、該センサは、角度θで離間しており、該磁石は、該第１の磁石に対して（２ｎ＋１）θの半分の角度（式中、ｎは、連続する整数１、２、３．．．を示す）で配置され、連続するｎの値毎に該磁石の極性は交互になっており、前記回路は、第１のセンサにより検出される磁界強度が最大となり、かつ他のセンサの磁界強度の合計がゼロに等しいとき、第１の位置を検出するように構成される。
【００２４】
これらの構成では、第１の交換可能なリザーバに代えてリザーバ受容部内に配置可能な第２の交換可能なリザーバを含み、第１の交換可能なリザーバの磁石と、第２の交換可能なリザーバの磁石は全て、それぞれ反対の極性を有し、センサが、第２の交換可能なリザーバが第１の位置にあるときに、その反対の極性を検出し得るように構成され、前記回路が、第１の交換可能なリザーバではなく、第２の交換可能なリザーバが、注入ポンプ内にあることを示すように構成されることにより、あるリザーバと（インスリンが異なり、異なる投与法が必要な）別のリザーバとを区別するようにポンプを作製することができる。
【００２５】
特定の実施形態では、少なくとも１つの磁気検出可能特徴部は、キャップ、リザーバ、カニューレ、又はキャップとカニューレとの間を接続するチューブの１つ以上の特性と関連付けられる少なくとも１つの検出可能パラメータを有する。特定の実施形態では、この関連性は、表又は他のデータ配置にて提供される。
【００２６】
特定の実施形態では、１つ以上の特性としては、リザーバ又はキャップの製造者の種類又は身元；リザーバ又はキャップのサイズ；リザーバ内の注入媒体の種類又は濃度；リザーバ内の注入媒体の体積量；リザーバ内の注入媒体に関連した製造日、有効期限、又は充填日に対応する日付；リザーバ又はキャップの製造日又は有効期限に対応する日付；リザーバ又はリザーバ内の注入媒体を製造、充填、又は他の方法で処理した場所に対応する位置情報；キャップを製造、組み立て、又は他の方法で処理した場所に対応する位置情報；リザーバ、リザーバ内の注入媒体、又はキャップの使用が認められた場所に対応する位置情報；リザーバ、キャップ、又は注入媒体の製造、洗浄、充填又は他の方法での処理が行われたバッチに関連するロット番号又は符号；シリアル番号；固有ＩＤ；権限を有するユーザのユーザ識別情報；カニューレの種類、長さ又はサイズ；又はキャップとカニューレの間を接続するチューブの種類、長さ又はサイズのうちの１つ以上を含む。
【００２７】
特定の実施形態では、磁気検出可能特徴部の少なくとも１つの検出可能パラメータは、少なくとも１つの磁気検出可能特徴部の近位度、少なくとも１つの磁気検出可能特徴部の極性方向、少なくとも１つの磁気検出可能特徴部の磁界強度、少なくとも１つの磁気検出可能特徴部のキャップにおける位置、又は複数の磁気検出可能特徴部の、キャップにおける位置パターンのうちの１つ以上を含む。
【００２８】
特定の実施形態では、少なくとも１つの磁気検出可能特徴部は、リザーバ／キャップユニットのリザーバを注入ポンプデバイスのリザーバ受容部内に十分に受容させたときに、第１の飽和状態で少なくとも１つのセンサ素子を飽和させるように構成された第１の極性方向を有するか、又はリザーバ／キャップユニットのリザーバを注入ポンプデバイスのリザーバ受容部内に十分に受容させたときに、第２の飽和状態で少なくとも１つのセンサ素子を飽和させるように構成された第２の極性方向を有し、該第１の飽和状態は、該第２の飽和状態と反対である。
【００２９】
特定の実施形態では、少なくとも１つの磁気検出可能特徴部は、キャップ、リザーバ、カニューレ、又はキャップとカニューレとの間を接続するチューブの１つ以上の所定の特性と関連付けられた、検出可能分解能を有するコンパスセンサ検出可能特徴部を含む。
【００３０】
特定の実施形態では、少なくとも１つの磁気検出可能特徴部は、キャップのそれぞれ異なる位置に配置された複数の磁石を含む。
【００３１】
特定の実施形態では、少なくとも１つの磁気検出可能特徴部は、リザーバ／キャップユニットがリザーバ受容部内に受容されたとき、磁気検出可能特徴部が、少なくとも１つのセンサ素子と磁気的に相互作用して、リザーバ受容部に対するキャップ若しくはリザーバの軸方向又は回転方向の動き又は位置の検出のための、検出可能な信号がもたらされるような位置にある、複数の磁気検出可能特徴部を含む。
【００３２】
特定の実施形態では、キャップは、リザーバ／キャップユニットが、注入ポンプデバイスのリザーバ受容部内に受容されるとき、注入ポンプデバイスの対応するネジ山又は溝に係合するように構成される少なくとも１つのネジ山を備え、少なくとも１つの磁気検出可能特徴部は、この少なくとも１つのネジ山に位置している。
【００３３】
特定の実施形態では、少なくとも１つの磁気検出可能特徴部は、キャップ、リザーバ、カニューレ、又はキャップとカニューレとの間を接続するチューブの１つ以上の所定の特性と関連付けられる磁界角度を含む。
【００３４】
特定の実施形態では、少なくとも１つの磁気検出可能特徴部は、キャップの側面に対して、角度βで傾く磁界を含む。この磁界は、それを生じさせるのに使用されている磁石の形状とは無関係であってよい。
【００３５】
特定の実施形態では、少なくとも１つの磁気検出可能特徴部は、キャップの側面に対して、角度βで傾いた磁界を含み、角度βは、キャップの側面に対して、５°〜８５°、９５°〜１７５°、１８５°〜２６５°、又は２７５°〜３５５°である。
【００３６】
特定の実施形態では、少なくとも１つの磁気検出可能特徴部は、キャップの側面に対して、角度βで傾いた磁界を含み、角度βは、キャップの側面に対して、２．５°〜８７．５°、９２．５°〜１７７．５°、１８２．５°〜２６７．５°、又は２７２．５°〜３５７．５°である。
【００３７】
特定の実施形態では、少なくとも１つの磁気検出可能特徴部は、キャップの側面に対して、角度βで傾いた磁界を含み、角度βは、キャップの側面に対して、１０°〜８０°、１００°〜１７０°、１８０°〜２６０°、又は２８５°〜３５０°である。
【００３８】
特定の実施形態では、少なくとも１つの磁気検出可能特徴部は、キャップの側面に対して、角度βで傾いた磁界を含み、角度βは、キャップの該側面に対して、三次元的な磁界角度αを提供するように設定される。
【００３９】
特定の実施形態では、少なくとも１つの磁気検出可能特徴部は、キャップに含まれる２つ以上の磁石を含み、それぞれの磁石は、キャップの側面とは無関係な設定角度βに設定された固有の磁界を有する。
【００４０】
特定の実施形態では、少なくとも１つの磁気検出可能特徴部は、キャップ、リザーバ、カニューレ又はキャップとカニューレとの間を接続するチューブの１つ以上の特性と関連付けられた少なくとも１つの検出可能パラメータを有し、２つ以上の磁石は、キャップが注入ポンプデバイス内へと回転させられるにつれて、キャップ、リザーバ、カニューレ又はキャップとカニューレとの間を接続するチューブの１つ以上の特性を一意的に特定する磁界配列を生じさせる。
【００４１】
特定の実施形態では、注入セットは、カニューレを更に含み、少なくとも１つの磁気検出可能特徴部は、カニューレ、又は注入セットのチューブの１つ以上の特性と関連付けられた少なくとも１つの検出可能パラメータを有する。
【００４２】
特定の実施形態では、カニューレ又は注入セットのチューブの特性は、カニューレのサイズ若しくは長さ、又はチューブのサイズ若しくは長さを含む。
【００４３】
本発明の実施形態による注入ポンプシステムは、リザーバ受容部を有する注入ポンプデバイスを含み、リザーバ受容部は、注入媒体を収容するリザーバを受容し、リザーバがリザーバ受容部内に受容されたとき、リザーバから注入媒体を選択的に分配する。注入ポンプシステムの実施形態は、注入ポンプデバイスによって保持される少なくとも１つのセンサ素子と、リザーバを注入ポンプデバイスと接続するコネクタインターフェイスと、を更に含み、コネクタインターフェイスは、リザーバに接続して、リザーバ／キャップユニットを形成するキャップを含む。注入ポンプシステムの実施形態は、リザーバ／キャップユニットのリザーバが注入ポンプデバイスのリザーバ受容部内に受容されたとき、注入ポンプデバイスの少なくとも１つのセンサ素子により検出される、キャップに配置された少なくとも１つの磁気検出可能特徴部を更に備え、この少なくとも１つの磁気検出可能特徴部は、キャップのハウジングに取り付けられる磁石を含む。
【００４４】
注入ポンプシステムの特定の実施形態では、少なくとも１つの磁気検出可能特徴部は、コネクタインターフェイスに関連する、カニューレ、又は注入セットのチューブの１つ以上の特性と関連付けられた少なくとも１つの検出可能パラメータを有する。
【００４５】
注入ポンプシステムの特定の実施形態では、カニューレ又は注入セットのチューブの特性は、カニューレのサイズ若しくは長さ、又はチューブのサイズ若しくは長さを含む。
【００４６】
注入ポンプシステムの特定の実施形態では、少なくとも１つの磁気検出可能特徴部は、キャップ、リザーバ、又はキャップとカニューレとの間を接続するチューブのうちの１つ以上の特性と関連付けられた少なくとも１つの検出可能パラメータを有する。
【００４７】
注入ポンプシステムの特定の実施形態では、少なくとも１つの検出可能パラメータは、少なくとも１つの磁気検出可能特徴部の近位度、少なくとも１つの磁気検出可能特徴部の極性方向、少なくとも１つの磁気検出可能特徴部の磁界強度、少なくとも１つの磁気検出可能特徴部のキャップにおける位置、又は複数の磁気検出可能特徴部の、キャップにおける位置パターンのうちの１つ以上を含む。
【００４８】
注入ポンプシステムの特定の実施形態では、少なくとも１つのセンサは、第１の極性方向の磁気検出可能特徴部を有するリザーバ／キャップユニットのリザーバを、注入ポンプデバイスのリザーバ受容部内に十分に受容させたとき、第１の飽和状態で飽和するように構成され、少なくとも１つのセンサは、第２の極性方向の磁気検出可能特徴部を有するリザーバ／キャップユニットのリザーバを、注入ポンプデバイスのリザーバ受容部内に十分に受容させたとき、第２の飽和状態で飽和するように構成され、第１の飽和状態は、第２の飽和状態と反対であり、第１の極性方向は、第２の極性方向と反対である。
【００４９】
注入ポンプシステムの特定の実施形態では、１つ以上の特性は、リザーバ又はキャップの製造者の種類又は身元；リザーバ又はキャップのサイズ；リザーバ内の注入媒体の種類又は濃度；リザーバ内の注入媒体の体積量；リザーバ内の注入媒体に関連した製造日、有効期限、又は充填日に対応する日付；リザーバ又はキャップの製造日又は有効期限に対応する日付；リザーバ又はリザーバ内の注入媒体を製造、充填、又は他の方法で処理した場所に対応する位置情報；キャップを製造、組み立て、又は他の方法で処理した場所に対応する位置情報；リザーバ、リザーバ内の注入媒体、又はキャップの使用が認められた場所に対応する位置情報；リザーバ、キャップ、又は注入媒体の製造、洗浄、充填又は他の方法での処理が行われたバッチに関連するロット番号又は符号；シリアル番号；固有ＩＤ；権限を有するユーザのユーザ識別情報；カニューレの種類、長さ又はサイズ；又はキャップとカニューレの間を接続するチューブの種類、長さ又はサイズのうちの１つ以上を含む。
【００５０】
注入ポンプシステムの特定の実施形態では、少なくとも１つの磁気検出可能特徴部は、キャップ、リザーバ、カニューレ、又はキャップとカニューレとの間を接続するチューブの１つ以上の所定の特性と関連付けられた、検出可能分解能を有するコンパスセンサ検出可能特徴部を含む。
【００５１】
注入ポンプシステムの特定の実施形態では、少なくとも１つの磁気検出可能特徴部は、キャップのそれぞれ異なる位置に配置された複数の磁石を含む。
【００５２】
注入ポンプシステムの特定の実施形態では、少なくとも１つの磁気検出可能特徴部は、リザーバ／キャップユニットがリザーバ受容部内に受容されたとき、磁気検出可能特徴部が、少なくとも１つのセンサ素子と磁気的に相互作用して、リザーバ受容部に対するキャップ若しくはリザーバの軸方向又は回転方向の動き又は位置の検出のための、検出可能な信号がもたらされるような位置にある、複数の磁気検出可能特徴部を含む。
【００５３】
注入ポンプシステムの特定の実施形態では、少なくとも１つのセンサは、少なくとも１つの磁気検出可能特徴部の磁界角度を検出するように構成され、磁界角度は、キャップ、リザーバ、カニューレ、又はキャップとカニューレとの間を接続するチューブの１つ以上の所定の特性と関連付けられる。
【００５４】
注入ポンプシステムの特定の実施形態では、少なくとも１つの磁気検出可能特徴部は、磁界を含み、磁界は、キャップの側面に対して角度βで傾き、かつ、磁石の形状とは無関係に角度βで傾斜した磁界を生じる。
【００５５】
注入ポンプシステムの特定の実施形態では、少なくとも１つの磁気検出可能特徴部は、キャップの側面に対して、角度βで傾いた磁界を含み、角度βは、キャップの側面に対して、５°〜８５°、９５°〜１７５°、１８５°〜２６５°、又は２７５°〜３５５°である。
【００５６】
注入ポンプシステムの特定の実施形態では、少なくとも１つの磁気検出可能特徴部は、キャップの側面に対して、角度βで傾いた磁界を含み、角度βは、キャップの側面に対して、２．５°〜８７．５°、９２．５°〜１７７．５°、１８２．５°〜２６７．５°、又は２７２．５°〜３５７．５°である。
【００５７】
注入ポンプシステムの特定の実施形態では、少なくとも１つの磁気検出可能特徴部は、キャップの側面に対して、角度βで傾いた磁界を含み、角度βは、キャップの側面に対して、１０°〜８０°、１００°〜１７０°、１８０°〜２６０°、又は２８５°〜３５０°である。
【００５８】
注入ポンプシステムの特定の実施形態では、少なくとも１つの磁気検出可能特徴部は、キャップの側面に対して、角度βで傾いた磁界を含み、角度βは、キャップの該側面に対して、三次元的な磁界角度αを提供するように設定される。
【００５９】
Ｎ−Ｓ磁界方向がキャップの壁部において、キャップの軸を含む平面に対して角度が付けられ、かつその平面と交差して（即ち、キャップの平面上でスキューさせられて）存在するように、キャップの側面に磁石を固定することが好ましい。しかし、スキューの有無に関わらず、キャップと同軸の仮想的な円錐の表面内にあるように磁界を配向する（即ち、傾ける）こともできる。そして、センサは磁界方向を検出し、上述の特性として、その磁界方向を解釈するように配置される。いずれの場合であっても、キャップの軸に対して直接平行に又は水平に磁界を配向しないことが好ましい。
【００６０】
注入ポンプシステムの特定の実施形態では、少なくとも１つの磁気検出可能特徴部は、キャップに含まれる２つ以上の磁石を含み、それぞれの磁石は、キャップの側面とは無関係な設定角度βに設定された固有の磁界を有する。
【００６１】
注入ポンプシステムの特定の実施形態では、少なくとも１つの磁気検出可能特徴部は、キャップ、リザーバ、カニューレ又はキャップとカニューレとの間を接続するチューブの１つ以上の特性と関連付けられた少なくとも１つの検出可能パラメータを有し、２つ以上の磁石は、キャップが注入ポンプデバイス内へと回転させられるにつれて、キャップ、リザーバ、カニューレ又はキャップとカニューレとの間を接続するチューブの１つ以上の特性を一意的に特定する磁界配列を生じさせる。
【００６２】
これらの配置における更なる選択肢は、センサの出力に連結されるエレクトロニクスを提供することであり、これにより、リザーバとキャップの組み合わせが注入ポンプ付近にあることを示す磁界検出の第１の閾値を規定する。この第１の閾値のトリガは、単に、磁界強度の所与の最低値が検出されることにより行われ得る。磁界検出の第２の閾値は、リザーバ／キャップユニットがポンプの所定の位置に固定されていることを示し得る。これは、主に、特定の配向によるか、又は配向にかかわらずかのいずれかで、磁界強度の最大値によって判定され得る。次に、第３の基準は、上記のように、キャップが、異なる特性を表す異なる測定角度で所定の位置にあるときに、検出される磁界角度から導かれ得る。これらの特性は、動作を決定するか、又は、そのポンプでの、そのリザーバ／キャップの組み合わせの使用が認められていないか、不適当であることを決定するために、ポンプに提供されてもよく、使用が認められていないか、不適当である場合には、ポンプは停止され、かつ／又は可聴警報又は可視警報が出される。
【００６３】
本発明の更なる実施形態による薬物流体用の注入ポンプシステムは、薬物流体のリザーバ用受容部及びリザーバ受容部内に配置可能である第１の交換可能なリザーバを備える。こうした実施形態では、リザーバは、交換可能なリザーバがリザーバ受容部内にあるとき、リザーバが受容部内でロックされる第１の位置、及びリザーバをリザーバ受容部から取り外し得る第２の位置から、注入ポンプに対して回転可能なキャップを有する。このような実施形態は、キャップに配置される磁石と、検出される磁界に応じた信号を生じるように構成される、注入ポンプにおけるセンサを備える。磁石及びセンサは、キャップが第１の位置にあるときに検出される磁界が、キャップが第２の位置にあるときの磁界とは異なるように配置される。このような実施形態は、センサに接続された回路であって、リザーバが第１の位置又は第２の位置のどちらにあるかを前記信号から判定する回路を備える。
【００６４】
特定の実施形態では、磁石及びセンサは、キャップが第１の位置にあるときは、隣接して配置され、また、キャップが第２の位置にあるときは、離れて配置され、前記回路は、磁界強度が第１の閾値を超えるとき、キャップが第１の位置にあることを示す。
【００６５】
特定の実施形態では、前記回路は、磁界強度が第１の閾値未満である第２の閾値を超えるとき、キャップが第１の位置又は第２の位置のどちらにあるかに関係なく、リザーバがリザーバ受容部内にあることを示すように構成される。
【００６６】
特定の実施形態では、センサは、２つの磁気検出器を含み、前記回路は、第１の検出器により検出される磁界強度が、第２の検出器により検出される磁界強度と等しく、磁石が第１の磁気検出器及び第２の磁気検出器から等距離にあることが示されているとき、第１の位置を検出する。
【００６７】
特定の実施形態では、キャップは、キャップの軸に対して、角度的に離れて配置される２つの磁石を有し、注入ポンプは、３つのセンサを有し、そのうちの第１のセンサは、キャップが第１の位置にあるときには、磁石に隣接して配置され、また、キャップが第２の位置にあるときには、離れて配置され、第２のセンサ及び第３のセンサは、キャップが第１の位置にあるときは、第２の磁石から角度的に等距離となるように配置され、前記回路は、第１のセンサにより検出される磁界強度が第１の閾値を超えるとき、かつ第２のセンサ及び第３のセンサにより検出される磁界強度が等しいとき、第１の位置を検出するように構成される。
【００６８】
特定の実施形態では、キャップは、角度θで離間した３つの磁石を有し、注入ポンプは、４つのセンサを有し、第１の磁石は、キャップが第１の位置にあるとき、第１のセンサに隣接して配置される。これらのセンサは、角度θで離間しており、これらの磁石は、第１の磁石に対して（２ｎ＋１）θの半分の角度（式中、ｎは、連続する整数１、２、３．．．を示す）で配置され、連続するｎの値毎にこれらの磁石の極性は交互になっている。こうした実施形態では、前記回路は、第１のセンサにより検出される磁界強度が最大となり、かつ他のセンサの磁界強度の合計がゼロに等しいとき、第１の位置を検出するように構成される。
【００６９】
特定の実施形態は、第１の交換可能なリザーバに代えてリザーバ受容部内に配置可能な第２の交換可能なリザーバを更に含み、第１の交換可能なリザーバの磁石の磁界と、第２の交換可能なリザーバの磁石の磁界とは、異なる配向を有し、センサは、第２の交換可能なリザーバが第１の位置にあるときに、異なる配向を検出し得るように構成され、前記回路は、第１の交換可能なリザーバではなく、第２の交換可能なリザーバが、注入ポンプ内にあることを示すように構成される。
【００７０】
特定の実施形態では、異なる配向は、磁界の極性を反転させたものである。特定の実施形態では、異なる配向は、磁界の磁化面の違いである。
【００７１】
特定の実施形態では、センサはホール効果デバイスを含む。特定の実施形態では、センサはＡＭＲ角度センサを含む。
【００７２】
誘導検出
本発明の実施形態による注入ポンプシステムは、リザーバ受容部を有する注入ポンプデバイスを含み、リザーバ受容部は、注入媒体を収容するリザーバを受容し、リザーバがリザーバ受容部内に受容されたとき、リザーバから注入媒体を選択的に分配し、注入ポンプデバイスは、少なくとも１つの誘導型センサ素子を含む。注入ポンプシステムの実施形態は、リザーバを注入ポンプデバイスと接続するコネクタインターフェイスシステムを更に含む。特定の実施形態では、コネクタインターフェイスシステムは、リザーバに接続され、注入ポンプデバイスへの装着用リザーバ／キャップユニットを形成するように構成されたキャップを有し、リザーバ／キャップユニットのリザーバを注入ポンプデバイスのリザーバ受容部内に受容させたとき、注入ポンプデバイスの少なくとも１つの誘導型センサ素子により検出されるように、少なくとも１つの誘導検出可能特徴部が、キャップ又はリザーバに提供される。少なくとも１つの誘導検出可能特徴部は、少なくとも１つの導電性材料を含む。更なる実施形態では、コネクタインターフェイスシステムは、注入ポンプデバイスのリザーバ受容部内に受容されるリザーバを含み、このリザーバには、リザーバがリザーバ受容部内に受容されたとき、リザーバから選択的に分配される注入媒体が収容されているか、又は後に収容される。更なる実施形態では、コネクタインターフェイスシステムは、リザーバから分配される注入媒体を運ぶチューブを介してキャップと連結される注入セットを備える。
【００７３】
更なる実施形態では、少なくとも１つの誘導検出可能特徴部は、１つ以上の誘導検出可能特徴部の存在、少なくとも１つのセンサ素子に対する少なくとも１つの誘導検出可能特徴部の近位度、少なくとも１つの誘導検出可能特徴部のサイズ、少なくとも１つの誘導検出可能特徴部の形状、少なくとも１つの誘導検出可能特徴部の材料、１つ以上の誘導検出可能特徴部の位置パターン、又は誘導検出可能特徴部の数のうちの１つ以上を含む、少なくとも１つの検出可能パラメータを有する。
【００７４】
更なる実施形態では、少なくとも１つの誘導検出可能特徴部は、キャップのそれぞれ異なる位置に配置された複数の誘導検出可能特徴部を含む。
【００７５】
特定の実施形態では、少なくとも１つの誘導検出可能特徴部は、リザーバ／キャップユニットがリザーバ受容部内に受容されたとき、誘導検出可能特徴部が、少なくとも１つのセンサ素子と誘導的に相互作用して、リザーバ受容部に対するキャップ若しくはリザーバの軸方向又は回転方向の動き又は位置の検出のための、検出可能な信号がもたらされるような位置にある、複数の誘導検出可能特徴部を含む。
【００７６】
更なる実施形態では、キャップは、リザーバの一部を受容する開口部を有するハウジングを含み、開口部は中心軸を規定し、少なくとも１つの誘導検出可能特徴部は、その中心軸の周りに配置されたリング形状又は部分的なリング形状を有する少なくとも１つの導電体を含む。
【００７７】
更なる実施形態では、少なくとも１つの誘導検出可能特徴部は、第１の端部及び第２の端部を有する少なくとも１つの導電体を含み、この導電体の第１の端部は、この導電体の第２の端部より小さい寸法を有する。
【００７８】
更なる実施形態では、前記少なくとも１つの導電体は、キャップ上又はキャップ内において、リザーバ／キャップユニットのリザーバが、注入ポンプデバイスのリザーバ受容部内に受容されたとき、導電体の第１及び第２の端部の所定の一方が少なくとも１つのセンサに対して所定の方向に移動し、導電体の第１及び第２の端部のうちの他方がそれに続いて移動するような位置に配置される。
【００７９】
更なる実施形態では、前記少なくとも１つの導電体は、三角形状又は矢じり形状を有する。
【００８０】
更なる実施形態では、少なくとも１つのセンサ素子は、少なくとも１つの導電性コイルを含み、この少なくとも１つの導電性コイルは、注入ポンプデバイス上又は注入ポンプデバイス内において、リザーバ／キャップユニットのリザーバが、注入ポンプデバイスのリザーバ受容部内に受容されたとき、少なくとも１つの導電体によって、少なくとも１つの導電性のコイル内の電流に、検出可能な変化が誘導されるような位置に設けられる。
【００８１】
更なる実施形態では、少なくとも１つのセンサ素子は、注入ポンプデバイスのリザーバ受容部の軸の周りに提供された少なくとも１つの導電性コイルを含む。
【００８２】
更なる実施形態では、少なくとも１つのセンサ素子は、注入ポンプデバイスのリザーバ受容部の一端に連結されたリング形状部材内に提供された少なくとも１つの導電性コイルを含む。
【００８３】
更なる実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つの誘導検出可能特徴部が、少なくとも１つのセンサ素子により検出されるまで、リザーバからの注入媒体の分配を阻止するように構成される。
【００８４】
更なる実施形態による、注入媒体を収容するリザーバを注入ポンプデバイスと接続するコネクタインターフェイスは、リザーバに接続して、リザーバ／キャップユニットを形成するように構成されたキャップを含み、少なくとも１つの誘導検出可能特徴部が、リザーバ／キャップユニットのリザーバが注入ポンプデバイスのリザーバ受容部に受容されるときに、注入ポンプデバイスの少なくとも１つの誘導型センサ素子によって検出されるように、キャップ又はリザーバに配置される。
【００８５】
こうしたコネクタインターフェイスの更なる実施形態では、少なくとも１つの誘導検出可能特徴部は、表又は他のデータ配置において、キャップ、リザーバ、又は注入ポンプデバイスの１つ以上の特性に関連付けられた、少なくとも１つの検出可能パラメータを有する。
【００８６】
こうしたコネクタインターフェイスの更なる実施形態では、少なくとも１つの検出可能パラメータは、１つ以上の導電性標的と１つ以上のコイルとの間の近位度若しくは距離、又は１つ以上の導電性標的のサイズ、形状、材料、位置若しくは位置パターンのうちの１つ以上を含む。
【００８７】
こうしたコネクタインターフェイスの更なる実施形態では、誘導検出可能特徴部の少なくとも１つの検出可能パラメータは、リザーバ受容部内での十分な装着位置でのリザーバ／キャップユニットの存在、又はキャップ、リザーバ若しくはリザーバ／キャップユニットに関連付けられた情報を示す、検出可能なシグネチャを提供する。
【００８８】
こうしたコネクタインターフェイスの更なる実施形態では、少なくとも１つの誘導検出可能特徴部の検出可能パラメータは、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上を含む、１つ以上の特性に関連付けられる。
【００８９】
こうしたコネクタインターフェイスの更なる実施形態では、少なくとも１つの誘導検出可能特徴部は、（ａ）リザーバ／キャップユニットがリザーバ受容部内に受容されるときに、１つ以上のコイルと誘導性相互作用するような１つ以上の位置にある、１つ以上の導電性標的、又は（ｂ）リザーバ／キャップユニットがリザーバ受容部内に受容されたとき、１つ以上の導電性標的が１つ以上のコイルと誘導的に相互作用して、リザーバ受容部に対するキャップ又はリザーバの軸方向又は回転方向の動き又は位置の検出のための、検出可能な信号がもたらされるような位置にある、複数の導電性標的を含む。
【００９０】
こうしたコネクタインターフェイスの更なる実施形態では、少なくとも１つの誘導検出可能特徴部は、（ａ）キャップ又はリザーバにおける１つ以上の導電性標的、（ｂ）キャップ又はリザーバが注入ポンプデバイスのリザーバ受容部内に受容された際、キャップ又はリザーバにおける係合部分と係合し、また、キャップ又はリザーバと共に直線運動する、注入ポンプデバイスにおける、１つ以上の可動支持構造によって支持される１つ以上の導電性標的であって、係合部分は、キャップ又はリザーバの所定の位置に、所定のコイルに対して導電性標的を所定の量だけ移動させるように設けられ、係合部分は、１つ以上の突出部、凸部、延出部、ランプ部又は窪部を含む、１つ以上の導電性標的、（ｃ）注入ポンプデバイスの１つ以上のチャネル内で支持される１つ以上の可動部材において支持される１つ以上の導電性標的であって、それぞれの可動部材は、キャップ又はリザーバがリザーバ受容部内に受容された際、キャップ又はリザーバの係合部分と接触して、キャップ又はリザーバがリザーバ受容部内に受容されるにつれ、可動部材、及び可動部材上に支持された導電性標的を、チャネルの長手方向寸法の方向に第１の位置から第２の位置へと移動させるような位置に配置される一端を有し、それぞれの可動部材は、付勢バネによって、第１の位置へ向かって付勢され、それぞれの可動部材は、チャネルの内側表面に対して封止する１つ以上の封止部を含む、１つ以上の導電性標的、又は（ｄ）リザーバ内部のピストンに取り付けられた構造、を含む。
【００９１】
こうしたコネクタインターフェイスの更なる実施形態では、１つ以上又は複数の導電性標的は、（ａ）キャップ又はリザーバにおける少なくとも１つの金属リング又はバンドであって、キャップ又はリザーバの軸の周りに周方向に延びる、金属リング又はバンド、（ｂ）所定の形状、サイズ、又は所定の誘導シグネチャを提供する導電特性を有する、少なくとも１つの導電性標的、（ｃ）少なくとも１つの導電性標的であって、該少なくとも１つの導電性標的が少なくとも１つの誘導型センサに対して移動したときに、時変誘導シグネチャが提供されるように、一方の端部が反対側の端部より幅広となった、三角形状、テーパー形状又は矢じり形状を有する、少なくとも１つの導電性標的、（ｄ）互いに対して同一の形状を有する、複数の導電性標的、（ｅ）互いに対して異なる形状を有する、複数の導電性標的、又は（ｆ）所定の誘導シグネチャを提供するようなパターンで配置される、複数の導電性標的を含む。
【００９２】
こうしたコネクタインターフェイスの更なる実施形態では、１つ以上又は複数の導電性標的は、（ａ）キャップ又はリザーバの外側表面に取り付けられるか、（ｂ）キャップ又はリザーバの内側表面に取り付けられるか、又は（ｃ）キャップ又はリザーバの壁部内に埋め込まれる。
【００９３】
更なる実施形態の注入ポンプシステムは、先の段落のいずれかに記述されているようなコネクタインターフェイスと、リザーバ受容部を有する注入ポンプデバイスであって、リザーバ受容部は、リザーバを受容し、リザーバがリザーバ受容部内に受容されたとき、リザーバから注入媒体を選択的に分配し、注入ポンプデバイスは、誘導検出可能特徴部を検出する、少なくとも１つの誘導型センサ素子を備える、注入ポンプデバイスと、を備える。
【００９４】
こうした注入ポンプシステムの更なる実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つの誘導検出可能特徴部が、少なくとも１つの誘導型センサ素子により検出されるまで、リザーバからの注入媒体の分配を阻止するように構成される。
【００９５】
こうした注入ポンプシステムの更なる実施形態では、エレクトロニクスは、表又は他のデータ配置を格納するメモリに接続され、エレクトロニクスは、リザーバがリザーバ受容部内に受容されたとき、リザーバからの注入媒体の選択的分配を制御するように構成され、選択的分配は、少なくとも部分的には、表又は他のデータ配置において、誘導検出可能特徴部の少なくとも１つの検出可能パラメータに関連付けられた１つ以上の特性に基づく。
【００９６】
こうした注入ポンプシステムの更なる実施形態では、エレクトロニクスは、メモリ内に情報を記録するように構成され、この情報は、（ａ）少なくとも１つの誘導型センサにより検出される少なくとも１つの検出可能パラメータ、又は（ｂ）表又は他のデータ配置において少なくとも１つの誘導型センサにより検出される少なくとも１つの検出可能パラメータに関連付けられた、少なくとも１つの特性に対応する。
【００９７】
こうした注入ポンプシステムの更なる実施形態では、エレクトロニクスは、誘導検出可能特徴部の少なくとも１つの検出可能パラメータが検出されたときの、注入ポンプデバイスの地理的位置に対応する位置情報を記録するように更に構成される。
【００９８】
こうした注入ポンプシステムの更なる実施形態では、エレクトロニクスは、少なくとも１つの検出可能パラメータが検出されたときの、時間又は日付に対応する時間情報を記録するように更に構成される。
【００９９】
こうした注入ポンプシステムの更なる実施形態では、少なくとも１つの誘導型センサは、注入ポンプデバイスに１つ以上の導電性コイルを備え、１つ以上の導電性コイルは、処理エレクトロニクスに連結される電子回路に電気的に接続され、処理エレクトロニクスは、１つ以上の導電性コイルに対して、少なくとも１つの誘導検出可能特徴部が移動したか、又は近接していることにより生じる、電子回路内での電気誘導効果を検出するように構成される。
【０１００】
こうした注入ポンプシステムの更なる実施形態では、（ａ）少なくとも１つの誘導検出可能特徴部は、キャップ、リザーバ又は注入ポンプデバイスにおいて、リザーバ／キャップユニットが注入ポンプデバイスのリザーバ受容部内に十分に受容されている場合は、少なくとも１つの誘導型センサ素子により検出されるが、リザーバ／キャップユニットが注入ポンプデバイスのリザーバ受容部内に十分に受容されていない場合は、少なくとも１つの誘導型センサ素子により検出されない位置に配置されるか、又は（ｂ）キャップは、リザーバ／キャップユニットが、注入ポンプデバイスのリザーバ受容部内に受容されるとき、注入ポンプデバイスの対応するネジ山又は溝に係合するように構成される少なくとも１つのネジ山を備え、少なくとも１つの誘導検出可能特徴部は、少なくとも１つのネジ山に位置している。
【０１０１】
更なる実施形態による注入ポンプシステムは、リザーバ受容部を有する注入ポンプデバイスを含み、リザーバ受容部は、注入媒体を収容するリザーバを受容し、リザーバがリザーバ受容部内に受容されたとき、リザーバから注入媒体を選択的に分配し、注入ポンプデバイスは、少なくとも１つの誘導型センサ素子を含む。注入ポンプシステムは、リザーバを注入ポンプデバイスと接続するコネクタインターフェイスを更に含み、コネクタインターフェイスは、リザーバに接続して、リザーバ／キャップユニットを形成するように構成されたキャップを有し、このリザーバ／キャップユニットは、係合部材の識別パターンを有する。注入ポンプシステムは、誘導検出可能な標的部材であって、リザーバ受容部の内側にあり、係合部材のうちの対応するものと係合して、標的部材を誘導型センサが検出可能な近位に移動させることによって、リザーバ／キャップユニットのリザーバを注入ポンプデバイスのリザーバ受容部内に受容させたとき、係合部材の識別パターンが検出されるように配置される、誘導検出可能な標的部材を更に備える。
【０１０２】
上記の注入ポンプシステムの更なる実施形態では、係合部材の識別パターンは、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上の特性を表し、注入ポンプシステムは、係合部材の識別パターンと特性を関連付けた表を格納するメモリを含む、エレクトロニクスを収容し、エレクトロニクスは、リザーバがリザーバ受容部内に受容されたとき、リザーバからの注入媒体の選択的分配を制御するように構成され、選択的分配は、少なくとも部分的には、該表において、検出された識別パターンに関連付けられた１つ以上の特性に基づく。
【０１０３】
更なる実施形態による注入ポンプデバイスは、リザーバ受容部を含み、リザーバ受容部は、リザーバを受容し、リザーバがリザーバ受容部内に受容されたとき、リザーバから注入媒体を選択的に分配する。注入ポンプデバイスは、更に、リザーバにある誘導検出可能特徴部を検出する少なくとも１つの誘導型センサ素子を備え、誘導検出可能特徴部は、リザーバの内容物、又はリザーバに接続されたチューブ又は注入セットの特性を表す。注入ポンプデバイスは、少なくとも１つのセンサ素子に接続され、かつ少なくとも部分的には検出される特徴部に応じて、選択的分配を制御するように構成される、エレクトロニクスを更に備える。
【０１０４】
更なる実施形態は、リザーバ受容部を有する注入ポンプデバイスであって、リザーバ受容部は、注入媒体を収容するリザーバを受容し、リザーバがリザーバ受容部内に受容されたとき、リザーバから注入媒体を選択的に分配する、注入ポンプデバイスを設定する方法を含み、リザーバを注入ポンプデバイスに接続するコネクタインターフェイスが提供され、コネクタインターフェイスは、リザーバに接続して、リザーバ／キャップユニットを形成するように構成されたキャップを有する。この方法は、リザーバ／キャップユニットのリザーバを注入ポンプデバイスのリザーバ受容部内に受容させたとき、その特定のリザーバ／キャップユニットについてポンプを設定するために必要なデータを含む誘導検出可能特徴部を、リザーバ／キャップユニットに提供することと、ポンプの誘導型センサを使用して誘導検出可能特徴部を検出することと、検出されたデータに応じてポンプを設定することと、を含む。
【０１０５】
ＲＦ検出
本発明の実施形態による注入ポンプシステムは、リザーバ受容部を有する注入ポンプデバイスであって、リザーバ受容部は、注入媒体を収容するリザーバを受容し、リザーバがリザーバ受容部内に受容されたとき、リザーバから注入媒体を選択的に分配し、注入ポンプデバイスは、少なくとも１つの無線周波数（ＲＦ）センサ（例えば、送信機／受信機）素子を備える、注入ポンプデバイスを備える。注入ポンプシステムの実施形態は、リザーバを注入ポンプデバイスと接続するコネクタインターフェイスシステムを更に含む。本発明の実施形態によるコネクタインターフェイスシステムは、リザーバに接続され、注入ポンプデバイスへの装着用リザーバ／キャップユニットを形成するように構成されたキャップを有し、リザーバ／キャップユニットのリザーバを注入ポンプデバイスのリザーバ受容部内に受容させたとき、注入ポンプデバイスの少なくとも１つのＲＦセンサ素子により検出されるように、少なくとも１つのＲＦ検出可能特徴部が、キャップ又はリザーバに提供される。更なる実施形態では、コネクタインターフェイスシステムは、注入ポンプデバイスのリザーバ受容部内に受容されるリザーバを含み、このリザーバには、リザーバがリザーバ受容部内に受容されたとき、リザーバから選択的に分配される注入媒体が収容されているか、又は後に収容される。更なる実施形態では、コネクタインターフェイスシステムは、リザーバから分配される注入媒体を運ぶチューブを介してキャップと連結される注入セットを備える。
【０１０６】
特定の実施形態では、少なくとも１つのＲＦ検出可能特徴部は、キャップ、リザーバ、カニューレ、又はキャップとカニューレとの間を接続するチューブの１つ以上の特性と関連している少なくとも１つの検出可能パラメータを有する。
【０１０７】
特定の実施形態では、少なくとも１つのＲＦ検出可能特徴部は、少なくとも１つの検出可能パラメータを有し、検出可能パラメータは、キャップ又はリザーバにおける１つ以上のＲＦ検出可能特徴部の存在；キャップ又はリザーバにおける１つ以上のＲＦ検出可能特徴部の位置又は位置パターン；キャップ又はリザーバのＲＦ検出可能特徴部の種類；ＲＦ検出可能特徴部により格納されたデータの種類又は内容；ＲＦ検出可能特徴部からのＲＦ信号の極性、方向若しくは配向、ＲＳＳＩ若しくは他のＲＦ信号強度、振幅若しくは位相のうちの１つ以上を含む。
【０１０８】
特定の実施形態では、少なくとも１つのＲＦ検出可能特徴部の検出可能パラメータは、リザーバ又はキャップの製造者の種類又は身元；リザーバ又はキャップのサイズ；リザーバ内の注入媒体の種類又は濃度；リザーバ内の注入媒体の体積量；リザーバ内の注入媒体に関連した製造日、有効期限、又は充填日に対応する日付；リザーバ又はキャップの製造日又は有効期限に対応する日付；リザーバ又はリザーバ内の注入媒体を製造、充填、又は他の方法で処理した場所に対応する位置情報；キャップを製造、組み立て、又は他の方法で処理した場所に対応する位置情報；リザーバ、リザーバ内の注入媒体、又はキャップの使用が認められた場所に対応する位置情報；リザーバ、キャップ、又は注入媒体の製造、洗浄、充填又は他の方法での処理が行われたバッチに関連するロット番号又は符号；シリアル番号；固有ＩＤ；権限を有するユーザのユーザ識別情報；カニューレの種類、長さ又はサイズ；又はキャップとカニューレの間を接続するチューブの種類、長さ又はサイズのうちの１つ以上を含む、１つ以上の特性と関連付けられる。
【０１０９】
更なる実施形態では、少なくとも１つのＲＦ検出可能特徴部は、キャップのそれぞれ異なる位置に配置された複数のＲＦ検出可能特徴部を含む。
【０１１０】
更なる実施形態では、少なくとも１つのＲＦ検出可能特徴部は、リザーバ／キャップユニットがリザーバ受容部内に受容されたとき、ＲＦ検出可能特徴部が、少なくとも１つのＲＦセンサ素子と相互作用して、リザーバ受容部に対するキャップ若しくはリザーバの軸方向又は回転方向の動き又は位置の検出のための、検出可能な信号がもたらされるような位置にある、複数のＲＦ検出可能特徴部を含む。
【０１１１】
更なる実施形態では、少なくとも１つのＲＦ検出可能特徴部は、キャップに取り付けられる無線周波数識別（ＲＦＩＤ）タグを含む。
【０１１２】
更なる実施形態では、少なくとも１つのＲＦ検出可能特徴部は、少なくとも１つのＲＦセンサ素子との誘導結合を介して電力を受信する受動型ＲＦデバイスを含む。
【０１１３】
更なる実施形態では、少なくとも１つのＲＦ検出可能特徴部は、指向性アンテナ、又は、ＲＦ信号をアンテナに向かって方向づけたり、又は該アンテナからのＲＦ信号を方向づけたりするように構成される、少なくとも１つのＲＦシールド若しくは導波管を備えるアンテナを有する、ＲＦ検出可能デバイスを含む。
【０１１４】
更なる実施形態では、少なくとも１つのＲＦ検出可能特徴部は、情報を格納するメモリと該メモリ内に格納した情報を伝達するアンテナを有し、メモリは、永久情報を格納する第１のセクションと、ＲＦ検出可能特徴部に書き込まれる情報を格納する書き込み可能な第２のセクションと、を含む。
【０１１５】
更なる実施形態では、メモリ内に格納された情報は、リザーバの製造者の種類又は身元；リザーバのサイズ；リザーバ内の注入媒体の種類又は濃度；リザーバ内の注入媒体の体積量；リザーバから分配された注入媒体の体積量；リザーバ内の注入媒体に関連した有効期限、又は充填日に対応する日付；リザーバ又はリザーバ内の注入媒体を製造、充填、又は他の方法で処理した場所に対応する位置情報；リザーバ、又は注入媒体の製造、洗浄、充填又は他の方法での処理が行われたバッチに関連するロット番号又は符号；のうちの１つ以上を識別する情報を含む。
【０１１６】
更なる実施形態では、メモリ内に格納された情報は、キャップに接続される注入セットに関する１つ以上の特性を識別する情報を含み、１つ以上の特性は、注入セットの製造者の種類又は身元；注入セットのチューブの長さ；注入セットのチューブの直径；注入セットの針又はカニューレの長さ；注入セットの針又はカニューレの直径；注入セットの有効期限、製造日又は組み立て日に対応する日付；注入セットが製造、又は組み立てられた場所に対応する位置情報；注入セットの製造、洗浄、又は他の方法での処理が行われたバッチに関連するロット番号又は他の符号；のうちの少なくとも１つを含む。
【０１１７】
更なる実施形態では、メモリ内に格納された情報は、コネクタインターフェイスの１つ以上の特性を識別する情報を含み、１つ以上の特性は、接続インターフェイスの種類又は製造者；キャップのサイズ寸法；コネクタインターフェイスの有効期限、製造日又は組み立て日に対応する日付；コネクタインターフェイスが製造、又は組み立てられた場所に対応する位置情報；コネクタインターフェイスの製造、洗浄、又は他の方法での処理が行われたバッチに関連するロット番号又は他の符号；のうちの少なくとも１つを含む。
【０１１８】
更なる実施形態では、注入セットは、カニューレを更に含み、少なくとも１つのＲＦ検出可能特徴部は、カニューレ、又は注入セットのチューブの１つ以上の特性と関連付けられた少なくとも１つの検出可能パラメータを有する。
【０１１９】
更なる実施形態では、カニューレ又は注入セットのチューブの特性は、カニューレのサイズ若しくは長さ、又はチューブのサイズ若しくは長さを含む。
【０１２０】
更なる実施形態では、注入ポンプデバイスは、電子メモリに接続されているエレクトロニクスを含み、エレクトロニクス及び電子メモリは、リザーバがリザーバ受容部内に受容されたとき、リザーバからの注入媒体の選択的分配を制御するように構成され、選択的分配は、少なくとも部分的には、電子メモリに格納されている表又は他のデータ配置において、少なくとも１つの検出可能パラメータに関連付けられた１つ以上の特性に基づく。
【０１２１】
更なる実施形態では、注入ポンプデバイスは、メモリ内に情報を記録するように構成されたエレクトロニクスを含み、該情報は、（ａ）少なくとも１つのＲＦセンサにより検出される少なくとも１つの検出可能パラメータ、（ｂ）少なくとも１つのＲＦセンサにより検出される少なくとも１つの検出可能パラメータに関連付けられた、少なくとも１つの特性、（ｃ）少なくとも１つの検出可能パラメータが検出されたときの、注入ポンプデバイスの地理的位置に対応する位置情報、又は（ｄ）少なくとも１つの検出可能パラメータが検出されたときの、時間又は日付に対応する時間情報のうちの１つ以上に対応する。
【０１２２】
更なる実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つのＲＦ検出可能特徴部が、ＲＦセンサ素子により検出されるまで、リザーバからの注入媒体の分配を阻止するように構成される。
【０１２３】
更なる実施形態による、注入媒体を収容するリザーバを注入ポンプデバイスと接続するコネクタインターフェイスは、リザーバと接続し、リザーバ／キャップユニットを形成するように構成されるキャップを含む。少なくとも１つのＲＦ検出可能特徴部を、リザーバ／キャップユニットのリザーバを注入ポンプデバイスのリザーバ受容部内に受容させたとき、少なくとも１つのＲＦセンサ素子により検出されるように、キャップ又はリザーバに配置する。
【０１２４】
更なる実施形態では、（ａ）少なくとも１つのＲＦ検出可能特徴部は、リザーバに対するキャップのハウジング、又はリザーバ内のプランジャに取り付けられる、無線周波数識別（ＲＦＩＤ）タグを含むか、（ｂ）少なくとも１つのＲＦ検出可能特徴部は、ＲＦセンサとの誘導結合を介して電力を受信する受動型ＲＦデバイスを含むか、（ｃ）少なくとも１つのＲＦ検出可能特徴部は、指向性アンテナ、又は、ＲＦ信号をアンテナに向かって方向づけたり、又はアンテナからのＲＦ信号を方向づけたりするように構成される、少なくとも１つのＲＦシールド若しくは導波管を備えるアンテナを有する、ＲＦ検出可能デバイスを含むか、（ｄ）少なくとも１つのＲＦ検出可能特徴部は、アンテナを有するＲＦ検出可能デバイスであって、アンテナは、キャップの通気開口部に隣接して配置されるか、又は通気開口部に配置される、ＲＦ検出可能デバイスを含むか、また、（ｅ）少なくとも１つのＲＦ検出可能特徴部は、キャップ、リザーバ、又はリザーバ若しくはキャップに適用されたラベルに導電性インクで印刷されたアンテナを含むか、又は、（ｆ）少なくとも１つのＲＦ検出可能特徴部は、情報を格納するメモリとメモリ内に格納した情報を伝達するアンテナを有し、メモリは、永久情報を格納する第１のセクションと、ＲＦ検出可能特徴部に書き込まれる情報を格納する書き込み可能な第２のセクションと、を含み、（ｉ）メモリ内に格納された情報は、リザーバの製造者の種類又は身元；リザーバのサイズ；リザーバ内の注入媒体の種類又は濃度；リザーバ内の注入媒体の体積量；リザーバから分配された注入媒体の体積量；リザーバ内の注入媒体に関連した有効期限、又は充填日に対応する日付；リザーバ又はリザーバ内の注入媒体を製造、充填、又は他の方法で処理した場所に対応する位置情報；リザーバ、又は注入媒体の製造、洗浄、充填又は他の方法での処理が行われたバッチに関連するロット番号又は符号；のうちの１つ以上を識別する情報を含むか、（ｉｉ）メモリ内に格納された情報は、キャップに接続される注入セットに関する１つ以上の特性を識別する情報を含み、１つ以上の特性は、注入セットの製造者の種類又は身元；注入セットのチューブの長さ；注入セットのチューブの直径；注入セットの針又はカニューレの長さ；注入セットの針又はカニューレの直径；注入セットの有効期限、製造日又は組み立て日に対応する日付；注入セットが製造、又は組み立てられた場所に対応する位置情報；注入セットの製造、洗浄、又は他の方法での処理が行われたバッチに関連するロット番号又は他の符号；のうちの少なくとも１つを含むか、又は（ｉｉｉ）メモリ内に格納された情報は、コネクタインターフェイスの１つ以上の特性を識別する情報を含み、１つ以上の特性は、接続インターフェイスの種類又は製造者；キャップのサイズ寸法；コネクタインターフェイスの有効期限、製造日又は組み立て日に対応する日付；コネクタインターフェイスが製造、又は組み立てられた場所に対応する位置情報；コネクタインターフェイスの製造、洗浄、又は他の方法での処理が行われたバッチに関連するロット番号又は他の符号；のうちの少なくとも１つを含む。
【０１２５】
更なる実施形態では、少なくとも１つのＲＦ検出可能特徴部は、キャップ、リザーバ、下流構造、又は注入ポンプデバイスの１つ以上の特性に関連付けられた少なくとも１つの検出可能パラメータを有する。
【０１２６】
更なる実施形態では、少なくとも１つのＲＦ検出可能特徴部は、少なくとも１つの検出可能パラメータを有し、検出可能パラメータは、キャップ又はリザーバにおける１つ以上のＲＦ検出可能特徴部の存在；キャップ又はリザーバにおける１つ以上のＲＦ検出可能特徴部の位置又は位置パターン；キャップ又はリザーバのＲＦ検出可能特徴部の種類；ＲＦ検出可能特徴部により格納されたデータの種類又は内容；ＲＦ検出可能特徴部からのＲＦ信号の極性、方向若しくは配向、ＲＳＳＩ若しくは他のＲＦ信号強度、振幅若しくは位相のうちの１つ以上を含む。
【０１２７】
更なる実施形態では、少なくとも１つのＲＦ検出可能特徴部は、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上を含む、１つ以上の特性に関連付けられた、少なくとも１つの検出可能パラメータを有する。
【０１２８】
更なる実施形態では、注入ポンプシステムは、先の段落のいずれかに記述されているようなコネクタインターフェイスと、リザーバ受容部を有する注入ポンプデバイスであって、リザーバ受容部は、リザーバを受容し、リザーバがリザーバ受容部内に受容されたとき、リザーバから注入媒体を選択的に分配し、注入ポンプデバイスは、リザーバ受容部内においてリザーバを検出する、少なくとも１つの無線周波数（ＲＦ）センサ（例えば、送信機／受信機）素子を備える、注入ポンプデバイスと、を備える。
【０１２９】
更なる実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つのＲＦ検出可能特徴部が、ＲＦセンサ素子により検出されるまで、リザーバからの注入媒体の分配を阻止するように構成される。
【０１３０】
更なる実施形態では、エレクトロニクスが、表又は他のデータ配置を格納するメモリに接続して提供され、エレクトロニクスは、リザーバがリザーバ受容部内に受容されたとき、リザーバからの注入媒体の選択的分配を制御するように構成され、選択的分配は、少なくとも部分的には、表又は他のデータ配置において、ＲＦ検出可能特徴部の少なくとも１つの検出可能パラメータに関連付けられた１つ以上の特性に基づく。
【０１３１】
更なる実施形態では、エレクトロニクスは、メモリ内に情報を記録するように構成され、この情報は、（ａ）少なくとも１つのＲＦセンサにより検出される少なくとも１つの検出可能パラメータ、又は（ｂ）表又は他のデータ配置において少なくとも１つのＲＦセンサにより検出される少なくとも１つの検出可能パラメータに関連付けられた、少なくとも１つの特性に対応する。
【０１３２】
更なる実施形態では、エレクトロニクスは、ＲＦ検出可能特徴部の少なくとも１つの検出可能パラメータが検出されたときの、注入ポンプデバイスの地理的位置に対応する位置情報を記録するように更に構成される。
【０１３３】
更なる実施形態では、少なくとも１つのＲＦ検出可能特徴部は、（ａ）リザーバ／キャップユニットがリザーバ受容部内に受容されたときに、少なくとも１つのＲＦセンサとＲＦ相互作用するような１つ以上の位置にある、１つ以上のＲＦ検出可能特徴部、又は、（ｂ）リザーバ／キャップユニットがリザーバ受容部内に受容されたとき、１つ以上のＲＦ検出可能特徴部が少なくとも１つのＲＦセンサと相互作用して、リザーバ受容部に対するキャップ若しくはリザーバの軸方向又は回転方向の動き又は位置の検出のための、検出可能な信号がもたらされるような位置にある、複数のＲＦ検出可能特徴部を含む。
【０１３４】
更なる実施形態による注入ポンプシステムは、リザーバ受容部を有する注入ポンプデバイスを含み、リザーバ受容部は、注入媒体を収容するリザーバを受容し、リザーバがリザーバ受容部内に受容されたとき、リザーバから注入媒体を選択的に分配する。注入ポンプシステムは、リザーバを注入ポンプデバイスと接続するコネクタインターフェイスを更に含み、コネクタインターフェイスは、リザーバに接続して、リザーバ／キャップユニットを形成するように構成されたキャップを有し、リザーバ／キャップユニットは、ＲＦＩＤチップを収容する。ＲＦＩＤチップは、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上の特性を表すデータを含む。注入ポンプシステムは更に、リザーバ受容部内にリザーバが受容されていることを検出するための、注入ポンプデバイスにおける構造を更に含む。注入ポンプシステムは、受容部検出構造に接続され、かつ、リザーバがリザーバ受容部内に受容されたと検出されたときに、ＲＦＩＤチップに照会を行い、ＲＦＩＤチップから特性を読み取り、リザーバ（１）からの注入媒体の選択的分配を制御する回路を有する、エレクトロニクスを収容し、選択的分配は、少なくとも部分的には、ＲＦＩＤチップから読み取られる特性に基づく。
【０１３５】
更なる実施形態では、注入ポンプデバイスは、リザーバ受容部であって、注入媒体を収容するリザーバを受容し、リザーバがリザーバ受容部内に受容されたとき、リザーバから注入媒体を選択的に分配する、リザーバ受容部と、リザーバのＲＦＩＤチップからデータを読み取るように構成されたＲＦＩＤチップリーダであって、データは、リザーバの内容物、又はリザーバへ接続されたチューブ若しくは注入セットの特性を表す、ＲＦＩＤチップリーダと、ＲＦＩＤリーダに接続され、かつ少なくとも部分的には読み取ったデータに従って、選択的分配を制御するように構成される、エレクトロニクスと、を有する。
【０１３６】
更なる実施形態は、リザーバ受容部を有する注入ポンプデバイスであって、リザーバ受容部は、注入媒体を収容するリザーバを受容し、リザーバがリザーバ受容部内に受容されたとき、リザーバから注入媒体を選択的に分配する、注入ポンプデバイスを設定する方法を含み、リザーバを注入ポンプデバイスに接続するコネクタインターフェイスが提供され、コネクタインターフェイスは、リザーバに接続して、リザーバ／キャップユニットを形成するように構成されたキャップを有する。こうした実施形態では、本方法は、リザーバ／キャップユニットのリザーバ（１）を注入ポンプデバイス（３０）のリザーバ受容部（３２）内に受容させたとき、その特定のリザーバ／キャップユニットについてポンプを設定するために必要なデータを含むＲＦＩＤチップを、リザーバ／キャップユニットに提供することと、ＲＦＩＤチップに照会を行ってデータを得ることと、検出されたデータに応じてポンプを設定することと、を含む。
【０１３７】
機械的検出
本発明の実施形態による注入ポンプシステムは、リザーバ受容部を有する注入ポンプデバイスを含み、リザーバ受容部は、注入媒体を収容するリザーバを受容し、リザーバがリザーバ受容部内に受容されたとき、リザーバから注入媒体を選択的に分配し、注入ポンプデバイスは、少なくとも１つの機械的検出センサ素子を含む。注入ポンプシステムの実施形態は、リザーバを注入ポンプデバイスと接続するコネクタインターフェイスシステムを更に含む。一実施形態によるコネクタインターフェイスシステムは、リザーバに接続され、リザーバ／キャップユニットを形成するように構成されたキャップを含み、リザーバ／キャップユニットのリザーバを注入ポンプデバイスのリザーバ受容部内に受容させたとき、少なくとも１つのセンサ素子により検出されるように、少なくとも１つの機械的検出可能特徴部が、キャップ又はリザーバに配置される。更なる実施形態では、コネクタインターフェイスシステムは、注入ポンプデバイスのリザーバ受容部内に受容されるリザーバを含み、このリザーバには、リザーバがリザーバ受容部内に受容されたとき、リザーバから選択的に分配される注入媒体が収容されているか、又は後に収容される。更なる実施形態では、コネクタインターフェイスシステムは、リザーバから分配される注入媒体を運ぶチューブを介してキャップと連結される注入セットを備える。
【０１３８】
更なる実施形態では、少なくとも１つの機械的検出可能特徴部は、キャップのそれぞれ異なる位置に配置された複数の機械的検出可能特徴部を含む。
【０１３９】
更なる実施形態では、少なくとも１つの機械的検出可能特徴部は、リザーバ／キャップユニットがリザーバ受容部内に受容されたとき、機械的検出可能特徴部が、少なくとも１つのセンサ素子と機械的に相互作用して、リザーバ受容部に対するキャップ若しくはリザーバの軸方向又は回転方向の動き又は位置の検出のための、検出可能な信号がもたらされるような位置にある、複数の機械的検出可能特徴部を含む。
【０１４０】
更なる実施形態では、少なくとも１つの機械的検出可能特徴部は、キャップ又はリザーバにおいて、リザーバ／キャップユニットが注入ポンプデバイスのリザーバ受容部内に十分に受容されている場合は、少なくとも１つのセンサ素子により検出されるが、リザーバ／キャップユニットが注入ポンプデバイスのリザーバ受容部内に十分に受容されていない場合は、少なくとも１つのセンサ素子によって検出されない位置に配置される。
【０１４１】
更なる実施形態では、少なくとも１つの機械的検出可能特徴部は、キャップ又はリザーバの外側表面にある少なくとも１つの突出部を含む。
【０１４２】
更なる実施形態では、少なくとも１つの機械的検出可能特徴部は、キャップ又はリザーバにおいて互いに異なる位置にある複数の突出部を含む。
【０１４３】
更なる実施形態では、少なくとも１つの機械的検出可能特徴部は、リザーバ／キャップユニットを通る中心軸に対して互いから約１８０度に位置する第１及び第２の突出部を含む。
【０１４４】
更なる実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つの機械的検出可能特徴部が、少なくとも１つのセンサ素子により検出されるまで、リザーバからの注入媒体の分配を阻止するように構成される。
【０１４５】
更なる実施形態では、少なくとも１つのセンサ素子は、注入ポンプデバイスに配置された少なくとも１つの可動アクチュエータを含み、少なくとも１つの機械的検出可能特徴部は、リザーバ／キャップユニットが注入ポンプデバイスのリザーバ受容部に十分に受容されたときに、注入ポンプデバイスの少なくとも１つの可動アクチュエータと係合するような、キャップ又はリザーバの少なくとも１つの所定位置に設けられる。
【０１４６】
更なる実施形態では、注入ポンプデバイスは、チャネルが位置しているハウジング部分を有する。チャネルは、長手方向寸法を有し、その長手方向寸法の一端でリザーバ受容部に対して開口している。こうした実施形態では、少なくとも１つの可動アクチュエータは、チャネル内に配置された可動部材を含む。可動部材は、注入ポンプデバイスのハウジング部分内に配置される第１の端部と、リザーバ／キャップユニットが注入ポンプデバイスのリザーバ受容部に受容されたときに、キャップ又はリザーバと係合するように、チャネルの開口端部を通って、リザーバ受容部内へ延びるように配置された第２の端部と、を有する。
【０１４７】
特定の実施形態では、可動部材は、リザーバ／キャップユニットが、注入ポンプデバイスのリザーバ受容部内に受容された際に、可動部材の第２の端部がキャップ又はリザーバと係合したとき、少なくとも１つの寸法で圧縮され、少なくとも１つの他の寸法で伸張する圧縮可能材料で作製される。
【０１４８】
更なる実施形態では、少なくとも１つのセンサ素子は、注入ポンプデバイスのハウジングに配置された電気スイッチを含み、可動部材の第１の端部は、該電気スイッチに隣接して配置され、可動部材は、可動部材が他の寸法において伸張したとき、該電気スイッチを作動させるように構成される。
【０１４９】
更なる実施形態では、可動部材は、チャネルを封止して、チャネルを通る流体の通過を阻止する、少なくとも１つの封止部を備え、少なくとも１つの封止部は、可動部材上にあり、かつチャネルの内側表面と係合する、少なくとも１つの封止構造を含む。
【０１５０】
更なる実施形態による、注入媒体を収容するリザーバを注入ポンプデバイスと接続するコネクタインターフェイスは、リザーバに接続して、リザーバ／キャップユニットを形成するように構成されたキャップを含み、少なくとも１つの機械的検出可能特徴部が、リザーバ／キャップユニットのリザーバが注入ポンプデバイスのリザーバ受容部に受容されるときに、ポンプデバイスの少なくとも１つのセンサ素子によって検出されるように、キャップ又はリザーバに配置される。
【０１５１】
更なる実施形態では、少なくとも１つの機械的検出可能特徴部は、キャップ又はリザーバの外側表面にある少なくとも１つの突出部、キャップ又はリザーバにおいて互いに異なる位置にある複数の突出部、又はキャップ又はリザーバを通る中心軸に対して互いから約１８０度に位置する第１及び第２の突出部を含む。
【０１５２】
更なる実施形態では、（ａ）少なくとも１つの機械的検出可能特徴部は、キャップ又はリザーバのそれぞれ異なる位置に配置された、複数の機械的検出可能特徴部を含むか、（ｂ）少なくとも１つの機械的検出可能特徴部は、キャップ又はリザーバにおいて、リザーバ／キャップユニットが注入ポンプデバイスのリザーバ受容部内に十分に受容されている場合は、少なくとも１つのセンサ素子により検出されるが、リザーバ／キャップユニットが注入ポンプデバイスのリザーバ受容部内に十分に受容されていない場合は、少なくとも１つのセンサ素子によって検出されない位置に配置されるか、（ｃ）少なくとも１つの機械的検出可能特徴部は、リザーバ／キャップユニットがリザーバ受容部内に受容されたとき、機械的検出可能特徴部が、少なくとも１つのセンサ素子と機械的に相互作用して、リザーバ受容部に対するキャップ若しくはリザーバの軸方向又は回転方向の動き又は位置の検出のための、検出可能な信号がもたらされるような位置にある、複数の機械的検出可能特徴部を含むか、又は（ｄ）キャップは、リザーバ／キャップユニットが、注入ポンプデバイスのリザーバ受容部内に受容されるとき、注入ポンプデバイスの対応するネジ山又は溝に係合するように構成される少なくとも１つのネジ山を備え、少なくとも１つの機械的検出可能特徴部は、該少なくとも１つのネジ山に位置している。
【０１５３】
更なる実施形態では、少なくとも１つの機械的検出可能特徴部は、キャップ、リザーバ又は注入ポンプデバイスの１つ以上の特性に関連付けられた少なくとも１つの検出可能パラメータを有する。
【０１５４】
更なる実施形態では、少なくとも１つの検出可能パラメータは、キャップ若しくはリザーバにおける１つ以上の機械的検出可能特徴部の存在、キャップ若しくはリザーバにおける１つ以上の機械的検出可能特徴部の位置若しくは位置パターン、又は、キャップ若しくはリザーバにおける機械的検出可能特徴部のサイズ若しくは形状のうちの１つ以上を含む。
【０１５５】
更なる実施形態では、少なくとも１つの機械的検出可能特徴部の検出可能パラメータは、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上を含む、１つ以上の特性に関連付けられる。
【０１５６】
更なる実施形態の注入ポンプシステムは、上記実施形態のいずれかに記述されているようなコネクタインターフェイスと、リザーバ受容部を有する注入ポンプデバイスであって、リザーバ受容部は、リザーバを受容し、リザーバがリザーバ受容部内に受容されたとき、リザーバから注入媒体を選択的に分配し、注入ポンプデバイスは、機械的検出可能特徴部を検出する、少なくとも１つの機械的検出センサ素子を含む。
【０１５７】
こうした注入ポンプシステムの更なる実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つの機械的検出可能特徴部が、少なくとも１つのセンサ素子により検出されるまで、リザーバからの注入媒体の分配を阻止するように構成される。
【０１５８】
こうした注入ポンプシステムの更なる実施形態では、エレクトロニクスは、表又は他のデータ配置を格納するメモリに接続され、エレクトロニクスは、リザーバがリザーバ受容部内に受容されたとき、リザーバからの注入媒体の選択的分配を制御するように構成され、選択的分配は、少なくとも部分的には、表又は他のデータ配置において、機械的検出可能特徴部の少なくとも１つの検出可能パラメータに関連付けられた１つ以上の特性に基づく。
【０１５９】
こうした注入ポンプシステムの更なる実施形態では、エレクトロニクスは、メモリ内に情報を記録するように構成され、この情報は、（ａ）少なくとも１つのセンサにより検出される機械的検出可能特徴部の少なくとも１つの検出可能パラメータ、又は（ｂ）表又は他のデータ配置において少なくとも１つのセンサにより検出される機械的検出可能特徴部の少なくとも１つの検出可能パラメータに関連付けられた、少なくとも１つの特性に対応する。
【０１６０】
こうした注入ポンプシステムの更なる実施形態では、エレクトロニクスは、機械的検出可能特徴部の少なくとも１つの検出可能パラメータが検出されたときの、注入ポンプデバイスの地理的位置に対応する位置情報を記録するように更に構成される。
【０１６１】
こうした注入ポンプシステムの更なる実施形態では、エレクトロニクスは、機械的検出可能特徴部の少なくとも１つの検出可能パラメータが検出されたときの、時間又は日付に対応する時間情報を記録するように更に構成される。
【０１６２】
こうした注入ポンプシステムの更なる実施形態では、少なくとも１つのセンサ素子は、注入ポンプデバイスに配置された少なくとも１つの可動アクチュエータを含む。
【０１６３】
こうした注入ポンプシステムの更なる実施形態では、検出可能特徴部は、少なくとも１つの機械的検出可能特徴部を含み、少なくとも１つの機械的検出可能特徴部は、リザーバ／キャップユニットが注入ポンプデバイスのリザーバ受容部に十分に受容されたときに、注入ポンプデバイスの少なくとも１つの可動アクチュエータと係合するような、キャップ又はリザーバの少なくとも１つの所定位置に設けられる。
【０１６４】
こうした注入ポンプシステムの更なる実施形態では、注入ポンプデバイスは、チャネルが配置されるハウジング部分を有し、チャネルは長手方向寸法を有し、チャネルは、長手方向寸法の一端でリザーバ受容部に対して開口している。
【０１６５】
こうした注入ポンプシステムの更なる実施形態では、少なくとも１つの可動アクチュエータは、チャネル内に配置される可動部材を含み、可動部材は、注入ポンプデバイスのハウジング部分内に配置される第１の端部を有し、可動部材は、リザーバ／キャップユニットが注入ポンプデバイスのリザーバ受容部に受容されたときに、キャップ又はリザーバと係合するように、チャネルの開口端部を通って、リザーバ受容部内へ延びるように配置された第２の端部を有する。
【０１６６】
こうした注入ポンプシステムの更なる実施形態では、可動部材は、リザーバ／キャップユニットが、注入ポンプデバイスのリザーバ受容部内に受容された際に、可動部材の第２の端部がキャップ又はリザーバと係合したとき、少なくとも１つの寸法で圧縮され、少なくとも１つの他の寸法で伸張する圧縮可能材料で作製される。
【０１６７】
こうした注入ポンプシステムの更なる実施形態では、少なくとも１つのセンサ素子は、注入ポンプデバイスのハウジングに配置された電気スイッチを更に含み、可動部材の第１の端部は、該電気スイッチに隣接して配置され、可動部材は、可動部材が他の寸法において伸張したとき、該電気スイッチを作動させるように構成される。
【０１６８】
こうした注入ポンプシステムの更なる実施形態では、可動部材は、チャネルを封止して、チャネルを通る流体の通過を阻止する、少なくとも１つの封止部を備え、少なくとも１つの封止部は、可動部材上にあり、かつチャネルの内側表面と係合する、少なくとも１つの封止構造を含む。
【０１６９】
更なる実施形態による注入ポンプシステムは、リザーバ受容部を有する注入ポンプデバイスであって、リザーバ受容部は、注入媒体を収容するリザーバを受容し、リザーバがリザーバ受容部内に受容されたとき、リザーバから注入媒体を選択的に分配する、注入ポンプデバイスと、リザーバを注入ポンプデバイスと接続するコネクタインターフェイスであって、コネクタインターフェイスは、リザーバに接続して、リザーバ／キャップユニットを形成するように構成されたキャップを有し、このリザーバ／キャップユニットは、係合部材の識別パターンを有する、コネクタインターフェイスと、を含む。注入ポンプデバイスは、可動部材を有し、可動部材は、可動部材がリザーバ受容部内に突き出る第１の位置と、第２の後退位置との間で移動可能であり、各可動部材は、可動部材が後退位置にあるときに作動される、関連する電気スイッチを更に有する。リザーバ／キャップユニットの係合部材のパターンの、係合部材のそれぞれが、リザーバ／キャップユニットのリザーバが注入ポンプデバイスのリザーバ受容部内に受容されたとき、可動部材のうちの対応する可動部材と係合して、可動部材を第１の位置から第２の位置へ移動させることによって、係合部材の識別パターンが検出される。
【０１７０】
こうした注入ポンプシステムの更なる実施形態では、係合部材の識別パターンは、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上の特性を表す。加えて、注入ポンプシステムは、前記特性を係合部材の識別パターンに関連付けた表を格納するメモリを含む、電気スイッチに接続されたエレクトロニクスを収容する。エレクトロニクスは、リザーバがリザーバ受容部内に受容されたとき、リザーバからの注入媒体の選択的分配を制御するように構成され、選択的分配は、少なくとも部分的には、該表において、検出された識別パターンに関連付けられた１つ以上の特性に基づく。
【０１７１】
更なる実施形態による注入ポンプデバイスは、リザーバ受容部を有し、リザーバ受容部は、注入媒体を収容するリザーバを受容し、リザーバがリザーバ受容部内に受容されたとき、リザーバから注入媒体を選択的に分配する。このような実施形態による注入ポンプデバイスは、リザーバにある機械的検出可能特徴部を検出する少なくとも１つの機械的検出センサ素子を更に含み、この機械的検出可能特徴部は、リザーバの内容物、又はリザーバに接続されたチューブ又は注入セットの特性を表す。注入ポンプデバイスは、少なくとも１つのセンサ素子に接続され、かつ少なくとも部分的には検出される特徴部に応じて、選択的分配を制御するように構成される、エレクトロニクスを更に備える。
【０１７２】
更なる実施形態は、リザーバ受容部を有する注入ポンプデバイスであって、リザーバ受容部は、注入媒体を収容するリザーバを受容し、リザーバがリザーバ受容部内に受容されたとき、リザーバから注入媒体を選択的に分配する、注入ポンプデバイスを設定する方法を含み、リザーバを注入ポンプデバイスに接続するコネクタインターフェイスが提供され、コネクタインターフェイスは、リザーバに接続して、リザーバ／キャップユニットを形成するように構成されたキャップを有する。このような実施形態による方法は、リザーバ／キャップユニットのリザーバを注入ポンプデバイスのリザーバ受容部内に受容させたとき、その特定のリザーバ／キャップユニットについてポンプを設定するために必要なデータを含む係合部材の識別パターンを、リザーバ／キャップユニットに提供すること、を含む。本方法は、リザーバ受容部内に延びるフィーラ（feeler）を用いて、係合部材のパターンを検出することであって、各フィーラは、対応する係合部材の検出時に電気スイッチを動作させ、データに対応する電気信号が生じる、検出することと、検出されたデータに応じてポンプを設定することと、を更に含む。
【０１７３】
光学的検出
本発明の実施形態による注入ポンプシステムは、リザーバ受容部を有する注入ポンプデバイスを含み、リザーバ受容部は、注入媒体を収容するリザーバを受容し、リザーバがリザーバ受容部内に受容されたとき、リザーバから注入媒体を選択的に分配し、注入ポンプデバイスは、少なくとも１つの光学センサ素子を含む。注入ポンプシステムの実施形態は、リザーバを注入ポンプデバイスと接続するコネクタインターフェイスシステムを更に含む。特定の実施形態では、コネクタインターフェイスシステムは、リザーバに接続され、リザーバ／キャップユニットを形成するように構成されたキャップを有し、リザーバ／キャップユニットのリザーバを注入ポンプデバイスのリザーバ受容部内に受容させたとき、少なくとも１つの光学センサ素子により検出されるように、少なくとも１つの光学的検出可能特徴部が、キャップ又はリザーバに配置される。更なる実施形態では、コネクタインターフェイスシステムは、注入ポンプデバイスのリザーバ受容部内に受容されるリザーバを含み、このリザーバには、リザーバがリザーバ受容部内に受容されたとき、リザーバから選択的に分配される注入媒体が収容されているか、又は後に収容される。更なる実施形態では、コネクタインターフェイスシステムは、リザーバから分配される注入媒体を運ぶチューブを介してキャップと連結される注入セットを備える。
【０１７４】
更なる実施形態では、少なくとも１つの光学的検出可能特徴部は、表又は他のデータ配置において、キャップ、リザーバ、又は注入ポンプデバイスの１つ以上の特性に関連付けられた、少なくとも１つの検出可能パラメータを有する。
【０１７５】
特定の実施形態では、少なくとも１つの検出可能パラメータは、キャップにおける１つ以上の光学的検出可能特徴部の存在；キャップにおける１つ以上の光学的検出可能特徴部の位置若しくは位置パターン；キャップの光学的検出可能特徴部の種類；光学的検出可能特徴部により格納されたデータの種類若しくは内容；又は光学的検出可能特徴部によって放出若しくは反射された光信号の極性、波長、位相、強度、方向若しくは配向のうちの１つ以上を含む。
【０１７６】
特定の実施形態では、少なくとも１つの光学的検出可能特徴部の検出可能パラメータは、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上を含む、１つ以上の特性に関連付けられる。
【０１７７】
更なる実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つの光学的検出可能特徴部が、少なくとも１つの光学センサ素子により検出されるまで、リザーバからの注入媒体の分配を阻止するように構成される。
【０１７８】
更なる実施形態では、エレクトロニクスは、表又は他のデータ配置を格納するメモリに接続され、エレクトロニクスは、リザーバがリザーバ受容部内に受容されたとき、リザーバからの注入媒体の選択的分配を制御するように構成され、選択的分配は、少なくとも部分的には、表又は他のデータ配置において、光学的検出可能特徴部の少なくとも１つの検出可能パラメータに関連付けられた１つ以上の特性に基づく。
【０１７９】
更なる実施形態では、エレクトロニクスは、メモリ内に情報を記録するように構成され、この情報は、（ａ）少なくとも１つの光学センサにより検出される少なくとも１つの検出可能パラメータ、又は（ｂ）表又は他のデータ配置において少なくとも１つの光学センサにより検出される少なくとも１つの検出可能パラメータに関連付けられた、少なくとも１つの特性に対応する。
【０１８０】
更なる実施形態では、エレクトロニクスは、光学的検出可能特徴部の少なくとも１つの検出可能パラメータが検出されたときの、注入ポンプデバイスの地理的位置に対応する位置情報を記録するように更に構成される。
【０１８１】
更なる実施形態では、エレクトロニクスは、光学的検出可能特徴部の少なくとも１つの検出可能パラメータが検出されたときの、時間又は日付に対応する時間情報を記録するように更に構成される。
【０１８２】
更なる実施形態では、少なくとも１つの光学的検出可能特徴部は、光信号を、該光信号の波長、方向、位相又は他の特性のうちの１つ以上を変更することによる、光学的検出可能な様式で変更するように構成される。
【０１８３】
更なる実施形態では、少なくとも１つの光学的検出可能特徴部は、（ａ）キャップ又はリザーバの少なくとも１つの表面であって、キャップの該少なくとも１つの表面の光反射特性を抑制又は変化させる、材料、コーティング、表面輪郭若しくはパターン、リブ、溝、波形状、粗さ、研磨部、穴、デテント、又は取り付けられた物品のうちの少なくとも１つを有する、少なくとも１つの表面、（ｂ）バーコード、マトリックスコード又は符号化情報を表す他の光学的検出可能なパターン、又は（ｃ）キャップに接着され、光学的検出可能な方法において光信号を変化させるように構成された外側表面を有する、接着剤付タグを含む。
【０１８４】
更なる実施形態では、少なくとも１つの光学センサは、光信号を放出するように構成された光エミッタデバイスと、リザーバ／キャップユニットが注入ポンプデバイスのリザーバ受容部内に十分に受容されたとき、該光エミッタデバイスから放出され、光学的検出可能特徴部に反射した光信号を検出するように構成された光検出器デバイスと、を含む。
【０１８５】
更なる実施形態では、注入ポンプデバイスは、少なくとも１つのチャネルが配置されるハウジング部分を有し、それぞれのチャネルは、長手方向寸法を有し、その長手方向寸法の一端でリザーバ受容部と光学的に位置合わせされるように配置されている。
【０１８６】
更なる実施形態では、光学センサの光エミッタデバイス及び光検出器デバイスは、少なくとも１つのチャネルと光学的に位置合わせされて配置される。
【０１８７】
更なる実施形態では、少なくとも１つの封止部が少なくとも１つのチャネルを封止し、少なくとも１つのチャネルを通る流体の通過を阻止する。
【０１８８】
更なる実施形態では、少なくとも１つの封止部は、（ａ）少なくとも１つのチャネルの長手方向寸法の少なくとも一部に沿う、少なくとも部分的に少なくとも１つのチャネルを充たす光学的に透過性若しくは部分的に透過性の材料、又は（ｂ）少なくとも１つのチャネルの一端における光学的に透過性若しくは部分的に透過性の窓材料を含む。
【０１８９】
更なる実施形態では、（ａ）少なくとも１つの光学的検出可能特徴部は、リザーバ／キャップユニットが注入ポンプデバイスのリザーバ受容部内に十分に受容されたときに、注入ポンプデバイスの光学センサと光学的に位置合わせされるような、キャップ又はリザーバの少なくとも１つの所定の位置に設けられた、少なくとも１つの光学的検出可能特徴部を含むか、（ｂ）少なくとも１つの光学的検出可能特徴部は、キャップ又はリザーバのそれぞれ異なる位置に配置された、複数の光学的検出可能特徴部を含むか、（ｃ）少なくとも１つの光学的検出可能特徴部は、キャップ又はリザーバにおいて、リザーバ／キャップユニットが注入ポンプデバイスのリザーバ受容部内に十分に受容されている場合は、少なくとも１つの光学センサ素子により検出されるが、リザーバ／キャップユニットが注入ポンプデバイスのリザーバ受容部内に十分に受容されていない場合は、少なくとも１つの光学センサ素子によって検出されない位置に配置されるか、（ｄ）少なくとも１つの光学的検出可能特徴部は、リザーバ／キャップユニットがリザーバ受容部内に受容されたとき、光学的検出可能特徴部が、少なくとも１つのセンサ素子と光学的に相互作用して、リザーバ受容部に対するキャップ若しくはリザーバの軸方向又は回転方向の動き又は位置の検出のための、検出可能な信号がもたらされるような位置にある、複数の光学的検出可能特徴部を含むか、又は（ｅ）キャップは、リザーバ／キャップユニットが、注入ポンプデバイスのリザーバ受容部内に受容されるとき、注入ポンプデバイスの対応するネジ山又は溝に係合するように構成される少なくとも１つのネジ山を備え、少なくとも１つの光学的検出可能特徴部は、該少なくとも１つのネジ山に位置している。
【０１９０】
本発明の実施形態による、リザーバを注入ポンプデバイスと接続するコネクタインターフェイスは、リザーバに接続して、リザーバ／キャップユニットを形成するように構成されたキャップを含み、少なくとも１つの光学的検出可能特徴部が、リザーバ／キャップユニットのリザーバが注入ポンプデバイスのリザーバ受容部内に受容されたときに、注入ポンプデバイスの少なくとも１つの光学センサ素子によって検出されるように、キャップ又はリザーバに配置される。
【０１９１】
こうしたコネクタインターフェイスの特定の実施形態では、少なくとも１つの検出可能パラメータは、キャップにおける１つ以上の光学的検出可能特徴部の存在；キャップにおける１つ以上の光学的検出可能特徴部の位置若しくは位置パターン；キャップの光学的検出可能特徴部の種類；光学的検出可能特徴部により格納されたデータの種類若しくは内容；又は光学的検出可能特徴部によって放出若しくは反射された光信号の極性、波長、位相、強度、方向若しくは配向のうちの１つ以上を含む。
【０１９２】
こうしたコネクタインターフェイスの特定の実施形態では、少なくとも１つの光学的検出可能特徴部は、（ａ）キャップ又はリザーバの少なくとも１つの表面であって、キャップの該少なくとも１つの表面の光反射特性を抑制又は変化させる、材料、コーティング、表面輪郭若しくはパターン、リブ、溝、波形状、粗さ、研磨部、穴、デテント、又は取り付けられた物品のうちの少なくとも１つを有する、少なくとも１つの表面、（ｂ）バーコード、マトリックスコード又は符号化情報を表す他の光学的検出可能なパターン、又は（ｃ）キャップに接着され、光学的検出可能な方法において光信号を変化させるように構成された外側表面を有する、接着剤付タグを含む。
【０１９３】
こうしたコネクタインターフェイスの特定の実施形態では、少なくとも１つの光学的検出可能特徴部は、キャップ、リザーバ又は注入ポンプデバイスの１つ以上の特性に関連付けられた少なくとも１つの検出可能パラメータを有する。
【０１９４】
こうしたコネクタインターフェイスの特定の実施形態では、少なくとも１つの光学的検出可能特徴部は、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上を含む、１つ以上の特性に関連付けられた少なくとも１つの検出可能パラメータを有する。
【０１９５】
本発明の実施形態による注入ポンプシステムは、上述の実施形態にいずれかによるコネクタインターフェイスと、リザーバ受容部を有する注入ポンプデバイスと、を含み、リザーバ受容部は、注入媒体を収容するリザーバを受容し、リザーバがリザーバ受容部内に受容されたとき、リザーバから注入媒体を選択的に分配し、注入ポンプデバイスは、少なくとも１つの光学センサ素子を含む。
【０１９６】
特定の実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つの光学的検出可能特徴部が、少なくとも１つの光学センサ素子により検出されるまで、リザーバからの注入媒体の分配を阻止するように構成される。
【０１９７】
注入ポンプシステムの特定の実施形態では、エレクトロニクスは、表又は他のデータ配置を格納するメモリに接続され、エレクトロニクスは、リザーバがリザーバ受容部内に受容されたとき、リザーバからの注入媒体の選択的分配を制御するように構成され、選択的分配は、少なくとも部分的には、表又は他のデータ配置において、光学的検出可能特徴部の少なくとも１つの検出可能パラメータに関連付けられた１つ以上の特性に基づく。
【０１９８】
注入ポンプシステムの特定の実施形態では、エレクトロニクスは、メモリ内に情報を記録するように構成され、この情報は、（ａ）少なくとも１つの光学センサにより検出される少なくとも１つの検出可能パラメータ、又は（ｂ）表又は他のデータ配置において少なくとも１つの光学センサにより検出される少なくとも１つの検出可能パラメータに関連付けられた、少なくとも１つの特性に対応する。
【０１９９】
注入ポンプシステムの特定の実施形態では、エレクトロニクスは、光学的検出可能特徴部の少なくとも１つの検出可能パラメータが検出されたときの、注入ポンプデバイスの地理的位置に対応する位置情報を記録するように更に構成される。
【０２００】
注入ポンプシステムの特定の実施形態では、エレクトロニクスは、光学的検出可能特徴部の少なくとも１つの検出可能パラメータが検出されたときの、時間又は日付に対応する時間情報を記録するように更に構成される。
【０２０１】
注入ポンプシステムの特定の実施形態では、少なくとも１つの光学的検出可能特徴部は、検出可能特徴部に入射した光信号を、該光信号の波長、方向、位相又は他の特性のうちの１つ以上を変更することによる、光学的検出可能な様式で変更するように構成される。
【０２０２】
注入ポンプシステムの特定の実施形態では、少なくとも１つの光学センサは、光信号を放出するように構成された光エミッタデバイスと、リザーバ／キャップユニットが注入ポンプデバイスのリザーバ受容部内に十分に受容されたとき、該光エミッタデバイスから放出され、光学的検出可能特徴部に反射した光信号を検出するように構成された光検出器デバイスと、を含む。
【０２０３】
注入ポンプシステムの特定の実施形態では、注入ポンプデバイスは、光エミッタデバイス及び光学的検出デバイスを取り付けるハウジング部分を有し、該ハウジングは、光エミッタデバイス及び光検出器デバイス用のそれぞれのチャネルを画定する。
【０２０４】
注入ポンプシステムの特定の実施形態では、少なくとも１つの封止部がチャネルを封止し、チャネルを通る流体の通過を阻止する。
【０２０５】
注入ポンプシステムの特定の実施形態では、少なくとも１つの封止部は、（ａ）各チャネル内にある光学的に透過性若しくは部分的に透過性の材料、又は（ｂ）チャネルの一端における光学的に透過性若しくは部分的に透過性の窓材料、又は（ｃ）（ａ）及び（ｂ）の両方を含む。
【０２０６】
注入ポンプシステムの特定の実施形態では、（ａ）少なくとも１つの光学的検出可能特徴部は、リザーバ／キャップユニットが注入ポンプデバイスのリザーバ受容部内に十分に受容されたときに、注入ポンプデバイスの光学センサと光学的に位置合わせされるような、キャップ又はリザーバの少なくとも１つの所定の位置に設けられた、少なくとも１つの光学的検出可能特徴部を含むか、（ｂ）少なくとも１つの光学的検出可能特徴部は、キャップ又はリザーバのそれぞれ異なる位置に配置された、複数の光学的検出可能特徴部を含むか、（ｃ）少なくとも１つの光学的検出可能特徴部は、キャップ又はリザーバにおいて、リザーバ／キャップユニットが注入ポンプデバイスのリザーバ受容部内に十分に受容されている場合は、少なくとも１つの光学センサ素子により検出されるが、リザーバ／キャップユニットが注入ポンプデバイスのリザーバ受容部内に十分に受容されていない場合は、少なくとも１つの光学センサ素子によって検出されない位置に配置されるか、（ｄ）少なくとも１つの光学的検出可能特徴部は、リザーバ／キャップユニットがリザーバ受容部内に受容されたとき、光学的検出可能特徴部が、少なくとも１つのセンサ素子と光学的に相互作用して、リザーバ受容部に対するキャップ若しくはリザーバの軸方向又は回転方向の動き又は位置の検出のための、検出可能な信号がもたらされるような位置にある、複数の光学的検出可能特徴部を含むか、又は（ｅ）キャップは、リザーバ／キャップユニットが、注入ポンプデバイスのリザーバ受容部内に受容されるとき、注入ポンプデバイスの対応するネジ山又は溝に係合するように構成される少なくとも１つのネジ山を備え、少なくとも１つの光学的検出可能特徴部は、該少なくとも１つのネジ山に位置している。
【０２０７】
本発明の実施形態による注入ポンプシステムは、リザーバ受容部を有する注入ポンプデバイスを含み、リザーバ受容部は、注入媒体を収容するリザーバを受容し、リザーバがリザーバ受容部内に受容されたとき、リザーバから注入媒体を選択的に分配し、注入ポンプデバイスは、光エミッタデバイス及び光学的検出デバイスを含む。注入ポンプシステムは、リザーバを注入ポンプデバイスと接続するコネクタインターフェイスであって、コネクタインターフェイスは、リザーバに接続して、リザーバ／キャップユニットを形成するように構成されたキャップを有する、コネクタインターフェイスを更に含み、リザーバ／キャップユニットは、リザーバがリザーバ受容部内に受容されていない第１の位置から、リザーバがリザーバ受容部内に受容されている第２の位置へ移動可能であり、リザーバ／キャップユニットは、異なる反射率又は屈折率の領域の識別パターンを更に有し、識別パターンは、リザーバ／キャップユニットが第１の位から第２の位置へ移動したときに、領域の識別パターンが光エミッタデバイスと光学的検出デバイスとの間を通過するように、リザーバ／キャップユニットにおいて配置され、これによって、リザーバ／キャップユニットのリザーバが注入ポンプデバイスのリザーバ受容部内に受容された際に、識別パターンが検出される。
【０２０８】
注入ポンプシステムの特定の実施形態では、係係合部材の識別パターンは、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上の特性を表し、注入ポンプシステムは、係合部材の識別パターンと特性を関連付けた表を格納するメモリを含む、エレクトロニクスを収容し、エレクトロニクスは、リザーバがリザーバ受容部内に受容されたとき、リザーバからの注入媒体の選択的分配を制御するように構成され、選択的分配は、少なくとも部分的には、該表において、検出された識別パターンに関連付けられた１つ以上の特性に基づく。
【０２０９】
本発明の実施形態による注入ポンプデバイスは、注入媒体を収容するリザーバを受容するリザーバ受容部を有し、注入ポンプデバイスは、リザーバがリザーバ受容部内に受容されたとき、リザーバから注入媒体を選択的に分配し、注入ポンプデバイスは、リザーバにある光学的検出可能特徴部を検出する少なくとも１つの光学センサ素子であって、光学的検出可能特徴部は、リザーバの内容物、又はリザーバに接続されたチューブ又は注入セットの特性を表す、少なくとも１つの光学センサ素子と、少なくとも１つのセンサ素子に接続され、かつ少なくとも部分的には検出される特徴部に応じて、選択的分配を制御するように構成される、エレクトロニクスと、を備える。
【０２１０】
更なる実施形態は、リザーバ受容部を有する注入ポンプデバイスであって、リザーバ受容部は、注入媒体を収容するリザーバを受容し、リザーバがリザーバ受容部内に受容されたとき、リザーバから注入媒体を選択的に分配する、注入ポンプデバイスを設定する方法であって、リザーバを注入ポンプデバイスに接続するコネクタインターフェイスが提供され、コネクタインターフェイスは、リザーバに接続して、リザーバ／キャップユニットを形成するように構成されたキャップと、異なる反射率又は屈折率の領域の識別パターンと、を有し、該方法は、リザーバ／キャップユニットのリザーバを注入ポンプデバイスのリザーバ受容部内に受容させたとき、その特定のリザーバ／キャップユニットについてポンプを設定するために必要な表現データ（representing data）を、リザーバ／キャップユニットに提供することと、ポンプの光エミッタデバイス及び光学的検出デバイスを使用してパターンを検出することと、検出されたデータに応じてポンプを設定することと、を含む。
【０２１１】
電気接点式検出
本発明の実施形態による注入ポンプシステムは、リザーバ受容部を有する注入ポンプデバイスを含み、リザーバ受容部は、注入媒体を収容するリザーバを受容し、リザーバがリザーバ受容部内に受容されたとき、リザーバから注入媒体を選択的に分配し、注入ポンプデバイスは、少なくとも１つの電気的検出センサ素子を含む。注入ポンプシステムの実施形態は、リザーバを注入ポンプデバイスと接続するコネクタインターフェイスシステムを更に含む。特定の実施形態では、コネクタインターフェイスシステムは、リザーバに接続され、リザーバ／キャップユニットを形成するように構成されたキャップを有し、リザーバ／キャップユニットのリザーバを注入ポンプデバイスのリザーバ受容部内に受容させたとき、少なくとも１つのセンサ素子により検出されるように、少なくとも１つの電気的検出可能特徴部が、キャップ又はリザーバに配置される。更なる実施形態では、コネクタインターフェイスシステムは、注入ポンプデバイスのリザーバ受容部内に受容されるリザーバを含み、このリザーバには、リザーバがリザーバ受容部内に受容されたとき、リザーバから選択的に分配される注入媒体が収容されているか、又は後に収容される。更なる実施形態では、コネクタインターフェイスシステムは、リザーバから分配される注入媒体を運ぶチューブを介してキャップと連結される注入セットを備える。
【０２１２】
更なる実施形態では、少なくとも１つの電気的検出可能特徴部は、キャップ、リザーバ、カニューレ、又はキャップとカニューレとの間を接続するチューブの１つ以上の特性と関連している少なくとも１つの検出可能パラメータを有する。
【０２１３】
特定の実施形態では、少なくとも１つの検出可能パラメータは、キャップにおける１つ以上の電気的検出可能特徴部の存在；キャップにおける１つ以上の電気的検出可能特徴部の位置若しくは位置パターン；キャップの電気的検出可能特徴部の種類；電気的検出可能特徴部の電気抵抗、電気的検出可能特徴部の電気インピーダンスのうちの１つ以上を含む。
【０２１４】
特定の実施形態では、少なくとも１つの電気的検出可能特徴部の検出可能パラメータは、リザーバ又はキャップの製造者の種類又は身元；リザーバ又はキャップのサイズ；リザーバ内の注入媒体の種類又は濃度；リザーバ内の注入媒体の体積量；リザーバ内の注入媒体に関連した製造日、有効期限、又は充填日に対応する日付；リザーバ又はキャップの製造日又は有効期限に対応する日付；リザーバ又はリザーバ内の注入媒体を製造、充填、又は他の方法で処理した場所に対応する位置情報；キャップを製造、組み立て、又は他の方法で処理した場所に対応する位置情報；リザーバ、リザーバ内の注入媒体、又はキャップの使用が認められた場所に対応する位置情報；リザーバ、キャップ、又は注入媒体の製造、洗浄、充填又は他の方法での処理が行われたバッチに関連するロット番号又は符号；シリアル番号；固有ＩＤ；権限を有するユーザのユーザ識別情報；カニューレの種類、長さ又はサイズ；又はキャップとカニューレの間を接続するチューブの種類、長さ又はサイズのうちの１つ以上を含む、１つ以上の特性と関連付けられる。
【０２１５】
更なる実施形態では、少なくとも１つの第１の導電性接点部材は、キャップのそれぞれ異なる位置に配置された複数の第１の導電性接点部材を含む。
【０２１６】
更なる実施形態では、少なくとも１つの第１の導電性接点部材は、複数の第１の導電性接点部材を含み、これらの第１の導電性接点部材は、キャップにおいて、リザーバ／キャップユニットがリザーバ受容部内に受容されたとき、第１の導電性接点部材のうちの１つ以上が、少なくとも１つの第２の導電性接点部材と電気的に接触するようになり、リザーバ受容部に対するキャップ若しくはリザーバの軸方向又は回転方向の動き又は位置の検出のための、検出可能な信号がもたらされるような位置にある。
【０２１７】
更なる実施形態では、少なくとも第１の導電性接点部材は、キャップにおいて、リザーバ／キャップユニットが注入ポンプデバイスのリザーバ受容部に十分に受容されたとき、少なくとも第２の導電性接点部材と電気的に接触するが、リザーバ／キャップユニットが注入ポンプデバイスのリザーバ受容部に十分に受容されていないとき、少なくとも第２の導電性接点部材とは電気的に接触しない位置に配置される。
【０２１８】
更なる実施形態では、各電気的検出可能特徴部の各第１の導電性接点部材は、（ａ）導電性金属部材、（ｂ）導電性めっき、（ｃ）導電性コーティング、（ｄ）導電性インク、又は（ｅ）導電性材料の平滑なストリップ又はパッドのうちの１つ以上を含む。
【０２１９】
更なる実施形態では、第１の導電性接点部材のうちの１つ以上は、キャップのハウジングに対して放射方向に外向きに付勢された付勢導電性部分を含む。
【０２２０】
更なる実施形態では、注入セットは、カニューレを更に含み、少なくとも１つの電気的検出可能特徴部は、カニューレ、又は注入セットのチューブの１つ以上の特性と関連付けられた少なくとも１つの検出可能パラメータを有する。
【０２２１】
更なる実施形態では、カニューレ又は注入セットのチューブの特性は、カニューレのサイズ若しくは長さ、又はチューブのサイズ若しくは長さを含む。
【０２２２】
更なる実施形態では、注入ポンプデバイスは、電子メモリに接続されているエレクトロニクスを含み、エレクトロニクス及び電子メモリは、リザーバがリザーバ受容部内に受容されたとき、リザーバからの注入媒体の選択的分配を制御するように構成され、選択的分配は、少なくとも部分的には、電子メモリに格納されている表又は他のデータ配置において、少なくとも１つの検出可能パラメータに関連付けられた１つ以上の特性に基づく。
【０２２３】
更なる実施形態では、注入ポンプデバイスは、メモリ内に情報を記録するように構成されたエレクトロニクスを含み、該情報は、（ａ）少なくとも１つのセンサにより検出される少なくとも１つの検出可能パラメータ、（ｂ）少なくとも１つのセンサにより検出される少なくとも１つの検出可能パラメータに関連付けられた、少なくとも１つの特性、（ｃ）少なくとも１つの検出可能パラメータが検出されたときの、注入ポンプデバイスの地理的位置に対応する位置情報、又は（ｄ）少なくとも１つの検出可能パラメータが検出されたときの、時間又は日付に対応する時間情報のうちの１つ以上に対応する。
【０２２４】
更なる実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つの電気的検出可能特徴部が、センサ素子により検出されるまで、リザーバからの注入媒体の分配を阻止するように構成される。
【０２２５】
特定の実施形態では、少なくとも１つの第２の導電性接点部材は、リザーバ受容部内の注入ポンプデバイスの壁部に埋め込まれるか、又は貼着される。
【０２２６】
特定の実施形態では、第２の導電性接点部材は、リザーバ受容部の軸であって、リザーバ／キャップユニットがリザーバ受容部内に受容されたとき、キャップ又はリザーバの軸に沿う、リザーバ受容部の軸に対して放射方向に内向きに付勢された付勢部分を含む。
【０２２７】
特定の実施形態では、第２の導電性接点部材は、２つ以上の延出部分を有する、導電性金属材料のシート又はストリップを含み、２つ以上の延出部分は、部分的に曲げられるか又は折られることで、シート又はストリップの他の部分から外向きに延出しており、シート又はストリップは、押圧力を延出部分に加えたとき、延出部分がシート又はストリップの他の部分に向かって更に内向きに、曲げられるか又は折られるように十分な可撓性と、非押圧状態に向かって延出部分を付勢するのに十分な固有のバネ力と、を有する。
【０２２８】
更なる実施形態による注入媒体を収容するリザーバを注入ポンプデバイスと接続するコネクタインターフェイスは、リザーバに接続して、リザーバ／キャップユニットを形成するように構成されたキャップを含み、少なくとも１つの第１の電気接点を有する電気的検出可能特徴部が、リザーバ／キャップユニットのリザーバが注入ポンプデバイスのリザーバ受容部内に受容されたとき、注入ポンプデバイスのセンサ素子と選択的に接続されるように、キャップ又はリザーバに配置され、この選択的接続により、データが伝達される。
【０２２９】
こうしたコネクタインターフェイスの特定の実施形態では、データは、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報のうちの１つ以上を含む。
【０２３０】
本発明の実施形態による注入ポンプシステムは、上述したようなコネクタインターフェイスと、リザーバ受容部を有する注入ポンプデバイスであって、リザーバ受容部は、注入媒体を収容するリザーバを受容し、リザーバがリザーバ受容部内に受容されたとき、リザーバから注入媒体を選択的に分配する、注入ポンプデバイスと、を備え、注入ポンプデバイスは、センサ素子を形成する複数の第２の電気接点を備える。
【０２３１】
こうした注入ポンプシステムの更なる実施形態では、リザーバ／キャップユニットがリザーバ受容部内に正しく受容されたことを示す、前記選択的接続が行われたこと、を検出する、センサ素子の複数の電気接点に連結されたエレクトロニクスを更に含む。
【０２３２】
こうした注入ポンプシステムの更なる実施形態では、リザーバ／キャップユニットは、リザーバ受容部内で、注入ポンプデバイスでの動作のために正しく受容されている第１の位置から、不十分に受容された位置において、移動可能であり、センサ素子及び検出可能特徴部は、不十分に受容された位置においては、複数の接点がいずれも、少なくとも１つの電気接点と接続されないか、又は複数の接点のうちの異なるものが少なくとも１つの電気接点と接続されるように構成され、エレクトロニクスは、リザーバ／キャップユニットがリザーバ受容部内に正しく受容されていないことを示すように構成される。
【０２３３】
上記注入ポンプシステムのいずれかの更なる実施形態では、少なくとも１つの電気接点は、リザーバ／キャップユニットがリザーバ受容部内に受容されたとき、選択的接続により、キャップ、リザーバ、又は注入ポンプデバイスに関するデータが示されるような所与のパターンで構成される。
【０２３４】
上記注入ポンプシステムのいずれかの更なる実施形態では、少なくとも１つの電気接点は、キャップ又はリザーバに関するデータを輪郭付ける内部メモリを有する、キャップの内側のチップに接続され、センサ素子及びエレクトロニクスは、ポンプに対する通信のために、該データを受信するように構成される。
【０２３５】
上記注入ポンプシステムのいずれかの更なる実施形態では、電気的検出可能特徴部は、電気抵抗又は電気インピーダンスを含み、センサ素子は、該インピーダンスを検出し、該インピーダンスから、キャップ（４）、リザーバ（１）、下流接続構造又は注入ポンプデバイスに関するデータを判定するように構成される。
【０２３６】
上記注入ポンプシステムのいずれかの更なる実施形態では、注入ポンプデバイスは、リザーバがリザーバ受容部内に受容されたとき、リザーバからの注入媒体の選択的分配を制御するエレクトロニクスを含み、このエレクトロニクスは、少なくとも１つの電気的検出可能特徴部が、少なくとも１つのセンサ素子により検出されるまで、リザーバからの注入媒体の分配を阻止するように構成される。
【０２３７】
上記の注入ポンプシステムのいずれかの更なる実施形態では、エレクトロニクスは、表又は他のデータ配置を格納するメモリに接続され、エレクトロニクスは、リザーバがリザーバ受容部内に受容されたとき、リザーバからの注入媒体の選択的分配を制御するように構成され、選択的分配は、少なくとも部分的には、表又は他のデータ配置において、電気的検出可能特徴部の少なくとも１つの検出可能パラメータに関連付けられた１つ以上の特性に基づく。
【０２３８】
上記注入ポンプシステムのいずれかの更なる実施形態では、エレクトロニクスは、メモリ内に情報を記録するように構成され、この情報は、（ａ）少なくとも１つのセンサにより検出される少なくとも１つの検出可能パラメータ、又は（ｂ）表又は他のデータ配置において少なくとも１つのセンサにより検出される少なくとも１つの検出可能パラメータに関連付けられた、少なくとも１つの特性に対応する。
【０２３９】
上記注入ポンプシステムのいずれかの更なる実施形態では、エレクトロニクスは、電気的検出可能特徴部の少なくとも１つの検出可能パラメータが検出されたときの、注入ポンプデバイスの地理的位置に対応する位置情報を記録するように更に構成される。
【０２４０】
上記注入ポンプシステムのいずれかの更なる実施形態では、エレクトロニクスは、電気的検出可能特徴部の少なくとも１つの検出可能パラメータが検出されたときの、時間又は日付に対応する時間情報を記録するように更に構成される。
【０２４１】
上記注入ポンプシステムのいずれかの更なる実施形態では、キャップに配置される少なくとも１つの第１の電気接点は、（ａ）導電性金属部材、（ｂ）導電性めっき、（ｃ）導電性コーティング、（ｄ）導電性インク、（ｅ）キャップ又はリザーバの軸に対して放射方向に外向きに付勢された付勢導電性部分、又は（ｆ）平滑なストリップ又はパッド構成のうちの１つ以上を含む。
【０２４２】
上記注入ポンプシステムのいずれかの更なる実施形態では、第２の電気接点は、リザーバ受容部内にて、注入ポンプデバイスの壁部に取り付けられるか、埋め込まれるか、成形されるか、適用されるか、又は貼着されている。
【０２４３】
上記注入ポンプシステムのいずれかの更なる実施形態では、第２の電気接点は、（ａ）平滑なストリップ又はパッド構成を有するか、（ｂ）リザーバ受容部の軸であって、リザーバ／キャップユニットがリザーバ受容部内に受容されたとき、キャップ又はリザーバの軸に沿う、リザーバ受容部の軸に対して放射方向に内向きに付勢された付勢部分を含むか、又は（ｃ）２つ以上の延出部分を有する、導電性金属材料のシート又はストリップを含み、２つ以上の延出部分は、部分的に曲げられるか又は折られることで、シート又はストリップの他の部分から外向きに延出しており、シート又はストリップは、押圧力を延出部分に加えたとき、延出部分がシート又はストリップの他の部分に向かって更に内向きに、曲げられるか又は折られるように十分な可撓性と、非押圧状態に向かって延出部分を付勢するのに十分な固有のバネ力と、を有する。
【０２４４】
上記注入ポンプシステムのいずれかの更なる実施形態では、（ａ）少なくとも１つの電気的検出可能特徴部の各第１の導電性接点部材が、キャップのハウジング又はリザーバに取り付けられるか、（ｂ）少なくとも１つの電気的検出可能特徴部は、キャップ又はリザーバのそれぞれ異なる位置に配置される、複数の第１の導電性接点部材を含むか、（ｃ）少なくとも１つの電気的検出可能特徴部は、キャップ又はリザーバにおいて、リザーバ／キャップユニットが注入ポンプデバイスのリザーバ受容部内に十分に受容されている場合は、少なくとも１つのセンサ素子により検出されるが、リザーバ／キャップユニットが注入ポンプデバイスのリザーバ受容部内に十分に受容されていない場合は、少なくとも１つのセンサ素子によって検出されない位置に配置されるか、（ｄ）少なくとも１つの電気的検出可能特徴部は、リザーバ／キャップユニットがリザーバ受容部内に受容されたとき、電気的検出可能特徴部が、少なくとも１つのセンサ素子と電気的に相互作用して、リザーバ受容部に対するキャップ若しくはリザーバの軸方向又は回転方向の動き又は位置の検出のための、検出可能な信号がもたらされるような位置にある、複数の電気的検出可能特徴部を含むか、又は（ｅ）キャップは、リザーバ／キャップユニットが、注入ポンプデバイスのリザーバ受容部内に受容されるとき、注入ポンプデバイスの対応するネジ山又は溝に係合するように構成される少なくとも１つのネジ山を備え、少なくとも１つの電気的検出可能特徴部は、該少なくとも１つのネジ山に位置している。
【０２４５】
上記注入ポンプシステムのいずれかの更なる実施形態は、水分又は塩環境などに起因する、複数の第２の電気接点間での漏電を検出し、漏電の存在下においてはデータを無視するように構成されたエレクトロニクスを含む。
【０２４６】
更なる実施形態による注入ポンプデバイスは、注入媒体を収容するリザーバを受容し、リザーバがリザーバ受容部内に受容されたとき、リザーバから注入媒体を選択的に分配するリザーバ受容部を含み、注入ポンプデバイスは、リザーバの内容物、又はリザーバに接続されたチューブ若しくは注入セットの特性を表す、リザーバの電気接点特徴部を検出するセンサ素子を形成する、複数の第２の電気接点を含む。注入ポンプデバイスは、センサ素子に接続され、かつ少なくとも部分的には検出される特徴部に応じて、選択的分配を制御するように構成される、エレクトロニクスを更に備える。
【０２４７】
更なる実施形態は、リザーバ受容部を有する注入ポンプデバイスであって、リザーバ受容部は、注入媒体を収容するリザーバを受容し、リザーバがリザーバ受容部内に受容されたとき、リザーバから注入媒体を選択的に分配する、注入ポンプデバイスを設定する方法を含み、リザーバを注入ポンプデバイスに接続するコネクタインターフェイスが提供され、コネクタインターフェイスは、リザーバに接続して、リザーバ／キャップユニットを形成するように構成されたキャップを有する。本方法は、リザーバ／キャップユニットのリザーバを注入ポンプデバイスのリザーバ受容部内に受容させたとき、その特定のリザーバ／キャップユニットについてポンプを設定するために必要なデータを表すパターンに配置される第１の接点をリザーバ／キャップユニットに提供することと、リザーバ／キャップユニットがリザーバ受容部内に受容されたときに、リザーバ受容部における弾性的に負荷をかけた接点のマトリックスを用いてパターンを検出し、パターンからデータを得ることと、得られたデータに従って、ポンプを設定することと、を含む。
【０２４８】
更なる実施形態は、リザーバ受容部を有する注入ポンプデバイスであって、リザーバ受容部は、注入媒体を収容するリザーバを受容し、リザーバがリザーバ受容部内に受容されたとき、リザーバから注入媒体を選択的に分配する、注入ポンプデバイスを設定する方法を含み、リザーバを注入ポンプデバイスに接続するコネクタインターフェイスが提供され、コネクタインターフェイスは、リザーバに接続して、リザーバ／キャップユニットを形成するように構成されたキャップを有し、本方法は、リザーバ／キャップユニットに、チップ、及び注入ポンプデバイスに面する表面上にある、チップに接続された接点を提供すること、を含む。こうした実施形態では、チップは、リザーバ／キャップユニットのリザーバを注入ポンプデバイスのリザーバ受容部内に受容させたとき、その特定のリザーバ／キャップユニットについてポンプを設定するために必要なデータを含む。このような実施形態における本方法は、リザーバ／キャップユニットがリザーバ受容部内に受容されたときに、接点を注入ポンプデバイスの対応する接点に接続することと、データをチップから注入ポンプデバイスへと読み取ることと、読み取ったデータに従って、ポンプを設定することと、を含む。
【０２４９】
リザーバ／キャップ／注入セットユニット（ツイストアンドロック）
本発明の実施形態による注入ポンプシステム用のリザーバユニットシステムは、ネック部分及び注入媒体を収容する内容積部を有するリザーバ容器を含み、ネック部分は、注入媒体がリザーバの内容部積に受容され得るポート開口部を有し、かつ、ネック部分は、リザーバ容器の内容積部までの第１の開口部及びチューブを用いて流体連通により接続する第２の開口部を有する流路を有する。また、本リザーバユニットシステムの実施形態は、第１の回転位置と第２の回転位置との間で軸の周りで回転させるために、ネック部分に支持されたキャップ本体を有するキャップを更に含み、キャップ本体は、リザーバの内容積部に対して開口している第１のチャネルと、第１及び第２の端部を有する第２のチャネルを有し、第１の端部は、キャップ本体内で第１のチャネル及び第２の端部と流体連通している。
【０２５０】
このリザーバユニットシステムの実施形態は、第１の移送ガード回転位置と第２の移送ガード回転位置との間のリザーバネック部分に対する軸の周りで選択的回転するリザーバネック部分に取り外し可能に接続される移送ガードを更に含めてもよい。移送ガードを第１の移送ガードの回転位置から第２の移送ガード回転位置に選択的に回転させるとき、キャップ本体を第１の回転位置から第２の回転位置に回転させるために、移送ガードをキャップ本体に操作可能に係合させる。キャップ本体が第１の回転位置にあるとき、キャップ本体内の第２のチャネルの第２の端部は、ネック部分において、流路の第１の開口部と流体連通され、キャップ本体が第２の回転位置にあるとき、キャップ本体内の第２のチャネルの第２の端部は、ネック部分において、流路の第１の開口部と流体連通していない。
【０２５１】
特定の実施形態では、（ａ）キャップ本体は、手動力を受け、リザーバ容器に対して軸の周りでキャップ本体を回転させるように構成された少なくとも１つの延出部を有し、移送ガードが第１の移送ガードの回転位置から第２の移送ガード回転位置に選択的に回転されるとき、第１の回転位置から第２の回転位置にキャップ本体を回転させるために、該移送ガードはキャップ本体の少なくとも１つの延出部に操作可能に係合され、該移送ガードは、リザーバ容器のネック部分を受容する第１の端部を有する移送ガード本体を含み、移送ガード本体は、本体の少なくとも１つの延出部を受容する開口部及びリザーバ容器が移送ガードの第１の端部に受容されたとき、キャップ本体の少なくとも１つの延出部を係合する係合表面を有し、移送ガード本体は、供給容器の任意の部分を受容する第２の端部を有し、リザーバ容器が移送ガード本体の第１の端部に受容され、供給容器が移送ガード本体の第２の端部に受容されたとき、移送ガードは、リザーバ容器と流体連通している供給容器を接続するように構成されるか；（ｂ）キャップ本体は、手動力を受け、リザーバ容器に対して軸の周りでキャップ本体を回転させるように構成された少なくとも１つの延出部を有し、リザーバネック部分は、キャップ本体が第１の回転位置にあるとき、キャップ本体の少なくとも１つの延出部に揃える位置に配置され、キャップ本体が第２の回転位置にあるとき、キャップ本体の少なくとも１つの延出部に揃っていない位置に配置された少なくとも１つの延出部を有するか；又は（ｃ）キャップ本体は、軸に対して外向きに延出する長手方向寸法を有する延出部を有し、リザーバネック部分は、軸に対して外向きに延出する長手方向寸法を有する延出部を有し、キャップ本体の延出部の長手方向寸法は、キャップ本体が第１の回転位置にあるとき、リザーバネック部分の延出部の長手方向寸法と同一方向に指向し、キャップ本体が第２の回転位置にあるとき、キャップ本体の延出部の長手方向寸法は、リザーバネック部分の延出部の長手方向寸法と異なる方向に指向する。
【０２５２】
更なる実施形態では、キャップは、キャップ本体の第１のチャネルに穿刺可能隔膜を含む。
【０２５３】
更なる実施形態では、キャップは、注入ポンプデバイス上でセンサによって検出可能である少なくとも１つの検出可能要素を含み、少なくとも１つの検出可能要素は、延出部に配置される。
【０２５４】
特定の実施形態では、少なくとも１つの検出可能要素は、磁気検出可能要素、誘導検出可能要素、光学的検出可能要素、機械的検出可能要素、電気的検出可能電気接点要素、無線周波数（ＲＦ）検出可能要素、又はＲＦＩＤタグを含む無線周波数（ＲＦ）検出可能要素のうちの少なくとも１つを含む。検出可能要素及び連結されたセンサの詳細及び機能は、上述のようなである。
【０２５５】
リザーバ／キャップ／注入セットユニット（バネ付きプランジャ）
本発明の別の実施形態による注入ポンプデバイス用のリザーバユニットシステムは、ネック部分及び注入媒体を収容する内容積部を有するリザーバ容器を含み、ネック部分は、注入媒体がリザーバ容器の内容積部に受容され得るポート開口部を有し、かつ、ネック部分は、リザーバ容器の内容積部までの第１の開口部及びチューブを用いて流体連通により接続する第２の開口部を有する流路を有する。本リザーバユニットシステムの実施形態は、第１の位置と第２の位置との間で、リザーバ容器の軸方向に沿って、直線運動するリザーバのネック部分で支持された可動プランジャ本体を有するキャップ構造を更に含む。プランジャ本体は、ポート開口部とリザーバ容器の内容積部との間に、プランジャ本体を介する流体連通用の少なくとも１つの経路を有する。キャップ構造は、第１の位置に向かって可動プランジャ本体を付勢する付勢力をもたらす付勢部材を有する。
【０２５６】
本リザーバユニットシステムの実施形態は、リザーバ容器のネック部分に取り外し可能に接続可能な第１の端部を有する移送ガードを更に含み、移送ガードは、移送ガードがリザーバ容器のネック部分に接続されるとき、可動プランジャ本体を係合し、かつ付勢部材の付勢力に対して、第２の位置でプランジャ本体を保持するように配置された係合部分を含む。係合部分は、可動プランジャ本体を係合離脱するように配置され、移送ガードがリザーバ容器のネック部分から取り外されるとき、付勢部材の付勢力を受けて、可動プランジャ本体を第２の位置から第１の位置へ移動させることができる。
【０２５７】
可動プランジャ本体は、以下となるようにリザーバ容器のネック部分において、流路の第１の開口部に対して配置される外側表面を有する：（ａ）可動プランジャ本体が、第１の位置にあるとき、プランジャ本体の外側表面を流路の第１の開口部と揃えて、流路とリザーバ容器の内容積部との間の流体連通を阻止する、（ｂ）可動プランジャ本体が、第２の位置にあるとき、プランジャ本体の外側表面を流路の第１の開口部から十分に離し、流路とリザーバ容器の内容積部との間の流体連通を可能にする。
【０２５８】
特定の実施形態では、係合部分は、中空ニードの第１の端部と第２の端部の間に流体連通経路を提供する中空針を含む。
【０２５９】
特定の実施形態では、移送ガードは、供給容器とのインターフェイスとなるように構成された第２の端部を含み、中空針の第２の端部は、移送ガードの第２の端部が供給容器とのインターフェイスとなるとき、供給容器の内容積部に流体連通して、配置される。
【０２６０】
特定の実施形態では、中空針の一部は、ポート開口部を介して延出し、中空針の第１の端部は、移送ガードの第１の端部がリザーバ容器のネック部分に接続されるとき、リザーバ容器の内容積部に流体連通して、配置される。
【０２６１】
更なる実施形態では、リザーバ容器のネック部分は、ネック部分の内容積部内で可動プランジャを保持するように、更に、第１の位置と第２の位置との間の可動プランジャの移動を可能にするように配置された１つ以上の第１の停止面及び１つ以上の第２の停止面を含む。
【０２６２】
特定の実施形態では、１つ以上の第１の停止面は、ネック部分の任意の部位に又はネック部分の任意の部位に隣接して配置されるリング型突起部を含み、ネック部分の内容積部が、リザーバ容器の内容積部の他の部分に開口され、１つ以上の第２の停止面は、リザーバ容器のポート開口部に又はリザーバ容器のポート開口部に隣接して配置されるリング型突起部を含む。
【０２６３】
特定の実施形態では、１つ以上の第１及び第２の停止面は、（ａ）単体成形構造として、リザーバ容器のネック部分と共に一体型形成されるか、又は（ｂ）リザーバ容器のネック部分に固定させた別個の構成要素として形成される。
【０２６４】
更なる実施形態では、リザーバ容器のポート開口部に隣接して、リザーバ容器のネック部分内に穿刺可能隔膜が提供され、穿刺可能隔膜は、移送ガードの第２の端部がネック部分とのインターフェイスとなるとき、中空針の第２の端部により穿刺されるように配置され、穿刺可能隔膜は、移送ガードの第２の端部がリザーバ容器のネック部分とのインターフェイスとならないとき、リザーバ容器のポート開口部を封止するように配置される。
【０２６５】
更なる実施形態では、キャップ構造は、注入ポンプデバイス上でセンサによって検出可能である少なくとも１つの検出可能要素を含み、少なくとも１つの検出可能要素は、可動プランジャ又は付勢部材に配置される。
【０２６６】
特定の実施形態では、少なくとも１つの検出可能要素は、磁気検出可能要素、誘導検出可能要素、光学的検出可能要素、機械的検出可能要素、電気的検出可能電気接点要素、無線周波数（ＲＦ）検出可能要素、又はＲＦＩＤタグを含む無線周波数（ＲＦ）検出可能要素のうちの少なくとも１つを含む。検出可能要素及び連結させたセンサの詳細及び機能は、前述の実施形態に関して設定したものと同じである。
【図面の簡単な説明】
【０２６７】
【図１】本発明の実施形態による注入ポンプデバイス、リザーバ、注入セット及び接続インターフェイス器具を含む注入ポンプシステムの部分分解斜視図である。
【図２】本発明の実施形態によるリザーバ接続インターフェイス器具のキャップの拡大側方断面図である。
【図３】リザーバに接続した、図２の実施形態のキャップの部分側方断面図である。
【図４Ａ】それぞれ、本発明の実施形態による接続インターフェイス器具に用いられるキャップ、センサ及び検出可能要素を上から見た概略図である。
【図４Ｂ】それぞれ、本発明の実施形態による接続インターフェイス器具に用いられるキャップ、センサ及び検出可能要素を上から見た概略図である。
【図４Ｃ】本発明の実施形態によるキャップの斜視図である。
【図４Ｄ】本発明の実施形態によるキャップの斜視図である。
【図４Ｅ】図４Ｃ又は図４Ｄのキャップを装着した注入ポンプデバイスの一部の概略的断面図である。
【図４Ｆ】図４Ｅの注入ポンプデバイスにおいて、キャップの係合角度の関数としての磁束密度の一例をプロットしたグラフである。
【図４Ｇ】磁石形状及び磁界方向を示す概略図である。
【図４Ｈ】それぞれ異なる方向の磁界を有する、図４Ｃ又は図４Ｄのキャップを装着した注入ポンプデバイスの一部の概略的断面図である。
【図４Ｉ】それぞれ異なる方向の磁界を有する、図４Ｃ又は図４Ｄのキャップを装着した注入ポンプデバイスの一部の概略的断面図である。
【図４Ｊ】本発明の実施形態による、周方向に磁化された磁石及び配置の概略的斜視図である。
【図４Ｋ】本発明の実施形態による、周方向に磁化された磁石及び配置の概略的斜視図である。
【図４Ｌ】本発明の実施形態による、放射方向に磁化された磁石の概略的斜視図と、注入ポンプデバイスの一部内の磁石の配置の概略断面図である。
【図４Ｍ】本発明の実施形態による、放射方向に磁化された磁石の概略的斜視図と、注入ポンプデバイスの一部内の磁石の配置の概略断面図である。
【図４Ｎ】本発明の実施形態による、軸方向に磁化された磁石の概略的斜視図と、注入ポンプデバイスの一部内の磁石の配置の概略断面図である。
【図４Ｏ】本発明の実施形態による、軸方向に磁化された磁石の概略的斜視図と、注入ポンプデバイスの一部内の磁石の配置の概略断面図である。
【図４Ｐ】リニアホール効果センサの線形応答出力の例を表すグラフである。
【図４Ｑ】ヒステリシスを有するデジタルホール効果スイッチセンサの出力の例を示すグラフである。
【図４Ｒ】それぞれ、隣接した磁石の相対運動時のＡＭＲセンサの出力例を表すグラフである。
【図４Ｓ】それぞれ、隣接した磁石の相対運動時のＡＭＲセンサの出力例を表すグラフである。
【図４Ｔａ】それぞれ、ＡＭＲセンサに対する磁石角度を表すグラフである。
【図４Ｔｂ】それぞれ、ＡＭＲセンサに対する磁石角度を表すグラフである。
【図４Ｔｃ】それぞれ、ＡＭＲセンサに対する磁石角度を表すグラフである。
【図４Ｔｄ】それぞれ、ＡＭＲセンサに対する磁石角度を表すグラフである。
【図４Ｕ】本発明の実施形態のセンサ出力及び磁界角度を表すグラフである。
【図４Ｖ】本発明の実施形態のセンサ出力及び磁界角度を表すグラフである。
【図５】本発明の実施形態による接続インターフェイス器具によって用いられる電子回路の概要を表す概略図である。
【図６】本発明の実施形態による図５の電子回路により行われるプロセスのフロー図である。
【図７】本発明の実施形態による注入ポンプデバイスの外側に、基部／リザーバ／キャップユニットを含む注入ポンプシステムの分解斜視図である。
【図８】基部／リザーバ／キャップユニットが注入ポンプデバイスの内側に配置された状態の、図７の実施形態の注入ポンプシステムの一部の拡大側方断面図である。
【図９】図７及び図８の注入ポンプシステムの実施形態のための電子回路の概要を表す概略図である。
【図１０】図７及び図８の注入ポンプシステムの注入ポンプデバイスの実施形態の一部の拡大側方断面図である。
【図１１】図７及び図８の注入ポンプシステムの注入ポンプデバイス内に配置されたキャップの実施形態の一部の拡大側方断面図である。
【図１２】図７及び図８の注入ポンプシステムの注入ポンプデバイスの別の例の外側に配置されたキャップの実施形態の一部の拡大側方断面図である。
【図１３】図１２の注入ポンプデバイス内に配置されたキャップの実施形態の一部の拡大側方断面図である。
【図１４】図１２の注入ポンプデバイス内に配置されたキャップの別の実施形態の一部の拡大側方断面図である。
【図１５】図１２〜図１４の注入ポンプデバイス内の連結構造の実施形態の拡大側方断面図である。
【図１６】本発明の実施形態による注入ポンプデバイスの内側に配置された基部／リザーバ／キャップユニットを含む注入ポンプシステムの一部の側方断面図である。
【図１７】本発明の実施形態による基部／リザーバ／キャップユニットを装着させた注入ポンプデバイスの一部の側方平面断面図である。
【図１８】図１７に示す注入ポンプデバイスの一部（基部／リザーバ／キャップユニットなし）の側方拡大平面断面図である。
【図１９】本発明の実施形態による注入ポンプデバイスハウジング部分の上面図である。
【図２０】図１９の実施形態の注入ポンプデバイスハウジング部分の斜視図である。
【図２１】本発明の実施形態による注入ポンプデバイスの一部の外側にキャップを含む注入ポンプシステムの一部の斜視図である。
【図２２】本発明の別の実施形態による注入ポンプデバイスの一部の外側にキャップを含む注入ポンプシステムの一部の斜視図である。
【図２３Ａ】図２１のキャップの電気接点部材の実施形態の拡大斜視図である。
【図２３Ｂ】図２１又は図２２のキャップ用の電気接点部材の別の実施形態の拡大斜視図である。
【図２３Ｃ】図２１又は図２２のキャップ用の電気接点部材の別の実施形態の拡大斜視図である。
【図２３Ｄ】図２１又は図２２のキャップ又は注入ポンプデバイス用の電気接点部材の別の実施形態の拡大側方断面図である。
【図２３Ｅ】図２１又は図２２のキャップ又は注入ポンプデバイス用の電気接点部材の別の実施形態の拡大側方断面図である。
【図２４】本発明の別の実施形態による注入ポンプデバイスの外側にキャップを含む注入ポンプシステムの分解斜視図である。
【図２５】キャップが注入ポンプデバイス上にある、図２４の注入ポンプシステムの一部を表す概略図である。
【図２６】本発明の実施形態による検出回路の概略図である。
【図２７】本発明の別の実施形態による検出回路の概略図である。
【図２８Ａ】移送ガードに接続されたキャップ及びリザーバの斜視図である。
【図２８Ｂ】本発明の実施形態による、取り外された状態の移送ガードを有する同一のキャップ及びリザーバの斜視図である。
【図２９Ａ】第１の状態又は充填状態にある、図２８Ａのキャップ及びリザーバの斜視図及び側方断面図である。
【図２９Ｂ】第１の状態又は充填状態にある、図２８Ａのキャップ及びリザーバの斜視図及び側方断面図である。
【図３０Ａ】第２の状態又は送達状態にある、図２８Ａのキャップ及びリザーバの斜視図及び側方断面図である。
【図３０Ｂ】第２の状態又は送達状態にある、図２８Ａのキャップ及びリザーバの斜視図及び側方断面図である。
【図３１】供給容器を有する図２８Ａのキャップ、リザーバ及び移送ガードの部分的分解図である。
【図３２】本発明の更なる実施形態によるキャップを有するリザーバに係合した移送ガードの一部の拡大部分断面図である。
【図３３】移送ガードを取り外した、図３２の実施形態によるリザーバ及びキャップの一部の拡大部分的断面図である。
【図３４】図３２のキャップ、リザーバ及び移送ガードの拡大部分的分解図である。
【図３５】本発明の更なる実施形態によるキャップ及びリザーバ受容部の拡大部分断面図である。
【図３６】本発明の更なる実施形態によるキャップ及びリザーバ受容部の部分斜視図である。
【図３７】ボタン部分を押すユーザの指と共に示した、図１８の実施形態のキャップ及びリザーバ受容部の部分斜視図である。
【図３８】図３６及び図３７の実施形態と共に用いることができるキャップの拡大斜視図である。
【図３９】本発明の実施形態によるボタン構成の概略図である。
【図４０】本発明の更なる実施形態によるキャップの一部及びリザーバ受容部の一部の部分斜視図である。
【図４１】ボタン部分が押込状態にある図４０の実施形態のキャップの一部及びリザーバ受容部の一部の部分斜視図である。
【図４２】本発明の更なる実施形態によるキャップの一部及びリザーバ受容部の一部の部分斜視図である。
【図４３】本発明の更なる実施形態による注入ポンプデバイスのキャップの一部及びリザーバ受容部の一部の部分斜視図である。
【図４４】図４３の実施形態のキャップ及びリザーバ受容部であるが、ロック状態、又はラッチ状態にある、部分斜視図である。
【図４５】図４３の実施形態のキャップ及びリザーバ受容部であるが、ロック解除状態、又はラッチ解除状態にある、部分斜視図である。
【図４６】ボタン部材を示す、図４３の実施形態のキャップ及びリザーバ受容部の部分断面斜視図である。
【図４７】図４３〜図４６の実施形態のリザーバ受容部の一部の部分斜視図である。
【図４８】本発明の更なる実施形態による注入ポンプデバイスのキャップ及びリザーバ受容部の一部の部分斜視図である。
【図４９】本発明の更なる実施形態による注入ポンプデバイスのキャップ及びリザーバ受容部の一部の部分斜視図である。
【図５０】図４８及び図４９の実施形態のキャップ及びリザーバ受容部であるが、ロック状態、又はラッチ状態にある、部分斜視図である。
【図５１】図４８及び図４９の実施形態のキャップ及びリザーバ受容部であるが、ロック状態、又はラッチ状態にある、部分斜視図である。
【図５２】本発明の実施形態によるリザーバ接続インターフェイス器具のキャップの上面図である。
【図５３】図５２のキャップと共に動作する注入ポンプデバイスのリザーバ受容部の一部の部分斜視図である。
【図５４】図５３の注入ポンプデバイスと共に動作するキャップの実施形態の部分拡大上面図である。
【図５５】本発明の実施形態によるキャップ・注入ポンプデバイス間接続インターフェイスを有する基部／リザーバ／キャップユニットを収容する、注入ポンプデバイスのリザーバ受容部の一部の部分側方断面図である。
【図５６】本発明の他の実施形態によるキャップ・注入ポンプデバイス間接続インターフェイスを有する基部／リザーバ／キャップユニットを収容する、注入ポンプデバイスのリザーバ受容部の一部の部分側方断面図である。
【図５７】本発明の他の実施形態による、注入ポンプデバイスのリザーバ受容部の一部と、キャップ・注入ポンプデバイス間接続インターフェイスを有するキャップの拡大部分斜視図である。
【図５８】図５７の接続インターフェイスの一部を有する上部リング部材の拡大側方断面図である。
【図５９】本発明の他の実施形態による、注入ポンプデバイスのリザーバ受容部の一部と、キャップ・注入ポンプデバイス間接続インターフェイスを有するキャップの拡大部分斜視図である。
【図６０】図５９の接続インターフェイスの回転リング部材の拡大上面図である。
【図６１】本発明の他の実施形態による、キャップ・注入ポンプデバイス間接続インターフェイスを有する注入ポンプデバイスのリザーバ受容部の一部の拡大部分的側方断面図である。
【図６２】第２の回転位置にある図６１のキャップ・注入ポンプデバイス間接続インターフェイスを有する注入ポンプデバイスのリザーバ受容部の一部の拡大部分的側方断面図である。
【図６３】図６１及び図６２の接続インターフェイスの回転リング部材の拡大上面図である。
【図６４】本発明の他の実施形態による、注入ポンプデバイスのリザーバ受容部の一部と、キャップ・注入ポンプデバイス間接続インターフェイスを有するキャップの拡大部分的側方断面図である。
【図６５】接続インターフェイスを介して、図６４の注入ポンプデバイスの一部に接続された図６４のキャップの一部の拡大側方断面図である。
【図６６】図６４及び図６５のキャップの拡大底面図である。
【図６７】本発明の他の実施形態による、注入ポンプデバイスのリザーバ受容部の一部と、キャップ・注入ポンプデバイス間接続インターフェイスを有するキャップの部分的に分解した拡大部分斜視図である。
【図６８】リザーバ受容部内の接続インターフェイスのリング部材を有する図６７の注入ポンプデバイスのリザーバ受容部の一部の部分拡大斜視図である。
【図６９】本発明の他の実施形態による、キャップ・注入ポンプデバイス間接続インターフェイスを有する、キャップと注入ポンプデバイスのリザーバ受容部の一部の拡大部分的側方断面図である。
【図７０】図６９の注入ポンプデバイスのリザーバ受容部の一部内のキャップの一部の側方拡大断面図である。
【図７１】図６９の注入ポンプデバイスのリザーバ受容部の一部の拡大分解斜視図である。
【図７２】本発明の他の実施形態による、キャップ・注入ポンプデバイス間接続インターフェイスを有する、キャップ及び注入ポンプデバイスのリザーバ受容部の一部の拡大部分斜視図である。
【図７３】本発明の他の実施形態による、キャップ・注入ポンプデバイス間接続インターフェイスを有する、上部リング部材の拡大斜視図である。
【図７４】本発明の他の実施形態による、注入ポンプデバイスのリザーバ受容部の一部と、キャップ・注入ポンプデバイス間接続インターフェイスを有するキャップの拡大部分的側方断面図である。
【図７５】図７４のリザーバ受容部の一部内のキャップの拡大側方断面図である。
【図７６】本発明の様々な実施形態による、基部／リザーバ／キャップユニット又はリザーバ受容部内のリザーバの部分斜視図である。
【図７７】本発明の様々な実施形態による、基部／リザーバ／キャップユニット又はリザーバ受容部内のリザーバの部分斜視図である。
【図７８】本発明の実施形態によるサイドエントリ型リザーバ受容部を有する注入ポンプデバイスの上面図である。
【図７９】注入ポンプデバイスハウジングの開口部を通って延出するキャップの一部を有する図７８の注入ポンプデバイスの部分斜視図である。
【図８０】本発明の別の実施形態によるサイドエントリ型リザーバ受容部を有する注入ポンプデバイスの上面図である。
【図８１】注入ポンプデバイスハウジングの開口部を通って延出するキャップの一部を有する図８０の注入ポンプデバイスの部分斜視図である。
【図８２】本発明の実施形態によるリザーバ接続インターフェイス器具のキャップの部分斜視図である。
【図８３】本発明の実施形態による注入ポンプデバイスのリザーバ受容部の上部リング部材の部分斜視図である。
【図８４】本発明の別の実施形態による、キャップ・リザーバ間接続インターフェイスを有するリザーバの一部及びキャップの拡大部分分解斜視図である。
【図８５】図８４のリザーバの一部に接続されたキャップの拡大部分斜視図である。
【図８６】図８４及び図８５のリザーバの一部の部分側方拡大断面図である。
【図８７】本発明の実施形態によるキャップと接続された移送ガード及びバイアル瓶の隣接部の拡大断面図である。
【図８８】図８７のバイアル瓶と共に、キャップと接続された移送ガードの拡大断面図である。
【発明を実施するための形態】
【０２６８】
以下の説明において、添付の図面を参照するが、それらの図面は本明細書の一部をなすものであり、また、本発明のいくつかの実施形態を示すものである。他の実施形態を使用してもよいこと、及び本発明の範囲から逸脱することなく構造的又は操作上の変更を行ってもよいことが理解される。
【０２６９】
様々な図面において、同様の数字を使用する場合は、類似の方法で実行する又は操作し得る同一の要素又は類似の要素を示す。本明細書では用語「及び／又は」の使用は、「包含的論理和（inclusive OR）」を示すことを目的としている。加えて、本明細書では用語「又は」のユーザは、こうした意味が、意味をなさない場合を除き、「包含的論理和」を示すことを目的としている。
【０２７０】
本発明の実施形態は、シリンジ及びリザーバ用の接続インターフェイスに関する。特定の実施形態は、シリンジ又はリザーバ（例えば、後述のリザーバ１など）と、注入ポンプデバイス（例えば、後述の注入ポンプデバイス３０など）、注入セットチューブ（例えば、後述のチューブ５２など）、又はその両方とのインターフェイスをとるための接続インターフェイスに関する。更なる実施形態は、こうした接続インターフェイスを備える注入ポンプシステム及び注入セットシステム、並びにこうした接続インターフェイス及びシステムの製造方法及び使用方法に関する。
【０２７１】
本発明の実施形態による注入ポンプシステムは、図１の部分分解斜視図に示す。図１の注入ポンプシステムは、リザーバ１、注入ポンプデバイス３０、接続インターフェイス４０及び注入セット５０を備える。図１の注入セットシステムは、注入セット５０及び接続インターフェイス４０を備える。更なるシステムの実施形態は、上記の構成部品の１つ以上を備えるものの、上記の構成部品の全てを備えているわけでなくてもよく、かつ／又は、図１に図示されていない更なる構成部品を備えていてもよい。
【０２７２】
後述のように、リザーバ１は、注入ポンプデバイス３０の受容部３２内に受容されるように構成され、かつ制御された方法で選択的に、注入媒体をリザーバから流し込むように、注入ポンプデバイス内に配置される駆動デバイス（図示せず）とインターフェイスをとるように構成される。また、リザーバ１は、リザーバからユーザへの注入媒体の流路を提供するために、注入セット５０と流体連通状態で接続されるように構成される。本明細書に記載の特定の実施形態では、接続インターフェイス４０は、取り外し可能なカプラを用いて、リザーバ１と、注入セット５０及び注入ポンプデバイス３０と、の接続及びインターフェイスの形成を行うように構成される。
【０２７３】
注入セット５０は、チューブ５２及び針又はカニューレハウジング５４を備える。特定の実施形態では、チューブ５２は、概して、可撓性があり、曲げることができるものであってよいが、適切な硬質材料から作製された保護シースを備えているか、又は保護シースに包まれていてもよく、又は、チューブ５２のもつれを防止するように他の方法で構成される。針又はカニューレハウジング５４は、ユーザに固定されるように構成され、例えば、限定されるわけではないが、ユーザが所望する注入位置でハウジング５４をユーザの皮膚に付着させる。ハウジング５４は、ハウジング５４をユーザの皮膚に固定するために、その基部又は他の好適な材料若しくは構造体において接着材料を含んでいてもよい。ハウジング５４は、チューブ５２と流体連通状態にある中空針又はカニューレ５６を収容し、かつ支持しており、中空針又はカニューレ５６は、ハウジング５４がユーザの皮膚に固定されたときに、基部から出て、ユーザの皮膚へと延びる（又は延ばされる）ように構成される。ユーザの皮膚へ延ばしたとき、中空針又はカニューレ５６は、注入媒体をチューブ５２からユーザの体内に送り込むことができる。注入セット５０として使用可能な注入セットの例としては、以下に限定されるわけではないが、Ｑｕｉｃｋ−ｓｅｔ（登録商標）注入セット、Ｓｉｌｈｏｕｅｔｔｅ（登録商標）注入セット、Ｓｕｒｅ−Ｔ（登録商標）注入セット、Ｍｉｏ（登録商標）注入セットなどが挙げられる。しかし、本発明の他の実施形態は、他の好適な注入セット構成を含んでもよいし、又は他の好適な注入セット構成で操作されてもよい。
【０２７４】
注入ポンプデバイス３０として使用可能な注入ポンプデバイスの例としては、以下に限定されるわけではないが、Ｐａｒａｄｉｇｍ（登録商標）注入ポンプ、Ｒｅｖｅｌ（登録商標）注入ポンプ、ＭｉｎｉＭｅｄ（登録商標）５３０Ｇ注入ポンプ、ＭｉｎｉＭｅｄ  ６４０Ｇなどが挙げられる。その他の例としては、米国特許出願第４，５６２，７５１号、同４，６７８，４０８号、同４，６８５，９０３号、同５，０８０，６５３号及び同５，０９７，１２２号に記載されているものが挙げられ、これらは、それぞれ、その全体が本明細書に参照により組み込まれる。しかし、本発明の他の実施形態は、他の好適な注入ポンプデバイスを含んでもよいし、又は他の好適な注入ポンプデバイスで操作されてもよい。注入ポンプデバイス３０は、リザーバ１がリザーバ受容部３２内に適切に受容されるとき、リザーバ１のピストンにおける対応する駆動連結部１’と係合するように構成される、駆動連結部（図示せず）を有する駆動モータ又は他の駆動デバイスを備える。特定の実施形態では、駆動連結部１’は、その全体が参照により本明細書に組み込まれている米国特許第８，１６７，８４６号、名称「Ｒｅｓｅｒｖｏｉｒ  Ｆｉｌｌｉｎｇ  Ｓｙｓｔｅｍｓ  Ａｎｄ  Ｍｅｔｈｏｄｓ」に記載されている「係合側面１２８」に対応している。他の実施形態では、リザーバ１を注入ポンプデバイス３０のリザーバ受容部内に受容させたとき、リザーバ１内のピストンを注入ポンプデバイス３０内の駆動デバイスに動作可能に連結させるために、他の好適な駆動連結構造を、駆動連結部１’として用いる。
【０２７５】
駆動デバイスを動作させて、ピストンをシリンジ又はリザーバ内で選択的に動かし、リザーバからユーザに流体媒体を流し込む。注入ポンプデバイス３０は、駆動デバイスに接続して駆動デバイスを制御し、ピストンの選択的な駆動、及びリザーバから注入セット５０のチューブ５２への流体の分配を行なわせるための、制御エレクトロニクスを備える。特定の実施形態では、制御エレクトロニクスは、１つ以上のプログラムされた送達ルーチンに従って、流体をリザーバから連続的に又は時間の経過と共に１つ以上の所定の間隔で送達するようにプログラム可能である。制御エレクトロニクスは、注入ポンプデバイス上で又は注入ポンプデバイスと連結させて、１つ以上の表示デバイス及びユーザ入力デバイスを操作するように更に構成されてもよい。制御エレクトロニクスとしては、図５を参照して後述するエレクトロニクス６０を備えていてもよいし、又はエレクトロニクス６０と接続されてもよい。
【０２７６】
１．接続インターフェイス構造及び操作
図１の実施形態では、接続インターフェイス４０は、基部２及び接続キャップ４を備える。他の実施形態では、基部２は省略するか、又は、リザーバ１又はキャップ４の一部として（一体化させて又は固定して）形成される。図１の実施形態では、基部２は、リザーバ１を製造している間（又は製造後）に、リザーバ１のスエージ３の周囲に固定することによって、リザーバ１に固定的に取り付けられる別個の要素である。例えば、基部２は、１つ以上のスロット２ａを備えてもよく、また、スエージ３の上から圧着して、基部をリザーバ１に固定させることができるような、剛性ではあるが、十分に展性のある材料製であってよい。特定の実施形態では、基部２は、リザーバ１に対する基部２の回転又は動きが阻止されるように、リザーバ１に固定的に接続される。他の実施形態は、基部２をスエージ３に固定するために、他の好適な構造又は材料を備えてもよい。本発明の他の実施形態では、基部２を、リザーバに取り付け可能に（かつ、リザーバから取り外し可能に）構成することによって、コネクタインターフェイスが、初めから基部を取り付けた状態で製造されないリザーバ、カートリッジ又はシリンジと共に使用できるようになっている。
【０２７７】
基部２、スエージ３及びキャップ４は、本明細書に記載のように動作するように、以下に限定されるわけではないが、プラスチック、金属、セラミック、複合材又は他の好適な材料など、十分な剛性及び強度を有する任意の１つ以上の好適な材料製であってよい。一例では、基部２は、圧着密封スエージ３の上から圧着させることができる金属材料で作製され、基部は、リザーバ１のポートの上に形成することができる金属箔材料で作製され、基部２は、プラスチック材料で作製される（例えば、以下に限定されるわけではないが、キャップ４の形状を有する１つの一体型構造体に成形されるプラスチック材料など）。特定の実施形態では、キャップ４は成形プラスチック材料で作製される。
【０２７８】
コネクタインターフェイス４０のキャップ４は、注入セット５０のチューブ５２に流体連通状態で接続される。キャップ４の例示的実施形態を、図２及び図３に示す。キャップをリザーバから分離させた状態で、キャップ４の断面図を図２に示す。キャップをリザーバ１のネック部に装着した状態で、キャップ４の断面図を図３に示す。図２及び図３の実施形態では、キャップ４は、キャップハウジング５の内容積に対して開口している開口端部を有するハウジング５を備える。また、ハウジング５は、以下に限定されるわけではないが、摩擦適合、クランプ、接着、これらの組み合わせなど、任意の好適な方法で、注入セット５０のチューブ５２と接続するチューブ用ポート６を更に備える。特定の実施形態では、ユーザにキャップ４が利用可能となる前に、キャップ４を製造する又は組み立てる間に、キャップ４をチューブ５２と接続させる。他の実施形態では、キャップ４は、キャップの製造後、例えば、ユーザ、医療技術者又はその他の権限を有する者によって、チューブ５２に接続されるように構成されるポートを有する。キャップ４は、キャップハウジングの内部に配置され、チューブ用ポート６と流体流通した状態で提供される針９を更に備える。特定の実施形態では、キャップ４は、キャップ本体５の内容積に対してキャップ４の外側の環境から空気流路を提供する１つ以上の通気開口部２４を備える。本明細書に記載されるように、１つ以上の通気開口部２４により、キャップ本体５の外側環境と内部環境との間での圧力の均等化が可能になる。
【０２７９】
コネクタインターフェイス４０のキャップ４部分は、第１の取り外し可能なカプラにより、基部２（及び、リザーバ１）に取り外し可能に取り付ける。基部２を省略した実施形態では、第１の取り外し可能なカプラは、キャップ４をリザーバ１に直接取り外し可能に取り付ける。加えて、キャップ４は、第２の取り外し可能なカプラにより、注入ポンプデバイス３０に取り外し可能に取り付ける。特定の実施形態では、第１の取り外し可能なカプラは、キャップと基部２との選択的な連結及び脱着を可能とする任意の好適な構造を備え、一方で、第２の取り外し可能なカプラは、キャップと注入ポンプデバイス３０との選択的な連結及び脱着を可能とする、同様の又は異なる構造を備える。キャップを接続インターフェイスの基部に連結するための第１の取り外し可能なカプラ、及びキャップを注入ポンプデバイスに連結するための第２の取り外し可能なカプラの例示的実施形態は、その全体が本明細書に組み込まれている米国特許第６，５８５，６９５号に記載されている。
【０２８０】
一実施形態では、第１の取り外し可能なカプラは、基部２又はキャップ４の一方に１つ以上の突出部又は戻り止め部を備え、その突出部又は戻り止め部を受容するために、基部２又はキャップ４の他方において対応する開口部を備える。第１の取り外し可能なカプラの例示的実施形態は、図２及び図３に示されるキャップ４、基部２及びリザーバ１に関して記載する。他の実施形態では、キャップ４、基部２及びリザーバ１に取り外し可能に連結するため、又は恒久的に連結する（又はキャップ４を直接的にリザーバ１に取り外し可能に連結する又は恒久的に連結する）ため、他の好適なカプラ構造が用いられる。
【０２８１】
図２及び図３の実施形態では、コネクタインターフェイス４０のキャップ４部分は、基部２において戻り止め部を備え、かつキャップ４のハウジング部分に配置された戻り止め開口部を備える第１の取り外し可能なカプラにより、基部２に取り外し可能に取り付けられる。２つの戻り止め部８は、基部２の外側表面上に提供され、１８０度離して配置されるが、図１には１つの戻り止め部８のみが示されている。戻り止め部８は、キャップ４内の２つの戻り止め開口部１０内に嵌合するサイズとする。一対の戻り止め部８のように、戻り止め開口部１０は、放射状に１８０度離間して配置されている。
【０２８２】
基部２は、リザーバ１に接続され、リザーバ１との一体型ユニットを形成する。リザーバ１と基部２との一体型ユニットは、キャップ４に接続される。例えば、図１の実施形態では、一体型基部／リザーバユニットは、基部２をキャップ４の下端の開口部内に挿入することによって、キャップ４に接続されている。キャップ４の内側ハウジング壁部内にて、戻り止め部８を、対応した形状の長手方向に開口した差込スロット１５内に滑り込ませて、噛み合わせる。キャップハウジング５内に基部２を完全に挿入させたとき、戻り止め部８の先端がキャップ４内に形成された環状の停止肩部１６と当接する。この位置に戻り止め部８を持ってきた後、ロック位置に向かって基部２をキャップ４内で回転させる。図２を参照すると、この回転により、キャップ４内でカム表面１７と係合するように、戻り止め部８が回転方向に変位する。カム表面１７上での戻り止め部８上の回転力により、戻り止め部８に圧縮力がもたらされる。基部２を継続して回転させることにより、カム表面１７を通って戻り止め部８が変位し、戻り止め開口部１０と位置合わせされる。戻り止め部８は、スナップ留め動作により、戻り止め開口部１０に入る。したがって、戻り止め部８は、戻り止め開口部１０内で効果的にロックされ、キャップ４からの基部２の長手方向での分離が阻止される。したがって、基部／リザーバユニットは、キャップ４と接続され、基部／リザーバ／キャップの一体型ユニットを形成する。（基部２を省略したか、又はリザーバ又はキャップに組み込んだ実施形態では、本明細書における基部／リザーバ／キャップユニットへの言及は、リザーバ／キャップユニットを意味するものと理解されるであろう）。
【０２８３】
特定の実施形態では、基部／リザーバユニットをキャップ４内に完全に挿入させると、針がリザーバ１の隔膜（図示せず）を穿刺するように、キャップ４の内部針９を配置する。こうした実施形態では、戻り止め部８が環状の停止肩部１６に当接する箇所に対する、キャップ４の開口端部への、基部／リザーバユニットの挿入動作及び挿入力により、針９がリザーバの隔膜を穿刺して、リザーバ内の流体を注入セット５０の針９及びチューブ５２内に流入させることが可能となる。
【０２８４】
キャップ４との基部２の接続を解除するには、基部２をキャップ４に対して、接続方向に対して逆の方向に、手で回転させる。これにより、戻り止め部８をカム表面１７に沿って動かし、差込スロット１５と再度位置合わせする。戻り止め部８を移動させて、差込スロット１５と再度位置合わせすると、キャップ４及び基部２を、長手方向に最小の力で分離することができる。
【０２８５】
図１に示すように、キャップ４を共通軸Ａに沿って基部２及びリザーバ１に接続し、１つのユニット（基部／リザーバ／キャップユニット）を形成する。１つに接続したとき、基部／リザーバ／キャップユニットは、軸Ａに沿って、注入ポンプデバイス３０のリザーバ受容部３２内に受容される。リザーバ受容部３２に基部／リザーバ／キャップユニットを挿入したとき（又は、挿入されるように位置合わせしたとき）、図１の軸Ａは、リザーバ１及びリザーバ受容部３２の長手方向軸に対応する。また、図１の軸Ａは、キャップ４及び基部２の中心軸に対応する。
【０２８６】
リザーバ受容部３２内に適切に装着したとき、キャップ４（又は基部／リザーバ／キャップユニット）は、例えば、第２の取り外し可能なカプラにより、注入ポンプデバイス３０のハウジングに内に取り外し可能に固定される。図１及び図２の実施形態では、第２の取り外し可能なカプラは、キャップ４のハウジング５上に外側のネジ山１９を備える。ネジ山１９は、基部／リザーバ／キャップユニットを注入ポンプデバイス３０に固定するために、注入ポンプデバイス３０のリザーバ受容部３２内の対応するネジ山（図示せず）と係合するように配置される。他の実施形態では、第２の取り外し可能なカプラは、以下に限定されるわけではないが、図３５〜図７５に関して、本明細書に記載されるような構造など、選択的に取り外し可能な方法で、キャップ４を注入ポンプデバイス３０に連結するための他の好適な連結構造を備える。
【０２８７】
本明細書に記載の様々な実施形態では、リザーバ（例えば、リザーバ１又は他のリザーバ実施形態）に取り付けるキャップ（例えば、キャップ４又は他のキャップの実施形態など）を含むリザーバ接続器具を用いる。本明細書では同一の又は異なる参照番号（参照番号４、２０４、４０４、５０４、７０４、８０４、９０４ａ〜ｅ、９６４、９７４、９８４、９９４、１００４、１０１４、１０２４及び１０５０など）を使用して、様々なキャップの実施形態を指定するが、開示されている実施形態の任意のキャップを、本明細書の別の実施形態に対して記載されているキャップと同一又は類似の方法で使用したり、操作したりしてもよく、こうした使用又は操作は、キャップの構成に矛盾するものではないことが理解されよう。加えて、開示された実施形態の任意の１つのキャップの特徴部が、他の開示された実施形態の任意のキャップにより、又はキャップ内に備えられているか、又は組み込まれてもよいことが理解されよう。また、該当する場合、様々な実施形態のキャップを、他の実施形態において交換してもよいし、変更してもよい。また、本明細書では、様々なリザーバの実施形態を示すために、同一の又は異なる参照番号（参照番号１、２０１及び３０１など）が使用されるが、開示されている実施形態の任意のリザーバを、本明細書の別の実施形態に対して記載されているリザーバと同一又は類似の方法で使用したり、操作したりしてもよく、こうした使用又は操作は、リザーバの構成に矛盾するものではないことが理解されよう。
【０２８８】
２．リザーバの検出
本発明の実施形態によれば、本システムは、キャップ４（又は対応するリザーバ／基部／キャップユニット）が注入ポンプデバイス３０に受容されると、キャップ４（又はリザーバ／基部／キャップユニット）と注入ポンプデバイス３０との適切（又は不適切）な連結を検出するように構成される。更なる実施形態では、センサ及び検出可能特徴部は、リザーバ１、リザーバ内容物、キャップ４、注入セット５０又は注入ポンプデバイス３０のうちの１つ以上の特性に関する特定の情報を伝達するような方法で相互作用する。
【０２８９】
換言すれば、検出可能特徴部／センサの組み合わせは、次の２つの主要機能の一方又は両方を有する：
（ａ）ポンプ内でのリザーバの閉鎖／設置状態を検出すること、
（ｂ）リザーバ／キャップ／注入セットの組み合わせの詳細をポンプに伝達する。
【０２９０】
１つの検出可能特徴部／センサの組み合わせによって、又は個々の機能を実行するそれぞれの検出可能特徴部／センサの組み合わせによって、これらの２つの機能を実施することができる。後者の場合、閉鎖を検出する後述の配置のいずれかを、データを得るための構成、及びリザーバ／キャップ注入セットの組み合わせのいずれかと組み合わせてもよい。例えば、リザーバ／キャップ／注入セットの組み合わせに関するデータを伝達するＲＦＩＤ構成は、閉鎖を検出するために磁気技術又は光学技術と組み合わせることができる。
【０２９１】
カテゴリー（ｂ）に含まれる詳細／データの種類は、リザーバのシリアル番号又は固有ＩＤなどの性質の情報であってもよいし、又は、例えば、インスリンなどの薬物の特定情報及び濃度、又はチューブの長さ、種類又はサイズなど、ユーザの権限、又は患者の投与量を判定するにあたって、ポンプによって使用される情報であってもよく、これは、閉塞アラームが鳴る前に、ポンプが許容可能な背圧を決定することと関連し得る。
【０２９２】
特定の実施形態では、キャップ４及び注入ポンプデバイス３０の一方には、少なくとも１つのセンサが提供され、キャップ４及び注入ポンプデバイス３０の他方には、キャップ４を注入ポンプデバイス３０に適切にかつ動作可能に連結させたとき、センサよって検出される少なくとも１つの検出可能特徴部が提供される。更なる実施形態では、キャップ４及び注入ポンプデバイス３０には、それぞれ、少なくとも１つのセンサ及び少なくとも１つの検出可能特徴部が提供され、これらはキャップ４及び注入ポンプデバイス３０の他方の少なくとも１つの対応する検出可能特徴部及びセンサと相互作用するように配置される。例えば、センサ及び検出可能特徴部は、キャップ４が注入ポンプデバイス３０に適切に受容されたか、又は動作可能に連結されたとき、センサが検出可能特徴部の存在若しくは位置（若しくはその両方）、又は検出可能特徴部の他のパラメータを検出するような様式で相互作用し得る。本明細書で参照されるとき、適切に受容すること又は動作可能に連結することとは、リザーバ１の駆動連結部１’が、注入ポンプデバイス３０の駆動デバイスと動作可能に係合する、キャップ４（又は基部／リザーバ／キャップユニット）の位置に対応している。他の実施形態では、適切に受容すること又は動作可能に連結することは、別の好適な所定のキャップ４（又は基部／リザーバ／キャップユニット）の位置に対応している。
【０２９３】
図１の実施形態では、構成要素３４は、注入ポンプデバイス３０の少なくとも１つのセンサ又は検出可能特徴部を表し、構成要素４２は、接続インターフェイス４０のキャップ４の少なくとも１つのセンサ又は検出可能特徴部の他方を表す。接続インターフェイス４０をリザーバ１と連結し、かつ、基部／リザーバ／キャップユニットを注入ポンプデバイス３０のリザーバ受容部３２内に十分にかつ適切に受容させると（図３に示すような）、キャップ４の構成要素４２は、構成要素３４に対して十分に位置合わせされるか、又は近位となり（若しくはその両方）、少なくとも１つのセンサによる、少なくとも１つの検出可能特徴部の検出が可能になる。しかし、（図１に示すように）接続インターフェイス４０がリザーバ１と連結していないとき、又は注入ポンプデバイス３０のリザーバ受容部３２内で基部／リザーバ／キャップユニットが十分に若しくは適切に受容されていないとき、キャップ４の構成要素４２は、少なくとも１つのセンサが少なくとも１つの検出可能特徴部を検出しないように、構成要素３４に対して十分に位置合わせされないか、又は近位とならない（若しくはその両方）。
【０２９４】
上記のように、様々な実施形態では、注入ポンプデバイス３０における構成要素３４は、少なくとも１つのセンサ又は検出可能特徴部（又はその両方）であり、キャップにおける構成要素４２は、少なくとも１つのセンサ又は検出可能特徴部のうちの他方（又はその両方）である。本開示を明瞭にするために、様々な実施形態の更なる説明では、注入ポンプデバイス３０における構成要素３４を、少なくとも１つのセンサと呼び、キャップ４における構成要素４２を、少なくとも１つの検出可能特徴部と呼ぶ。しかし、他の実施形態では、注入ポンプデバイス３０における構成要素３４は、少なくとも１つの検出可能特徴部（又は少なくとも１つのセンサと少なくとも１つの検出可能特徴部との組み合わせ）であってもよいし、一方で、キャップ４における構成要素４２は、少なくとも１つのセンサ（又は、少なくとも１つの検出可能特徴部と少なくとも１つのセンサの組み合わせ）であってもよいことが理解されよう。
【０２９５】
ａ．磁気的検出
上記のように、要素３４又は要素４２の一方が、少なくとも１つのセンサ素子を備え、要素３４又は要素４２のもう一方が少なくとも検出可能特徴部を備えていてもよい。特定の実施形態では、それぞれの検出可能特徴部は、１つ以上の磁石を備え、センサ素子は、磁石に対して十分に近位であるか、又は十分な位置にあるとき、磁石の存在又は他の特性を検出するように構成される。このようなセンサ（複数可）としては、以下に限定されるわけではないが、磁気抵抗（ＭＲ）、ホール効果、磁気リードセンサデバイス、又は磁石の存在若しくは配置（又はその両方）に対する検出可能な応答を提供する他のセンサデバイスが挙げられる。磁石は、任意の好適な永久磁石材料を含む。更なる実施形態では、磁石としては、以下に限定されるわけではないが、永久磁石又は電磁石、電磁石、又は他の好適な磁化材料又はデバイスと接続される導磁性材料が挙げられる。
【０２９６】
特定の実施形態では、キャップ４上の要素４２は、少なくとも１つの磁石を含み、注入ポンプデバイス３０の要素３４は、少なくとも１つのセンサを含む。本実施形態では、キャップ４は、センサエレクトロニクスを含む必要がなく、このため、１回使用（又は、所定の使用数、所定の使用期間若しくはこれらの組み合わせ）の後、より速やかに廃棄できるようになっていてもよい。
【０２９７】
例えば、要素４２は、所定の位置又はキャップハウジング内で、キャップ４によって担持される１つ以上の磁石を示し、要素３４は、注入ポンプデバイス３０のリザーバ受容部３２内の又は注入ポンプデバイス３０のリザーバ受容部３２に隣接した所定の位置にある１つ以上のセンサを示す。特定の実施形態では、正常なシステムの動作中、見えないように、かつ、ユーザに接触しないように、１つ以上の磁石（要素４２）を、キャップハウジングの構造内に埋め込む。他の実施形態では、１つ以上の磁石は、キャップハウジングの表面に取り付けてもよいし、又は別の方法でキャップ４のハウジングに固定してもよい。
【０２９８】
特定の実施形態では、要素３４は、１つのセンサデバイスである一方で、要素４２は、１つの磁石であり、この場合、要素３４及び４２は、基部／リザーバ／キャップユニットが注入ポンプデバイス３０のリザーバ受容部３２内に完全に又は適切に受容されたとき、位置合わせされるか、又は近位となるように（又は位置合わせされ、かつ近位となるように）配置される。他の実施形態では、要素３４及び要素４２は、それぞれ、複数のセンサデバイス及び複数の磁石を含む。
【０２９９】
例えば、図４Ａ及び４Ｂは、複数の要素４２がキャップ４において、対応する複数の位置に配置され、各個別の要素４２が、互いに対してキャップ４における異なる位置にある実施形態を示す。図４Ａ及び４Ｂは、キャップ４の軸Ａに対して、要素４２の位置の例を示すためのキャップ４を上から見た図を示す。図４Ａ及び４Ｂの実施形態では、複数の要素４２（４２Ａ及び４２Ｂと表示）は、異なる位置に配置されており、キャップ４の中央を通る軸Ａの周りに周方向に、若しくは軸Ａに沿って直線的に（若しくはその両方で）離間している。図４Ａ及び４Ｂは、２つの要素４２（４２Ａ及び４２Ｂ）を示し、他の実施形態は、３つ以上の要素４２を備える。
【０３００】
図４Ａ及び４Ｂの実施形態では、図４Ｂに示すように、基部／リザーバ／キャップユニットが完全にかつ適切に、リザーバ受容部３２に受容される場合に、上記のように検出が可能となるよう、要素４２Ａは、注入ポンプデバイス３０上の要素３４と十分に位置合わせされるか、又は近位（若しくはその両方）となるように配置される。しかし、図４Ａに示すように、基部／リザーバ／キャップユニットが完全にかつ適切に、リザーバ受容部３２に受容されていない場合（例えば、以下に限定されるわけではないが、上記の第２の取り外し可能なカプラの接続を完了するため、リザーバ受容部３２内で基部／リザーバ／キャップユニットが十分に回転又は挿入（又はその両方）されていない場合）、上記のように検出が可能となるよう、別の要素４２Ｂが、注入ポンプデバイス３０上の要素３４と十分に位置合わせされるか、又は近位（若しくはその両方）となるように配置される。図４Ａ及び４Ｂの実施形態では、要素４２Ａが、要素３４と検出可能に位置合わせされているか、又は要素３４の近位にある場合（又はその両方の場合）、要素４２Ｂは、要素３４と検出可能に位置合わせされていないか、又は近位にない（又はその両方である）。同様に、要素４２Ｂが、要素３４と検出可能に位置合わせされているか、又は要素３４の近位にある場合（又はその両方の場合）、要素４２Ａは、要素３４と検出可能に位置合わせされていないか、又は近位にない（又はその両方である）。
【０３０１】
図４Ａ及び４Ｂの実施形態では、１つの要素３４は、リザーバ受容部３２内の基部／リザーバ／キャップユニットの相対位置に応じて、複数の要素４２のそれぞれ（例えば、４２Ａ及び４２Ｂ）と位置合わせされるか又は近位となる（又はその両方となる）ように配置される。他の実施形態では、複数の要素３４が（例えば、追加の要素３４を示す点線表示で表されるように軸Ａの周りに及び軸Ａに沿って、周方向に又は直線的に（又はその両方）離間した対応する複数の位置に）配置され、リザーバ受容部３２に対して、基部／リザーバ／キャップユニットの所定の位置で、１つ以上の要素４２と位置合わせされるか又は近位となる（若しくはその両方となる）。これらの実施形態では、注入ポンプデバイス３０のリザーバ受容部３２内でユニットが受容されるとき、センサ及び磁石要素は、基部／リザーバ／キャップユニットの様々な位置の検出が可能なように配置されてもよい。
【０３０２】
複数のセンサ又は複数の磁石要素（又はその両方）が、キャップ４及び注入ポンプデバイス３０の一方又は両方で用いられる特定の実施形態では、キャップ４の様々な所定の状態を検出可能なように、これらの複数の要素が配置されてもよい。このため、例示的実施形態では、これら複数の要素は、注入ポンプデバイス３０に対して、軸Ａの周りでのキャップ４の回転位置（又は動作）の検出が可能なように、軸Ａの周りに離間して配置される。代替的に又は追加的に、注入ポンプデバイス３０に対して、軸Ａに沿って、キャップ４の直線位置（又は動作）の検出が可能なように、キャップ４の軸寸法Ａにおいて、複数の要素が離間して配置される。他の実施形態では、キャップの軸寸法Ａとリザーバ受容部３２の軸寸法との間の角度差（又は動作）を検出するために、１つ以上の要素が配置される。したがって、異なる実施形態では、センサ素子（複数可）は、キャップ４の回転位置、キャップ４の直線位置、キャップ４の角度位置、又はこれらの任意の組み合わせを示す１つ以上のセンサ信号を提供する。
【０３０３】
複数の磁石要素を用いる更なる実施形態では、磁石要素のうち少なくとも２つは、以下に限定されるわけではないが、異なる磁気極性方向、磁界強度、キャップ上の磁石の位置若しくはパターン又はこれらの任意の組み合わせなど、互いに異なる検出可能パラメータを有する。これらの実施形態では、センサ素子（複数可）は、検出パラメータに基づいて、１つの磁石要素を他方から検出し、かつ識別するように構成される。これらの実施形態では、キャップ４が注入ポンプデバイス３０のリザーバ受容部３２内のそれぞれの異なる位置にある場合に、上述したように、センサ素子（複数可）によって検出されるように、異なる磁石（異なる検出可能パラメータを有する）が、キャップ４（又は注入ポンプデバイス３０）上の複数の所定の位置に配置される。
【０３０４】
特定の実施形態では、キャップ４は、キャップに一体化される１つ以上の磁石を備える。キャップ４の例示的実施形態が、図４Ｃ及び４Ｄに示されており、ここで要素４２は、キャップ４のハウジング５に一体化される磁石を含む。図４Ｃ及び４Ｄの実施形態では、磁石（要素４２）は、磁石（要素４２）の外側表面が露出し、キャップハウジング５の外側を向くように、キャップハウジング５の外周表面に固定され、かつその中に埋め込まれている。特定の実施形態では、磁石（要素４２）の外側表面は、磁石（要素４２）の外側表面がキャップハウジング５の外側表面と同一面となるか、又は同一面となっているように見えるように、磁石（要素４２）周囲のキャップハウジング５の外側表面の形状及び輪郭と類似した形状又は輪郭を有する。その他の実施形態では、１つ以上の磁石（要素４２）は、凹まされているか、埋め込まれているか、成形されているか、又はキャップハウジング５の壁部内に別の方法で形成されていてよく、キャップハウジング５の外側表面から凹んでいて、同一面となっていなくてもよい。
【０３０５】
磁石（要素４２）は、以下に限定されるわけではないが、スエージ加工、機械的嵌め込み（mechanical fitting）、接着材料又は機械的コネクタによる取り付け、はんだ付け、溶接、熱かしめ、成形、共成形など、任意の好適な方法で、キャップ４のハウジング５に固定させてよい。例えば、磁石（要素４２）は、キャップハウジング５の（成形による）形成プロセスの一部として、又はキャップハウジング５の形成（成形ないしは別の方法により）後に実施されるプロセスとして、キャップハウジング５上又はキャップハウジング５内に成形されてもよい。このような成形プロセスとしては、射出成形、インサート成形による成形、マルチショット（例えば、ツーショット）成形、又は他の好適な成形プロセスを挙げることができるが、これらに限定されない。
【０３０６】
図４Ｃの実施形態では、磁石（要素４２）は、スエージ加工（カシメ加工）によりハウジング５に固定されており、ここで、磁石（要素４２）は、キャップハウジング５の表面にプレスされるか、又は圧入されている。図４Ｃの実施形態では、スエージ加工プロセス中のキャップハウジング５のいくつかの材料の変位により、リップ部５ａが、磁石（要素４２）の１つ以上の側面に隣接して形成されてもよい。特定の実施形態では、熱間スエージ加工法が用いられ、この場合、磁石（要素４２）は、キャップハウジング５に焼結又は高温圧入する。他の実施形態では、冷間スエージ（cold swaging）加工法を用いるか、又は熱間及び冷間スエージ加工を組み合わせて用い、磁石（要素４２）をキャップハウジング５に固定する。
【０３０７】
図４Ｄの実施形態では、磁石（要素４２）は、キャップハウジング５内に形成された窪部内に、磁石（要素４２）を機械的に嵌め込むことによって、ハウジング５に固定する。図４Ｄでは、磁石（要素４２）は、キャップハウジング５の窪部のサイズ及び形状に適合するか、又は対応するサイズ及び形状を有する。図４Ｄに示すように、特定の実施形態では、磁石（要素４２）は、外向きに拡がっているか、又は軸Ａに向かう方向に幅広になっている形状を有し、キャップハウジング５内の窪部は、それに対応して軸Ａに向かう方向に拡がっているか、又は幅広となっている形状である。こうした実施形態では、キャップハウジング５の周方向の磁石（要素４２）の幅は、磁石（要素４２）の外側又は露出面において、内側表面（軸Ａを向いた磁石（要素４２）の面）よりも小さくなっている。また、このような実施形態では、内側表面（軸Ａの方を向いた磁石（要素４２）の面）の幅は、窪部内での磁石（要素４２）の保持を補助するために、キャップハウジング５内で窪部の外向き端部の幅を超えるように、選択されてもよい。更なる実施形態では、窪部内での磁石（要素４２）の保持を更に補助するために、機械的嵌め込みと組み合わせて、上記のような１つ以上の追加のメカニズム（以下に限定されるわけではないが、スエージ加工、接着材料又は機械的連結装置による取り付け、はんだ付け、溶接、熱かしめ、成形、共成形など）を用いてもよい。
【０３０８】
更なる実施形態では、磁石（要素４２）は、他の好適な任意の方法で、キャップ４に固定させてもよい。本明細書に記載されるような実施形態では、キャップ４（又は基部／リザーバ／キャップユニット）を注入ポンプデバイス３０のリザーバ受容部３２に設置する場合、磁石（要素４２）は、注入ポンプデバイス３０に位置するセンサ素子（要素３４）による磁気的検出のための位置、又は、該センサ素子（要素３４）との他の相互作用のための位置に位置する。特定の実施形態では、センサ素子（要素３４）及び関連するエレクトロニクス６０（図５）は、注入ポンプデバイス３０のリザーバ受容部３２内での、キャップ４（又は基部／リザーバ／キャップユニット）の存在、位置（軸方向の回転位置、角度位置、及び／又は直線的位置）のうちの１つ以上を検出するように構成される。
【０３０９】
複数のセンサ及び複数の磁気的要素により、どのようにして、注入ポンプデバイス内でのキャップの角度位置のより正確な検出が可能となるかを示すために、図４Ａ及び４Ｂを再度参照する。本例の目的のため、複数のセンサ３４は、図１に示すように、ポンプデバイスのリザーバ受容部３２の内側の周りに配置されている。センサ３４の角度間隔を、角度シータと呼ぶ。本記載の目的のため、センサ３４は、連続線で示されるセンサから開始して、反時計回りで数える。１つの磁石、例えば、４２ａがセンサと位置合わせされると、反時計方向の次の磁石が後続の２つのセンサの間のちょうど中間の位置に来るような角度位置に配置された磁石４２が、キャップ上に示されている。このようにするための第１の磁石から第２の磁石への角度間隔は、１．５シータとなり得る。
【０３１０】
ここで操作を考慮すると、図４Ａは、キャップが開いている（即ち、ロックが解除された）状態を示す。この場合は、第２の磁石４２Ｂは、第１のセンサ３４と位置合わせされており、第１の磁石４２Ａは、図４Ａに示す３つのセンサのいずれに対しても範囲外にある。その後、キャップは、第１の磁石４２Ａが第１のセンサ３４と位置合わせされる図４Ｂに示す状態に到達するまで、軸Ａを中心に反時計方向に回転させることによって、手動で閉じられる。このような位置合わせは、磁界強度の最大値として第１のセンサ３４によって検出され得る。キャップの回転により、所定の４２Ｂに示す位置に近づけるとき、第２の磁石４２Ｂは、（太線で示したセンサから反時計方向で数えた）第２のセンサ３４を通過し、第３のセンサに向かって進む。第２の磁石４２Ｂが第２のセンサを通過するとき、第２のセンサで検出される磁界強度は、増大し、その後減少する。第３のセンサ３４に近づくと、第３のセンサによって検出される磁界強度が増大する。第２の磁石４２Ｂが第２のセンサと第３のセンサのちょうど中間にあるとき、それぞれ等しい磁界を検出するであろう。等しい磁界の位置は、閉鎖／ロック位置である、第１の磁石４２Ａと第１のセンサ（太線で示す）との位置合わせ位置に正確に対応する。
【０３１１】
したがって、第２のセンサの出力と第３のセンサの出力との間の正確な一致から、更に正確な閉鎖位置を検出することができる。図４Ａ及び４Ｂに示す状況は、２つの磁石を有する。第２の磁石からシータの間隔で第３の磁石を、第３のセンサからシータの間隔で第４のセンサを追加することで、感度が更に改善されることになる。
【０３１２】
本システムを更に改良するために、第２の磁石４２Ｂに反対極性を持たせるように、キャップ上の第１の磁石４２Ａを配置し得る。もっとも簡単なケースでは、このことにより、第１のセンサ３４（１個のみのセンサが提供されている場合）により、センサ３４に対して１つの極性が示されている図４Ａに示す開放位置と反対極性が示されている図４Ｂに示す位置とを直ちに区別することができる。
【０３１３】
複数のセンサ及び磁石を有し、センサが角度シータで均等間隔で配置され、磁石が１／２・（２ｎ＋１）シータ（one half（2n+1）theta）の角度で第１の磁石４２Ａから離間し、かつ、第１の磁石４２Ａから始めて反時計方向に磁石が交互の極性を有する場合、第１の磁石４２Ａが第１のセンサ３４と位置合わせされ、第２の磁石４２Ｂが第２のセンサ３４と第３のセンサ３４との間で等距離となり、かつ第３の磁石（図示せず）は第３のセンサと第４のセンサとの間で等距離となっている場合に、閉鎖位置が検出される。この場合、第２及び第３の磁石からの磁界は、第３のセンサにおいて打ち消され得、第２及び第４のセンサで検出される磁界は、同じ極性及び反対極性となる。このため、ちょうど中間位置である図４Ｂの閉鎖位置は、その後、第２、第３及び第４のセンサにより検出される磁界の合計がゼロである位置として検出され得る。この検出方法も、外部磁界の影響を受けることはない。
【０３１４】
図４Ｅは、一体化磁石（要素４２）を有し、注入ポンプデバイス３０のリザーバ受容部３２内に装着したキャップ４（及び基部／リザーバ／キャップユニット）の例の断面図を示す。図４Ｅの実施形態では、センサ素子（要素３４）は、注入ポンプデバイス３０のハウジング３３内で、電子回路基板（ＰＣＢ）４１上に、かつ／又は電子的部品又は電子回路基板のスタック内に配置される。関連するエレクトロニクス（例えば、図５のエレクトロニクス６０）は、注入ポンプデバイス３０のハウジング３３内で、同一の電子回路基板若しくはスタック又は異なる電子回路基板若しくはスタック上に配置されてもよい。センサ素子（要素３４）及び関連するＰＣＢ４１（又は電子的構成部品スタック）は、キャップ４（又は基部／リザーバ／キャップユニット）をリザーバ受容部３２に装着したとき、磁石（要素４２）の検出を行う又は磁石（要素４２）との他の相互作用を行うために、注入ポンプデバイス３０内でリザーバ受容部３２に対して十分近位に配置される。
【０３１５】
図４Ｅの実施形態では、本明細書に記載されるように、磁石（要素４２）は、キャップ４のハウジングに固定させるか、又は一体化してもよい。磁石（要素４２）は、センサ素子（要素３４）が、磁石（要素４２）によって作り出された磁界を検出でき、また、特定の実施形態では、測定可能なように、十分な強度及び磁気を有するように選択される。センサ素子（要素３４）は、磁石（要素４２）を検出するか、又は別の方法で磁石（要素４２）と相互作用するように、キャップ４に対して十分近位な位置で、注入ポンプデバイスのハウジング３３内に収容されてよい。特定の実施形態では、センサ（要素３４）及び関連するエレクトロニクス６０（例えば、図５のエレクトロニクス６０）は、新しいキャップ４（又は基部／リザーバ／キャップユニット）を注入ポンプデバイス３０に装着する装着プロセス又は準備プロセスの間に作動する。
【０３１６】
こうした実施形態では、センサ（要素３４）又は別個の専用センサ（図示せず）を、装着動作（以下に限定されるわけではないが、キャップ４（又は、基部／リザーバ／キャップユニット）のリザーバ受容部への挿入など）又は指定の手動オペレータ（designated manual operator）の作動（例えば、準備の際、ユーザが手動で作動させる）を検出するように構成してもよい。装着動作の検出時、センサ（要素３４）及び関連するエレクトロニクスが作動され、磁石（要素４２）からの磁界又はシグネチャ（特徴情報）を探知するために連続的又は断続的なポーリング又は読み取りが行われる。磁石（要素４２）による検出（又は、他の相互作用）時には、センサ素子（要素３４）及び関連するエレクトロニクスは、磁界情報を読み取り、存在、接続状態、位置又はキャップ４（又は基部／リザーバ／キャップユニット）に関連付けられた他の検出可能パラメータのうちの１つ以上を判定するように構成されてもよい。
【０３１７】
このため、特定の実施形態では、注入ポンプデバイス３０は、キャップ４（又は基部／リザーバ／キャップユニット）の耐用年数より著しく長い耐用年数を有するように構成されてもよい。こうした実施形態では、キャップ４（又は基部／リザーバ／キャップユニット）を、必要に応じて、装着したり、新しいキャップ又は異なるキャップ（又は基部／リザーバ／キャップユニット）に置き換えたり、又は注入ポンプデバイス３０に再装着したりし得る。特定の実施形態は、エレクトロニクス（例えば、図５のエレクトロニクス６０）により、（キャップ（又は基部／リザーバ／キャップユニット）の異なるモデル又は異なるタイプなどの）異なるキャップ（又は基部／リザーバ／キャップユニット）間での判定及び区別が可能であり、かつ／又は認可された部品（例えば、注入ポンプデバイス３０による使用及び／又はユーザに対して認可されている部品）として、キャップ（又は基部／リザーバ／キャップユニット）を認証することができるように構成される。特定の実施形態は、センサ素子（要素３４）によって読み込まれた情報が、エレクトロニクス（例えば、図５のエレクトロニクス６０）によって処理され、注入ポンプデバイス３０とキャップ４（又は基部／リザーバ／キャップユニット）との接続状態を検出し得るように構成される。また、こうした情報を使用して、注入ポンプデバイス３０のリザーバ受容部３２に対して、例えば、ユーザの激しい運動又は他の激しい動きにより、キャップ４（又は基部／リザーバ／キャップユニット）が外れること、又は他の好ましくない動きを検出することができる。図４Ｆには、軸Ａに対するキャップ４の係合角度の関数として、磁束密度をプロットとした一例を示すグラフを示す。
【０３１８】
図４Ｆは、３６０度の角回転を通して、キャップ内の磁石がラッチ状態及びラッチ解除状態としてどのように検出されるかを示すグラフである。本質的に図１〜図３に示すように、１つの検出器３４及び１つの磁石４２を有する簡単な配置が使用されている。キャップの正確な角度位置は、検出器にて測定される磁界強度に基づいて検出される。上側の水平の破線は、ラッチ状態にない（例えば、キャップが正しい位置にないか、又は緩んでいる）ことを示す磁界強度を示す。下側の水平の破線は、ラッチ係合が存在する（例えば、キャップが正しい位置にある）場合の磁界強度を示す。２つの曲線は、センサのより近く又はより遠くに磁石を配置する設計公差に基づく、磁石強度を示す。上側の曲線は、公差が積み重なって磁石がセンサから離れた場合に何が予想されるかを表す。下側の曲線は、公差が積み重なって磁石がセンサに最も近くなる場合を表す。０度付近において、両方の曲線が「存在」の基準又はリザーバ挿入基準（reservoir IN criteria）を超えていることから、両方の曲線により、公差を考慮しても、正確な位置及びラッチ係合の検出を判定できることが示されている。
【０３１９】
特定の実施形態では、磁石（要素４２）の磁界の１つ以上の検出可能パラメータを、キャップ４（又は基部／リザーバ／キャップユニットの他の構成部品）、注入セット、注入ポンプデバイス３０、ユーザの１つ以上の特性に関連付けてもよい。例えば、磁石（要素４２）の形状、サイズ、グレード、材料、磁化方向及び他の性質は、こうした磁石（要素４２）によりもたらされる磁界の検出可能パラメータに影響を与え得る。したがって、実施形態は、センサ（要素３４）の出力が磁石（要素４２）の磁界の１つ以上の検出可能パラメータに依存するように構成される。特定の実施形態では、所与のキャップ４（又は基部／リザーバ／キャップユニット）の磁石（要素４２）の１つ以上の検出可能パラメータにより、１つ以上の他のキャップ（又は基部／リザーバ／キャップユニット）の１つ以上の他の磁石（要素４２）と区別可能であるシグネチャが提供される。このため、それぞれ異なるキャップ４（又は基部／リザーバ／キャップユニット）は、それぞれ他のキャップ４（又は基部／リザーバ／キャップユニット）に対して異なる検出可能なシグネチャを有することができる。あるいは、複数のキャップ４（又は基部／リザーバキャップユニット）の群又はクラスは、同じ群又はクラス内の他のキャップ４（又は基部／リザーバ／キャップユニット）と同一の又は類似したシグネチャを有することができるが、１つ以上の（又は全ての）他の群又はクラスにおいて、１つ以上の（又は全ての）キャップ（又は基部／リザーバ／キャップユニット）とは異なる検出可能なシグネチャを有する。
【０３２０】
一実施形態では、検出のために選択されるか、又は構成される磁石（要素４２）の性質は、磁石グレードである。こうした実施形態では、異なるキャップ４（又は基部／リザーバキャップユニット）又はキャップ４（又は基部／リザーバキャップユニット）の異なる群は、他のキャップ４（又は基部／リザーバ／キャップユニット）又はキャップ４の他の群（又は基部／リザーバキャップユニットの他の群）とは異なる磁石グレード（強度）を有することができる。例えば、それぞれ異なるグレードの磁石（要素４２）を有するキャップ４（又は基部／リザーバ／キャップユニット）は、形状が同一であるが、それぞれ振幅（強度振幅）が異なるシグネチャを提供することができる。したがって、特定の実施形態では、キャップ４（又は基部／リザーバ／キャップユニット）、注入セット、注入ポンプデバイス、又はユーザのうちの１つ以上の特性を、磁石（要素４２）のグレード又はそれに関連する振幅シグネチャと関連付ける。
【０３２１】
別の実施形態では、検出のために選択されるか、又は構成される磁石（要素４２）の性質は、磁石形状及び／又は磁石サイズである。こうした実施形態では、異なるキャップ４（又は基部／リザーバキャップユニット）又はキャップ４（又は基部／リザーバキャップユニット）の異なる群は、他のキャップ４（又は基部／リザーバ／キャップユニット）又はキャップ４の他の群（又は基部／リザーバキャップユニットの他の群）とは異なる磁石形状又はサイズを有することができる。例えば、それぞれ異なる磁石（要素４２）のサイズ又は形状を有するキャップ４（又は基部／リザーバ／キャップユニット）は、方向、形状及び／又は振幅が異なるシグネチャを提供することができる。したがって、特定の実施形態では、キャップ４（又は基部／リザーバ／キャップユニット）、注入セット、注入ポンプデバイス、又はユーザのうちの１つ以上の特性を、磁石（要素４２）の形状若しくはサイズ又はそれに関連する振幅シグネチャと関連付ける。
【０３２２】
様々な磁界方向又は形状を提供する様々な磁石形状の例を、図４Ｇに示す。特定の実施形態は、図４Ｇに示すような１つ以上の形状を有する１つ以上の磁石（要素４２）を用いる。他の実施形態では、磁石（要素４２）は、図４Ｇに示す形状とは異なる形状を有し得る。図４Ｇの矢印４３で表されるように、磁石の形状及び構成により、極性又は磁界の方向又は形状を決定することができ、例えば、この図では、矢印は、磁石（要素４２）のＮ磁極を示す側に向いている。したがって、例えば、図４Ｇの磁石構成によれば、検出可能な磁界方向又は形状を、直径方向に、放射方向に、磁石（要素４２）の長さに対して平行な方向に、磁石（要素４２）の厚さと平行な方向に、円弧部分を通る半径方向に、又は複数の極の組み合わせとして提供することができる。特定の実施形態では、センサ（要素３４）及び関連するエレクトロニクス（例えば、図５のエレクトロニクス６０）は、少なくとも部分的には、磁界シグネチャの方向又は形状に基づいて、ある１つの磁石（要素４２）を検出し、他の磁石と区別するように構成される。したがって、特定の実施形態では、キャップ４（又は基部／リザーバ／キャップユニット）、注入セット、注入ポンプデバイス、又はユーザのうちの１つ以上の特性を、磁石（要素４２）の形状及びそれに関連する磁界の方向又は形状と関連付ける。
【０３２３】
別の実施形態では、検出のために選択されるか、又は構成される磁石（要素４２）の性質は、極性又は磁界方向である。特定の実施形態では、センサ（要素３４）は、第１の磁界方向を有する磁石（要素４２）の存在が検出できる場合に第１の出力を提供し、第１の磁界方向と逆の第２の磁界方向を有する磁石（要素４２）の存在が検出できる場合に第２の出力を提供するように構成される。例えば、センサ（要素３４）は、南を向く（南を指す）極を有する磁石と、北を向く（北を指す）極を有する磁石と、を検出し、それらの間で区別を行うように構成されてよい。
【０３２４】
こうした実施形態では、異なるキャップ４（又は基部／リザーバキャップユニット）又はキャップ４（又は基部／リザーバキャップユニット）の異なる群は、他のキャップ４（又は基部／リザーバ／キャップユニット）又はキャップ４の他の群（又は基部／リザーバキャップユニットの他の群）とは異なる磁極方向を有することができる。例えば、Ｎ極が第１の方向を向いた磁石（要素４２）を有する１つ以上のキャップ４（又は基部／リザーバ／キャップユニット）は、Ｓ極が第１の方向を向いた磁石（要素４２）を有する１つ以上（又は全ての）の他のキャップ４（又は基部／リザーバ／キャップユニット）とは、検出可能に異なるシグネチャを提供し得る。こうした実施形態では、異なるキャップ４（又は異なる基部／リザーバ／キャップユニット若しくは関連する注入セット）には、同一の形状及びサイズであるが、異なる極方向に配置される磁石を使用することができる。したがって、特定の実施形態では、キャップ４（又は基部／リザーバ／キャップユニット）、注入セット、注入ポンプデバイス、又はユーザのうちの１つ以上の特性を、磁石（要素４２）の極方向と関連付ける。
【０３２５】
したがって、例えば、図４Ｈのキャップ４（又は基部／リザーバ／キャップユニット）及び注入ポンプデバイス３０の部分的断面図に関しては、キャップ４は、図中において、Ｎ極が上向きであるように配置された磁石（要素４２）を有する。対照的に、図４Ｉのキャップ４（又は基部／リザーバ／キャップユニット）及び注入ポンプデバイス３０の部分的断面図では、磁石（要素４２）が、図中においてＳ極が上向きとなるように、図４Ｈの磁石（要素４２）と約１８０度逆に配置された、キャップ４（又は基部／リザーバ／キャップユニット）が示されている。他の実施形態では、キャップ４（又は基部／リザーバ／キャップユニット）は、図４Ｈの磁石（要素４２）と１８０度未満又は１８０度超逆方向となるように選択された検出可能な方向にＮ極を向けて配置された磁石（要素４２）を含み得る。図４Ｈ及び４Ｉの矢印方向によって示されるように、これらの図面において、磁石（要素４２）のＮ極側の配向が異なることにより、互いに対して異なる磁界方向が提供される。こうした実施形態では、センサ素子（要素３４）は、磁界方向を検出し、かつ区別するように構成される。
【０３２６】
したがって、特定の実施形態では、磁石（要素４２）の形状、サイズ、グレード、材料及び他の性質のうちの１つ以上により、キャップ４（又は基部／リザーバ／キャップユニットの他の構成部品）、注入セット、注入ポンプデバイス３０、ユーザの１つ以上の所定の特性に関連する検出可能パラメータ又はシグネチャが提供される。特定の実施形態では、こうした磁石の性質の組み合わせを選択するか、又はキャップ４（又は基部／リザーバ／キャップユニットの他の構成部品）、注入セット、注入ポンプデバイス３０又はユーザのもう１つの特性と関連付ける。
【０３２７】
図４Ｃ〜図４Ｉの特定の実施形態は、特定の３次元形状を有する磁石（要素４２）を備える。他の実施形態では、（要素４２としての）１つ以上の磁石は、磁気ストリップ、磁性材料のストリップ、又はストリップの長さ寸法に沿って、１つ以上の別々になった磁石又は連続的な磁石を有する材料ストリップの形態で構成される。特定の実施形態では、磁石（要素４２）は、クレジットカードに用いられている磁気ストリップと同様であるが、キャップ４（又は基部／リザーバ／キャップユニットの他の構成部品）、注入セット、注入ポンプデバイス３０又はユーザのもう１つの特性と関連する情報又はコードが組み込まれている読み取り可能なストリップを備える。
【０３２８】
特定の実施形態は、磁石（要素４２）の１つ以上の検出されたパラメータに基づき、キャップ４（又は基部／リザーバ／キャップユニットの他の構成部品、若しくは接続注入セット）の異なる特性の検出が可能なように構成される。ある実施形態では、こうした特性としては、以下に限定されるわけではないが、キャップ４に接続される注入セットの種類又は特徴を挙げることができる。例えば、キャップ（又は基部／リザーバ／キャップユニット）は、様々な異なる注入セット製品（例えば、限定されるわけではないが、以下の注入セット製品：Ｑｕｉｃｋ−ｓｅｔ（登録商標）注入セット、Ｓｉｌｈｏｕｅｔｔｅ（登録商標）注入セット、Ｓｕｒｅ−Ｔ（登録商標）注入セット、Ｍｉｏ（登録商標）注入セットなど）に接続するように構成されてもよい。加えて、異なる注入セットは、以下に限定されるわけではないが、チューブの長さ、カニューレの長さ及びカニューレタイプなど、ユーザのニーズ又は好みに合った、様々な異なる機能を選択して構成されてもよい。特定の実施形態では、異なる注入セット、特徴及び付加機能を、磁石（要素４２）の異なる関連する（respected）検出可能パラメータと関連付けることで、磁石（要素４２）の検出されたパラメータに基づいて区別してもよい。
【０３２９】
本明細書に記載の特定の実施形態におけるセンサ（要素３４）は、磁界の変化に応答して出力電圧を変化させる１つ以上のホール効果センサ又は他の好適なデバイスを含み得る。このようなセンサは、外部環境からセンサエレクトロニクスへの粉塵、汚れ、泥又は水の侵入を阻止する適切な密封パッケージ内に収容されてもよい。このようなセンサは、キャップ（又は基部／リザーバ／キャップユニット）を注入ポンプデバイス３０に装着した際に適切に検出されるように、磁石（要素４２）に対して十分に隣接し、配向された位置にある、表面実装パッケージ、シングルインラインパッケージとして、又は他の好適な構成（例えば、注入ポンプデバイス３０内の回路基板上に実装するなど）にて、構成され得る。
【０３３０】
ホール効果センサの感度を最大にするために、検出動作中、ホール効果センサの感知領域（例えば、センサ内の半導体材料の所定の表面領域（又は平面））に対して、磁石（要素４２）の磁束線が垂直（又はほぼ垂直）となるように、磁石（要素４２）を配置することが望ましい場合がある。加えて、検出感度を改善するため、磁石（要素４２）のサイズ及びセンサ（要素３４）との近位性を選択することができる。
【０３３１】
特定の実施形態では、磁石（要素４２）は、部分的な円弧形状で構成されてもよいが、当該磁石（要素４２）は、センサ（要素３４）の所望の位置、又はセンサ（要素３４）を実装する回路基板の所望の位置に合わせるため、選択方向に磁束密度を高めるような方法で磁化及び配向される。
【０３３２】
例えば、図４Ｊに、外周に渡って磁化された円弧状磁石（要素４２）を示す。図４Ｋは、注入ポンプデバイス（図４Ｋに示さず）内の回路基板（例えば、ＰＣＢ  ４１）に対する図４Ｊの磁石（要素４２）の配置を示す。図４Ｋに示すように、キャップ４（又は基部／リザーバ／キャップユニット）（図４Ｋに示さず）が注入ポンプデバイス３０内で装着位置にあるときに、センサ出力が最大となるように、図４Ｊの磁石（要素４２）により発生した磁束線に対して、垂直（又はほぼ垂直）にセンサ面を配置した状態で、ホール効果センサ（要素３４）を配置してよい。図４Ｋの周方向に磁化された磁石（要素４２）は、図のＺ軸方向に比較的高い磁束密度をもたらす。したがって、図４Ｋの実施形態では、ホール効果センサ（要素３４）のセンサ面は、センサ面が図のＺ軸に垂直となるように、センサ（要素３４）が実装される回路基板（例えば、ＰＣＢ  ４１）表面の平面と平行に配置される。
【０３３３】
図４Ｌには、円弧状磁石（要素４２）の別の例が示されており、ここでは、磁石（要素４２）のＮ極が放射方向に外向きになり、磁石（要素４２）のＳ極が放射方向に内向きとなるように、磁石（要素４２）が放射方向に磁化されている。更なる実施形態では、磁束方向の制御を改善するために、放射状に磁化した磁石（要素４２）と共にリード付きパッケージ（leaded package）を使用する。
【０３３４】
図４Ｍは、注入ポンプデバイス３０内の回路基板（例えば、ＰＣＢ  ４１）に対する図４Ｌの磁石（要素４２）の配置を示す。図４Ｍに示すように、キャップ４（又は基部／リザーバ／キャップユニット）が注入ポンプデバイス３０内で装着位置にあるときに、センサ出力が最大となるように、図４Ｌの磁石（要素４２）により発生した磁束線に対して、センサ面を垂直（又はほぼ垂直）にした状態で、ホール効果センサ（要素３４）を配置してよい。図４Ｍの放射状に磁化された磁石（要素４２）は、図のＸ軸方向に比較的高い磁束密度をもたらす。したがって、図４Ｍの実施形態では、ホール効果センサ（要素３４）のセンサ面は、センサ面が図のＸ軸に垂直となるように、センサ（要素３４）が実装される回路基板（例えば、ＰＣＢ  ４１）表面の平面と平行に配置される。
【０３３５】
図４Ｎには、円弧状磁石（要素４２）の別の例が示されており、ここでは、磁石（要素４２）のＮ極が図面の軸方向上向きになり、磁石（要素４２）のＳ極が図面の軸方向下向きとなるように、磁石（要素４２）が軸方向に磁化されている。更なる実施形態では、磁束方向の制御を改善するために、放射状軸方向磁石（要素４２）と共にリード付きパッケージを使用する。
【０３３６】
図４Ｏは、注入ポンプデバイス３０内の回路基板（例えば、ＰＣＢ  ４１）に対する図４Ｎの磁石（要素４２）の配置を示す。図４Ｏに示すように、キャップ４（又は基部／リザーバ／キャップユニット）が注入ポンプデバイス３０内で装着位置にあるときに、センサ出力が最大となるように、図４Ｎの磁石（要素４２）により発生した磁束線に対して、センサ面を垂直（又はほぼ垂直）にした状態で、ホール効果センサ（要素３４）を配置してよい。図４Ｎの軸方向に磁化された磁石（要素４２）は、図のＹ軸方向に比較的高い磁束密度をもたらす。したがって、図４Ｏの実施形態では、ホール効果センサ（要素３４）のセンサ面は、センサ面が図のＹ軸に垂直となるように、センサ（要素３４）が実装される回路基板（例えば、ＰＣＢ  ４１）表面の平面と平行に配置される。
【０３３７】
図４Ｊ〜４Ｏの実施形態のいずれにおいても、磁束方向の制御を改善するために、リード付きパッケージを磁石（要素４２）と共に使用することができる。更に、図４Ｊ〜図４Ｏの実施形態のいずれにおいても、性能の向上のため、又は注入ポンプデバイス内での空間上の理由（又はその両方の理由）から、ホール効果センサ（又はセンサが実装される回路基板）を、図４Ｋ、図４Ｍ及び図４Ｏに示す配向に対して回転させるか、又は他の方法で調整してもよい。特定の実施形態では、センサの位置決め又は配向における柔軟性を高めるため、ホール効果センサ（要素３４）を、（他のエレクトロニクスに対して）別の基板又はサブアセンブリに実装してもよい。
【０３３８】
したがって、特定の実施形態では、注入ポンプデバイス３０内でのセンサ（要素３４）の所望される位置又は配向（又はセンサ（要素３４）を実装する回路基板の所望される位置又は配向）に合わせて、磁石（要素４２）の磁化配向を（例えば、周方向、放射状、軸方向又は他の好適な配向から）選択してもよい。
【０３３９】
更なる実施形態では、センサ（要素３４）は、異なるキャップ４（又は基部／リザーバ／キャップユニット）上の磁石（要素４２）の異なる磁化配向（例えば、周方向、放射状、軸方向又は他の好適な配向）間での検出及び区別を行うように構成される。したがって、特定の実施形態では、センサ（要素３４）のセンサ面又はセンサ（要素３４）が実装される回路基板の面の特定の配向及び方向に対する、磁石（要素４２）の磁化の配向又は方向は、キャップ４（又は基部／リザーバ／キャップユニット又はキャップ４に接続された注入セット）の１つ以上の特性と関連付けることができる検出可能パラメータである。
【０３４０】
ホール効果センサは、直接、加えた磁界に比例する電圧を返すアナログ変換器として動作することができ、また、正の磁界及び負の磁界の両方を感知することができる。リニアホール効果センサは、磁界が存在しないときのセンサの出力に固定オフセット（ヌル電圧、ゼロ電圧）を適用することによって、図４Ｐのグラフに示すような、線形応答を与え得る。正の磁界が存在する場合、センサの出力が飽和状態となるまで、ヌル電圧を上回って電圧出力が増加する。同様に、負の磁界が存在する場合、センサの出力が飽和状態となるまで、ヌル電圧を下回って電圧出力が減少する。このため、特定の実施形態によれば、ヌル電圧及びセンサ（要素３４）出力を使用して、磁石（要素４２）のＳ極とＮ極とを区別することができ、（図４Ｌに示すように）放射方向に外向きにＮ極を有する放射状に磁化した磁石（要素４２）と、放射方向に外向きのＳ極（図示せず）を有する放射状に磁化した磁石（要素）とを区別し得る。したがって、放射方向に外向きのＮ極を有する磁石（要素４２）を有するキャップ４（又は基部／リザーバ／キャップユニット）は、放射方向に外向きのＳ極を有する磁石（要素４２）を有する別のキャップ４（又は基部／リザーバ／キャップユニット）と、検出可能に区別され得る。このため、特定の実施形態では、磁化の配向又は方向は、キャップ４（又は基部／リザーバ／キャップユニット又はキャップ４に接続される注入セット）の１つ以上の特性と関連付けることができる検出可能パラメータである。ここで関連付けられる特性は、例えば、７日注入セットと３日注入セットであってもよいし、又はＤＵＯ（登録商標）セット（注入セットとセンサセットの組み合わせ）と、ＤＵＯ（登録商標）ではないセットであってもよい。更に、ホール効果センサにより検出される線形応答に基づき、ヌル電圧状態（例えば、装着の開始）から飽和電圧状態（適切な設置／固定状態）までの線形応答を検出することによって、ユーザがキャップ４を装着するときに、キャップ４（又は基部／リザーバ／キャップユニット）が適切に回転され、注入ポンプデバイス内に設置／固定されているか否かも判定することができる。装着の進行（例えば、キャップ４が、十分な装着／装着完了から、１０％、２８％、６５％、９０％挿入／回転された状態など）又は単に不完全な装着状態／キャップが緩んでいることなどをヌル電圧と飽和電圧との間の線形応答に沿って検出してもよい。
【０３４１】
更なる実施形態では、ホール効果センサ（要素３４）は、センサを、デジタル式ホール効果センサとして、デジタル式（オン／オフ）スイッチモードで動作可能とする、電子回路を含むか、又はその電子回路と連結される。このような電子回路は、図５に関して記述されるように、センサ（要素３４）を接続した電子回路内にあってもよいし、又はそのような電子回路と関連付けられていてもよく、また、センサ（要素３４）の出力に接続したシュミットトリガ回路を含んでいてもよい。図４Ｑに示すように、オン状態とオフ状態との間のバウンス（間欠開閉、bouncing）を回避するため、スイッチイング動作においてヒステリシスが付与されてもよい。こうした実施形態では、注入ポンプデバイス３０内でのキャップ４（又は基部／リザーバ／キャップユニット）の装着中又は装着時に、キャップ４又は基部／リザーバ／キャップユニットの磁石（要素４２）がセンサ（要素３４）の近位に移動するにつれて、センサ（要素３４）での磁界が増加する。しかし、動作点を超えて、センサがオン状態に切り替わるまで出力が変化することはない。動作点を超えて磁界が更に増大することにより、センサ出力に影響が及ぶことはない。磁界が動作点未満に減少する（例えば、磁石（要素４２）をセンサ（要素３４）から離れるように移動させる）場合、解放点に到達してセンサがオフ状態に切替えられるまでは、センサ出力が影響を受けることはない。
【０３４２】
特定の実施形態によるデジタルホール効果センサ（要素３４）は、磁界を範囲内に又は範囲外に移動させる場合（例えば、磁石（要素４２）をセンサ（要素３４）に向かって、又はセンサ（要素３４）から離れるように移動させる場合）、操作及び解放の両方を１つの極性を用いて行う、ユニポーラ型センサを含んでもよい。このようなユニポーラ型では、Ｎ磁極又はＳ磁極のいずれか一方を感知するように構成され得る。
【０３４３】
更なる実施形態によるデジタルホール効果センサ（要素３４）は、Ｎ磁極又はＳ磁極のいずれかで動作するオムニポーラ型センサを含み得る。このようなオムニポーラ型センサは、十分な強度の磁界にある場合、オンに切り替わり得、磁界が取り除かれるまではオンのままである。オムニポーラ型センサを用いると、磁石（要素３４）をＮ極又はＳ極のどちらかを外向きにして取り付けてもよく、これにより製造工程が単純化され得る。
【０３４４】
更なる実施形態では、第１の極性（例えば、限定されるわけではないが、Ｓ極など）の十分に強い磁界の存在下にある場合、（オフ状態から）オンに切り替わるように動作し、第２の極性（例えば、限定されるわけではないが、Ｎ極など）の十分に強い磁界の存在下にある場合、（オン状態から）オフに切り替わるように動作する、バイポーラ型デジタルホール効果センサ（要素３４）を用いる。他の実施形態では、バイポーラ型デジタルホール効果センサ（要素３４）は、検出された磁界に基づいて、Ｎ極とＳ極とを区別し、センサ（要素３４）の範囲内で、磁石（要素４２）の極性方向を判定するために用いられる。したがって、特定の実施形態では、異なる注入セット間、又はキャップ４（若しくは基部／リザーバ／キャップユニット若しくはキャップ４に接続される注入セット）の他の特性間での区別を可能とするため、バイポーラ型デジタルホール効果センサ（要素３４）を用いる。例えば、第１の極性方向（例えば、以下に限定されるわけではないが、上向き又は外向きのＮ極）を有する磁石（要素４２）を有するキャップ４（又は基部／リザーバ／キャップユニット）は、１つ以上の第１の所定の特性（例えば、以下に限定されるわけではないが第１の種類の注入セット）を含んでいてよく、一方で、第２の極性方向（例えば、以下に限定されるわけではないが、上向き又は外向きのＳ極）を有する磁石（要素４２）を有するキャップ４（又は基部／リザーバ／キャップユニット）は、第１の所定の特性とは異なる１つ以上の第２の所定の特性（例えば、以下に限定されるわけではないが、第１の種類とは異なる注入セットの第２の種類）を含んでいてよい。
【０３４５】
更なる実施形態では、本明細書に記載のセンサ（要素３４）は、１つ以上の磁気抵抗効果（ＭＲ）センサ、又は異方性磁気抵抗効果（ＡＭＲ）センサ、又は常磁性材料を用いる他の好適なデバイスを含んでいてよい。こうしたＭＲ又はＡＭＲセンサの実施形態は、ホイートストンブリッジ（又はひと続きの（series of）ホイートストンブリッジ）に配置され、入射磁界に起因する常磁性材料の抵抗の変動を感知してもよい。特定の実施形態において、こうしたセンサ構成では、電流方向が印加された磁界と平行である場合に、抵抗値が最大となり、ヌル電圧又はゼロ出力電圧を与え得る。更なる実施形態では、こうしたデバイスは、磁界の入射角を検出し、区別できるように、入射磁界の方向により変化する出力電圧を提供し得る。こうした実施形態では、磁界の入射角は、入射場を作り出す磁石（要素４２）を担持する、キャップ４（又は基部／リザーバ／キャップユニット又はキャップ４に接続される注入セット）の１つ以上の所定の特性に関連付けられた検出可能パラメータであり得る。
【０３４６】
代替的に又は追加的に、ＭＲ又はＡＭＲセンサ（要素３４）により、入射磁界の大きさの違いを検出し、区別することができる。こうした実施形態では、磁界の大きさは、磁界の入射角は、入射場を作り出す磁石（要素４２）を担持する、キャップ４（又は基部／リザーバ／キャップユニット又はキャップ４に接続される注入セット）の１つ以上の所定の特性に関連付けられた検出可能パラメータであり得る。
【０３４７】
特定の実施形態では、上記のデジタルホール効果センサの実施形態と同様に、ＭＲ又はＡＭＲセンサ（要素３４）は、デジタル（オン／オフ）スイッチモードで動作するように接続される。しかし、ＭＲ又はＡＭＲセンサの感度を最大にするため、検出動作の際、磁石（要素４２）の磁束線が、センサの感知領域（例えば、ＭＲ又はＡＭＲセンサ内の常磁性材料の所定の表面領域（又は平面））内にあるか、又はセンサの感知領域に対して平行（又は概ね平行）となるように、磁石（要素４２）を配置することが望ましい場合がある。例えば、ＡＭＲセンサ（要素３４）は、図４Ｏの回路基板４１の方向と同様の向きの回路基板の平面上に配置されてもよい。
【０３４８】
図４Ｒ及び４Ｓは、磁石（要素４２）がセンサ（要素３４）に対して動くときの、ＡＭＲセンサ（要素３４）の出力例を表すグラフである。図４Ｒ及び４Ｓを参照すると、キャップ４（又は基部／リザーバ／キャップユニット）（図４Ｒ及び４Ｓには示さず）が注入ポンプデバイス３０内の装着位置にあるときの磁石（要素４２）の位置及び配向に対し、所望される感度及び動作に合わせて、ＭＲ又はＡＭＲセンサ（要素３４）の感知軸７１を配置し得る。例えば、図４Ｒに示すように、感知軸７１が磁石（要素４２）の磁化の方向と平行になるように、ＭＲ又はＡＭＲセンサ（要素３４）を配向することによって、磁石（要素４２）とセンサ（要素３４）との相対位置が、磁石（要素４２）の一方の極がセンサ（要素３４）の近くにあるようなものであるとき、磁界は、感知軸７１に対してほぼ垂直となる。
【０３４９】
磁石（要素４２）とセンサ（要素３４）とに、感知軸７１の方向において相対的な動きが生じると、センサ（要素３４）の出力が、最大出力レベルに向かって変化していき、磁石（要素４２）の位置が、磁石（要素４２）のＮ極とＳ極との間の中点にセンサ（要素３４）があるようなものとなった場合に、最大出力がもたらされる。図４ＲのＵ字型曲線７３は、磁石（要素４２）とセンサ（要素３４）との相対位置が、センサの感知軸７１の方向に変化したときの、磁石（要素４２）の磁化方向と平行である感知軸７１を有するＭＲ又はＡＭＲセンサ（要素３４）の出力電圧レベルを示す。例えば、図４Ｒに示すような電圧出力の検知を、キャップ４（又は基部／リザーバ／キャップユニット）が注入ポンプデバイス３０内の装着位置にあることの判定と関連付けることで、このような出力応答を用いた存在検出動作を提供することができる。
【０３５０】
代替的には、図４Ｓに示すように、感知軸７１を磁石（要素４２）の磁化の方向と垂直にして、ＭＲ又はＡＭＲセンサ（要素３４）を配向することによって、磁石（要素４２）のＮ極とＳ極との間でセンサ出力を異ならせる。したがって、図４Ｓに示すような実施形態を用いることで、キャップ４（又は基部／リザーバ／キャップユニット）が注入ポンプデバイス３０内の装着位置にあるときに、磁石（要素４２）の存在、並びに磁石（要素４２）の具体的な極性配向を検出することができる。
【０３５１】
例えば、図４Ｓの配置に関しては、磁石（要素４２）とセンサ（要素３４）との相対位置が、磁石（要素４２）のＮ極がセンサ（要素３４）の近くに位置するようなものである場合、磁界は、センサ（要素３４）の感知軸７１とほぼ整列するか、又は平行となり、センサ出力は、最大となる。センサ（要素３４）が磁石（要素４２）の両極の中点に位置するように、磁石（要素４２）とセンサ（要素３４）との相対位置が変化した場合、磁界はセンサ（要素３４）の感知軸７１とほぼ垂直になり、出力はヌル電圧となる。磁石（要素４２）とセンサ（要素３４）との相対位置が、センサ（要素３４）が磁石（要素４２）のＳ極の近くに位置するように変化した場合、磁石（要素４２）の磁界は、センサ（要素３４）の感知軸７１と再び整列するものの、方向が感知軸の反対であるため、センサ出力は最小になる。図４ＳのＳ字型曲線７５は、磁石（要素４２）とセンサ（要素３４）との相対位置が、センサの感知軸７１の方向に変化したときの、磁石（要素４２）の磁化方向と垂直である感知軸７１を有するＭＲ又はＡＭＲセンサ（要素３４）の出力電圧レベルを示す。したがって、このセンサ出力を用いることで、キャップ４（又は基部／リザーバ／キャップユニット）が注入ポンプデバイス３０内の装着位置にあるときに、磁石（要素４２）の存在、並びに磁石（要素４２）の具体的な極性配向を検出することができる。
【０３５２】
類似の配置及び出力を、上記の（要素３４としての）ホール効果センサに対して記載することもできる。しかし、図４Ｓの曲線７５と類似するＳ字曲線は、ホール効果センサの感知軸を磁石（要素４２）の磁化方向と平行にして構成することで作り出されることになる。一方で、図４Ｒの曲線７３と類似するＵ字曲線は、ホール効果センサの感知軸を磁石（要素４２）の磁化方向と垂直にして構成することで作り出されることになる。
【０３５３】
本発明の更なる実施形態によれば、コンパス型センサ素子（例えば磁力計など）を、注入ポンプデバイス３０内のセンサ素子（要素３４）に代えて又はそれに追加して利用し得る。コンパス型センサ素子は、ＡＰＰＬＥ（登録商標）製のＩＰＨＯＮＥ（登録商標）におけるもののような、Ｃｏｍｐａｓｓ  Ａｐｐを介して、コンパス機能を携帯電話に提供する、携帯電話で一般に使用されているものであってよい。コンパス型センサ素子は、コンパスセンサ検出可能特徴部と相互作用して、キャップ４（及び／又は基部、リザーバ、チューブなど）に配置されるコンパスセンサ検出可能特徴要素の配向に応じ、３６０度の分解能、又は、より細かいか、若しくはより粗い分解能が利用可能になり得るように構成されてよい。コンパスセンサ検出可能特徴要素としては、例えば、磁石（要素４２）、凹形若しくは円形の（磁性／金属）ディスク、又は、コンパス型センサ素子に対する「地球」としての役割を果たす磁界を生じさせる任意の好適な部品若しくは形状、又はこれらの組み合わせなどがあるが、これらに限定されない。このような実施形態により、ユーザにとって利用可能であり、かつ、注入ポンプデバイス３０により自動的に検出可能となり得る様々なキャップ４（及び／又は基部、リザーバ、チューブなど）を区別する方法を更に提供することができる。
【０３５４】
特定の実施形態では、検出可能分解能（角度又は角度範囲）は、キャップ４（又は基部／リザーバキャップユニットの他の構成部品、又は接続される注入セット）の異なる特性に関連付けられたパラメータであってもよく、こうした関連性は、図５及び図６を参照して後述のように、電子メモリ内に格納され、処理エレクトロニクス（例えば、以下に限定されるわけではないが、メモリ６６及び電子回路６０の処理エレクトロニクス６２など）によって用いられ得る。例えば、（注入セット５０のチューブ５２についての）チューブの異なる長さと異なる分解角度（resolution degrees）との関連性は、キャップ４が読み取り値３６０度で検出されれば、キャップに１８センチメートル（７インチ）のチューブが取り付けられていることが示され得、キャップ４が読み取り値９０度で検出されれば、キャップ４に３０センチメートル（１２インチ）のチューブが取り付けられていることが示され得、キャップ４が読み取り値１８０度で検出されれば、キャップ４に４６センチメートル（１８インチ）のチューブが取り付けられていることが示され得るように、格納することができる。他の実施形態では、分解角度とチューブ長さ（又はキャップ４若しくは基部／リザーバキャップユニット若しくは接続される注入セットの他の構成部品の他の特性）と間の他の好適な所定の関係を用いてもよい。
【０３５５】
注入ポンプデバイス３０がチューブの長さを検出すると、注入ポンプデバイス３０は、例えば、検出されたチューブの長さに対する始動シーケンスを自動的に設定してもよい（かつ／又は少なくとも部分的には検出されたチューブの長さに応じた、又は、当該チューブの長さに関連する、１つ以上の他の所定の動作を実行してもよい）。このような実施形態は、注入媒体の送達（例えば、以下に限定されるわけではないが、インスリンの送達など）の更なる自動化が可能となり、このため、ユーザにとって療法が更に簡易になる。
【０３５６】
特定の実施形態では、センサ（要素３４）は、１つ以上の磁界角度を検出するように構成されるＡＭＲ角度センサを備える。例えば、センサ（要素３４）は、互いに４５°オフセットされている２つのホイートストンブリッジを有するＡＭＲ角度センサを含んでいてもよい。このような実施形態は、センサ（要素３４）の感知面に対する、キャップ４（又は基部／リザーバ／キャップユニット）内の磁石（要素４２）の配向の角度を検出するように構成されてもよい。
【０３５７】
図４Ｈ及び４Ｉに戻って簡単に参照すると、磁石４２のＮ極／Ｓ極方向を、これらの図に示されるように縦方向（即ち、キャップ４の軸と平行）に並べて示されている。可能な配向は２種類しかないため、この磁石の配置によって、伝えることができるのは、１項目の情報だけである。第１の配向では、Ｎ極が最上部にあり（即ち、図４Ｈに示すように、リザーバの外方を向き、かつ上向き）、第２の配向では、図４Ｉに示すように、Ｎ極が下向き（即ち、リザーバに向かって下向き）である。磁石のこの「直立」配置（即ち、磁石をキャップの軸と平行した配置）を簡便に実施したものが、図４Ｃ及び図４Ｄに示されている。
【０３５８】
更なる情報を伝達したい場合は、磁石を、その磁石の磁界（Ｎ−Ｓ方向）とキャップの軸との間に角度が付くようにして、キャップの円筒状外壁内に取り付けることが提案される。換言すれば、円筒壁部自体の方向に対し、その壁部の周りに延びる概念上のらせん形の上に来るようにするなどして、角度を付ける。可能な角度配向が多数あるため、角度を選択することによって、更に多くの情報を伝達することができる。これには、実施可能な２つの方法があり得る。実際に、棒磁石を、キャップの円筒状表面内に角度を付けて取り付けることもできるし、又は、図４Ｃ及び図４Ｄに示すように、磁化材料片をキャップの円筒壁部内に縦方向に並ぶように取り付けてから、所望の角度で磁化することもできる。
【０３５９】
図４Ｔａ〜図４Ｔｄに示す実施形態では、リザーバ受容部の直ぐ横のポンプ内にあるＡＭＲ角度センサ３４により磁界の角度が感知される。伝達することのできる情報量は、ＡＭＲ角度センサの分解能のみに依存する。
【０３６０】
市販のＡＭＲ角度センサの例は、Ａｎａｌｏｇ  Ｄｅｖｉｃｅｓ（１  Ｔｅｃｈｎｏｌｏｇｙ  Ｗａｙ、Ｐ．Ｏ．Ｂｏｘ  ９１０６、Ｎｏｒｗｏｏｄ、Ｍａｓｓａｃｈｕｓｅｔｔｓ  ０２０６２−９１０６、Ｕｎｉｔｅｄ  Ｓｔａｔｅｓ  ｏｆ  Ａｍｅｒｉｃａ）製のＡＤＡ  ４５７１である。このデバイスは、ＡＭＲ角度センサと信号調整器を一体化したものである。
【０３６１】
ＡＭＲ角度センサは、典型的には、２つのホイートストンブリッジを収容しており、これらのホイートストンブリッジは、４５°オフセットされ、直角位相（quadrature）出力（サイン及びコサイン）信号を生成する。チップ表面と平行な平面において、Ｎ極とＳ極と間の中間点を中心に、単純な双極子棒磁石を回転させた場合、チップからは、２つの正弦波信号が得られ、１つはｃｏｓ（２α）であり、２つ目はｓｉｎ（２α）関数である。ここで、αは、センサ軸と棒磁石により発生した磁界方向との間の角度である。単一のセンサの有効領域として、１８０度の角度が利用可能である（これを広げるには、センサの数を増やす必要がある）。したがって、ＡＭＲ角度センサを使用すると、ブリッジ出力を取り、角度αを求めることによって、磁界の方向を電気的に測定することができる。正弦出力がＶＳＩＮであり、余弦出力がＶＣＯＳである場合、角度αは、式ａｒｃｔａｎ（ＶＳＩＮ／ＶＣＯＳ）／２によって与えられる。磁石の磁化角度を求めることによって、特定の磁石がキャップ４（又は基部／リザーバ／キャップユニット）に装着されているか否かを確定することができる。
【０３６２】
ＡＭＲ角度センサにより、どのようにしてこのような角度検出を行うことができるかについての具体例の説明を補助するために、図４Ｔａ〜図４Ｖが提供されている。しかし、他の実施形態では、他の好適な角度センサ又はＡＭＲ角度センサ構成を用いてもよい。例えば、磁界強度をセンサが飽和するのに十分なものとして、他のセンサ及び磁石の構成を用いてもよい。例えば、温度に応じてＨ＞２５ｋＡ／ｍ（４０〜５０ｍＴに相当）の動作磁界強度（即ち、高温ホール効果センサ（high temperature Hall Effect sensor））を用いてもよい。しかし、他の実施形態において、他の好適な磁界強度を用いてもよい。
【０３６３】
図４Ｔａを参照すると、磁石（要素４２）の角度αが図示されている。図４Ｔの紙面にセンサ（要素３４）のセンサ面があり、磁石（要素４２）が、センサ面に対して検出可能な近位範囲内に配置されている場合、センサ（要素３４）の出力は、磁石（要素４２）の角度αによって決定されることになる。磁石（要素４２）の角度αに対するセンサ（要素３４）の出力は、図４Ｕに図示されており、ここで、センサ（要素３４）は、直角位相（正弦及び余弦）信号を発生させる、２つの飽和モード（saturated-mode）のホイートストンブリッジを有する。軸Ａを中心として図４Ｔａの磁石（要素４２）の角度を選択することによって、センサ（要素３４）の出力は、図４Ｕのグラフによって示されるような、正弦曲線となる。
【０３６４】
このため、図４Ｕのグラフは、角度αに基づいた、例示的な（要素３４としての）ＡＭＲ角度センサの出力電圧（ΔＶｎ／Ｖｃｃ）５３を示す。したがって、（要素３４としての）ＡＭＲ角度センサの出力を、対応する角度αと関連付けることによって、キャップ４（又は基部／リザーバ／キャップユニット）上の磁石（要素４２）からの磁界の角度β（軸Ｙ（キャップ４の外部側面（「ＥＳＣ」）及び／又は図１〜図３に示すキャップ４の中央線Ａに対して概ね平行）と磁界のＮ方向（ＦＮ））との間の角度）を決定することができる。更に、各角度βとキャップ４（又は基部／リザーバ／キャップユニット又はそれに接続される注入セットの他の構成部品）の所定の特性とを関連付けることによって、ＡＭＲ角度センサ（要素３４）の出力を、こうした所定の特性に関連付けることができる。この方法では、ＡＭＲ角度センサ（要素３４）の出力を使用して、キャップ４（又は基部／リザーバ／キャップユニット又はそれに接続される注入セットの他の構成部品）の所定の特性を検出することができる。
【０３６５】
特定の実施形態では、このような角度センサを用いて、存在検知、（例えば、所定の特性と関連付けられた）磁石角度の検出又はその両方を提供することができる。例えば、（要素３４として）ＡＭＲ角度センサ又は他の好適な角度センサを使用すれば、所定の領域内に対し、センサ（要素３４）のブリッジ回路出力を駆動するのに十分な強度及び方向の磁石を提供することにより、キャップ４（又は基部／リザーバ／キャップユニット）が注入ポンプデバイスのリザーバ受容部３２内で、適切又は十分に装着された位置にあるとき、キャップ４（又は基部／リザーバ／キャップユニット）の存在を検出することができる。この構成において磁界強度が不十分であれば、キャップが十分に装着されていないものとして解釈されることになる。また、図４Ｔａでは、磁界角度αはｘ−ｙ面にあるものの、磁界角度αは、ｘ−ｙ面に限定されず、ｚ軸に対しても磁界角度αを設定して、三次元的な磁界角度αとしてもよいことが理解される。
【０３６６】
図４Ｔａでは角度αの影響を示す特定の実施形態が示されているが、センサ３４に対して角度αで傾斜した磁界の使用は、棒磁石４２を物理的に角度αでスキューさせることに限定されない。図４Ｔｂ〜図４Ｔｄに示すように、磁石（要素４２）を様々な構成及び配向で使用して、キャップ４の外部側面（「ＥＳＣ」）に対して角度βで傾斜した磁界を提供することができる（βは軸Ｙと磁界のＮ方向（ＦＮ）との間の角度であり、軸Ｙはキャップ４の外部側面ＥＳＣ及び／又は図１〜図３に示すキャップ４の中央線Ａに概ね平行である）。特定の実施形態では、実際の磁石４２の形状に関係なく、磁界をキャップ４のハウジング（又は外部側面ＥＳＣ）に対して角度βで傾かせ、所望の角度βで傾斜した磁界を作る。
【０３６７】
例えば、磁石４２が棒形状磁石である非限定的な実施形態では、キャップ４に対する棒形状磁石４２の実際の物理的な角度に関係なく、磁界を棒の形状の側面及び／又は端部に対して角度を付けて傾かせ、キャップ４の外部側面ＥＳＣに対して所望の磁界角度βを作り出し得る。伝統的に、棒磁石は、角度を偏向させることなく、磁石の両端の外側を向いた磁界を有する。したがって、特定の実施形態では、磁石は、所望の角度βで磁界を生じさせる限り、上述及び後述のように任意の形状、サイズ及び／又は配向のものであってよい。これにより、材料をキャップ４内に配置してから、（材料をキャップ内に配置した後に）磁化して、角度βで所望の磁界を作り出す実施形態において、製造を容易化することもできる。なお、該棒磁石４２の両端部と整列しない角度βで傾かせる場合（又は、非対称形状の磁石を使用する場合）、磁界は不均一となり得るか、又は歪み得る点に留意されたい。しかし、これらの不均一性又は歪みは、センサ３４が、キャップ４内の磁石４２の磁界の角度βを検出する（又は正確に判定する）ことを妨げるほど強いものである必要はない。
【０３６８】
特定の実施形態では、角度βが５°〜８５°、９５°〜１７５°、１８５°〜２６５°又は２７５°〜３５５°であれば、キャップ４の磁石４２の傾斜した磁界を十分に検出可能であり得る。十分に高精度なセンサが使用できる場合、角度βが、２．５°〜８７．５°、９２．５°〜１７７．５°、１８２．５°〜２６７．５°又は２７２．５°〜３５７．５°であれば、キャップ４の磁石４２の傾斜した磁界を十分に検出可能であり得る。より精度の低いセンサを使用する場合、角度βが、１０°〜８０°、１００°〜１７０°、１８０°〜２６０°、又は２８５°〜３５０°であれば、キャップ４の磁石４２の傾斜した磁界を十分に検出可能であり得る。磁界がこれらの範囲内の任意の角度にあれば、十分に角度の付いた配置、及びセンサ３４による磁界の検出が提供され得る。傾斜した磁界を使用することにより、キャップ４に対して平面方向を向いた磁界を有する磁力源によって生じる磁界、又は、無作為的及び一時的に注入ポンプデバイス付近に生じる磁界による干渉を回避しやすくなる。また、図４Ｔｂ〜４Ｔｄでは、磁界角度βはｘ−ｙ面にあるものの、磁界角度βは、ｘ−ｙ面に限定されず、ｚ軸に対しても磁界角度βを設定して、三次元的な磁界角度βとしてもよいことが理解される。
【０３６９】
図４Ｔｂ〜図４Ｔｄでは、角度βは、軸Ｙに対して（及び／又は図１〜図３に示すキャップ４の中央線Ａに対して）と概ね平行な、キャップ４の外部側面ＥＳＣに関して示されているが、キャップ４の外部側面ＥＳＣは、軸Ｙに対して（かつ／又は図１〜図３に示すキャップ４の中央線Ａに対して）概ね平行であることに限定されないことが理解される。例えば、キャップ４の外部側面ＥＳＣを一方向に傾かせる場合（例えば、以下に限定されるわけではないが、キャップの頂部中央に向かうわずかなテーパー形状、又は、基部に向かう内側へのテーパー形状など）、この傾きに基づいて角度βを調整して、新しい角度β’を形成してもよいし、又は、軸Ｙに対する（及び／又は図１〜図３に示すキャップ４の中央線Ａに対する）角度βとしてそのまま利用してもよい。
【０３７０】
特定の実施形態では、キャップ４内で単一の磁石４２を使用する。後で更に記載されるように、各々が異なる角度βの磁界を有する、異なる磁石を選択して使用し、異なる特性の検出を可能とすることにより、キャップ４の更なる区別を行い得る。しかし、他の実施形態では、キャップ４は、各々が選択角度βに設定された固有の磁界を有する、更なる磁石（例えば、２個、３個、４個、５個、又はそれ以上の磁石）を含んでいてもよい。キャップ４が注入ポンプデバイスのハウジング内へと回転させられるにつれて、これらの磁石が連続的に検出され、特性、注入セット又はキャップ４（又は基部／リザーバ／キャップユニット若しくは関連する注入セット）の他の特性を一意的に特定する磁界の配列がもたらされることになる。
【０３７１】
センサ（要素３４）及び関連するエレクトロニクスの感度及び分解能に応じて、任意の好適な数の所定の領域を用いてよいが、図４Ｕのグラフには、それぞれ、Ｚ１、Ｚ２、Ｚ３及びＺ４として示された４つの領域が示されている。例えば、センサ（要素３４）のブリッジ出力を、コンパレータを介してフィルタリングし、出力をデジタル化することによって、図４Ｖにもこれら４つの領域Ｚ１〜Ｚ４を示す。図４Ｕ及び図４Ｖの領域Ｚ１では、Ｖｓｉｎ＞０かつＶｃｏｓ＞０（デジタル値［１，１］と関連付けることができる）である。図４Ｕ及び図４Ｖの領域Ｚ２では、Ｖｓｉｎ＞０かつＶｃｏｓ＜０（デジタル値［１，０］と関連付けることができる）である。図４Ｕ及び図４Ｖの領域Ｚ３では、Ｖｓｉｎ＜０かつＶｃｏｓ＜０（デジタル値［０，０］と関連付けることができる）である。図４Ｕ及び図４Ｖの領域Ｚ４では、Ｖｓｉｎ＜０かつＶｃｏｓ＜０（デジタル値［０，１］と関連付けることができる）である。
【０３７２】
図４Ｕ及び図４Ｖでは、４状態の分解能で示されているが、他の実施形態では、アナログ出力をより大きい（又は小さい）領域に分けて、上述したように、ＩＮ位置の状態又はＯＵＴ位置の状態（リザーバが十分に注入ポンプ内に装着されていない状態）を検出したり、又は３つの状態、４つの状態、又は４つよりも多くの状態を検出したりするように構成されてもよい。例えば、（ＯＵＴ位置の状態５７に加えて）４つの異なるＩＮ位置の状態を、４つの領域Ｚ１、Ｚ２、Ｚ３及びＺ４に関連付けて、磁石（要素４２）の角度に応じた、それぞれ、５５、６１、６３及び６５の位置で検出することができる。したがって、第１の磁界角度α１を有する磁石（要素４２）は、その磁石（要素４２）を備えるキャップ４（又は基部／リザーバ／キャップユニット）が注入ポンプデバイスのリザーバ受容部３２内で適切に又は十分に装着された位置にあるとき、ＩＮ位置５５に関連付けられた検出可能な信号を提供し得る。同様に、第２の磁界角度α２を有する別の磁石（要素４２）は、その磁石（要素４２）を備えるキャップ４（又は基部／リザーバ／キャップユニット）が注入ポンプデバイスのリザーバ受容部３２内で適切に又は十分に装着された位置にあるとき、ＩＮ位置６１に関連付けられた検出可能な信号を提供し得る。同様に、第３の磁界角度α３を有する別の磁石（要素４２）は、その磁石（要素４２）を備えるキャップ４（又は基部／リザーバ／キャップユニット）が注入ポンプデバイスのリザーバ受容部３２内で適切に又は十分に装着された位置にあるとき、ＩＮ位置６３に関連付けられた検出可能な信号を提供し得る。同様に、第４の磁界角度α４を有する別の磁石（要素４２）は、その磁石（要素４２）を備えるキャップ４（又は基部／リザーバ／キャップユニット）が注入ポンプデバイスのリザーバ受容部３２内で適切に又は十分に装着された位置にあるとき、ＩＮ位置６５に関連付けられた検出可能な信号を提供し得る。
【０３７３】
領域のうちの１つを磁石の位置及び角度と関連付けることによって、キャップ４（又は基部／リザーバ／キャップユニット）が注入ポンプデバイスのリザーバ受容部３２内で適切な又は十分な装着位置にあるとき、その領域内でのセンサ出力の検出と、リザーバ受容部３２内での適切な又は十分な装着位置にてキャップ４（又は基部／リザーバ／キャップユニット）が検出されることと、を関連付けることができる。したがって、例えば、領域Ｚ１とＩＮ位置（例えば、十分に装着された位置）とを関連付けた場合、センサ（要素３４）の出力が領域Ｚ１に含まれるのであれば、センサ３４に接続されるか、又はセンサ３４に関連付けられたエレクトロニクスは、キャップ４（又は基部／リザーバ／キャップユニット）がＩＮ位置（例えば、十分に装着された位置）にあると判定する。しかし、センサ（要素３４）の出力がＯＵＴ位置（例えば、領域５７内）に含まれるのであれば、センサ３４に接続されるか、又はセンサ３４に関連付けられたエレクトロニクスは、キャップ４（又は基部／リザーバ／キャップユニット）がＯＵＴ位置（例えば、十分に装着されていない位置）にあると判定する。また、センサ（要素３４）及びセンサ（要素３４）に接続されるか又は関連付けられるエレクトロニクスは、センサ（要素３４）の出力が、前述の領域５５及び領域５７の一方に含まれない場合、外部磁界５９を判定することによって、外部の磁界干渉を解消する（resolve）ように構成され得る。
【０３７４】
一例示的実施形態では、４つの異なるキャップ４（又は基部／リザーバ／キャップユニット）に、それぞれ４つの別個の磁界配向を提供してもよい。したがって、４種類の異なるキャップ４（又は基部／リザーバ／キャップユニット）の全てにおいて、１種類の磁石を使用してもよいが、この場合、（例えば、どの磁極がセットコネクタの頂部の方を向くかを決定することにより、）各キャップにおける磁界角度は、それぞれ別のキャップとは区別される４つの別個の配向のうちの異なる１つに構成される。これによって、複数の異なる種類のキャップ４（又は基部／リザーバ／キャップユニット）において、同一種類の磁石（ただし、それぞれ異なる配向で配置される）が使用可能となることによって、製造が簡単になり、製造費用を削減することができる。あるいは、磁石をキャップ４（又は基部／リザーバ／キャップユニット）に装着した後、所望の磁界配向で磁石を磁化させてもよい。
【０３７５】
したがって、ＡＭＲ角度センサ（又は他の角度センサ）をセンサ素子３４として用いて、例えば、所定の定位置（例えば、位置５５）に対応するセンサ出力を検出することによって、存在検出を行い、キャップ４（又は基部／リザーバ／キャップユニット）の存在を検出することができる。代替的に又は追加的に、ＡＭＲ角度センサ（又は他の角度センサ）をセンサ素子３４として用いて、状態間（例えば、位置５５、６１、６３及び６５間）での検出及び区別を行うことにより、異なる種類のキャップ４（又は基部／リザーバ／キャップユニット又はそれに接続される注入セット）間での区別を行うことができる。図４Ｖの例では、４つの異なる検出可能な状態が示されているが、他の実施形態は、４つ未満の又は４つを超える状態間での区別を行うように構成されてもよい。
【０３７６】
例えば、注入ポンプシステムを、３種類の異なるキャップ４（又は３種類の異なる基部／リザーバ／キャップユニット又はそれに接続される注入セット）が区別されるように、取り得る３つの磁化角度（２０°、６５°及び１４５°、それぞれ＋／−５°）のそれぞれに対して、異なるセンサ出力を提供するように構成してもよい。他の角度で磁化された磁石を有するようにすることも可能であるが、異なる注入セットをより良好に区別するためには、対応する出力が重なり合うことが好ましい場合がある。
【０３７７】
特定の実施形態では、磁石（要素４２）に異方性材料を使用する。他の実施形態では、磁石（要素４２）に、等方性材料を使用してもよいし、又は異方性の材料と等方性材料とを組み合わせて使用してもよい。磁化プロセスは、磁石の加工及び製造において最後の工程であってよい。磁化は、任意の好適な方法で行うことができ、例えば、以下に限定されるわけではないが、例えば、コンデンサバンクを放電させて、高エネルギーパルスにより、磁区の向きを揃えて、磁石に残留磁化（Ｂｒ）を生じさせるなど、磁石を大きな外部磁界にさらすことなどが挙げられる。等方性材料の残留磁化は、磁石の磁化に使用される外部磁界と同一の方向を有することになる一方で、異方性材料は、その好ましい方向においてのみ磁化され得る。この好ましい方向により、焼結ＮｄＦｅＢなどの異方性磁石は、等方性材料（例えば、ボンドＮｄＦｅＢなど）よりも、高い磁気特性を有し得る。
【０３７８】
更なる実施形態では、キャップハウジング５に磁気ストリップをキャップ４の軸Ａの周りの方向に延びるように配置して、キャップ４（又は基部／リザーバ／キャップユニット）が軸Ａに対して異なる回転位置でリザーバ受容部３２内に挿入されたとき、磁気ストリップにおける異なる位置が注入ポンプデバイスのセンサ（要素３４）と位置合わせされる（又はセンサ（要素３４）を通過する）ようにされる。こうした実施形態では、センサ（要素３４）と位置合わせされた（又はセンサ（要素３４）を通過した）磁気ストリップ上の特定の位置に基づいて、キャップ４（又は基部／リザーバ／キャップユニット）の回転位置を検出することができる。
【０３７９】
こうした実施形態では、センサ（要素３４）又は別個の専用センサ（図示せず）を、装着動作（例えば、以下に限定されるわけではないが、磁気ストリップの最初の部分の検出、又は上記の指定の手動オペレータの作動）を検出するように構成してもよい。装着動作の検出時、センサ（要素３４）及び関連するエレクトロニクスが作動され、磁気ストリップからの磁界又はシグネチャを探知するために連続的又は断続的なポーリング又は読み取りが行われる。磁気ストリップによる検出（又は他の相互作用）時、センサ素子（要素３４）及び関連するエレクトロニクスは、磁気ストリップから情報を読み取るように構成されてもよい。こうした情報は、エレクトロニクス（例えば、図５のエレクトロニクス６０）によって、注入ポンプデバイス３０の初期動作若しくは現行の動作を制御若しくは設定するか、かつ／又は本明細書に記載されるような他の動作を実施するために用いられてよい。注入ポンプデバイス３０の使用中、センサ素子（要素３４）及び関連するエレクトロニクスは、キャップ４（又は基部／リザーバ／キャップユニット）の位置を監視してもよく、これにより、例えば、ユーザへの治療薬の投与の間に、キャップ４（又は基部／リザーバ／キャップユニット）が外れていないかどうか、又は注入ポンプデバイス３０に対して移動していないかどうかについて判定する。治療中、注入ポンプデバイス３０に対して、キャップ４（又は基部／リザーバ／キャップユニット）が外れたり、又は不適切に移動したりした場合、エレクトロニクス（例えば、図５のエレクトロニクス６０）は、必要に応じて、注入ポンプデバイス３０の動作の制御又は停止を行ってもよい。その後、キャップ４（又は基部／リザーバ／キャップユニット）の適切な装着が検出された場合は、エレクトロニクス（例えば、図５のエレクトロニクス６０）が、ユーザと関連付けて事前にプログラムされた治療プロファイル（例えば、注入媒体送達プロファイル）に従って、又は事前に決められたデフォルトの治療（送達）プログラムに従って、治療を再開する（例えば、注入媒体の送達を再開するなど）ように構成されていてもよい。
【０３８０】
特定の実施形態では、注入ポンプデバイスのハウジングは、補助的な磁石（例えば、図４Ｅの補助磁石６７）を備え、この補助的な磁石は、（例えば、キャップ４をロック位置へと回転させるのに先立って）キャップ４を注入ポンプデバイス３０のリザーバ受容部３２内に最初に挿入したときに、キャップ４（又は基部／リザーバ／キャップユニット）の磁石とインターフェイスをとるように配置される。この補助磁石は、その両極を、キャップ４（又は基部／リザーバ／キャップユニット）の磁石に反発するように、キャップ４（又は基部／リザーバ／キャップユニット）の磁石の両極に対して配置した状態で位置決めされる。こうした実施形態では、補助磁石は、キャップ４（又は基部／リザーバ／キャップユニット）内で磁石と相互作用し、キャップ４の磁石に対して、感じ取ることはできるものの、ユーザが手を使ってキャップ４に回す力を加えることによって、手の力で打ち勝つことができるような、十分な反発力を加えることによって、注入ポンプデバイス３０のリザーバ受容部３２内に、キャップ４（又は基部／リザーバ／キャップユニット）を明確に挿入して、回す（軸Ａに対して回転させる）ことができるようになる。加えて、補助磁石からの反発力を、緩んだキャップ４（又は基部／リザーバ／キャップユニット）に対して、外向きに（軸Ａに対して直線方向に）力が加わるように付与することで、緩んだキャップ４（又は基部／リザーバ／キャップユニット）が、注入ポンプデバイス３０のリザーバ受容部３２内に適切に装着されていないことが、ユーザにとって明確にすることができる。
【０３８１】
いくつかの実施形態では、補助磁石は、注入ポンプデバイス３０において、キャップ４（又は基部／リザーバ／キャップユニット）の下方にて、キャップ４（又は基部／リザーバ／キャップユニット）がリザーバ受容部３２内に最初に挿入されたとき、キャップ４（又は基部／リザーバ／キャップユニット）の磁石と十分に位置合わせされ、また、キャップ４（又は基部／リザーバ／キャップユニット）の磁石の近位に来て、反発作用が提供されるように、位置している。この場合、補助磁石の磁界を揃えて、反発力を引き起こし、また、キャップ４（又は基部／リザーバ／キャップユニット）内の磁石の磁界に適合するように角度を付けてもよい。他の実施形態では、補助磁石は、受容部３２の領域内で注入ポンプデバイス３０のハウジング３３の側面に取り付け、補助磁石の磁界を揃えて、リザーバ受容部３２からキャップ４（又は基部／リザーバ／キャップユニット）を外向きに押す傾向にある方向に（軸Ａに対して直線的に）反発力を提供する。
【０３８２】
他の更なる実施形態では、補助磁石は、回転経路に隣接させて又は回転経路に沿って配置し、リザーバ受容部３２内でキャップ４（又は基部／リザーバ／キャップユニット）を装着させるために、装着工程中に回転させるときに、キャップ４（又は基部／リザーバ／キャップユニット）内の磁石を配置させる。このような実施形態の更なる例では、（例えば、リップ部の真下のスロット以外など）、磁石間の反発力を超えて、キャップ４を制動面又は停止面から離すように移動させる必要があるように、ネジ山に切込まれたリップ部及び／又はスロットによって形成された制動面又は停止面が提供される。こうした実施形態では、十分なユーザの介入（手動力）が加わり、反発力を超えることがない限り、磁石を使用することで、注入ポンプデバイス３０のハウジング３３からキャップ４が抜け出ることがないように補助することができる。
【０３８３】
特定の実施形態では、ハウジング内に置いた後、磁界を配向し、適切な所望の反発力を付与した後、補助磁石を磁化させる。いくつかの実施形態では、極は、反発効果を低減させるために角度に揃えられるか、又はキャップ４（又は基部／リザーバ／キャップユニット）内の磁石の磁界と揃えて、反発力を最大化させる。
【０３８４】
更なる実施形態では、補助磁石は、キャップ４（又は基部／リザーバ／キャップユニット）をリザーバ受容部３２に対して所望の位置に配置させるとき、キャップ４（又は基部／リザーバ／キャップユニット）内の磁石を吸着し、キャップ４（又は基部／リザーバ／キャップユニット）内の磁石の保持を補助するように構成される。磁気引力が用いられる更なる実施形態では、キャップ内で磁気的に磁石と相互作用する鉄材料から製造される非磁化構成部品を、補助磁石の代わりに、又は補助磁石に加えて使用してもよい。例えば、磁気的に相互作用する１つ以上の非磁化的要素をキャップ４の回転経路に沿って１つ以上の戦略的位置に置いて、１つ以上の所定の位置へのキャップ４の移動又は１つ以上の所定の位置でのキャップ４（若しくは基部／リザーバ／キャップユニット）の保持を補助してもよい。
【０３８５】
いくつかの実施形態では、補助磁石は平坦な材料として形成されるか又は提供され、例えば、以下に限定されないが、円形、正方形、三角形など、様々な形状になってもよい。特定の実施形態では、補助磁石は補助磁石材料を製造中所望の任意の配向に置くことが可能な球体の形状である。こうした実施形態では、組み立て後、磁界を誘導することができる。他の実施形態では、補助磁石は、注入ポンプデバイス３０に取り付けられる前に磁化される。特定の実施形態では、補助磁石は、キャップ（又は基部／リザーバ／キャップユニット）の曲面形状に適合する又はフィットする曲面形状を有する。特定の実施形態では、補助磁石は、好適なサイズ及び形状で形成され、注入ポンプデバイス３０のハウジング３３に適応させ、所望のサイズ及び強度の磁界を提供する。
【０３８６】
特定の実施形態では、補助磁石は、キャップ４（又は基部／リザーバ／キャップユニット）内の磁石４２の存在を検出するために提供されるセンサ３４との干渉を最小限に抑える位置に置く。例えば、センサは、補助磁石の位置に関して、リザーバ受容部３２の反対側（軸Ａに対して反対側）であってよい。他の実施形態では、センサ３４は、注入ポンプデバイス３０のハウジング３３内の任意の他の好適な位置に配置してもよく、補助磁石の磁界は、センサ３４で検出可能な読み取り値を提供するものではない。他の実施形態では、センサ３４により検出可能であっても、補助磁石を任意の好適な位置に置き、補助磁石を考慮してセンサ３４を較正する。こうした実施形態では、キャップ４（又は基部／リザーバ／キャップユニット）内の磁石４２を、センサ３４に対して適切に装着された位置（又は他の所定の位置）に移動するとき、センサ３４は、磁界の差を測定するように構成されてもよい。
【０３８７】
特定の実施形態では、センサ素子（複数可）によって検出される特定のパラメータに基づいて、センサ素子（複数可）に連結させたエレクトロニクス６０は、キャップ４の位置を決定するように構成される。センサ素子３４に関連するエレクトロニクス６０の一般図が、図５に示される。図５のエレクトロニクス６０は、通信リンク６４を介して、センサから電気的信号を受信するために接続された処理エレクトロニクス６２を含む。一実施形態では、通信リンク６４は、１つ以上の導電性ワイヤ若しくはトレース、又は他の導電性材料、無線接続（例えば、以下に限定されないが、無線周波数ＲＦ、Ｂｌｕｅｔｏｏｔｈ（登録商標）、ＷｉＦｉ、誘導結合又は他の無線通信リンク）又はこれらの組み合わせを含む。
【０３８８】
特定の実施形態では、処理エレクトロニクス６２は、センサ素子３４から受信した情報を処理するように構成された１つ以上の電子プロセッサを含む。このような電子プロセッサは、以下に限定されないが、プログラム可能汎用プロセッサ、マイクロプロセッサ、プログラム化又はハードウェア構成専用プロセッサなどを含んでもよく、これらは、ソフトウェア、ハードウェア、ファームウェア、これらの組み合わせを用いてプログラム化されるか、又は別の方法で本明細書に記載の操作を実行するように構成される。エレクトロニクス６０は、処理エレクトロニクス６２によって用いられるデータ、プログラム又は他のソフトウェアを格納する１つ以上の電子メモリデバイス６６を含み、本明細書に記載の操作を実行する。特定の実施形態では、エレクトロニクス６０は、受信機、送信機又は送受信機６８を更に含み、例えば、以下に限定されないが、ユーザのコンピュータ、ヘルスケアエンティティのコンピュータなど、更なる電子デバイス（図示せず）から、又は更なる電子デバイス（図示せず）に情報を受信する、送信する又は送受信を双方行うように構成される。エレクトロニクス６０は、処理エレクトロニクス６２並びに必要に応じてメモリ６６及び送受信機６８に電力を提供するように、１つ以上の電源（図示せず）を更に含むか、又は接続される。センサ素子３４が電力を必要とする特定の実施形態では、センサ素子と連結した上記電源（複数可）又は別個の電源は、例えば、リンク６４を介して、又は別個の電気接続（図示せず）を介して、電力をセンサ素子に提供する。
【０３８９】
処理エレクトロニクス６２は、センサ素子３４から受信した情報を処理し、かつセンサ素子（複数可）によって検出される特定のパラメータに基づいて、注入ポンプデバイス３０のリザーバ受容部３２に対して、キャップ４の存在又は位置又はキャップ４（又は基部／リザーバキャップユニット）の他のパラメータを判定するようにプログラムされるか、又は別の方法で構成される。一例示的実施形態では、処理エレクトロニクス６２は、センサ素子３４から信号が存在しているか否かを検出する、及びリザーバ受容部３２に対して、所定の位置にキャップ４が存在しているか否かを判定するように構成される。他の実施形態では、処理エレクトロニクス６２は、センサ素子３４からの信号を処理し、キャップ４の位置に関連付けられた１つ以上のパラメータ（例えば、以下に限定されないが、リザーバ受容部３２に対するキャップ４の回転量又は直線的変位量、軸Ａ周りのキャップ４の回転位置、軸Ａの寸法に沿ったキャップ４の直線位置、リザーバ受容部３２の軸Ａに対するキャップ４の軸Ａの角度位置、又はこれらの任意の組み合わせなど）を決定するように構成される。更に他の実施形態では、処理エレクトロニクス６２は、センサ素子３４からの信号を処理し、キャップ４（又は基部／リザーバ／キャップユニット）の特性に関連付けられた１つ以上の他のパラメータを決定するように構成される。
【０３９０】
特定の実施形態では、エレクトロニクス６０は、注入ポンプデバイス３０のハウジング３３内に取り付けられているか、又は収容される。他の実施形態では（例えば、構成要素４２がセンサデバイスを含む実施形態など）、エレクトロニクス６０は、キャップ４に取り付けられているか、又はキャップ４内に収容される。更に他の実施形態では、エレクトロニクス６０の構成部品の一部は、注入ポンプデバイス３０のハウジング３３に取り付けられているか、又はハウジング３３内に収容され、エレクトロニクス６０の他の構成部品は、キャップ４に取り付けられるか、又はキャップ４内に収容される。例えば、一実施形態では、処理エレクトロニクス６２及び送受信機６８の一方又は両方は、注入ポンプデバイス３０上又は注入ポンプデバイス３０内にあり、メモリ６６の一部又は全体は、キャップ４上又はキャップ４内にある。
【０３９１】
上記の実施形態では、磁石要素及びセンサ素子は、注入ポンプデバイス３０に対するキャップ４の位置を検出するために（例えば、キャップ４又は基部／リザーバ／キャップユニットと注入ポンプデバイス３０との適切な接続を検出するために）キャップ４及び注入ポンプデバイス３０上に配置される。他の実施形態では、上記のような１つ以上の磁石及びセンサ素子を用いて、キャップ４又は基部／リザーバ／キャップユニット、注入セット５０（又は組み合わせたもの若しくはこれらの構成部品）に関連付けられた１つ以上の他の特性を検出し、追加的に又は代替的に、注入ポンプデバイス３０内での存在又は注入ポンプデバイス３０との適切な接続を検出する。様々な実施形態では、こうした他の特性として、以下に限定されないが、キャップ４、リザーバ１（又はその内容物）、注入セット５０、接続インターフェイス４０又は任意のこれらの組み合わせの特性が挙げられる。
【０３９２】
これらの実施形態では、特定の特性は、１つ以上の検出可能パラメータに関連付けることができ、検出可能パラメータとしては、以下に限定されないが、キャップ４のうちの１つ以上の磁石又はセンサ素子の存在、キャップ４における１つ以上の磁石又はセンサ素子のパターン又は位置（軸Ａの次元に対して周方向又は直線方向の位置）、キャップ４上の磁石又はセンサ素子の種類、磁石の極性、磁界角度β又は磁界強度などのうちの１つ以上が挙げられる。特定の実施形態では、検出可能パラメータは、キャップ４（又は注入ポンプデバイス３０）に関連付けられた検出可能なシグネチャを提供し、他のキャップに対して、こうしたシグネチャはキャップ４に固有のものであってもよいし、又は他のキャップのシグネチャに対して固有のものでなくてもよい。
【０３９３】
したがって、特定の実施形態では、リザーバ１、注入セット５０又は接続インターフェイス４０のそれぞれ異なる特性は、磁石又はセンサ素子のそれぞれ異なる検出可能パラメータ（例えば、位置又は種類）に関連付けられる。キャップ（又は注入ポンプデバイス３０）のシグネチャを読み取ることによって、シグネチャを確定するパラメータが検出される。これらの実施形態では、処理エレクトロニクス６２は、磁石又はセンサ素子の１つ以上の検出可能パラメータを検出するように構成され、次に、検出可能パラメータ（複数可）に基づいて、キャップ、基部／リザーバ／キャップユニット、リザーバ又は注入セットの１つ以上の特性を判定し、判定された特性（複数可）に基づいて又は用いて１つ以上の更なる所定の行動を行う。
【０３９４】
特定の実施形態では、図５の電子回路６０及び処理エレクトロニクス６２は、図６のフローチャートを参照して説明するように、プロセス１５０を実行するように構成される。例えば、プロセス１５０では、複数の所定のパラメータ（検出される可能性のあるパラメータ）は、一対一ベース（又は他の所定の関連付け）で、キャップ４、基部／リザーバ／キャップユニット、リザーバ１又はその内容物、注入セット５０、接続インターフェイス４０又は任意の構成部品又はそれらの組み合わせの対応する複数の特性と関連付けられる。１５２では、検出可能パラメータと複数の特性との関連は、例えば、メモリ６６などのメモリ内に格納される。
【０３９５】
プロセス１５０の１５４では、１つ以上の検出可能要素４２の１つ以上のパラメータは、例えば、注入ポンプデバイス３０内のキャップ４又は基部／リザーバ／キャップユニットの装着中又は装着時（又は装着の試みが行われているとき）、１つ以上のセンサ素子３４により検出される。１５６では、処理エレクトロニクス６２は、センサ素子（複数可）３４から受信した情報と、事前に確定し、格納した１つ以上の閾値又は表に格納された（若しくは複数の異なる検出可能な磁石位置又は他の磁石パラメータを対応する複数の特性（例えば、以下に限定されないが、それぞれ異なる磁石位置と異なる特性とのそれぞれ一対一対応など）に関連付けている別のデータ配置内に格納された）情報とを比較する。代替的に又は追加的に、処理エレクトロニクス６２は、センサ素子３４から受信した情報を、１つ以上の閾値又は複数の異なる種類の磁石（例えば、以下に限定されないが、異なる極性、磁界角度β、磁界強度、これらの組み合わせなどを有する磁石）と、対応する複数の特性（例えば、以下に限定されないが、それぞれ異なる磁石の種類と異なる特性とのそれぞれ一対一対応など）とを関連付けられた、表又は別のデータ配置に格納した情報とを比較するために構成されてもよい。これらの実施形態では、処理エレクトロニクス６２は、センサ素子３４から受信する情報と格納した情報との１つ以上の比較に基づいて、磁石の位置、磁石の種類、又はその両方を判定するように構成される。特定の実施形態では、格納した表又は他のデータ配置は、電子メモリ６６に格納される。
【０３９６】
リザーバ１（又はその内容物）の特性の例としては、リザーバ１、又はその構成部品若しくは内容物の製造者の種類又は身元、リザーバ１のサイズ、リザーバ１内の注入媒体の種類（例えば、以下に限定されないが、インスリン、他の薬物又は他の媒体の種類など）、リザーバ１内の注入媒体の濃度、リザーバ１内の注入媒体の体積量、日付（以下に限定されないが、リザーバ１内の注入媒体又はリザーバ１自体に関連する有効期限又は充填日又は他の日付に対応する日付など）、位置情報（例えば、以下に限定されないが、リザーバ１、キャップ４又はリザーバ１内の注入媒体（又は全て）を製造、充填、又は他の方法で処理した場所に対応する位置情報又はリザーバ１の使用が認められた位置）、ロット番号（又はリザーバ１又は注入媒体の製造、洗浄、充填又は他の方法での処理が行われたバッチに関連する他の符号）、シリアル番号、固有ＩＤ、製造日、（リザーバ１について権限を有するユーザの）ユーザ識別情報、又は他の所定の特性のうちの１つ以上が挙げられるが、これらに限定されない。
【０３９７】
キャップ４に接続される注入セット５０に関する例示的特性は、以下に限定されないが、注入セット５０又はこれらの構成部品の種類又は製造者、チューブ５２の長さ、チューブ５２の直径、針又はカニューレ５６の長さ、針又はカニューレ５６の直径、日付（例えば、以下に限定されないが、針又はカニューレ５６の有効期限、製造日又は組み立て日に対応する日付）、位置（例えば、以下に限定されないが、針又はカニューレ５６を製造するか、又はハウジング５４と組み立てる位置又は注入セット又はこれらの構成部品の認可された使用のための位置）、ロット番号（又は注入セット５０又はこれらの構成部品を製造、洗浄、又は別の方法で加工されたバッチに関連付けられた他の符号）、カニューレの型、針の型、ロット番号、シリアル番号、固有ＩＤ、ユーザ識別情報（注入セット５０の権限を与えられたユーザ用）、又は他の所定の特性のうちの１つ以上が挙げられる。
【０３９８】
接続インターフェイス４０に関する例示的特性としては、以下に限定されないが、接続インターフェイス４０、キャップ４、基部２又はこれらの構成部品の種類又は製造者、キャップ４の長さ、直径又は他のサイズ寸法、日付（例えば、以下に限定されないが、キャップ４又は基部２の有効期限、製造日又は組み立て日に対応する日付）、位置（例えば、以下に限定されないが、キャップ４又は基部２を製造するか、又は組み立てる位置に対応する位置又はキャップ４又は基部２の認可された使用のための位置）、ロット番号（又はキャップ４又は基部２を製造、洗浄、又は別の方法で加工されたバッチに関連付けられた他の符号）、シリアル番号、固有ＩＤ、ユーザ識別情報（注入セット５０の権限を与えられたユーザ用）、又は他の所定の特性のうちの１つ以上が挙げられる。
【０３９９】
特定の実施形態では、処理エレクトロニクス６２は、プロセス１５０の１５８で明らかになった特性に基づいて、又は特性を用いて、プロセス１５０内の１６０で１つ以上の所定の行動を行うように更に構成される。１つ以上の所定の行動は、以下に限定されないが、センサ素子３４からの信号の検出されたパラメータから判定した１つ以上の特性に基づいて、注入ポンプデバイス３０のうちの１つ以上の操作上の設定を決定すること、を含んでもよい。また、このような実施形態の更なる例では、処理エレクトロニクス６２は、駆動デバイス又は注入ポンプデバイス３０の他の構成部品にも信号を提供し、検出されたパラメータから判定された１つ以上の特性に基づいて、駆動デバイス（又は他の構成部品）の操作を制御する。一例では、少なくとも一部、検出されたパラメータに基づいて、処理エレクトロニクス６２は、以下のうちの１つ以上に関する操作設定を決定し、設定する：ポンピング速度（単位時間ごとにポンピングされる流体量）、ポンピング時間（ポンピング時間量）、ポンピング力（流体圧力量）、注入セットチューブ５２のプライミング（充填）、注入セット針又はカニューレ５６のプライミング（充填）、リザーバ１から注入セット針又はカニューレ５６への流体経路の閉塞の検出、閉塞の取り扱い（ポンピング時間、圧力又は閉塞の除去、補償、又は他の取り扱いのためのプログラム）。
【０４００】
したがって、一例では、磁石の位置又はタイプ（又はその両方）は、キャップ４に接続された注入セット５０の特定のタイプ又はサイズに関する１つ以上の特性に対応させ、検出された特性は、処理エレクトロニクス６２によって用いられ、注入セットチューブ５２又は針若しくはカニューレ５６（又はその両方）をプライミング（充填）するのに十分なポンピング速度又はポンピング時間（又はその両方）を決定する。別の例では、磁石の位置又はタイプ（又はその両方）は、注入セット５０の特定のタイプ又はサイズにおける閉塞を除去するか又は補償するのに十分であるポンピング時間、ポンピング圧又はポンピングプログラムに関する１つ以上の特性に対応する。
【０４０１】
更なる実施形態では、処理エレクトロニクス６２は、１５８で明らかになった特性（複数可）に基づいて、又は特性を用いて、（プロセス１５０内の１６０で）１つ以上の他の所定の行動を行うように構成される。このような他の所定の行動としては、以下に限定されないが、センサ部材３４から受信した信号により、キャップ４又は基部／リザーバ／キャップユニットが注入ポンプデバイス３０のリザーバ受容部３２内に十分に又は適切に受容されていないことが示されるとき、制御信号を提供して、注入ポンプデバイス３０内でのポンプ駆動デバイスの作動を停止するか又は阻害することを挙げることができる。代替的に又は追加的に、処理エレクトロニクス６２は、センサ部材３４から受信した信号により、キャップ４又は基部／リザーバ／キャップユニットが、注入ポンプデバイス３０のリザーバ受容部３２内に十分に又は適切に受容されていることが示されるとき、制御信号を提供して、注入ポンプデバイス３０内でのポンプ駆動デバイスを作動するか、又は作動を可能にするように構成される。
【０４０２】
代替的に又は追加的に、以下に限定されないが、センサ部材３４から受信した信号により、キャップ４又は基部／リザーバ／キャップユニットが、注入ポンプデバイス３０のリザーバ受容部３２内に十分に又は適切に受容されていないことを示されるとき、処理エレクトロニクス６２は、警報信号を提供して、警報表示器を作動させることなど、（プロセス１５０内の１６０で）更に１つ以上の他の所定の行動を行うように構成される。特定の実施形態では、処理エレクトロニクス６２は、既に、キャップ４又は基部／リザーバ／キャップユニットがリザーバ受容部３２内に十分に及び適切に受容されていることを検出した後、処理エレクトロニクス６２がキャップ４又は基部／リザーバ／キャップユニットがリザーバ受容部３２内に十分に及び適切に受容されていないことを検出するときのみ（例えば、既に適切に受容されていたキャップ４が、リザーバ受容部３２内のその位置から移動した又はさもなければ外れたことを示す）、このような警報又は制御信号（又はその両方）を提供するように構成される。こうした実施形態では、処理エレクトロニクス６２は、警報条件を表示する表示デバイスを含んでもよい（又は表示デバイスと通信するために接続されてもよい）。
【０４０３】
警告表示デバイスとしては、これに限定するものではないが、１つ以上の以下の任意の好適な表示器を含んでもよい：発光デバイス、ＬＥＤ、ＬＣＤ又は他の視覚表示デバイス；放音デバイス、スピーカー、ブザー又は他のオーディオ表示デバイス；振動器、ヒーター又は他の触覚表示デバイスなど。特定の実施形態では、警告表示デバイスは、注入ポンプデバイス３０に取り付けられているか、又は収容される。他の実施形態では、警告表示デバイスは、キャップ４に取り付けられているか、又は収容される。更に他の実施形態では、警告表示デバイスは、例えば有線又は無線通信リンクを介して、エレクトロニクス６０と通信を行うために、接続されている外部デバイス（例えば、以下に限定されないが、コンピュータ、スマートフォン、ページャ、又は他の電子通信デバイス）内にある。
【０４０４】
更なる実施形態では、処理エレクトロニクス６２は、例えば、以下に限定されないが、キャップ４、基部／リザーバ／キャップユニット、及び注入ポンプデバイス３０のうちの１つ以上の検出された状態又は条件（若しくは特性）を示すデータを記録することなど、（プロセス１５０内の１６０で）他の所定の行動を行うように構成される。特定の実施形態では、処理エレクトロニクス６２は、記録後の時間又は日に、処理エレクトロニクス６２又は他の処理エレクトロニクス（図示せず）によって復元させることができる形態で、こうしたデータを電子メモリ６６に記録する。こうした実施形態では、処理エレクトロニクス６２又は他の処理エレクトロニクスでは、記録されたデータの評価を補助するために、こうしたデータを使用して、レポート、表、又は他のデータ構造を作成することができる。更なる実施形態では、処理エレクトロニクス６２は、例えば、以下に限定されないが、送受信機６８を介して情報を送達することによって、こうして記録されたデータ、レポート、表又は他のデータ構造を所定のエンティティに送信するように構成される。例えば、特定の実施形態では、所定の間隔若しくは周期的間隔で、又はこうした情報をセンサ素子から受領時に、エレクトロニクス６０は、記録された情報を遠隔施設に送達するように構成される。
【０４０５】
更なる実施形態では、プロセス１５０の１６０では、処理エレクトロニクス６２は、注入ポンプデバイス３０用の操作設定を決定し、１つ以上の追加のセンサ（図示せず）、受信機又は送受信機６８、ユーザの入力（エレクトロニクス６０に接続されたユーザインターフェイス（図示せず））又はこれらの組み合わせから入手した１つ以上の信号に基づいて、データを記録するか、又は他の所定のタスクを実行するように更に構成される。特定の実施形態では、受信機又は送受信機６８は、地理的測位システム受信機（例えば、以下に限定されないが、ＧＰＳ又は他の衛星測位システム受信機）を含み、この地理的測位システム受信機により、注入ポンプデバイス３０、キャップ４又は基部／リザーバ／キャップユニットの地理的位置を受信するか、又は決定する。代替的に又は追加的に、処理エレクトロニクス６２は、注入ポンプデバイス３０用の操作設定を決定し、後述のように、エレクトロニクス６０と接続された１つ以上の電子時計又は他の時間計測器（図示せず）から入手した１つ以上の信号に基づいて、データを記録するか、又は他の所定のタスクを実行するように更に構成される。
【０４０６】
このような実施形態の例では、処理エレクトロニクス６２は、特定のパラメータ又はイベントが検出されたときの、注入ポンプデバイス３０、キャップ４又は基部／リザーバ／キャップユニットの地理的位置、又は時間若しくは日付（又は位置、時間及び日付の任意の組み合わせ）の検出又は記録（又はその両方）を行うように構成される。一例では、特定のパラメータ又はイベントは、以下のうちの１つ以上である：センサ素子３４からキャップ４又は基部／リザーバ／キャップユニットをリザーバ受容部３２内に適切かつ十分に受容されていることを示す信号を受領すること、センサ素子３４からキャップ４又は基部／リザーバ／キャップユニットをリザーバ受容部３２内に適切かつ十分に受容されていないか、又はリザーバ受容部３２内の適切な位置から移動するか若しくは除去されたことを示す信号を受領すること、センサ素子３４からキャップ４又は基部／リザーバ／キャップユニットがリザーバ受容部３２内のうちの１つ以上の所定の位置にある（若しくはない）ことを示す信号を受領すること、センサ素子３４から特定のタイプキャップ４、注入セット５０又はリザーバ１の特定の型がリザーバ受容部３２内に受容されていることを示す信号を受領すること、所定の地理的位置又は領域における注入ポンプデバイス３０、キャップ４又は基部／リザーバ／キャップユニットの移動又は存在；など。こうした実施形態では、処理エレクトロニクス６２は、１つ以上のいずれかの所定のイベント（例えば、上記のイベントなどが挙げられるが、これらに限定されない）が発生する位置又は時間（又はその両方）を表すデータを記録してもよい。代替的に又は追加的に、処理エレクトロニクス６２は、上記のような１つ以上の検出されたパラメータ（又は関連付けられた特性）、及びこうしたパラメータ（又は関連付けられた特性）のうちの任意の１つ以上が検出された位置又は時間（又はその両方）を表すデータを記録してもよい。
【０４０７】
更なる実施形態では、エレクトロニクス６０は、外部又は環境磁界を検出する１つ以上の更なるセンサ（図示せず）を含む。こうした実施形態では、処理エレクトロニクス６２は、検出された外部又は環境磁界に基づいて、１つ以上のセンサから情報を分析し、警告／警報を提供するか、又は注入ポンプデバイス３０の操作を調整するために制御信号を提供する（又は両方）ように構成される。例えば、処理エレクトロニクス６２は、検出又は処理パラメータを調整して、外部又は環境磁界を補償し、外部又は環境磁界が磁石要素（複数可）３４に及ぼす任意の影響を最大化してもよい。代替的に又は追加的に、キャップ４は、外部又は環境磁界による影響を最小限に抑えるように構成され、こうしたキャップ構成は、以下に限定されないが、磁界遮蔽材料を含んでもよい。
【０４０８】
上記の特定の実施形態では、処理エレクトロニクス６２は、少なくとも部分的に、１つ以上の検出可能要素（複数可）１２（又は検出可能要素（複数可）４２の検出可能パラメータにより提供された情報）の検出に基づいて、注入ポンプデバイス３０用の操作設定を決定する、警報又は制御信号を提供する、データを記録する、又は他の所定のタスクベースを実行するように構成される。ある実施形態では、センサ素子３４から受信した信号から検出されたパラメータのうちの１つ以上に基づいて、処理エレクトロニクス６２は、基部／リザーバ／キャップユニット、キャップ４又はリザーバ１を認証するように構成される。例えば、処理エレクトロニクス６２により、検出されたパラメータが認証された基部／リザーバ／キャップユニット、キャップ４又はリザーバ１に関連付けられた所定の特性に対応するか否かが判定される。こうした実施形態では、認証された基部／リザーバ／キャップユニット、キャップ４又はリザーバ１は、例えば、注入ポンプデバイス、基部／リザーバ／キャップユニット、キャップ４又はリザーバ１のうちの少なくとも１つの製造者により注入ポンプデバイス３０と共に使用するために認証されるものであってよい。代替的に又は追加的に、認証された基部／リザーバ／キャップユニット、キャップ４又はリザーバ１は、以下に限定されないが、政府又は業界標準又は規制エンティティ又は他の所定のエンティティなど別の所定のエンティティによって認証されるものであってよい。
【０４０９】
ある実施形態では、送受信機６８に連結される処理エレクトロニクス６２は、例えば、有線若しくは無線接続を介して、直接若しくは別のデバイス（複数可）を介して、データベース（例えば、インターネット上で）を介してアクセスし、それぞれ基部、リザーバ及び／又はキャップから入手したシリアル番号（固有ＩＤなど）を使用して、基部、リザーバ及び／又はキャップのうちの１つ以上が認証されていることを確認し、こうしたユニットが認証されたものであり、本物であることを確認してもよい。医療用デバイスは、厳格な試験を行い、厳しく規制されており、認証されていない構成部品を使用することにより、患者への適切な治療を脅かすことになり得る。基部／リザーバ／キャップ、注入セットなど、多くの構成部品は、単回使用構成部品であり、注入ポンプデバイス３０上の処理エレクトロニクス６２は、患者が意図して又は偶然に安全な耐用年数にすでに到達している構成部品を再使用しないように、例えば、シリアル番号のトラックを保持してもよい。更に、認証を検証すると共に、例えば、それぞれの基部、リザーバ及び／又はキャップのロット番号をデータベースと照合すると共に、いずれのリコールも行われていないことを確認し、かつ、ユーザは注入ポンプデバイス３０（又は任意の他の好適なデバイス）によって特定の基部、リザーバ及び／又はキャップを使用しないように警告をうけ（又は禁じられる）、リコール実施中には、それらを製造者に戻すようにし、更には、現在最も利用可能な情報を用いることによって、患者の安全性を向上させる。
【０４１０】
特定の実施形態では、認証の判定には、検出された地理的位置、時間又は日付（又はこれらの任意の組み合わせ）が含まれる。例えば、センサ素子３４から受信した信号から検出されたパラメータが、特定の時間、日付、又は地理的位置（又はこれらの組み合わせ）で使用するために、認証された基部／リザーバ／キャップユニット、キャップ又はリザーバとして、所定（例えば、メモリ６６内で事前に格納した）の特性に対応しているとき、処理エレクトロニクス６２は、注入ポンプデバイス３０に装着された基部／リザーバ／キャップユニット、キャップ４又はリザーバ１が認証されているかを判定するように構成されてもよい。こうした実施形態では、メモリ６６は、検出可能な磁石パラメータ及び１つ以上の日付、時間及び地理的位置（又はこれらの任意の組み合わせ）の組み合わせと認証判定を関連付けた表又は他の好適なデータ構成を格納してもよい。
【０４１１】
表１は、検出可能パラメータ（表１では、パラメータ１−Ｎと表示）と異なる地理的位置（領域Ａ〜Ｃと表示）との関連性の例を示す。
【０４１２】
表１
パラメータ１      領域Ａ
パラメータ２      領域Ａ及び領域Ｂ
パラメータ３      領域Ｃ
．
．
．
パラメータＮ      領域Ａ及び領域Ｂ及び領域Ｃ
【０４１３】
表１では、エレクトロニクス６０が、注入ポンプデバイス３０が領域Ａにあると判定したとき（しかし、エレクトロニクス６０が、注入ポンプデバイス３０が任意の他の領域にあると判定したときではない）、パラメータ１に対応する検出可能な磁石パラメータを有する基部／リザーバ／キャップユニット、キャップ４又はリザーバ１が認証される。また、表１では、エレクトロニクス６０が、注入ポンプデバイス３０が領域Ａ又は領域Ｂにあると判定したとき（しかし、エレクトロニクス６０が、注入ポンプデバイス３０が任意の他の領域にあると判定したときではない）、パラメータ２に対応する検出可能な磁石パラメータが認証されていることを示す。同様に、表１では、エレクトロニクス６０が、注入ポンプデバイス３０が領域Ｃにあると判定したとき（しかし、エレクトロニクス６０が、注入ポンプデバイス３０が任意の他の領域にあると判定したときではなく）、パラメータ３に対応する検出可能な磁石パラメータが認証されていることを示す。更に表１では、エレクトロニクス６０が、注入ポンプデバイス３０が領域Ａ、Ｂ又はＣのいずれかにあると判定したとき、パラメータＮに対応する検出可能な磁石パラメータが認証されていることを示す。
【０４１４】
表２は、同様の例ではあるが、検出可能な磁石パラメータ（表１では、パラメータ１−Ｎと表示）と異なる地理的位置（領域Ａ〜Ｃと表示）及び日付（年単位で表示）との関連性の例を示す。
【０４１５】
表２
パラメータ１      領域Ａ              ２０１０〜２０２０
パラメータ２      領域Ａ及び領域Ｂ    ２０１０〜２０１５  
パラメータ３      領域Ｃ              ２０１２〜２０２０
．
．
．
パラメータＮ      領域Ａ及び領域Ｂ及び領域Ｃ    Ｘ
【０４１６】
表２では、エレクトロニクス６０が、注入ポンプデバイス３０が領域Ａにあると判定し、また、現行の日付が２０１０年から２０２０年であると判定したとき（しかし、エレクトロニクス６０が、注入ポンプデバイス３０が任意の他の領域にあると判定したとき又は日付がその日付範囲外にある場合は除く）、パラメータ１に対応する検出可能な磁石パラメータを有する基部／リザーバ／キャップユニット、キャップ４又はリザーバ１が認証される。また、表２では、エレクトロニクス６０が、注入ポンプデバイス３０が領域Ａ又は領域Ｂにあると判定し、また、現行の日付が２０１０年から２０１５年であると判定したとき（しかし、エレクトロニクス６０が、注入ポンプデバイス３０が任意の他の領域にある又は日付がその日付範囲外にあると判定した場合は除く）、パラメータ２に対応する検出可能な磁石パラメータが認証されていることを示す。同様に、表２では、エレクトロニクス６０が、注入ポンプデバイス３０が領域Ｃにあると判定し、また、現行の日付が２０１２年から２０２０年であると判定したとき（しかし、エレクトロニクス６０が、注入ポンプデバイス３０が任意の他の領域にある又は日付がその日付範囲外にあると判定した場合は除く）、パラメータ３に対応する検出可能な磁石パラメータが認証されていることを示す。更に表２では、パラメータＮに対応する検出可能な磁石パラメータは、日付に関する制約はなく（表２ではＸによって表示されるような）、エレクトロニクス６０が、注入ポンプデバイス３０が領域Ａ、Ｂ又はＣのいずれかにあると判定したとき、認証されていることを示す。
【０４１７】
表１及び表２は、パラメータ１−Ｎ（Ｎは任意の好適な整数であってよい）に言及し、他の実施形態では、単一の検出可能パラメータ又は検出可能パラメータセット（例えば、特性１）を使用してもよい。また、表の１及び２は領域１、２、３及びＮに言及しているが、他の実施形態は、任意の好適な数の所定の領域（単一領域も含む）を使用してもよい。表２の日付は年単位で示しているが、他の実施形態では、日、週、月又は他の好適な区切りに対応する日付を使用してもよい。更なる実施形態では、日付の代わりに又は日付に加えて、表（又は処理エレクトロニクス６２に用いられる他のデータ構成）には、別の時間範囲（表２に示す別の日付範囲に類似している）に対応する時間データを含む。
【０４１８】
特定の実施形態では、エレクトロニクス６０は、処理エレクトロニクス６２が、基部／リザーバ／キャップユニット、キャップ４又はリザーバ１が認証されていると判定したとき、注入ポンプデバイス３０の操作が可能なように構成され、また、エレクトロニクス６０は、処理エレクトロニクス６２が、基部／リザーバ／キャップユニット、キャップ４又はリザーバ１が認証されていると判定しないとき、注入ポンプデバイス３０の操作ができないように構成される。例えば、処理エレクトロニクス６２は、制御信号を駆動デバイスに提供し、駆動デバイスの操作を停止するか、又は駆動又は電力信号を駆動デバイスに送信するのを阻止するか、又は別の所定の行動を実行し、注入ポンプデバイス３０からの注入媒体の分配ができないようにするように構成されてもよい。他の実施形態では、エレクトロニクス６０は、注入ポンプデバイス３０の注入操作（又は制限された若しくは他の所定の注入操作）が可能であり、また、処理エレクトロニクス６２が、基部／リザーバ／キャップユニット、キャップ４又はリザーバ１が認証されていると判定しないとき、１つ以上の更なる所定行動を実行するように構成される。こうした他の所定の行動としては、以下に限定されないが、注入ポンプデバイス３０の表示デバイスに読み取り可能なメッセージを提供すること、注入ポンプデバイス３０上の警報表示器を操作するために、警報信号を提供すること、及び注入操作、検出された特性（複数可）、時間、日付及び地理的位置又はこれらの任意の組み合わせのうちの１つ以上に関連付けられたデータを記録することのうちの１つ以上が挙げられる。
【０４１９】
更なる実施形態では、１つ以上の検出可能パラメータ（例えば、表１及び表２のパラメータ１−Ｎ）を地理的領域、日付、時間又は他の所定のパラメータに関連付ける代わりに、処理エレクトロニクス６２は、センサ（複数可）３４による磁気検出を用いて、注入ポンプデバイス３０内での基部／リザーバ／キャップユニット、キャップ４又はリザーバ１の存在又は適切な配置、装着及び接続が判定されるように構成される。次に、一旦、注入ポンプデバイス３０内での基部／リザーバ／キャップユニット、キャップ４又はリザーバ１の適切な位置合わせ、装着又は接続が検出されると、処理エレクトロニクスは、注入ポンプデバイス３０が所定の（事前に公認された）領域内にあると判定されるか、又は、所定の（事前に公認）時間又は日付内で操作されているかに基づいて、注入ポンプデバイス３０の操作を制御する。こうした実施形態では、所定の（事前に認定された）領域、時間、日付又はこれらの組み合わせの表、リスト、又は他のデータ構成は、例えば、電子メモリ６６など、エレクトロニクス６０と連結されたメモリ内に格納される。更なる実施形態では、一旦注入ポンプデバイス３０が操作を開始すると、処理エレクトロニクス６２が地理的位置、時間、所定の時間、定期的に、無作為になどでの日付（又はこれらの任意の組み合わせ）を判定するように構成されてもよい。
【０４２０】
任意の上記又は更なる実施形態では、処理エレクトロニクス６２は、注入ポンプデバイス３０、基部／リザーバ／キャップユニット、キャップ４又はリザーバ１、又はこれらの使用方法及び操作に関する情報を記録するように構成されてもよい。特定の実施形態では、処理エレクトロニクス６２は、例えば、メモリ６６内に基部／リザーバ／キャップユニット、キャップ４又はリザーバ１に関連付けられた識別情報、注入ポンプデバイス３０に対する基部／リザーバ／キャップユニット、キャップ４又はリザーバ１の接続、操作又は切断が行われた日付又は時間、警報状態の日付又は時間、注入ポンプデバイス３０の操作の日付又は時間、検出されたパラメータと関連付けられた検出されたパラメータ又は状態のうちの１つ以上に対応するデータを記録するように構成される。更なる実施形態では、任意の上記記録イベントの時間に注入ポンプデバイスの地理的位置が、日付又は時間情報の記録の代替として又は追加として記録される。こうした実施形態では、所定の地理的領域、日付又は時間外（例えば、所定の有効期限を超えている）の注入ポンプデバイス３０、基部／リザーバ／キャップユニット、キャップ４又はリザーバ１の使用が記録されてもよい。更なる実施形態では、イベントを記録する代替として又は追加として、処理エレクトロニクス６２は、所定の地理的領域、日付又は時間外の注入ポンプデバイス３０、基部／リザーバ／キャップユニット、キャップ４又はリザーバ１の使用が検出されたとき、警報指標及び注入ポンプデバイス内の表示デバイス上での警告メッセージの表示のうちの１つ以上を提供するように構成される。
【０４２１】
更なる実施形態では、注入ポンプデバイス３０（又は他の送達デバイス）に１つ以上の無線又は有線通信デバイスが提供され、この１つ以上の無線又は有線通信デバイスは、注入ポンプデバイス３０とは別個の、又は注入ポンプデバイス３０から遠隔に位置する別の電子デバイスに表示するために、リザーバ１に残存している又はリザーバ１から分配される注入流体の体積に関する体積情報（又は検出されたパラメータ又は関連付けられた特性に対応する他の情報）を送信するように構成され、かつ制御される。特定の実施形態では、ネットワーク（例えば、以下に限定されないが、インターネットなど）上での通信のため、無線通信デバイス（複数可）を、１つ以上の所定のネットワーク接続デバイスに接続するように構成する。このような１つ以上の所定のネットワーク接続デバイスは、注入ポンプデバイス３０（又は他の送達デバイス）に対して遠隔の地理的位置に位置していてもよい。特定の実施形態では、こうしたネットワーク接続デバイスには、注入ポンプデバイス３０（若しくは他の送達デバイス）から、又は注入ポンプデバイス３０（若しくは他の送達デバイス）と通信する他のネットワーク接続デバイス（クレイドル、又はユーザのコンピュータなど）から情報を受信するように構成されたサーバが含まれる。こうした情報としては、１つ以上の検出パラメータ若しくは１つ以上の関連特性に対応する情報、又は上記のようなリザーバ１、キャップ４、基部／リザーバ／キャップユニット若しくは注入セットに関する他の情報を挙げることができるが、これらに限定されない。
【０４２２】
こうした実施形態では、ネットワーク接続サーバは、情報を記録したり、関連製品（例えば、補充又は交換品など）を供給したり、又は医学的治療若しくは医療保険をユーザに提供したりするエンティティと連結されてもよい。一例では、ネットワーク接続サーバは、Ｍｅｄｔｒｏｎｉｃ  Ｉｎｃ．のＣａｒｅｌｉｎｋ（商標）システムに連結している。他の実施形態では、ネットワーク接続サーバは、１つ以上の他のサーバ及び関連エンティティである。したがって、こうした情報は、サーバ（又は連結されたエンティティ）によって、補充、新規又は交換用リザーバ、キャップ、注入セットの針、ハウジング、注入セットチューブ又はキャップ４、基部／リザーバ／キャップユニット又は注入セットの他の構成部品を送るか（又はいつ送るか）を判定するために使用されてもよい。更なる実施形態では、こうした情報は、ユーザの医師又はユーザに関連する他の医学的治療エンティティ（追跡、診断、治療計画の調整又は他の好適な使用のために）に提供されてもよい。このため、このような実施形態では、補充又は交換品が自動的（ユーザが注文する必要なく）にユーザに送られ得、また、使用情報が、ユーザのヘルスケア提供者、保険提供者又は他の好適なエンティティに自動的に提供され得る。
【０４２３】
更なる実施形態では、ネットワーク接続サーバは、上記のネットワーク通信接続又は他のネットワーク接続を介して情報を提供するように構成される（また、注入ポンプデバイス３０又は他の送達デバイスは、その情報を受信するように構成される）。こうした情報としては、リザーバ１、キャップ４、基部／リザーバ／キャップユニット若しくは注入セットの交換又は補充に関する指示若しくは推奨、ヘルスケア提供者、保険業者若しくは製造者からのメッセージ若しくは通知、リコール通知などを挙げることができるが、これらに限定されない。特定の実施形態では、注入ポンプデバイス３０（又は他の送達デバイス）のエレクトロニクス（エレクトロニクス６０など）は、所定の指示、通知又はメッセージの受領に応答して、１つ以上の所定の動作（上記のような）を実施するように構成される。
【０４２４】
上記の実施形態では、構成要素３４及び４２の一方は、少なくとも１つの磁石を含み、構成要素３４及び４２の他方は、少なくとも１つのセンサを含む。他の実施形態では、構成要素３４及び４２の一方は、直接的に相互作用することのないように配置された磁石及びセンサの両方を含み、構成要素３４及び４２の他方は、金属、又は（注入ポンプデバイス３０のリザーバ受容部３２で基部／リザーバ／キャップユニットを十分にかつ適切に受容させるとき）磁石と揃っているか若しくは近位にある（又はその両方を）とき、磁化可能であるか若しくは磁束を伝えるが、磁石と揃っていないか若しくは近位にないときは、磁石により磁化されないか、又は磁束を伝えない他の材料を含む。これらの実施形態では、センサは、金属又は他の材料と十分に揃えて、かつ近位に構成し、配置し、注入ポンプデバイス３０のリザーバ受容部３２で金属又は基部／リザーバ／キャップユニットを十分に又は適切に受容させるときに磁化される他の材料の状態を検出する。
【０４２５】
ｂ．誘導検出
上記の特定の実施形態では、キャップ４、リザーバ１及び注入ポンプデバイス３０のうちの１つ（又は全て）は、少なくとも１つのセンサを備え、キャップ４、リザーバ１及び注入ポンプデバイス３０のうちのその他のもの（又は全て）は、キャップ４が注入ポンプデバイス３０に適切に連結されたとき、センサによって検出される、少なくとも１つの検出可能特徴部を備える。上記の実施形態は、１つ以上の磁気検出可能特徴部と、磁石検出センサと、を備える。本明細書に記載の他の実施形態は、他の感知構成（ＲＦ式、光学式、機械式、又は電気接点式の感知構成など）によって検出される１つ以上の検出可能特徴部を備える。他の実施形態では、１つ以上の検出可能特徴部４２は、誘導型センサによって検出することができる誘導検出可能部材（又は標的）を備え、１つ以上のセンサ素子３４は、誘導型センサを含む。
【０４２６】
このため、一例では、構成要素４２は、キャップ４によって担持される１つ以上の誘導検出可能部材（又は標的）を表し、一方で構成要素３４は、リザーバ受容部３２内又はリザーバ受容部３２に隣接して注入ポンプデバイスに位置する１つ以上の誘導型センサ素子を表す。更なる実施形態では、誘導型センサ素子（複数可）と誘導検出可能部材（複数可）（標的（複数可））の相対的位置は逆になっており、誘導検出可能部材（複数可）４２（又は標的（複数可））が注入ポンプデバイス３０内に配置され、かつ注入ポンプデバイス３０によって担持され、一方で、誘導型センサ（複数可）３４がキャップ４によって担持される。更なる実施形態では、誘導検出可能部材（複数可）（又は標的（複数可））及び誘導型センサ素子（複数可）は、それぞれ注入ポンプデバイス３０内に配置され、かつ注入ポンプデバイス３０によって担持される。
【０４２７】
上述し、また図１〜６に示した、（センサ及び検出可能特徴部３４及び４２としての）磁気センサ及び磁気検出可能特徴部の配置及び構成を、ここでも参照により援用し、センサ及び検出可能特徴部３４及び４２として、誘導検出可能特徴部及び誘導型センサを使用する実施形態に適用する。したがって、特定の実施形態では、誘導検出可能標的及び誘導型センサは、上述の実施形態における磁気検出可能特徴部及び磁気センサに代えて用いられる。加えて、及び適用可能な場合、ＲＦ、光学、及び機械的センサ及び検出可能特徴部に関して記載された更なる配置及び構成（センサ及び検出可能特徴部３４及び４２として）が使用され得、参照により組み込まれ、センサ及び検出可能特徴部３４及び４２として、誘導検出可能特徴部及び誘導型センサを有する実施形態に適用される。
【０４２８】
誘導型センサは、金属様の又は他の導電性物体の存在を検出するために使用される非接触型近接センサとして構成されてよい。したがって、特定の実施形態では、１つ以上の誘導型検出可能部材（又は標的）は、キャップ４に取り付けられるか、埋め込まれるか、さもなければキャップ４上に提供された１つ以上の導電性材料を備える。このような導電性部材（又は標的）は、以下に限定されないが、銅、金、銀、ニッケル、鉄系金属、他の導電性金属類又は他の導電性材料など、任意の好適な導電性材料製であってもよい。特定の実施形態では、導電性部材（又は標的）は、印刷されるか、又はキャップ４に適用される導電性インク又は他の導電性材料を含む。更なる実施形態では、導電性部材（又は標的）は、所望の場合、成形されかつ／又は形成された導電性ポリマー材料を含む。誘導型検出可能部材（又は標的）は、受動型であってもよい（別個の電源によって作動するものではない）。
【０４２９】
加えて、１つ以上のセンサが、注入ポンプデバイス３０に提供され、それぞれのセンサは、１つ以上の導電性コイルを含む（又は接続される）。各コイルは、リザーバ受容部３２の領域内で、注入ポンプデバイス３０に取り付けられるか、組み込まれるか、又は別の方法で注入ポンプデバイス３０に提供される。各導電性コイルは、以下に限定されないが、銅、金、銀、ニッケル、鉄系金属、導電性インク又は他の導電性金属、又は導電性材料など、任意の好適な導電性材料で構成されてもよく、標的との誘導性相互作用に好適なコイル構成で形成される。
【０４３０】
特定の実施形態では、単一の導電性コイルは、注入ポンプデバイス３０に提供され、コイルとの誘導性相互作用のための単一の導電性部材（又は標的）は、キャップ４（又は基部／リザーバ／キャップユニット）に提供される。他の実施形態では、複数の導電性コイルは、導電性部材（複数可）（標的（複数可））が、コイル（複数可）と誘導的に相互作用し、リザーバ受容部３２に対するキャップ４の軸方向若しくは回転方向（角度的）の運動又は位置（又はその両方）を検出する検出可能信号を提供することができるような位置で、注入ポンプデバイス３０に提供される（かつ／又は複数の導電性部材又は標的が、キャップ４に提供される）。導電性部材（複数可）（又は標的（複数可））とコイル（複数可）との相互作用によりもたらされる検出可能な信号は、部分的に、導電性部材とコイルとの距離、導電性部材（又は標的）のサイズ、形状及び材料など、様々なパラメータに依存する。したがって、これらのパラメータは、リザーバ受容部内での十分に装着させた位置で、リザーバ受容部内での十分な装着位置でのキャップ４（又は基部／リザーバ／キャップユニット）の存在、並びに、キャップ４（又は基部／リザーバ／キャップユニット）又はキャップ４に接続される注入セットに関連付けられた他の情報を示し得る、検出可能なシグネチャを提供するように選択することができる。
【０４３１】
例えば、図７及び８の実施形態では、金属製リング若しくはバンドの形態の導電性部材又は標的９１がキャップ４上に提供される。図７は、注入ポンプデバイス３０のリザーバ受容部３２の外側に、基部／リザーバ／キャップユニットを備える注入ポンプシステム３０の斜視図を示す。図８は、基部／リザーバ／キャップユニット（図には一部分のみ示す）がリザーバ受容部３２内に位置した状態の、注入ポンプデバイス３０の一部の部分側方拡大断面図を示す。
【０４３２】
図７及び図８の実施形態では、標的９１は、キャップ４の外側表面に取り付けられ、キャップ４（及び基部／リザーバ／キャップユニットのリザーバ１）の軸Ａの周りに周方向に延びるリング又はバンドの形態である。他の実施形態では、標的９１のリング又はバンドは、（例えば、標的９１への損傷を最小限に抑えるため）ユーザ又はその他の物体による接触を最小限に抑えるか又は回避するために、キャップ４の内側表面に取り付けられるか、又はキャップ４の壁部内に埋め込まれる。他の実施形態では、標的９１は、リング又はバンドとは異なる形状（例えば、以下に限定されないが、図９の実施形態に示すような、三角形又は矢じり形状）を有する。更なる実施形態では、標的９１は、同一形状又は異なる形状の複数の導電性部材で構成される。例えば、標的９１を形成する複数の導電性部材は、所定のパターンで配置され、標的９１に関連付けられた誘導シグネチャを提供してもよく、ここで、誘導シグネチャは、少なくとも部分的には、標的９１の導電性部材の数又はパターン（又はその両方）に応じている。
【０４３３】
また、図７及び図８の実施形態では、誘導型センサ（又は別個であるが、誘導型センサに接続されている）の導電性コイル９３は、注入ポンプデバイス３０上に提供される。コイル９３は、誘導型感知回路の一部であり（又は接続されている）、図９の回路９５に限定されるものではない。図７及び図８の実施形態では、コイル９３は、注入ポンプデバイス３０のリザーバ受容部３２の周りに延び、かつリザーバ受容部３２の軸Ａ周りに延びる。特定の実施形態では、コイル９３は、軸Ａ周りに巻かれるか、壁部に取り付けられるか、埋め込まれるか、又は別の方法で注入ポンプデバイス３０のリザーバ受容部を形成する壁部において提供される、金属線又は他の導電性材料を含む。他の実施形態では、コイルは、注入ポンプデバイス３０のリザーバ受容部を形成する壁部に取り付けられるか、埋め込まれるか、又は別の方法で提供されるが、リザーバ受容部３２の軸Ａの周りに周方向になっていない。
【０４３４】
更なる実施形態では、リザーバ受容部３２の上端部（リザーバを受容する端部）は、リザーバ受容部３２の下部に取り付けられた上部リング部材９４を備え、コイル９３は、リング部材９４に取り付けられるか、埋め込まれるか、又は別の方法で提供される。これにより、コイル９３及びリング部材９４は、注入ポンプデバイス３０の他の部分とは別に製造され、その後、注入ポンプデバイス３０の製造中又は製造後に、注入ポンプデバイス３０と組み立てることができる。こうした実施形態では、リング部材９４は、以下に限定されないが、プラスチック、金属、セラミック、複合材料又はこれらの組み合わせなど、任意の好適な硬質材料製であってもよい。リング部材９４は、以下に限定されないが、溶接、のり、樹脂又は他の接着材料、ネジ山、摩擦嵌合など、任意の好適な取り付け機構により、リザーバ受容部３２の他の部分に取り付けられる。
【０４３５】
リング部材９４は、リザーバ受容部３２において、キャップをリザーバ受容部内に受容させるとき（又は受容させるにつれ）、コイル９３をキャップ４の標的９１と誘導的に相互作用させ得るような位置に配置される。例えば、コイル９３は、キャップがリザーバ受容部３２内に受容されたとき（又は受容されるにつれ）、コイル９３が標的９１に隣接し、十分に近位となる位置にある、リング部材９４上に配置され、これにより、標的９１がコイル９３に十分に近位となって、（誘導により）コイル９３（及び図９の回路９５）を流れる電流に、検出可能な変化が生じるようにされてもよい。
【０４３６】
一例示的実施形態では、センサ３４は、電気的検出回路でコイル９３に接続される（例えば、図９の回路９５）。図９は、電気的検出回路の概略図を示す。回路９５では、電源９６がコイル９３の両端子に接続され、センサ３４は、電源９６とコイル９３との間に接続されている。回路９５には、コイル９３の両端子に接続されたコンデンサ９７により形成されたタンク回路を含む。電源９６からの電流により、回路９５内のコイル９３は時変磁界をもたらす。この磁界内での標的９１の位置及び運動の変化により、コイル９３のインダクタンス及び回路９５の等価抵抗値の検出可能な変動が生じる。特定の実施形態では、センサ３４は、処理エレクトロニクス（例えば、図５の処理エレクトロニクス６２など）に出力信号を提供し、ここで、このセンサ出力信号は、コイルのインダクタンス、及び回路の抵抗値又はインピーダンスに依存する（また、このため、コイル９３に対する標的９１の運動及び位置に依存する）。更なる実施形態では、センサ３４は、回路９５内で信号を処理し、標的９１の存在又はその信号からの他の情報を判定する処理エレクトロニクス（例えば、処理エレクトロニクス６２など）への電気的リンクから構成されてもよい。
【０４３７】
キャップ４（又は基部／リザーバ／キャップユニット）が注入ポンプデバイス３０のリザーバ受容部３２内に移動するとき、標的９１がコイル９３に対して矢印９８の方向に移動するような位置及び箇所において標的９１がキャップ４に取り付けられる。その結果として、キャップ４（又は基部／リザーバ／キャップユニット）が注入ポンプデバイス３０のリザーバ受容部３２内に移動するとき、標的９１は、コイル９３に隣接した位置（又は開始位置に対してコイル９３に隣接した異なる位置）に移動する。図９では、標的９１は実線でも破線でも示されているが、これは、標的９１の２つの異なる位置、及び実線位置から破線位置への矢印９６の方向への移動を示す。
【０４３８】
コイル９３に隣接し、かつコイル９３に対する標的９１の移動及び位置の変化により、回路９５の電流信号への検出可能な影響が生じ、これは、少なくとも部分的には、標的９１とコイル９３との間の距離、及び標的９１のサイズ、形状及び構成品（の関数）に依存する。標的９１を矢印９６の方向に移動させた後のコイル９３に対する標的９１の位置により、回路９５において、標的９１がコイル９３に隣接していないとき（例えば、キャップ４の装着前又はキャップ４のリザーバ受容部３２からの取り外し後）の信号とは異なる、検出可能な信号が生じる。
【０４３９】
特定の実施形態では、センサ３４（又は処理エレクトロニクス６２）は、標的９１の非存在下で（例えば、キャップ４又は基部／リザーバ／キャップユニットの装着前に）、回路９５のタンク回路に関連するインダクタンス（又は他のパラメータ）を検出するように構成される。これにより、センサ３４（又は処理エレクトロニクス６２）に、標的９１が存在していない場合に関連するベース値又は較正値が提供される。その後、キャップ４（又は基部／リザーバ／キャップユニット）をリザーバ受容部３２に装着させた後、センサ３４（及び処理エレクトロニクス６２）は、標的９１が存在するときの回路９５のタンク回路に関連する、（ベース値又は較正値に対して）変化したインダクタンス（又は他のパラメータ）を検出するように構成される。インダクタンス（又は他のパラメータ）の変化が検出されるとき、処理エレクトロニクス６２は、（その検出に応答して）キャップ４（又は基部／リザーバ／キャップユニット）が装着されていると判定する。
【０４４０】
上記一実施形態において、標的９１は、キャップ４の周りのリング又はバンドの形態で提供される。他の実施形態では、標的９１は、部分的なリング又はバンドとして形成されてもよいし、又は別の形状を有してもよい。例えば、図９の実施形態では、標的９１は、対向する第１及び第２の端部を有する三角形状（又はテーパー状、矢じり形状）を有し、第１の端部９１ａは、第２の端部９１ｂよりも小さい幅寸法（例えば、図９の横寸法）を有する。本実施形態では、キャップ４をリザーバ受容部３２内に移動させると、標的９１の第１の端部９１ａ（より小さい寸法の端部）は、コイル９３の中心部に向かって（コイル９３を横断して）移動し、標的９１の第２の端部９１ｂ（より大きい寸法端部）はその後に続く。このため、標的９１の第１の端部９１ａ（より小さい寸法端部）は、渦電流に影響を及ぼし、次いで、標的９１の第２の端部９１ｂ（より大きい寸法の端部）が渦電流へ影響を及ぼし、その結果、少なくとも部分的には、標的９１の形状及び運動の方向に依存する時変信号となる。
【０４４１】
同様に、キャップ４（又は基部／リザーバ／キャップユニット）をリザーバ受容部３２から離れる方向（矢印９６の方向と反対側）に移動させるとき、運動方向において、標的９１の第２の端部９１ｂ（より大きい寸法の端部）は、標的９１の第１の端部９１ａ（より小さい寸法の端部）の前方に来ることになり、矢印９６の方向への移動による効果とは異なる、渦電流への検出可能な効果が生じる。したがって、キャップ４（又は基部／リザーバ／キャップユニット）の移動は、標的９１の（リザーバ受容部内への又はその外への）運動方向及び標的９１のサイズ及び形状に、部分的に依存した、回路９５における時変信号（又は検出可能なシグネチャ）をもたらす。
【０４４２】
特定の実施形態では、注入ポンプデバイス３０は、複数の異なるキャップ４（又は基部／リザーバ／キャップユニット）のいずれとも動作可能であり、ここで、それぞれのキャップ（又はそれぞれの基部／リザーバ／キャップユニット）は、１つ以上の標的９１を有し、この１つ以上の標的９１により、複数の異なるキャップ４のそれぞれ他のキャップ４とは異なる検出可能な信号を、回路９５内で生じさせる（つまり、検出可能な異なるシグネチャを有する）。例えば、異なる製造者製であるか、異なるリザーバ用であるか、異なるリザーバ内容物用であるか、又は（他のキャップ４又は基部／リザーバ／キャップユニット又は関連する注入セットに対して）他の異なる特徴を有するキャップ４（又は基部／リザーバ／キャップユニット又は関連する注入セット）は、こうした他のキャップ４又は基部／リザーバキャップユニット又は連結された注入セットに対して、それぞれ異なる標的９１（例えば、異なる形状、サイズ、材料又はこれらの組み合わせ）を有し、異なる検出可能な信号（又は標的のシグネチャ）を生じ得る。特定の実施形態では、処理エレクトロニクス（例えば、処理エレクトロニクス６２など）は、キャップ４をリザーバ受容部に装着させるか、又はリザーバ受容部から取り外す際に、キャップ４（又は基部／リザーバ／キャップユニット）を矢印９６の方向（又は反対方向）に移動させるとき、又はキャップ４が装着位置にあるときに生じた検出可能な信号（又はシグネチャ）に基づいて、キャップ４（又は基部／リザーバ／キャップユニット）に関する情報を判定するように構成される。
【０４４３】
例えば、処理エレクトロニクス（例えば、図５の処理エレクトロニクス６２）は、図６に関して上述のように、プロセス１５０を実施するように構成されてもよいが、ここで、検出可能パラメータは、例えば、以下に限定されないが、サイズ、形状、材料若しくは標的９１の導電性部材の数又はキャップ（若しくは基部／リザーバ／キャップユニット）の標的９１の数及び標的（複数可）９１の位置、又はこれらの任意の組み合わせなど、標的９１の特徴部により影響を受ける信号パラメータである。こうした実施形態では、処理エレクトロニクス（例えば、処理エレクトロニクス６２に関連するメモリ６６など）に関連するメモリは、検出可能な信号パラメータ（又は標的シグネチャ）と共にデータを格納する。処理エレクトロニクス６２は、検出された信号のパラメータ（又は検出された標的シグネチャ）を格納されたパラメータと比較し、格納したデータから、検出された信号（又は標的シグネチャ）のパラメータに関連する特定の選択されたデータを得るように構成される。
【０４４４】
格納されたデータは、複数の、キャップ４（又は基部／リザーバ／キャップユニット、リザーバ又は関連する注入セット）の異なるモデル、サイズ、種類又は形式、キャップ４（又は基部／リザーバ／キャップユニット、リザーバ又は関連する注入セット）の製造者、リザーバ１内の注入媒体の種類（例えば、以下に限定されないが、インスリン、他の薬物又は他の媒体の種類など）、リザーバ１内の注入媒体の濃度、リザーバ１内の注入媒体の体積量、日付（以下に限定されないが、リザーバ１内の注入媒体又はリザーバ１自体に関連する有効期限又は充填日又は他の日付に対応する日付など）、位置情報（例えば、以下に限定されないが、リザーバ１、キャップ４又はリザーバ１内の注入媒体（又は全て）を製造、充填、又は他の方法で処理した場所に対応する位置情報又はリザーバ１の使用が認められた位置）、ロット番号（又はリザーバ１又は注入媒体の製造、洗浄、充填又は他の方法での処理が行われたバッチに関連する他の符号）、シリアル番号、固有ＩＤ、製造日、（リザーバ１について権限を有するユーザの）ユーザ識別情報、又はキャップ（又は基部／リザーバ／キャップユニット、リザーバ、又は関連する注入セット）に関連する他の所定のデータ若しくは特性に対応するデータを含んでいてもよいが、これらに限定されない。この方法では、処理エレクトロニクスは、キャップ４（又は基部／リザーバ／キャップユニット、リザーバ１又は連結させた注入セット）に関する様々な特性又は情報を、キャップ４（又は基部／リザーバ／キャップユニット）を注入ポンプデバイス３０に装着するか、注入ポンプデバイス３０から取り除くとき、又はキャップ４（又は基部／リザーバ／キャップユニット）が装着位置にあるときに発生する検出された信号（又はシグネチャ）から、判定することができる。
【０４４５】
図９の実施形態は、三角形状の標的９１を有しているが、他の実施形態では、他の好適な形状又は形状の組み合わせを有する標的９１を用いる。例えば、図７及び図８の実施形態における標的９１は、リング又はバンド形状を有する。特定の実施形態では、標的９１を矢印９６の方向と反対の方向に（例えば、リザーバ受容部３２から出す）移動させるときに発生した信号に対して、矢印９６の方向に（例えば、リザーバ受容部３２内に）標的９１を移動させるとき、標的９１の形状又は複数の標的９１のパターン（若しくは形状及びパターン）が選択され、検出可能な異なる信号を提供する。この方法では、処理エレクトロニクス６２は、こうした異なる信号を検出し、キャップ４（又は基部／リザーバ／キャップユニット）がリザーバ受容部に装着されているか、又は取り外されているかどうかを判定するように構成されてもよい。
【０４４６】
標的９１の形状、サイズ及び材料並びに複数の標的９１の数及びパターンが、渦電流並びに、このために標的９１を移動させるか、又はコイル９３に隣接して配置されたときに発生する検出可能な信号（又はシグネチャ）に影響を与え得る。したがって、上記のように、標的９１の形状、サイズ及び材料並びに複数の標的９１の数及びパターンを選択し、特定の一意的又は非一意的な検出可能な信号（又はシグネチャ）を提供することができる。
【０４４７】
特定の実施形態では、キャップ４（又は基部／リザーバ／キャップユニット）は、複数の標的９１を含めてもよいか、又は注入ポンプデバイス３０は、複数のコイル９３を含めてもよく（又はその両方を）、軸Ａに沿って、又は軸Ａ周りの（又はその両方を）異なる位置に配置させる。こうした実施形態では、軸Ａの長さ寸法に対する又は軸Ａ周りでの（又はその両方）キャップ４（又は基部／リザーバ／キャップユニット）の位置を検出して、軸Ａ（このため、注入ポンプデバイス３０のリザーバ受容部３２）に対して、キャップ４（又は基部／リザーバ／キャップユニット）の直線位置又は回転位置を検出することができる。例えば、図４Ａ及び図４Ｂの複数のセンサ及び複数の検出可能部材３４及び４２に類似の方法で、複数の標的９１及び／又は複数のコイル９３により、回転位置を検出することができる。
【０４４８】
上記のある実施形態では、標的（複数可）９１は、キャップ４（又は基部／リザーバ／キャップユニット）に提供され、コイル（複数可）９３は、注入ポンプデバイス３０に提供される。他の実施形態では、標的（複数可）９１及びコイル（複数可）９３は、両方とも注入ポンプデバイス３０に提供される。例示的実施形態では、１つ以上の標的９１は、注入ポンプデバイス３０上で対応する１つ以上のコイル９３を用いて支持され、各標的９１は、注入ポンプデバイス３０のリザーバ受容部３２内でのキャップ４（又は基部／リザーバ／キャップユニット）の装着時又は装着に応答して、標的９１を所定の方向に移動させる支持構造によって保持される。
【０４４９】
リザーバ受容部３２において、キャップ４（又は基部／リザーバ／キャップユニット）の装着に応答して標的９１を移動させるための機械的可動支持構造の代表例を、図１０〜図１５を参照して記述する。図１０及び図１１は、注入ポンプデバイス３０の一部の部分拡大断面図を示す。図１０では、注入ポンプデバイス３０のリザーバ受容部３２は、キャップ４（基部／リザーバ／キャップユニット）が外れた状態である。図１１では、キャップ４（基部／リザーバ／キャップユニット）は、注入ポンプデバイス３０のリザーバ受容部３２内に装着されている。
【０４５０】
図１０及び図１１では、注入ポンプデバイス３０は、機械的可動部材又はアクチュエータを保持している。機械的可動部材（アクチュエータ）は、リザーバ受容部３２に向かう、リザーバ受容部３２内での適切かつ十分な受容位置への、手を使ったキャップ４（又は基部／リザーバ／キャップユニット）の移動の結果として、キャップ４（又は基部／リザーバ／キャップユニットの他の構成要素）の係合部分と係合し、第１の位置から第２の位置へ移動させられるように配置される。
【０４５１】
機械的可動部材は、１つ以上の標的９１（図１０及び図１１に示すもの）を担持し、機械的可動部材を第２の位置へ移動させるとき、１つ以上のそれぞれのコイル９３（図９及び図１０示すもの）に対して、標的（複数可）９１を移動させる。したがって、キャップ４（又は基部／リザーバ／キャップユニット）がリザーバ受容部３２へ向かって、リザーバ受容部３２内での適切かつ十分な受容位置へと、手動で移動させられることにより、機械的可動部材が所定の方向に第２の位置へ向かって移動し、これによって、１つ以上の標的９１を１つ以上のコイル９３に隣接するように、１つ以上のコイル９３に対して動かす。標的９１が第２の位置に移動したか否かを検出するために、それぞれのコイル９３を回路（回路９５に関して上述のものなど）で接続する。したがって、標的９１の状態又は位置を検出することによって、エレクトロニクスは、キャップ４（又は基部／リザーバ／キャップユニット）がリザーバ受容部３２内に適切に及び十分に受容されているかどうかを判定する。
【０４５２】
図１０及び図１１の実施形態では、機械的可動部材７０は、注入ポンプデバイス３０に配置されたチャネル７２内で移動するように担持される。図１０及び図１１の可動部材７０は、概して、細長いシャフト又はシリンダ形状を有し、以下に限定されないが、プラスチック、金属、セラミック、木材、複合材料又はこれらの任意の組み合わせなど、通常の操作の際に形状が保持される、好適な硬質材料で作製される。他の実施形態では、可動部材７０は、他の好適な形状又は形態を有し得る。
【０４５３】
チャネル７２は、注入ポンプデバイス３０のハウジング３３の構造内又はハウジング３３内に位置する更なる構造内に形成されてもよい。チャネル７２の第１の端部は、リザーバ受容部３２へと開口している。チャネル２の第２の端部は、注入ポンプデバイス３０のハウジング３３内部の別の部分へと開口している。図示した実施形態では、チャネル７２は長手方向寸法（図１０及び図１１の水平方向）に沿って直線状であり、可動部材７０は、チャネル７２の長手方向寸法に沿って延びる、対応する長手方向形状を有する。他の実施形態では、チャネル７２（及び可動部材７０）は、チャネル７２内で可動部材７０を第１の位置と第２の位置との間で移動させることができるような、同様の曲面形状又は他の好適な形状を有していてもよい。
【０４５４】
可動部材７０は、標的９１を保持する第１の端部７４（図１０及び図１１の可動部材７０の右側の端部）を有する。標的９１は、以下に限定されないが、接着剤、ねじ、ボルト、クランプ又は他の機械的コネクタなど任意の好適な方法で、又は標的９１を可動部材７０に埋め込む又は成形することによって可動部材７０に取り付けてよい。可動部材７０は、キャップ４（又は基部／リザーバ／キャップユニット）がリザーバ受容部３２内に適切かつ十分に受容されたとき、キャップ４の係合部分８０（又は基部／リザーバ／キャップユニットの他の構成要素）によって係合されるように配置される、第２の端部７８（図１０及び図１１の可動部材７０の左側端部）を有する。
【０４５５】
更に具体的には、キャップ４（又は基部／リザーバ／キャップユニットの他の構成部品）の係合部分８０は、キャップ４（又は基部／リザーバ／キャップユニット）を手動により挿入し、注入ポンプデバイス３０のリザーバ受容部３２内で、適切にかつ十分な挿入位置に移動させたとき、可動部材７０の第２の端部７８の表面に接触して係合する接触面を有する。キャップ４（又は基部／リザーバ／キャップユニット）を、リザーバ受容部３２内の適切かつ十分な挿入位置に向かって手動により移動させるとき、係合部分８０は、可動部材７０の第２の端部７８に係合する。次に、適切かつ十分な挿入位置に向かってキャップ４（又は基部／リザーバ／キャップユニット）を更に移動させることにより、係合部分８０が、可動部材７０の第２の端部７８を押し、（図９に示す）第１の位置から（図１０に示す）第２の位置へと、可動部材７０を矢印６９の方向に移動させる。
【０４５６】
可動部材７０を第１の位置（図１０）から第２の位置（図１１）へ移動させることにより、可動部材７０の第１の端部７４が、標的９１を、コイル９３に隣接するように、コイル９３に対して移動させる。コイル９３は、上記のような誘導検出のために、標的９１に隣接し、かつ標的９１の運動経路に沿った位置において、注入ポンプデバイス３０上（例えば、ハウジング３３内）で支持され、標的９１に十分に隣接している。したがって、標的９１は、キャップ４（又は基部／リザーバ／キャップユニット）をリザーバ受容部３２内の適切にかつ十分に挿入させた位置に対して移動させるとき、可動部材７０の移動によって（及び上記のように検出可能である）コイル９３に対して移動する。
【０４５７】
特定の実施形態では、キャップ４（又は基部／リザーバ／キャップユニット）がリザーバ受容部３２内の十分にかつ適切に挿入された位置にあるとき、キャップ４（又は基部／リザーバ／キャップユニット）上の係合部分８０は、可動部材７０の第２の端部７８と係合する接触面を有する特徴部（突出部、凸部、延出部、窪部など）を有する。こうした実施形態では、突出部（又は他の特徴部）は、キャップ４（又は基部／リザーバ／キャップユニット）がリザーバ受容部３２内の十分にかつ適切に挿入されているときのみ、可動部材７０を第２の位置に移動させるのに十分であるように、可動部材７０の第２の端部７８に係合する（又は十分に係合する）ための形状であってもよく、また、キャップ４（又は基部／リザーバ／キャップユニット）の特定の位置に位置してもよい。こうした実施形態では、標的９１、回路９５（コイル９３を含む）及び処理エレクトロニクス６２は、可動部材７０の第２の位置への移動を検出するように、又は第２の位置での可動部材７０の存在を検出するように（又はその両方）、例えば、キャップ４（又は基部／リザーバ／キャップユニット）が十分にかつ適切に装着されていることを判定するように構成される。更なる実施形態では、標的９１、回路９５（コイル９３を含む）及び処理エレクトロニクス６２は、可動部材７０の第２の位置以外の１つ以上の位置への移動を検出するように、又はこうした１つ以上の他の位置での可動部材７０の存在を検出するように（又はその両方）、例えば、キャップ４（又は基部／リザーバ／キャップユニット）が、リザーバ受容部３２内に十分に又は適切に装着されていないことを判定するように構成される。
【０４５８】
更なる実施形態では、キャップ（又は基部／リザーバ／キャップユニット）が、リザーバ受容部３２内に十分にかつ適切に装着されているとき、係合部分８０の突出部（又は他の特徴部）は、矢印６９の方向に所定の量（所定のサイズに対応する）、可動部材７０が移動することになる所定のサイズを有する。したがって、係合部分特徴部のサイズが異なれば、キャップ（又は基部／リザーバ／キャップユニット）がリザーバ受容部３２内に装着されたときの、可動部材７０（標的９１）の移動量が異なることになる。特定の実施形態では、係合部分特徴部のサイズを選択して、特定の一意的又は非一意的検出可能信号（又は標的シグネチャ）を提供し、その標的シグネチャのパラメータは、図６に関して記述されているような、プロセス１５０で検出されたパラメータとして（図５の）処理エレクトロニクス６２によって用いられる。
【０４５９】
こうした更なる実施形態では、係合部分特徴部の複数の異なる所定のサイズ（突出部の複数の異なる長さなど）は、図６に関して上述のように、キャップ４（又は基部／リザーバ／キャップユニット又は関連する注入セット）の異なる所定の特性に対応する所定のデータ（例えば、メモリ６６内に格納されたもの）に関連付けられてもよい（一対一ベースで又は他の所定の関連付け）。所定のデータは、複数の、キャップ４（又は基部／リザーバ／キャップユニット、リザーバ又は関連する注入セット）の異なるモデル、サイズ、種類又は形式、キャップ４（又は基部／リザーバ／キャップユニット、リザーバ又は関連する注入セット）の製造者、リザーバ１内の注入媒体の種類（例えば、以下に限定されないが、インスリン、他の薬物又は他の媒体の種類など）、リザーバ１内の注入媒体の濃度、リザーバ１内の注入媒体の体積量、日付（以下に限定されないが、リザーバ１内の注入媒体又はリザーバ１自体に関連する有効期限又は充填日又は他の日付に対応する日付など）、位置情報（例えば、以下に限定されないが、リザーバ１、キャップ４又はリザーバ１内の注入媒体（又は全て）を製造、充填、又は他の方法で処理した場所に対応する位置情報又はリザーバ１の使用が認められた位置）、ロット番号（又はリザーバ１又は注入媒体の製造、洗浄、充填又は他の方法での処理が行われたバッチに関連する他の符号）、シリアル番号、固有ＩＤ、製造日、（リザーバ１について権限を有するユーザの）ユーザ識別情報、又はキャップ（又は基部／リザーバ／キャップユニット、リザーバ、又は関連する注入セット）に関連する他の所定のデータ若しくは特性に対応するデータを含んでいてもよいが、これらに限定されない。図５のプロセス１５０の１５２に関して記載されるように、特徴部のサイズとデータとの関連性が、メモリ（メモリ６６など）に格納され得る。
【０４６０】
図５のプロセス１５０の１５６及び１５８に関して記載されるように、格納された関連性は、キャップ（又は基部／リザーバ／キャップユニット）、リザーバ１（又はその内容物）、注入セット５０、接続インターフェイス４０又はこれらの任意の組み合わせの１つ以上の特性を判定するために、処理エレクトロニクス（処理エレクトロニクス６２など）によって使用される。加えて、こうした処理エレクトロニクスは、図５のプロセス１５０において、１６０に関して記載されるように、判定された特性（複数可）に基づいて又は判定された特性（複数可）を使用して、所定の動作を提供するように構成されてもよい。この方法では、処理エレクトロニクス６２は、キャップ４（又は基部／リザーバ／キャップユニット）が、リザーバ受容部３２内に装着されるときの、矢印６９の方向への可動部材７０の移動量（又は標的９１の位置）を検出し、検出された移動量に関連付けられた情報を検索することによって、キャップ４（又は基部／リザーバ／キャップユニット又は関連する注入セット）に関する情報（例えば、関連付けられた所定の特性）を検出するように構成されてもよい。
【０４６１】
特定の実施形態では、可動部材７０が第１の位置にあるとき（図１０）、可動部材７０の第２の端部７８が、わずかな距離でリザーバ受容部３２内に延出する。その位置では、キャップ４（又は基部／リザーバ／キャップユニット）をリザーバ受容部３２内の適切かつ十分な挿入位置に向かって移動させるとき、可動部材７０の第２の端部７８は、キャップ４（又は基部／リザーバ／キャップユニット）の係合部分８０と接触するような位置に配置される。特定の実施形態では、キャップ４（又は基部／リザーバ／キャップユニット）をリザーバ受容部３２内の適切かつ十分な挿入位置に向かって移動させるときに、キャップ４又は基部／リザーバ／キャップユニットの直線運動（例えば、図１０及び図１１のリザーバ受容部３２の方向に下向きの運動）を、チャネル７２の長手方向寸法に沿った可動部材７０の直線運動へ転換しやすくするように、可動部材７０の第２の端部７８は、丸形、テーパー形状であるか、又は他の好適な形状であってよい。
【０４６２】
特定の実施形態では、可動部材７０の第２の端部７８は、キャップ４（又は基部／リザーバ／キャップユニット）を手動でリザーバ受容部３２内に挿入させ、適切な位置に向かって回転させるとき、第２の位置に移動することなく（それ故、標的９１をコイル９３に対して移動させることなく）、キャップ４（又は基部／リザーバ／キャップユニット）の外側表面に接触して、その外側表面に乗る（その外側表面が、可動部材７０の第２の端部７８の上でスライドし得る）のに十分な距離、リザーバ受容部３２のチャネル内に延出する。キャップ４（又は基部／リザーバ／キャップユニット）をリザーバ受容部３２内に適切かつ十分に受容させた（挿入し、適切な位置へと回転させた）とき、キャップ４（又は基部／リザーバ／キャップユニット）の係合部分８０は、可動部材７０の第２の端部７８と係合し、標的９１を第２の位置まで矢印６９の方向に移動させるのに十分な力を可動部材７０に加える。
【０４６３】
特定の実施形態では、可動部材７０の第２の端部７８（又は可動部材７０全体）は、可動部材７０の第２の端部７８が係合部分８０に接触するとき、少なくとも第２の端部７８で係合部分８０によって圧縮されるように、十分に柔軟であり、可撓性、弾性のある材料で作製される。例えば、キャップ４のサイズの違い、又は製造公差（又はその両方）が許容されるように、十分な柔軟性、及び可撓性を有し得る。したがって、可動部材７０の第２の端部７８は、（所定の範囲内で）任意のサイズの外径を有するキャップ４に対しては、十分に圧縮されて、その範囲内のより大きい直径に合わせることにより、接触するのに十分な距離で、リザーバ受容部３２に延びていてよい。
【０４６４】
第１の位置から第２の位置に移動したときに、可動部材７０がスイッチに向かって移動する特定の実施形態では、可動部材７０は、付勢部材８２を含むか、又は付勢部材８２と係合し、ここで、付勢部材８２は、可動部材７０に対して、可動部材７０を第１の位置（図９の位置）に向かって付勢する付勢力を加える。付勢部材８２は、例えば、以下に限定されないが、コイルバネ、板バネ、他のバネ構成、磁石、バルーン又は他の加圧伸張可能な容器など、可動部材７０に対して、第１の位置の方向に力を加える、任意の好適な構造又はデバイスであってよい。図１０及び図１１では、付勢部材８２の一例としてコイルバネを示す。
【０４６５】
こうした実施形態では、可動部材７０は、可動部材７０が第１の位置に到達したとき、可動部材７０の第１の位置の方向での更なる運動を停止させるための停止面を提供する突出部、延出部又は他の構造を含む。図１０及び図１１の実施形態では、可動部材７０は、停止面を提供する突出肩部８４を含む。図示した実施形態では、突出肩部８４は、チャネル７２の外側に、チャネル７２の第２の端部に隣接して配置されている。突出肩部８４は、突出肩部がチャネルを通り抜けることができないように、チャネル７２の寸法（例えば、幅寸法）よりも大きく（広く）なるように構成される。したがって、突出肩部８４は、可動部材７０が第１の位置（図１０）にあるときに、チャネル７２が位置している構造の表面と係合する、停止面（例えば、肩部８４の表面）を提供する。しかし、可動部材７０が第２の位置（図１１）にあるとき、又は第１の位置と第２の位置の間にあるとき、突出肩部８４は、チャネル７２が位置している構造の表面から離間している。
【０４６６】
特定の実施形態では、例えば、水分、液体又は他の流体がリザーバ受容部３２に入った場合に、チャネル７２を通る水分、液体又は他の流体の通過を防ぐため、１つ以上の封止部又は他の機構が提供される。このため、例えば、注入ポンプデバイス３０が水分、液体又は他の流体（例えば、雨、プールの水、シャワーの水など）にさらされた場合、水分、液体又は他の流体がリザーバ受容部３２から注入ポンプハウジング３３内の他の領域へ通過しないようにすることができる。
【０４６７】
図１０及び図１１の実施形態では、可動部材７０には、チャネル７２の内側表面に対して封止する１つ以上の（図面には２つ示す）封止構造８６が提供される。図示した実施形態では、２つの封止構造８６が可動部材７０に提供されている。他の実施形態では、単一の又は３つ以上の封止構造８６を用いてもよい。特定の実施形態では、それぞれの封止構造８６は、可動部材７０の周りに（例えば、可動部材７０のシャフト又は円筒形構造の外周周りに）材料の突出延出部又はリングを含む。ある実施形態では、１つ以上の封止構造８６は、可動部材７０と同一の材料により形成されたものであり、可動部材７０の一部として形成されるか（例えば、可動部材７０と共に成形されるか、若しくは機械加工されるなど）、又は別途に形成され、可動部材７０に取り付けられるかのいずれかである。ある実施形態では、１つ以上の封止構造８６は、可動部材と同一の材料から作製されたＯリングで構成される。他の実施形態では、１つ以上の封止構造８６は、以下に限定されないが、ゴム、プラスチック又はシリコーン材料など、封止機能に好適な可撓性、弾性材料など、可動部材とは異なる材料から作製されたＯリングで構成される。
【０４６８】
図１２〜図１４は、キャップ４（又は基部／リザーバ／キャップユニット）の注入ポンプデバイス３０のリザーバ受容部３２への装着時又は装着に応答して、標的９１を所定の方向に移動させることが可能な支持構造によって標的９１が保持される更なる実施形態を示す。図１２及び図１３のそれぞれは、注入ポンプデバイス３０の一部及びキャップ４の一部を示す拡大断面図を示す。図１２では、注入ポンプデバイス３０のリザーバ受容部３２は、キャップ４（及び基部／リザーバ／キャップユニット）が外れた状態である。図１３では、キャップ４（及び基部／リザーバ／キャップユニット）は、注入ポンプデバイス３０のリザーバ受容部３２内に装着されている。図１４は、別の実施形態による注入ポンプデバイス３０の一部及びキャップ４の一部を示す拡大断面図を示す。
【０４６９】
図１２及び１３では、コイル９３は、注入ポンプデバイス３０内に含まれ、注入ポンプデバイス３０によって保持される。特定の実施形態では、コイル９３は、注入ポンプデバイスのハウジング壁部（リザーバ受容部の一部を画定する壁部など）に取り付けられるか、又は埋め込まれる。また、図１２及び図１３の標的９１も、注入ポンプデバイス３０に含まれるか、又は注入ポンプデバイス３０によって保持される。特に、標的９１は、リザーバ受容部３２の軸Ａの方向に沿って直線運動するように、標的９１を支持する機械的連結部９７を介して、注入ポンプデバイス３０のハウジング３３に取り付けられる。
【０４７０】
機械的連結部９７は、標的９１を、キャップ４（又は基部／リザーバ／キャップユニット）がリザーバ受容部３２内に十分に受容される前の第１の位置（図１２に示すように）から、キャップ４（又は基部／リザーバ／キャップユニット）がリザーバ受容部３２内に十分に受容されるか、又は装着された後の第２の位置（図１３に示すような）まで移動するように支持する。特定の実施形態では、機械的連結部９７は、キャップ４（又は基部／リザーバ／キャップユニット）がリザーバ受容部３２内に十分に受容されていない（かつ標的９１と係合されていない）ときは、標的９１が第１の位置内に留まるか、又は第１の位置に移動するように、第１の位置（図１２に示す）に向かって標的９１を付勢する。
【０４７１】
しかし、キャップ４（又は基部／リザーバ／キャップユニット）がリザーバ受容部３２内に受容され、十分な装着位置に向かって移動するとき、キャップ４（又は基部／リザーバ／キャップユニット）の係合部分８０’が、標的９１と係合かつ接触し、標的９１を第２の位置に向かって移動させる。キャップ４（又は基部／リザーバ／キャップユニット）が十分に装着されているとき、係合部分８０’は、（図１３に示すように）標的９１との係合を維持し、かつ第２の位置で標的９１を保持する。キャップ４（又は基部／リザーバ／キャップユニット）をリザーバ受容部から取り外したとき、標的９１が解放され、例えば、（図１２に示すように）機械的連結部９７の付勢力を受けて第１の位置に戻ることができる。
【０４７２】
特定の実施形態では、係合部分８０’は、キャップ４の一部のリブの面又は底縁部であり、キャップ４の周り（キャップ４がリザーバ受容部３２に配置されるときは軸Ａの周り）に完全に延出する。他の実施形態では、係合部分８０’としては、キャップ４の１つ以上の凸部、ランプ部又は他の突出部が挙げられ、標的９１と揃え、リザーバ受容部３２に対して適切な回転位置（軸Ａの周りでの回転位置）でキャップ４がリザーバ受容部３２内に受容されたとき（又はそのときのみ）、１つ以上の選択された位置に配置され、キャップ４の周方向に離間している。代替的に又は追加的に、係合部分８０’は、軸Ａの直線寸法に沿って、複数の位置の任意の１つに配置し、係合部分８０’（直線寸法）の位置に依存した任意の量分（軸Ａの直線寸法に沿って）、標的９１を移動させてもよい。したがって、図１２及び図１３に示すような、係合部分８０’を有するキャップ４は、標的９１に係合し、かつ、標的９１を図１４に示すような係合部分８０’’を有するキャップ４よりも長い距離移動させることになる（ここで、係合部分８０’’は、係合部分８０’のキャップ４の底縁部からの距離と比べて、キャップ４の底縁部からより長い距離離れて位置している）。
【０４７３】
コイル９３は、標的９１を第２の位置（図１３又は図１４）に移動させるか、又は第２の位置（図１３又は図１４）に位置するとき、上記のように、検出可能な方法で標的９１と相互作用する位置で、注入ポンプデバイス３０内に支持される。より具体的には、標的９１の移動又は位置により、コイル９３（及び回路９５）内で検出可能な信号が発生する。しかし、標的９１を図１４の第２の位置とは異なる図１３の第２の位置に移動させるため、図１４の標的位置に対する図１３の標的位置に関しては、コイル９３（及び回路９５）内で発生した検出可能な信号（又は標的シグネチャ）は異なる。特定の実施形態では、処理エレクトロニクス（処理エレクトロニクス６２など）は、標的９１を図１３の第２の位置に移動させたときに提供される検出可能信号（又は標的シグネチャ）と標的を図１４の第２の位置に移動させたときに提供される異なる検出可能な信号（又は異なる標的シグネチャとを識別するように構成される。図１３及び図１４の実施形態は、軸Ａの直線寸法においてそれぞれ異なる係合部分の位置を有する２つの異なるキャップ４を示し、他の実施形態では、３つ以上の異なるキャップ４には、それぞれ異なる係合部分位置（軸Ａの直線方向に沿った、軸Ａの周り、又はこれらの組み合わせにおける異なる位置）が提供され、異なる標的９１を係合するか、又は係合された標的９１を、異なる量分、それぞれ他のキャップ４に対して移動させる。この方法では、異なるキャップ（又は異なる種類のキャップ又は基部／リザーバ／キャップユニット）は、異なる係合部分位置を有するという理由から異なる標的シグネチャを提供するように構成されてもよい。
【０４７４】
図１２〜図１４の実施形態では、単一のコイル９３は、標的９１の移動又は位置を検出するように配置され、図１３に示す距離分の標的の移動により、図１４に示す距離分の標的の移動とは異なる検出可能な信号（標的シグネチャ）が提供される。他の実施形態では、標的を図１３に示す第２の位置に移動させたとき、複数のコイル９３は、標的９１の移動又は位置を検出するために、少なくとも１つのコイルが任意の位置にあるように配置され、標的９１を図１４に示す第２の位置に移動させたとき、複数のコイル９３は、標的９１の移動又は位置を検出するために、少なくとも１つの他のコイルが任意の位置にあるように配置される。したがって、特定の実施形態では、複数のコイル９３は、異なるキャップ４に関して標的９１の複数の異なる第２の位置に対応するように配置される。
【０４７５】
ある実施形態では、コイル９３は、例えば、リザーバ受容部の内部に対向する内側表面、壁部の面に対向する反対側など、リザーバ受容部３２の一部を画定する壁部の面に取り付けられるか、又は壁部内に埋め込まれる。コイル９３がリザーバ受容部３２の壁部の反対側の面にあるか、又はリザーバ受容部３２の壁部内に埋め込まれる実施形態では、少なくとも、標的９１が第２の位置（図１２）にあるとき、壁部は、壁部を介して、標的９１とコイル９３との誘導結合が可能なプラスチック又は他の好適な材料でできている。
【０４７６】
連結構造９７は、軸Ａの方向に沿った直線運動のために、標的９１を支持する任意の好適な構造であってもよい。このような連結構造としては、以下に限定されないが、レール、ガイド面、付勢バネ、又はこれらの組み合わせを挙げることもできる。図１５に連結構造９７の一例を示し、直線寸法を有するレール９７ａ、レール９７ａの直線寸法を移動するためにレール９７ａによって支持され、かつ標的９１を保持する面を提供するプラットフォーム９７ｂ、及びレール９７ａによって支持され、レール９７ａの直線寸法の一端に向かってプラットフォームを付勢するバネ９７ｃを含む。レール９７ａは、リザーバ受容部３２の壁部の内側表面に連結する（又は、内側表面に形成される）ように構成される。他の実施形態では、他の好適な連結構造９７は、標的９１を支持するために用いられる。
【０４７７】
図１０〜１４の実施形態では、単一の機械的可動部材７０（図１０及び図１１）又は単一の連結支持可動標的９１（図１２〜図１４）を示す。他の実施形態では、２つ以上の（複数の）機械的可動部材（例えば、図１０及び図１１の機械的可動部材７０と同様に）又は２つ以上の（複数の）連結支持可動部材９１（例えば、図１２〜図１４と同様に）が、リザーバ受容部３２内で、軸Ａの長さ方向の周りに又は軸Ａの長さ方向に沿って配置される。こうした実施形態では、複数の機械的可動部材又は複数の連結支持可動標的を配置して、リザーバ受容部３２の軸Ａに対するキャップ４（又は基部／リザーバ／キャップユニット）の直線位置又は回転位置（又はその両方）を検出することができる。例えば、図４Ａ及び図４Ｂの複数のセンサの実施形態に関する上記の方法に類似した方法で、センサ３４からのセンサ信号を処理することによって、こうした回転位置を検出することができる。
【０４７８】
２つ以上の（複数の）機械的可動部材又は連結支持可動標的が、リザーバ受容部３２の軸Ａの周りに又は軸Ａに沿って所定の位置に配置されている実施形態では、対応する２つ以上のコイル９３が、注入ポンプデバイス３０に対するキャップ４の位置を検出するために（例えば、キャップ４又は基部／リザーバ／キャップユニットと注入ポンプデバイス３０との適切な接続を検出するために）配置される。
【０４７９】
他の実施形態では、注入ポンプデバイス３０との適切な接続を検出することに加えて、又は代替として、１つ以上の機械的可動部材又は連結支持可動標的は、図６のプロセス１５０に関する上記のように、キャップ４若しくは基部／リザーバ／キャップユニット又は連結された注入セット（又はこれらの構成部品）に関連付けられた１つ以上の他の特性を検出するために用いられる。代替的に又は追加的に、係合部分８０’の（軸Ａの直線寸法において）位置に依存する上述の標的シグネチャ（複数可）を用いて、こうした特性のうちの１つ以上を検出してもよい。
【０４８０】
こうした更なる実施形態では、複数の異なる係合部分位置（軸Ａの長さ寸法に沿って、又は軸Ａの周り、又はその両方）は、図６に関して上述のように、プロセス１５０で使用するために、キャップ４（又は基部／リザーバ／キャップユニット又は関連する注入セット）の対応する異なる所定の特性に関連付けられた（一対一ベース又は他の予め定義された関連性）パラメータであってもよい。所定のデータは、複数の、キャップ４（又は基部／リザーバ／キャップユニット、リザーバ又は関連する注入セット）の異なるモデル、サイズ、種類又は形式、キャップ４（又は基部／リザーバ／キャップユニット、リザーバ又は関連する注入セット）の製造者、リザーバ１内の注入媒体の種類（例えば、以下に限定されないが、インスリン、他の薬物又は他の媒体の種類など）、リザーバ１内の注入媒体の濃度、リザーバ１内の注入媒体の体積量、日付（以下に限定されないが、リザーバ１内の注入媒体又はリザーバ１自体に関連する有効期限又は充填日又は他の日付に対応する日付など）、位置情報（例えば、以下に限定されないが、リザーバ１、キャップ４又はリザーバ１内の注入媒体（又は全て）を製造、充填、又は他の方法で処理した場所に対応する位置情報又はリザーバ１の使用が認められた位置）、ロット番号（又はリザーバ１又は注入媒体の製造、洗浄、充填又は他の方法での処理が行われたバッチに関連する他の符号）、シリアル番号、固有ＩＤ、製造日、（リザーバ１について権限を有するユーザの）ユーザ識別情報、又はキャップ（又は基部／リザーバ／キャップユニット、リザーバ、又は関連する注入セット）に関連する他の所定のデータ若しくは特性に対応するデータを含んでいてもよいが、これらに限定されない。図５のプロセス１５０の１５２に関して記載されるように、係合部分の位置と特性との関連性が、メモリ（メモリ６６など）に格納され得る。
【０４８１】
図６のプロセス１５０の１５６及び１５８に関して記載されるように、格納された関連性は、キャップ（又は基部／リザーバ／キャップユニット）、リザーバ１（又はその内容物）、注入セット５０、接続インターフェイス４０又はこれらの任意の組み合わせの１つ以上の特性を比較し、判定するために、処理エレクトロニクス（処理エレクトロニクス６２など）によって使用される。加えて、こうした処理エレクトロニクスは、図６のプロセス１５０において、１６０に関して記載されるように、判定された特性（複数可）に基づいて又は判定された特性（複数可）を使用して、所定の動作を提供するように構成されてもよい。この方法では、処理エレクトロニクス６２は、キャップ４（又は基部／リザーバ／キャップユニット）が、リザーバ受容部３２内に装着されるとき、複数の標的９１のうちのどれが動いたのかということ、及び／又は１つ以上の標的９１の移動量を検出し、検出した標的の移動又は第２の（移動後の）位置に関連付けられた情報を検索することによって、キャップ４（又は基部／リザーバ／キャップユニット又は関連する注入セット）に関する情報（例えば、関連付けられた所定の特性）を検出するように構成されてもよい。
【０４８２】
このため、特定の特性は、１つ以上の機械的可動部材若しくは連結支持可動導電性部材の移動、又はキャップ４によって第２の位置に移動される特定の機械的可動部材若しくは連結支持可動導電性部材の位置若しくは位置パターンに関連付けられてもよい。特定の実施形態では、リザーバ１、注入セット５０又は接続インターフェイス４０のそれぞれ異なる所定の特性は、それぞれ異なる１つ以上の所定の機械的可動部材又は連結支持可動部材に関連付けられる（一対一ベースで又は他の所定の関連付け）。これらの実施形態では、処理エレクトロニクス６２は、１つ以上の機械的可動部材又は連結支持可動部材の移動によって生じる検出可能信号から、リザーバ１、注入セット５０又は接続インターフェイス４０の特性を判定するように構成される。
【０４８３】
例えば、処理エレクトロニクス６２は、１つ以上のセンサ３４（コイル９３が連結された回路９５）から受信した情報と表又は別の好適なデータ配置に格納した情報とを比較するように構成されてもよい。表又は他のデータ配置は、電子メモリ６６に格納される。表又は他のデータ配置では、磁気、ＲＦ、光学及び機械的検出実施形態に関して本明細書に記載され、参考として組み込まれるように、異なる所定の機械的可動部材又は連結支持可動導電性部材の移動により生じた信号を、対応する複数の所定の特性に関連付ける。
【０４８４】
特定の実施形態では、磁気検出、ＲＦ検出の実施形態、並びに光学的及び機械的な実施形態に関して上記したように、１つ以上の機械的可動部材又は連結支持可動導電性部材の移動により生じた１つ以上の検出可能な信号に基づき、処理エレクトロニクス６２は、対応する特性を判定し、これらの特性に基づいて、（限定ではないが）以下の１つ以上の所定の行動を行うように更に構成される：注入ポンプデバイス３０用の動作設定を決定すること、信号を駆動デバイス又は注入ポンプデバイス３０の他の構成部品に提供すること、１つ以上の警報信号を提供すること、及びキャップ４、基部／リザーバ／キャップユニット、及び注入ポンプデバイス３０のうちの１つ以上の検出された状態又は条件を表すデータを記録すること。
【０４８５】
更なる実施形態では、注入ポンプデバイス３０（又は他の送達デバイス）に１つ以上の無線又は有線通信デバイスが提供され、この１つ以上の無線又は有線通信デバイスは、注入ポンプデバイス３０とは別個の、又は注入ポンプデバイス３０から遠隔に位置する別の電子デバイスに表示するために、リザーバ１に残存している又はリザーバ１から分配される注入流体の体積に関する体積情報（又は１つ以上の標的９１の検出されたパラメータ又は関連付けられた特性に対応する他の情報）を送信するように構成され、かつ制御される。特定の実施形態では、ネットワーク（例えば、以下に限定されないが、インターネットなど）上での通信のため、無線通信デバイス（複数可）を、１つ以上の所定のネットワーク接続デバイスに接続するように構成する。このような１つ以上の所定のネットワーク接続デバイスは、注入ポンプデバイス３０（又は他の送達デバイス）に対して遠隔の地理的位置に位置していてもよい。特定の実施形態では、こうしたネットワーク接続デバイスには、注入ポンプデバイス３０（若しくは他の送達デバイス）から、又は注入ポンプデバイス３０（若しくは他の送達デバイス）と通信する他のネットワーク接続デバイス（クレイドル、又はユーザのコンピュータなど）から情報を受信するように構成されたサーバが含まれる。こうした情報としては、１つ以上の検出パラメータ若しくは１つ以上の関連特性に対応する情報、又は上記のようなリザーバ１、キャップ４、基部／リザーバ／キャップユニット若しくは注入セットに関する他の情報を挙げることができるが、これらに限定されない。
【０４８６】
こうした実施形態では、ネットワーク接続サーバは、情報を記録したり、関連製品（例えば、補充又は交換品など）を供給したり、又は医学的治療若しくは医療保険をユーザに提供したりするエンティティと連結されてもよい。一例では、ネットワーク接続サーバは、Ｍｅｄｔｒｏｎｉｃ  Ｉｎｃ．のＣａｒｅｌｉｎｋ（商標）システムに連結している。他の実施形態では、ネットワーク接続サーバは、１つ以上の他のサーバ及び関連エンティティである。したがって、こうした情報は、サーバ（又は連結されたエンティティ）によって、補充、新規又は交換用リザーバ、キャップ、注入セットの針、ハウジング、注入セットチューブ又はキャップ４、基部／リザーバ／キャップユニット又は注入セットの他の構成部品を送るか（又はいつ送るか）を判定するために使用されてもよい。更なる実施形態では、こうした情報は、ユーザの医師又はユーザに関連する他の医学的治療エンティティ（追跡、診断、治療計画の調整又は他の好適な使用のために）に提供されてもよい。このため、このような実施形態では、補充又は交換品が自動的（ユーザが注文する必要なく）にユーザに送られ得、また、使用情報が、ユーザのヘルスケア提供者、保険提供者又は他の好適なエンティティに自動的に提供され得る。
【０４８７】
更なる実施形態では、ネットワーク接続サーバは、上記のネットワーク通信接続又は他のネットワーク接続を介して情報を提供するように構成される（また、注入ポンプデバイス３０又は他の送達デバイスは、その情報を受信するように構成される）。こうした情報としては、リザーバ１、キャップ４、基部／リザーバ／キャップユニット若しくは注入セットの交換又は補充に関する指示若しくは推奨、ヘルスケア提供者、保険業者若しくは製造者からのメッセージ若しくは通知、リコール通知などを挙げることができるが、これらに限定されない。特定の実施形態では、注入ポンプデバイス３０（又は他の送達デバイス）のエレクトロニクス（エレクトロニクス６０など）は、所定の指示、通知又はメッセージの受領に応答して、１つ以上の所定の動作（上記のような）を実施するように構成される。
【０４８８】
上記の実施形態では、標的（複数可）９１は、キャップ４（又は基部／リザーバ／キャップユニット）上に又は注入ポンプデバイス３０内に提供される。図１６に関して記載されているような他の実施形態では、少なくとも１つの標的９１がリザーバ１の可動プランジャに提供される。図１６は、基部／リザーバ／キャップユニット（図には一部分のみ示す）がリザーバ受容部３２内に受容された状態の、注入ポンプデバイス３０の一部の部分側方拡大断面図を示す。図１６では、少なくとも１つの標的９１は、リザーバ１内の可動プランジャ上（例えば、リザーバプランジャのヘッド１ａ又はリザーバプランジャのシャフト１ｂ上）に提供される。こうした実施形態では、基部／リザーバ／キャップユニットが、リザーバ受容部３２内に装着されているとき、軸Ａに対する標的９１の直線位置を検出するために、１つ以上のコイル９３が、注入ポンプデバイス３０内（例えば、リザーバ受容部３２内又は付近）に配置されてもよい。したがって、検出された標的９１の位置に基づき、それぞれのコイル９３に関連する電気的検出回路と接続された処理エレクトロニクス（処理エレクトロニクス６２など）は、プランジャヘッド１ａの直線位置、及び、このため、リザーバ１での注入媒体の残量を検出するように構成されてもよい。
【０４８９】
特定の実施形態では、処理エレクトロニクスは、プランジャヘッド１ａの直線位置を検出し、かつプランジャヘッド１ａが充填された位置（充填された又は未使用リザーバ１に対応する）にあるか、又はプランジャヘッド１ａが前回の注入ポンプデバイス３０の使用の最終位置にあるかどうかを判定するように構成される。こうした実施形態では、処理エレクトロニクスは、プランジャヘッドが充填位置にない、又はその最終位置にない（使用済み又は再使用リザーバが、注入ポンプデバイスに装着されていることを示すこともある）といった判定に応答して、所定の動作を実行するように構成されてもよい。このような所定の行動としては、以下に限定されないが、注入ポンプデバイス３０の注入媒体送達操作を阻止すること、注入ポンプデバイス３０用の特定の操作上の設定を決定すること、警報又は制御信号を提供すること、データを記録すること、認証操作を提供すること、又は他の所定のタスクを実行すること、を挙げることができる。
【０４９０】
上述の実施形態と同様に、プランジャヘッド１ａ上の標的９１は、所定の形状、サイズ、材料又はこれらの組み合わせを有し、少なくとも部分的には、その形状、サイズ、材料又はこれらの組み合わせに基づく検出可能な信号（又はシグネチャ）を提供してもよい。また、上述の実施形態と同様に、複数の異なるリザーバ１は、対応する複数の異なる標的９１（異なるそれぞれの形状、サイズ、材料又はこれらの組み合わせ）を含み、対応する複数の異なる検出可能な信号（シグネチャ）を提供することもできる。
【０４９１】
こうした実施形態では、処理エレクトロニクス及び連結したメモリ（処理エレクトロニクス６２及びメモリ６６など）は、検出された信号（シグネチャ）のパラメータを事前に格納した信号パラメータ情報と比較し、かつ、上記のように、所定のデータを検出された信号（シグネチャ）に関連付けるように構成される。所定のデータは、複数の、キャップ４（又は基部／リザーバ／キャップユニット、リザーバ又は関連する注入セット）の異なるモデル、サイズ、種類又は形式、キャップ４（又は基部／リザーバ／キャップユニット、リザーバ又は関連する注入セット）の製造者、リザーバ１内の注入媒体の種類（例えば、以下に限定されないが、インスリン、他の薬物又は他の媒体の種類など）、リザーバ１内の注入媒体の濃度、リザーバ１内の注入媒体の体積量、日付（以下に限定されないが、リザーバ１内の注入媒体又はリザーバ１自体に関連する有効期限又は充填日又は他の日付に対応する日付など）、位置情報（例えば、以下に限定されないが、リザーバ１、キャップ４又はリザーバ１内の注入媒体（又は全て）を製造、充填、又は他の方法で処理した場所に対応する位置情報又はリザーバ１の使用が認められた位置）、ロット番号（又はリザーバ１又は注入媒体の製造、洗浄、充填又は他の方法での処理が行われたバッチに関連する他の符号）、シリアル番号、固有ＩＤ、製造日、（リザーバ１について権限を有するユーザの）ユーザ識別情報、又はキャップ（又は基部／リザーバ／キャップユニット、リザーバ、又は関連する注入セット）に関連する他の所定のデータ若しくは特性に対応するデータを含んでいてもよいが、これらに限定されない。この方法では、処理エレクトロニクスは、リザーバ１又はキャップ４（又は基部／リザーバ／キャップユニット又は連結された注入セット）に関する様々な情報を、検出された信号（又はシグネチャ）から判定することができる。
【０４９２】
図１６の上記説明では、誘導型感知について言及したが、他の実施形態では、リザーバプランジャ１ａは、磁石、ＲＦ検出可能部材、又は本明細書に記載されるように他の検出可能特徴部４２（標的９１の代わりに又は標的９１に加えて）を保持するか、又は収容していてもよい。こうした実施形態では、対応するセンサ３４（磁気センサ又は本明細書に記載されるような他のセンサ）は、本明細書に記載されるように、検出可能特徴部４２を検出する位置で、注入ポンプデバイス３０によって保持される。したがって、図１６も、他の実施形態に関して、本明細書で参照され、１つ以上の検出可能特徴部４２が、リザーバプランジャ１ａに提供され、１つ以上のセンサ３４は、検出可能特徴部（複数可）を検出するために注入ポンプデバイス３０内に配置される。
【０４９３】
本明細書に記載の誘導型感知実施形態のいずれかにおいて、１つ以上の（又はそれぞれの）コイル９３には、注入ポンプデバイス３０の他の構成部品又は外部からの電磁干渉を阻止する裏材又はシールドを設けることができる。例えば、特定の実施形態では、コイルの側面へ又はコイルの側面からの電磁界の通過を阻止するために、フェライト（又は他の好適な）材料のシャント裏材がコイルの片側に隣接して配置される。更なる実施形態では、裏材又はシールドの材料及び形状は、標的９１に向かってコイル９３の磁界を指向させるように構成される。裏材又はシールドは、以下に限定されないが、コイル９３、又はコイル９３を含み、開口部若しくは磁界を標的９１に指向させる他の磁界ガイドを有するケージ若しくは格納部などの片面（背面）に提供される板状部材など、任意の好適な形態で形成されてもよい。コイル９３が注入ポンプデバイス３０の壁部上又は注入ポンプデバイス３０の壁部内に配置されている実施形態では、裏材又はシールドは、同一の壁部上又は壁部の反対側であり、コイル９３の位置に隣接して配置されてもよい。
【０４９４】
図１０〜図１５に関して記述されている誘導検出実施形態では、コイルバネ（図１０及び図１１の８２及び図１５の付勢部材９７ｃ）などの付勢部材が提供され、付勢力を付与する。これらの実施形態では、コイル９３及び標的９１の代わりに又はコイル９３及び標的９１に加えて、誘導型感知により付勢バネの圧縮が検出される。こうした実施形態では、付勢バネの圧縮状態（又は量）の違いにより、付勢バネにおける電気信号の検出可能な違いが提供され、回路（回路９５に類似だが、コイル９１として付勢バネが提供されている）は、付勢バネに接続され、こうした違いを検出し、上記の操作を実行する。
【０４９５】
本明細書に記載の誘導検出構成は、様々な利点を提供することができる。例えば、本明細書に記載の磁石検出実施形態のように、誘導検出は、粉塵、汚れ、水分など特定の環境上の導電体に対して比較的低感度の高信頼非接触システムを提供することができる。更には、特定の誘導検出システムは、磁石を必要としない。更に、誘導検出システムでは、コイル９３は、標的の予期される位置に接近させて配置されてもよいが、回路９５の他の部分から離間させることもできる。したがって、回路９５及びエレクトロニクス６０は、コイル９３付近又は注入ポンプデバイス３０上の他の位置に、コイル９３から離れて、配置されてもよい。
【０４９６】
上記の特定の実施形態では、キャップ４、リザーバ１及び注入ポンプデバイス３０の一方（又は全て）には、少なくとも１つのセンサ素子が提供され、キャップ４及び注入ポンプデバイス３０の他方（又はその両方）には、キャップ４を注入ポンプデバイス３０に適切に連結させるとき、センサ素子（複数可）よって検出される少なくとも１つの検出可能特徴部が提供される。上記の特定の実施形態は、１つ以上の磁気検出可能特徴部と、磁石検出センサと、を備える。上記の他の実施形態では、１つ以上の検出可能特徴部４２はそれぞれ、誘導型センサによって検出することができる誘導型デバイス又は構造を含み、それぞれのセンサ素子３４は、誘導型センサを含む。更に他の実施形態では、１つ以上の検出可能特徴部４２は、磁気検出可能デバイス及び誘導デバイスの組み合わせを含み、１つ以上のセンサ素子３４は、１つ以上の磁気検出センサと１つ以上の誘導型センサとの組み合わせを含む。
【０４９７】
ｃ．ＲＦ検出
上記の特定の実施形態では、キャップ４、リザーバ１及び注入ポンプデバイス３０のうちの１つ（又は全て）は、少なくとも１つのセンサを備え、キャップ４、リザーバ１及び注入ポンプデバイス３０のうちのその他のもの（又は全て）は、キャップ４が注入ポンプデバイス３０に適切に連結されたとき、センサによって検出される、少なくとも１つの検出可能特徴部を備える。上記のような実施形態は、１つ以上の磁気検出可能特徴部及び磁石検出センサ、又は１つ以上の誘導検出可能特徴部及び誘導型センサ（又はその両方）を備える。
【０４９８】
本明細書に記載（例えば、以下の項にて）の他の実施形態は、光学式、機械式、又は電気接点式の感知構成などによって検出される、１つ以上の検出可能特徴部を含む。更に他の実施形態では、１つ以上の検出可能特徴部４２は、ＲＦセンサによって検出することができる無線周波数（ＲＦ）検出可能なデバイス又は構造を含み、１つ以上のセンサ素子３４は、ＲＦセンサを含む。このため、一例では、構成要素４２は、キャップ４によって担持される１つ以上のＲＦＩＤタグを表し、構成要素３４は、注入ポンプデバイス３０のリザーバ受容部３２内の又はリザーバ受容部３２に隣接する１つ以上のＲＦセンサ素子を表す。
【０４９９】
したがって、上述し、また図１〜６に示した、（センサ及び検出可能特徴部３４及び４２としての）磁気センサ及び磁気検出可能特徴部の配置及び構成を、ここでも参照により援用し、センサ及び検出可能特徴部３４及び４２として、ＲＦ検出可能特徴部及びＲＦセンサを使用する実施形態に適用する。加えて、及び適用可能な場合、本明細書の他の実施形態に関して記載された誘導、光学、機械的又は電気接点センサ及び検出可能特徴部（センサ及び検出可能特徴部３４及び４２として）の更なる配置及び構成は、参照により組み込まれ、センサ及び検出可能特徴部３４及び４２として、ＲＦ検出可能特徴部及び誘導型センサを使用する実施形態に適用する。
【０５００】
特定の実施形態では、ＲＦ検出可能特徴部４２は、無線周波数識別データ（ＲＦＩＤ）タグ又はＲＦセンサによって検出可能なＲＦ信号を提供する任意の他の好適なデバイスを含む。ＲＦ検出可能特徴部は、電池電源を使用しない受動デバイスであってもよい。受動型ＲＦ検出可能デバイスの例としては、電磁誘導を介して、ＲＦセンサリーダによって電力を供給し、かつ読み取りを行う誘導型デバイスが挙げられる。他の実施形態では、ＲＦ検出可能特徴部は、以下に限定されないが、電池、太陽電池又は他のローカルエネルギー源など、ローカル電源を含むか、又はローカル電源に接続される能動型デバイスである。特定の実施形態では、ＲＦ検出可能デバイスは、好適なＲＦセンサによって読み取り可能な情報を格納するデータ格納エレクトロニクスを含む。様々な種類のＲＦＩＤタグが、以下に限定されないが、Ｉｍｐｉｎｊ及びＮＸＰ  Ｓｅｍｉｃｏｎｄｕｃｔｏｒｓなど、様々な企業によって製造されている。
【０５０１】
特定の実施形態では、ＲＦ検出可能特徴部は、アンテナコイル及びコイルに電気的に接続された電子回路を有する、ＲＦＩＤタグデバイスとして構成される。電子回路は、回路基板上、電子回路チップ（以下に限定されないが、マイクロチップなど）、又は別の好適な支持構造内、若しくは別の好適な支持構造上に提供されてよい。ある実施形態では、電子回路は、電池電源を有さない受動型回路であるが、その代わりに、アンテナコイルを介して、センサとの誘導結合から電力を受信する。他の実施形態では、ＲＦ検出可能特徴部内の電子回路は、電池電源（又は他の好適な能動的電源）を含むか、又は電池電源（又は他の好適な能動的電源）に接続される。例示的実施形態では、ＲＦ検出可能特徴部は、接着剤付基材シート又は基部を有する貼付け用ラベルとして構成され、ＲＦＩＤタグは、その基材シート又は基部で支持されている（又は基材シート又は基部に付着されるか、内部に埋め込まれるか、又は差し込まれる）。こうした実施形態では、ＲＦ検出可能特徴部は、キャップ４、リザーバ１又は基部／リザーバ／キャップユニットの他の構成部品、注入ポンプデバイスハウジング又はこれらの任意の組み合わせに直接付着させることができるスマートラベルの形態で提供され得る。
【０５０２】
ＲＦ検出可能特徴部は、１つ以上の所定の周波数で、又は１つ以上の所定の周波数帯域内でＲＦ信号を伝達するように構成される。特定の実施形態では、所定の周波数又は周波数帯域は、ＵＨＦ帯域内、例えば、以下に限定されないが８６０〜９６０ＭＨｚである。他の実施形態では、他の好適な周波数又は周波数帯域を用いてもよい。システム内で複数のＲＦ検出可能デバイスを用いる実施形態では、それぞれのＲＦ検出可能デバイスは、システム内の互いのＲＦ検出可能デバイスに対して、異なる所定の周波数又は周波数帯域にて動作するように構成されてもよい。
【０５０３】
また、特定の実施形態では、ＲＦ検出可能特徴部内に具備された電子回路は、情報を格納し、かつ格納された情報をＲＦ信号で伝達するように構成される。ＲＦ信号は、センサとの誘導結合を介して（例えば、受動型デバイス実施形態の場合）、又はＲＦ検出可能特徴部に具備された能動型送信機回路を用いた送信により（例えば、能動型デバイス実施形態の場合）伝達されてもよい。ＲＦ検出可能特徴部によって格納される情報としては、以下に限定されないが、シリアル番号又は他の識別情報、ロット番号、固有ＩＤ番号／コード、ＥＰＣのほか、リザーバ、リザーバ内容物、キャップ４若しくは基部／リザーバ／キャップユニットの他の構成部品、注入ポンプデバイスの１つ以上の所定の特性、本明細書の上記磁気検出の項などで考察されたリザーバ１、注入セット５０及び接続インターフェイス４０の特性のいずれかを示す他のコード、表示又は符号化情報のうちの１つ以上を挙げることもできる。
【０５０４】
受動型デバイスの実施形態の例では、ＲＦ検出可能特徴部は、（ＲＦ検出可能デバイスとセンサデバイスとが十分に近位であるか、若しくは位置合わせされているか、若しくはその両方であるとき）センサデバイスからＲＦ信号を受信するように構成されたＲＦ検出可能デバイスであり、受信された信号により始動し、例えば、後方散乱信号を介して、格納された情報をセンサデバイスに戻す。能動型デバイスの実施形態の例では、ＲＦ検出可能デバイスは、（ＲＦ検出可能デバイス及びセンサデバイスが十分に近位であるか、若しくは位置合わせされているか、若しくはその両方であるとき）、格納された情報をセンサデバイスに能動的に伝達するように構成される。例えば、能動型ＲＦ検出可能デバイスは、格納された情報を所定の時間間隔（又は周期的若しくはランダムな時間間隔）で伝達するように構成されてもよい。他の実施形態では、ＲＦ検出可能デバイス及びセンサデバイスが十分に近位であるか、若しくは位置合わせされている（若しくはその両方）とき、能動型ＲＦ検出可能デバイスは、センサデバイスから要求信号を受信するように構成されてもよく、ＲＦ検出可能デバイスは、格納された情報を伝達することによって、要求信号に応答する。
【０５０５】
ＲＦセンサデバイス（複数可）としては、以下に限定されないが、ＲＦ送受信機のほかに、マイクロプロセッサ（又は他の好適なプロセッサ）によって制御され、かつアンテナにより電気的接続されているモデムを有するエレクトロニクスを含むＲＦリーダを挙げることもできる。受動型ＲＦ検出可能デバイスを用いる実施形態では、ＲＦセンサデバイスは、ＲＦ検出可能デバイス及びセンサデバイスが十分に近位であるか、若しくは位置合わせされているか、若しくはその両方のとき、受動型ＲＦ検出可能デバイスのアンテナの両端に電圧を誘導するＡＣ磁界を発生させるように構成された、誘導型ループアンテナ及び電子回路を含む。こうした実施形態では、ＲＦセンサエレクトロニクスは、（上記のように）後方散乱信号を介してＲＦ検出可能デバイスから情報を受信するように構成される。他の実施形態では、ＲＦセンサデバイス（複数可）は、ＲＦ検出可能デバイスの存在、又はＲＦ検出可能デバイスとの位置合わせ（又はその両方）に対して、検出可能な応答を提供する他の好適なデバイスを含む。
【０５０６】
特定の実施形態では、ＲＦセンサ（複数可）は、以下のうちの少なくとも１つを検出するように構成される（又は構成されたエレクトロニクスに接続される）：（ａ）ＲＦ信号の存在；（ｂ）ＲＦ信号の１つ以上のパラメータ；及び（ｃ）ＲＦ信号内で符号化されたデータ。このようなパラメータとしては、以下に限定されないが、受信信号強度表示（ＲＳＳＩ）又は他のＲＦ信号強度、振幅、位相、又は（能動的又は受動的に）提供されるＲＦ信号の他の確定されたパラメータを挙げることができる。特定の実施形態では、こうしたパラメータは、１つ以上の事前に定めた閾値と比較され、例えば、パラメータがその閾値（複数可）を超えているかどうかを検出する。ＲＦ信号において符号化されたデータとしては、以下に限定するものではないが、キャップ４、リザーバ１、基部２、注入セット５０又は基部／リザーバ／キャップユニット又はこれらの任意の組み合わせの１つ以上の特性を表すか、又は、これらに関連するデータを挙げることができる。
【０５０７】
特定の実施形態では、１つ以上のＲＦ検出可能特徴部４２及び又はＲＦセンサ３４、又はその両方は、（例えば、キャップ４又は基部／リザーバ／キャップユニットと注入ポンプデバイス３０との適切な接続を検出するように）ＲＦセンサが注入ポンプデバイス３０に対するキャップ４の位置を検出するように配置される。ＲＦ信号をＲＦ検出可能デバイス又はセンサ（又はその両方）に向かって方向づけたり、又はＲＦ検出可能デバイス又はセンサ（又はその両方）からのＲＦ信号を方向づけたりするように、例えば、キャップ４、リザーバ１又は注入ポンプデバイス３０（又は全て）に、１つ以上のＲＦシールド、指向性アンテナ、導波管又は他の構成が含まれてよい。特定の実施形態では、こうしたＲＦシールド、指向性アンテナ、導波管又は他の構成は、ＲＦセンサ及びＲＦ検出可能デバイスが所定の位置合わせ位置にあるか、近位にある（又はその両方である）とき（キャップ４又は基部／リザーバ／キャップユニットが注入ポンプデバイス３０に適切に接続されているときなど）、ＲＦセンサがＲＦ検出可能デバイス（又はＲＦ検出可能デバイスからの信号の１つ以上の所定のパラメータ、データ、又はその両方）を検出できるように配置される。更なる実施形態では、キャップ４又は基部／リザーバ／キャップユニットが注入ポンプデバイス３０に適切に接続されていないとき、こうしたＲＦシールド、指向性アンテナ、導波管又は他の構成は、ＲＦ検出可能デバイス（又は所定のパラメータ、データ又はその両方）の検出を阻止するように配置される。
【０５０８】
他の実施形態では、注入ポンプデバイス３０との適切な接続を検出することに加えて、又はそれに代えて、１つ以上のＲＦ検出可能特徴部及びセンサ素子を用いて、キャップ４若しくは基部／リザーバ／キャップユニット又はこれらの構成部品に関連する１つ以上の他の特性を検出する。様々な実施形態では、こうした他の特性としては、以下に限定されないが、磁気検出に関して上述したような、リザーバ１（又はその内容物）、注入セット５０、接続インターフェイス４０又は任意のこれらの組み合わせの特性が挙げられる。
【０５０９】
これらの実施形態では、それぞれ異なる特性は、以下に限定されないが、以下など１つ以上の検出可能なＲＦパラメータに関連付けられてもよい：キャップ４の１つ以上のＲＦ検出可能特徴部又はセンサ素子の存在、キャップ４の１つ以上のＲＦ検出可能特徴部又はセンサ素子の位置又は位置パターン（軸Ａの次元に対して環状又は直線的な位置）、キャップ４上のＲＦ検出可能特徴部（複数可）又はセンサデバイス（複数可）の種類、ＲＦ検出可能特徴部（複数可）により格納されたデータの種類又は内容、ＲＦ検出可能特徴部（複数可）から放出された信号の極性、方向又は配向など。特定の実施形態では、リザーバ１、注入セット５０又は接続インターフェイス４０のそれぞれ異なる所定の特性は、それぞれ異なる所定の検出可能な位置、位置パターン、ＲＦ検出可能特徴部又はセンサ素子の種類、データ型若しくは内容（コード若しくは他の表示）、又はＲＦ検出可能特徴部から読み取られたＲＦ信号内の他の検出可能パラメータに関連付けられる（例えば、一対一で）。これらの実施形態では、処理エレクトロニクス６２は、センサ素子３４又は４２から受信した信号からリザーバ１、注入セット５０又は接続インターフェイス４０の特性を判定するように構成される。
【０５１０】
例えば、処理エレクトロニクス６２は、１つ以上のＲＦセンサ素子３４から受信した情報と１つ以上の所定の格納された閾値とを比較するように構成されてもよく、各閾値は、上記のような特性と関連付けられる。他の実施形態では、処理エレクトロニクス６２は、１つ以上のＲＦセンサ素子３４から受信した情報と表又は別の好適なデータ配置に格納した値又は情報とを比較するように構成される。表又は他のデータ配置では、複数の異なる所定のＲＦ検出可能デバイスの位置（又はキャップ上のＲＦ検出可能デバイスの位置の複数の異なる所定のパターン）を対応する複数の所定の特性と関連付ける。代替的に又は追加的に、表又は他のデータ配置では、複数の異なるコード又はＲＦ検出可能デバイスから受信可能な他のデータが、対応する複数の特性と関連付けられる。この関連性は、例えば、以下に限定されないが、それぞれ異なるＲＦ検出可能デバイスの位置、コード又は他のデータ種類とそれぞれ、異なる特性との一対一の対応などであってもよい。表又は他のデータ配置は、電子メモリ６６に格納される。ＲＦ検出実施形態の特性の例としては、磁気検出に関して上述され、また参照により組み込まれるように、リザーバ１（又はその内容物）、キャップ４に接続される注入セット５０、接続インターフェイス４０の特性が挙げられる。
【０５１１】
特定の実施形態では、処理エレクトロニクス６２は、磁気検出に関して上記したように、ＲＦセンサから受信した信号から検出されたパラメータのうちの１つ以上に基づいて、対応する特性を判定し、また、これらのパラメータ又は特性に基づいて、以下のうちの１つ以上を行うように更に構成される：注入ポンプデバイス３０用の動作設定を決定すること、信号を駆動デバイス又は注入ポンプデバイス３０の他の構成部品に提供すること、１つ以上の警報信号を提供すること、及びキャップ４、基部／リザーバ／キャップユニット、及び注入ポンプデバイス３０のうちの１つ以上の検出された状態又は条件を表すデータを記録すること。
【０５１２】
上述のように、ＲＦ検出可能特徴部４２の実施形態は、ＲＦセンサ素子３４によって読み取り可能なデータを保存するエレクトロニクスを含む。特定の実施形態では、こうしたデータ記憶エレクトロニクスは、書き込み可能なように（データを受信し、受信したデータを格納するように）構成される。こうした実施形態では、外部書き込みデバイス（以下に限定されないが、コンピュータ又は好適なデータ送信部を有するプロセッサデバイスなど）は、データをＲＦ検出可能特徴部に書き込むように構成される。特定の実施形態では、ＲＦ検出可能特徴部４２は、複数の電子記憶装置又は１つ以上のセグメント化された記憶装置を含み、この場合、上記のように、記憶装置又はセグメントのうち１つ以上は書き込み可能であり、また、そこへ書き込まれたデータを受け取って、記録することができるが、記憶装置又はセグメントのうちの他の１つ以上は、読み取り可能なデータ（例えば、製造者又は他の権限を有する主体によって記録されたデータ）を格納するが、書き換えを行うことはできない。このため、例えば、ＲＦ検出可能特徴部４２は、注入ポンプデバイス３０内のエレクトロニクスによって読み取り可能な情報を格納する第１のセグメントと、ヘルスケア提供者若しくは他の公認エンティティによって、又は注入ポンプデバイス３０内のエレクトロニクスによって、タグ上に書き込まれる追加の情報を格納する第２のセグメントとを有するセグメント化されたＲＦＩＤタグを含むことができる。
【０５１３】
こうした実施形態では、例えば、医師又は他のヘルスケア提供者は、ＲＦ検出可能特徴部への情報の書き込み及び記録を行うことができる。この方法で、ＲＦ検出可能特徴部に書き込まれる情報としては、以下に限定されないが、上記の特性に対応するデータ、注入ポンプデバイス３０の操作を制御するため、又は注入ポンプデバイス３０の表示装置上の情報を表示させるために、注入ポンプデバイス３０内のエレクトロニクスによって読み込ませる指示、注入ポンプデバイス３０のユーザ又はそのユーザに関連付けられた治療に関するデータ、又は他のデータ、又はこれらの組み合わせを挙げることもできる。
【０５１４】
更なる実施形態では、注入ポンプデバイス３０は、キャップ４又は基部／リザーバ／キャップユニットが注入ポンプデバイス３０に適切に接続されているとき、データをＲＦ検出可能特徴部４２に書き込むための１つ以上のデータ書き込みデバイスを含む。こうした実施形態では、エレクトロニクス６０は、所定のプログラムされた指示に従って、ＲＦ検出可能特徴部４２で選択的にデータの書き込み（又はデータの読み取り及び書き込み）を行うように構成される。一例示的実施形態では、エレクトロニクス６０は、注入ポンプデバイス３０によって分配される注入媒体の量に対応する１つ以上のパラメータを検出するために、センサを含むか又はセンサに接続され（図示せず）、かつ、リザーバ１をリザーバ受容部３２に装着させたとき、又は装着させた後の所定時間からの、リザーバ１より分配された注入媒体の量を追跡し、追跡された量又はリザーバ１から分配されたか又は残存している注入媒体の量を表す関連値をＲＦ検出可能特徴部４２に書き込み、記録するように構成される。
【０５１５】
代替的に又は追加的に、更なる実施形態では、注入ポンプデバイス３０は、ＲＦ検出可能特徴部４２に他の情報（例えば、以下に限定されないが、基部／リザーバ／キャップユニット又はこれらの構成部品が注入ポンプデバイス３０に装着される日付、時間又は地理的位置のうちの１つ以上など）を書き込み、記録するように構成される。更なる実施形態では、こうした他の情報としては、注入ポンプデバイスの動作中、エレクトロニクス６０により検出される操作情報又は警報状態のうちの１つ以上が挙げられる。
【０５１６】
更なる実施形態では、こうした他の情報は、注入媒体が分配されるか、注入セット５０内の閉塞が検出されるか、警報状態が検出されるか、又は別の所定の状態が検出されるか、又は所定のポンプ操作が発生した日付、時間又は地理的位置のうちの１つ以上が挙げられる。したがって、上記の処理エレクトロニクス６２が、注入ポンプデバイス３０、キャップ４、又は基部／リザーバ／キャップユニットの地理的位置、又は特定の特性又はイベントが検出されたときの時間（又はその両方）を検出するか、又は記録する（若しくはその両方）ように構成されてもよいのと同様に、処理エレクトロニクス６２も同様に、又は代替的に、こうした情報をＲＦ検出可能特徴部４２に記録するように構成されてもよい。
【０５１７】
日付又は時間を記録する実施形態では、エレクトロニクス６０は、適切な時計又は他の日付又は時間情報源を含むか、又はこれらの情報源に関連付けられる。地理的位置が記録される実施形態では、エレクトロニクス６０は、例えば、以下に限定されないが、衛星位置システムエレクトロニクス（例えば、以下に限定されないが、ＧＰＳシステム受信機）など、好適な位置検出エレクトロニクスを含むか、又は連結され、注入ポンプデバイス３０の地理的位置を検出するように構成される。
【０５１８】
ＲＦ検出を用いる特定の実施形態では、処理エレクトロニクス６２は、注入ポンプデバイス３０用の操作上の設定を決定すること、警報若しくは制御信号を提供するか、データを記録するか、認証操作を提供するか、又は検出可能特徴部４２として磁石要素（複数可）に関して上記の方法に類似した方法で、少なくとも部分的に、ＲＦ検出可能特徴部４２の検出（又はその検出可能な特性によって提供された情報）に基づいて、他の所定のタスクベースを実行するように構成される。したがって、処理エレクトロニクス６２の例示的構成及び操作の上記説明は、ＲＦ検出可能特徴部４２に適用される。したがって、上記のパラメータ１−Ｎは、以下に限定されないが、ＲＳＳＩ又は他のＲＦ信号強度、振幅、位相、ＲＦ信号内で符号化されたデータ又はＲＦ信号の他の確定されたパラメータなど、ＲＦ検出可能特徴部４２の特性であってもよい。
【０５１９】
更に、注入ポンプデバイス３０に対するキャップ４又は基部／リザーバ／キャップユニットの存在又は位置（回転位置など）を検出する実施形態では、ＲＦ検出構成により、比較的正確な位置検出がもたらされる。例えば、図４Ａ及び図４Ｂに関する上記の実施形態の更なる例では、複数の構成要素４２がキャップ４上に配置され、対応する複数の異なる位置で、軸Ａの周りに周方向に又は直線的に沿って（又はその両方）離間しており、構成要素４２は、ＲＦ検出可能デバイスであり、構成要素３４はＲＦセンサデバイスである。他の実施形態では、構成要素４２は、ＲＦセンサデバイス（又はＲＦセンサデバイス及びＲＦ検出可能デバイスの両方）であり、構成要素３４は、ＲＦ検出可能デバイス（又はＲＦセンサデバイスとＲＦ検出可能デバイスの両方）である。
【０５２０】
特定の実施形態では、図４Ａ及び図４Ｂに関して上記のように、ＲＦ検出可能デバイス及びＲＦセンサデバイスは、リザーバ受容部３２に対する基部／リザーバ／キャップユニットの適切又は不適切な位置合わせ又は近位（又はその両方）を比較的正確に検出することができる。また、複数のＲＦセンサ又は複数のＲＦ検出可能デバイス（又はその両方）が、キャップ４及び注入ポンプデバイス３０の一方又は両方で用いられる特定の実施形態では、キャップ４の様々な所定の状態を検出可能なように、これらの複数の要素が配置されてもよい。このため、例示的実施形態では、これら複数の要素は、注入ポンプデバイス３０に対して、軸Ａの周りでのキャップ４の回転位置（又は動作）の検出が可能なように、軸Ａの周りに離間して配置される。代替的に又は追加的に、注入ポンプデバイス３０に対して、軸Ａに沿って、キャップ４の直線位置（又は動作）の検出が可能なように、キャップ４の軸寸法Ａにおいて、複数の要素が離間して配置される。他の実施形態では、キャップの軸寸法Ａとリザーバ受容部３２の軸寸法との間の角度差（又は動作）を検出するために、１つ以上の要素が配置される。したがって、異なる実施形態では、センサ素子（複数可）は、キャップ４の回転位置、キャップ４の直線位置、キャップ４の角度位置、又はこれらの任意の組み合わせを示す１つ以上のセンサ信号を提供する。
【０５２１】
ＲＦ検出可能特徴部及びＲＦセンサは、本発明の実施形態により、比較的正確な位置検出をもたらすように構成されてもよい。例示的構成は、本明細書に記載される。しかし、他の実施形態では、それらの使用の状況に適した正確さの程度を提供する他の好適な構成を使用する。
【０５２２】
特定の実施形態では、存在又は位置検出（又はその両方）は、１つ以上のＲＦセンサデバイス３４（又はこうしたセンサデバイス（複数可）に接続されるエレクトロニクス）を構成して、１つ以上のＲＦ検出可能特徴部４２の信号強度を検出することによって得られる。信号強度検出としては、ＲＳＳＩ信号レベルの検出も挙げることができる。特定の実施形態では、センサ−（複数可）に接続されたエレクトロニクス６０は、１つ以上のセンサ（複数可）により検出される信号強度（例えば、ＲＳＳＩ信号レベルなど）と１つ以上の所定の閾値とを比較するように構成される。このような所定の閾値は、製造者又は注入デバイスポンプ３０、リザーバ１、キャップ４又は上記の他の構成部品に関連する他のエンティティによって設定されてよく、また、メモリ６６など、エレクトロニクス６０に含まれるか又はエレクトロニクス６０によってアクセス可能なメモリ内に格納されてよい。例えば、特定の実施形態では、所定の閾値は、１つ以上のＲＦ検出可能特徴部４２が、適切な場所にあるか、又は１つ以上のＲＦセンサデバイス３４と揃っている（又はその両方）とき（基部／リザーバ／キャップユニットが注入ポンプデバイス３０に適切に又は十分に受容されたときに対応する）、１つ以上のＲＦセンサデバイス（複数可）３４によって受信される信号強度レベルに対応する値を含む。
【０５２３】
更なる特定の実施形態では、単一のＲＦセンサデバイス（例えば、図４Ａ及び図４Ｂでは構成要素３４で表される）は、複数のＲＦ検出可能デバイスからＲＦ信号を検出する（例えば、図４Ａ及び図４Ｂの構成要素４２Ａ及び４２Ｂによって表される）。こうした実施形態では、ＲＦセンサデバイスは、注入ポンプデバイス３０に対するキャップ４の位置を判定するために、複数のセンサの各センサの信号強度（例えば、ＲＳＳＩ信号レベル）を判定するように構成されたエレクトロニクス６０に接続される。また、このような実施形態では、ＲＦ検出可能デバイスのそれぞれ（例えば、構成要素４２及び４２Ｂ）は、ＲＦ検出可能デバイスの互いに対して検出可能に異なる信号を提供するように構成されてもよい。したがって、エレクトロニクス６０は、エレクトロニクスが検出された信号強度と異なる検出された信号（即ち、それぞれ異なる構成要素４２Ａ又は４２Ｂ）とを関連付けるように、ＲＦ検出可能デバイス（例えば、構成要素４２Ａ又は４２Ｂ）がそれぞれ異なる検出された信号に関連付けられていることを判定するように構成されてもよい。複数のＲＦ検出可能デバイス（例えば、構成要素４２Ａ又は４２Ｂ）の検出された信号強度と関連付けることによって、エレクトロニクス６０は、比較的良好な精度で、注入ポンプデバイス３０に対するキャップ４の位置を判定することができる。エレクトロニクス６０は、以下に限定されないが、例えば、図６のプロセス１５０に関して上記のように、複数のＲＦ検出可能デバイスから受信された信号の検出された信号強度レベルと対応する複数の所定の閾値とを比較するなど、任意の好適な方法で、センサデバイス（複数可）から受信された情報を処理するように構成されてもよい。しかし、他の実施形態では、複数のＲＦ検出可能デバイスから受信された信号を評価するにあたって、他の好適な処理ルーチンを使用する。
【０５２４】
更なる実施形態では、１つ以上のＲＦ検出可能特徴部又は１つ以上のＲＦセンサ（又はその両方）は、検出能力又は検出精度（例えば、位置又は配置検出精度）を向上させるために、アンテナ構成を含む。したがって、図４Ａ及び図４Ｂに関して上記の実施形態に関しては、軸Ａの周り又は軸Ａに沿って（又はその両方）離間した関係で、複数のセンサデバイス又は検出可能なデバイス（又はその両方）が配置され、更なる実施形態では、同様に、軸Ａ（例えば、注入ポンプデバイス３０上又はキャップ４上、又はその両方）の周り又は軸Ａに沿って（又はその両方）離間した関係で、複数のアンテナが配置される。
【０５２５】
例示的実施形態では、上記の１つ以上のＲＦセンサデバイス又はＲＦ検出可能特徴部（又はその両方）３４又は４２は、複数のアンテナを含むか、又は接続され、それぞれのアンテナは、軸Ａの周り又は軸Ａ方向の長さ（又はその両方）の異なる位置に位置する。１つ以上のＲＦセンサデバイスが注入ポンプデバイス３０にある実施形態では、複数のアンテナは、ＲＦセンサデバイス（複数可）の一部として又はＲＦセンサデバイス（複数可）に接続されて、注入ポンプデバイス３０内に取り付けられてもよく、軸Ａの周りに又は軸Ａ方向に沿って（又はその両方）特定の配列で配置される。１つ以上のＲＦ検出可能特徴部がキャップ４又は基部／リザーバ／キャップユニットの他の構成部品にある実施形態では、複数のアンテナは、ＲＦ検出可能特徴部（複数可）の一部として又はＲＦ検出可能特徴部（複数可）に接続されて、キャップ４又は基部／リザーバ／キャップユニットの他の構成部品に取り付けられてもよく、また、軸Ａの周り又は軸Ａ方向に沿った（又はその両方）空間配列で配置される。
【０５２６】
例えば、センサデバイス３４の（又は接続されている）それぞれのアンテナは、ＲＦ検出可能特徴部４２がアンテナに対して、所定の位置（例えば、以下に限定されないが、アンテナに直接隣接している位置など）にあるとき、ＲＦ検出可能特徴部４２の（又は、接続されている）１つ以上のアンテナにより信号を伝達する（信号を受信するか、又は信号を伝達する（又はその両方）が、所定の位置にないＲＦ検出可能特徴部により信号が十分に伝達されることがないように構成され、かつ配向される。特定の実施形態では、基部／リザーバキャップユニットが注入ポンプデバイス３０内に十分に又は適切に受容されたとき、１つ以上のアンテナは、１つ以上のＲＦ検出可能特徴部の位置に対応する位置に配置される。
【０５２７】
したがって、ＲＦセンサデバイス３４に接続されたエレクトロニクス６０は、１つ以上のアンテナによって受信される信号に基づいて、基部／リザーバ／キャップユニットが注入ポンプデバイス３０に対して適切な位置内又は適切な位置に十分に受容されているかどうかを判定する（又は、注入ポンプデバイス３０に対するキャップ４の位置を判定する）ように構成されてもよい。特定の実施形態では、エレクトロニクス６０は、軸Ａ方向の周りに又は軸Ａ方向に沿って（又はその両方）配置された複数のアンテナから受信された信号に関する情報を用いて、注入ポンプデバイス３０に対する基部／リザーバ／キャップユニット（又はキャップ４）の位置を判定するように構成される。更なる実施形態では、エレクトロニクス６０は、こうした情報を用いて、例えば、基部／リザーバ／キャップユニット（又はキャップ４）が適切又は所望の方向に移動しているかどうかを評価するため、動作の方向又は速度（又はその両方）に対応する情報を記録するため、又はこれらの組み合わせなど、注入ポンプデバイス３０に対する基部／リザーバ／キャップユニット（又はキャップ４）の回転又は他の動作の方向又は速度（又はその両方）を判定するように構成される。
【０５２８】
更なる実施形態では、センサデバイス（複数可）３４の１つ以上のアンテナは、ＲＦ検出可能特徴部４２の１つ以上のアンテナから信号を受信するように構成され、キャップ上のＲＦ検出可能デバイスの相対位置が変動するときに、信号強度（以下に限定されないが、ＲＳＳＩ値など）又は信号の他の特性が変動する。こうした実施形態では、エレクトロニクス６０は、１つ又は複数のアンテナからの信号強度又は他の検出された信号特性を用いて、注入ポンプデバイス３０に対する基部／リザーバ／キャップユニット（又はキャップ４）の位置を判定するように構成される。例えば、センサデバイスと検出可能なデバイスのアンテナの相対位置がより近くになるにつれて（例えば、キャップ４（又は基部／リザーバ／キャップユニット）をリザーバ受容部３２内の十分に挿入させた位置に向かって移動させるとき）、受信される信号の信号強度（ＲＳＳＩ又は他の信号強度値）は、より強くなる可能性がある。このため、エレクトロニクス６０は、例えば、以下に限定されないが、検出された信号強度を基部／リザーバ／キャップユニット（又はキャップ４）と注入ポンプデバイス３０との所定の相対位置に対応する１つ以上の事前設定した閾値と比較するなど、１つ以上のセンサデバイス又は１つ以上のアンテナ（又はその両方）から検出された信号強度を分析するように構成されてもよい。他の実施形態では、受信された信号の相対位置を判定するために、他のアルゴリズム又はルーチンを使用してもよい。
【０５２９】
特定の実施形態では、上述のような離間した複数のアンテナを使用し、エレクトロニクス６０は、複数のアンテナによって受信された又は伝達された（又はその両方）信号のＲＳＳＩ値又は他の信号の信号強度値を分析し、位置検出又はパターン認知に、例えば、単一のアンテナ配置に対して高精度性などを提供する（考えられ得る複数の所定のパターンからアンテナの検出された位置パターンを識別するために）ように構成される。複数のアンテナを用いるこれらの又は他の実施形態では、アンテナは、所定の検出可能な信号方向又はパターンを提供するように、フェーズドアレイ構成又は他の好適な構成で構成されてもよい。
【０５３０】
複数のアンテナ又は複数のセンサデバイス３４を用いる特定の実施形態例（又は複数のアンテナ及び複数のセンサデバイスの両方）では、エレクトロニクス６０は、センサ配列のスキャンを行って、連続配列又は他の所定の配列又は擬似乱数配列で、それぞれのセンサを選択的に作動させるか、又はそれぞれのセンサから信号を読み取る（又はその両方）ように構成される。例えば、特定の実施形態では、複数のアンテナが、軸Ａの周り又は軸Ａに沿って（又はその両方）所定の位置に配置され（キャップ４上、注入ポンプデバイス３０上（又はその両方）、それぞれのアンテナは、互いのアンテナに対して、異なる検出可能な信号を提供するように構成される（又は、異なる検出可能な信号を提供するように構成された交互に異なる検出可能なデバイス又はセンサデバイスに接続される）。以下に限定されないが、約１〜３度のビーム角など、比較的狭いビーム（送信ビーム又は受信ビーム又はその両方の狭角）を提供するように各アンテナを構成することによって、及びそれらのアンテナのスキャンを行うことによって、エレクトロニクス６０は、注入ポンプデバイス３０のリザーバ受容部３２に対するキャップ４（又は基部／リザーバ／キャップユニット）の回転位置又は直線位置の比較的正確な検出を提供するように構成され得る。他の実施形態では、ビーム角１度未満、又はビーム角３度超など、他の好適なビーム角を用いてもよい。
【０５３１】
複数のアンテナ又は複数のセンサデバイス３４を用いるこれらの又は他の例示的実施形態（又は複数のアンテナ及び複数のセンサデバイスの両方）では、エレクトロニクス６０は、例えば、信号対ノイズ比を改善するために、受信されたＲＦ信号を組み合わせて最大比を提供するように構成される。こうした実施形態では、あるアレイ内の複数のアンテナから受信された信号を組み合わせるが、その組み合わせの比は、信号強度に応じてエレクトロニクス６０によって調整される。例えば、エレクトロニクス６０は、（エレクトロニクス６０によって判定されるとき）弱い信号を受信しているアレイ内のアンテナよりも、強い信号を受信するアレイ内のアンテナからの信号の寄与の重み付け又は増大を行い得る。
【０５３２】
特定の実施形態では、アンテナは、感度及び確度を改善するために、（例えば、キャップ、リザーバ、基部又は注入ポンプデバイスを製造する工場によって、又は別の公認エンティティによって）較正されてもよい。更なる実施形態では、検出感度及び精度は、以下に限定されないが、アンテナビーム形成構成、複数のアンテナのアンテナ配列、ある配列において異なるアンテナの異なる検出可能パラメータ、ある配列における異なるアンテナの他の送信多様性、最大組み合わせ比、工場較正など、上述の２つ以上の特徴部の任意の組み合わせを用いることによって向上される。
【０５３３】
１つ以上のセンサデバイス３４内にあるか、又は１つ以上のセンサデバイス３４に接続されている１つ以上のアンテナを用いる上記の実施形態の例では、センサアンテナ（複数可）は、例えば、リザーバ受容部３２に隣接して、注入ポンプデバイス３０内に取り付けられてもよい。特定の実施形態では、センサアンテナ（複数可）は、例えば、ハウジング構造又はリザーバ受容部３２の構造（又はその両方）を形成するプラスチック材料内に埋め込まれるか、又は成形されることによって、注入ポンプデバイス３０のハウジング構造内に配置される。他の実施形態では、アンテナ（複数可）は、注入ポンプデバイス３０のハウジング又はリザーバ受容部構造に接着剤又は連結ハードウェア（又はその両方）によって取り付けられる。
【０５３４】
アンテナのサイズ、位置及び／又は配向は、以下に限定されないがＲＦＩＤなどのＲＦ検出可能特徴部において、様々な特徴部の信号強度及び検出に大いに影響を与える可能性がある。この点を考慮して、ある実施形態では、可能な限り広いアンテナ領域を提供し、かつ／又はキャップ４内のアンテナを補完ことが有益となり得る。特定の実施形態では、ＲＦＩＤは、リザーバ上に形成されたアンテナに係合するアンテナ及び／又は電気接点を含んでもよい。更なる実施形態では、アンテナは、リザーバの側面に沿って形成される。これらの実施形態では、リザーバ上に置かれたアンテナは、注入ポンプデバイス上の対応するエレクトロニクスに係合し、かつ共に作動するのに更に理想的に適した位置で配向され、かつ／又はサイズの増大がもたらされる。特定の実施形態では、２つ以上のアンテナがリザーバの側面上に形成されてもよい。例えば、キャップ４をリザーバに接続し、注入ポンプデバイスハウジング内でリザーバ（又は基部／リザーバ／キャップユニット）を挿入しかつロックした後、これにより、アンテナの確実な位置合わせに有用となり得る。このため、ユーザが、リザーバに対するキャップ４の配向に関係なく、より容易にリザーバをキャップ４に取り付けられるように、ユーザにとっての操作を簡素化し得る。特定の実施形態では、例えば、好適な導電性インクによりアンテナを直接にリザーバ側面に印刷することによって、１つ以上のアンテナがリザーバ側面に提供される。他の実施形態では、アンテナは、以下に限定されないが、アンテナをリザーバに嵌め込む、接着剤によりアンテナをリザーバへ取り付ける、リザーバをラベルなどとしてアンテナに貼り付けるなど、外側に好適な方法で、リザーバに提供されてもよい。
【０５３５】
１つ以上のＲＦ検出可能特徴部４２内又は１つ以上のＲＦ検出可能特徴部４２に接続された１つ以上のアンテナを用いる上記の実施形態の他の例では、アンテナ（複数可）は、キャップ４、基部２又はリザーバ１に取り付けられてもよい。更に他の実施形態では、アンテナ（複数可）は、注入ポンプデバイス３０内に（上記のように）取り付けられ、かつ、キャップ４（又は基部／リザーバ／キャップユニット）が、注入ポンプデバイス３０のリザーバ受容部３２内に適切に又は十分に受容されているとき、キャップ４、基部２又はリザーバ１上の１つ以上のＲＦ検出可能特徴部４２と電気的に接続されるように配置される。こうした実施形態では、キャップ４（又は基部／リザーバ／キャップユニットの他の構成部品）は、ＲＦ検出可能特徴部４２（複数可）（例えば、ＲＦＩＤタグなど）内に含まれるか、又は電気的に接続される１つ以上の導電性接点からなるセットを含み、キャップ４（又は基部／リザーバ／キャップユニット）が、注入ポンプデバイス３０のリザーバ受容部３２内に適切にかつ十分に受容されたとき、注入ポンプデバイス３０上の１つ以上の導電性接点の対応するセットに係合するように配置される。こうした実施形態では、キャップ４（又は基部／リザーバ／キャップユニット）が、注入ポンプデバイス３０のリザーバ受容部３２内に適切にかつ十分に受容されていないとき、キャップ４（又は基部／リザーバ／キャップユニット）上の導電性接点では、注入ポンプデバイス３０上の接点との電気的通信が行われることはない。したがって、これらの実施形態では、キャップ４（又は基部／リザーバ／キャップユニット）が、注入ポンプデバイス３０のリザーバ受容部３２内に適切にかつ十分に受容されているときのみ、ＲＦ検出可能特徴部（複数可）４２は、１つ以上のアンテナ（複数可）と電気的に接続される。
【０５３６】
キャップ４（又は基部／リザーバ／キャップユニットの別の構成部品）内又はその上に取り付けられた１つ以上のアンテナを用いる上記の実施形態の例では、アンテナは、キャップ４の通気開口部又はポート２４に十分近位に配置され、開口部又はポートと接触し得る（又は開口部若しくはポートに入り得る）水又は他の液体と接触する。こうした実施形態では、アンテナは、乾燥時（又は水又は他の液体と接触していないとき）は、適切に動作するが、水又は他の液体と接触しているときは動作しない（又は検出可能な異なる様式で動作する）ように構成される。したがって、こうした実施形態では、水又は他の液体と接触しているとき（例えば、水若しくは他の液体が開口部若しくは通気口と接触しているか、又は開口部若しくは通気口に入っているとき）、アンテナは、動作不能になるか、又は検出可能な異なる様式で動作する水分センサとして動作し得る。例えば、エレクトロニクス６０は、例えば、アンテナが水又は他の流体と接触しているために、アンテナが動作しないとき、警報信号を提供するか、注入ポンプデバイス３０の１つ以上の機能（以下に限定されないが、流体分配機能）の操作を阻止するか、メッセージを送信するか、又は別の所定のタスクを実行するか又はこれらの任意の組み合わせを行うように構成されてもよい。
【０５３７】
上記の様々な実施形態では、１つ以上のＲＦ検出可能特徴部４２がキャップ４（又は基部／リザーバ／キャップユニットの他の部分）に提供される。特定の実施形態では、１つ以上のＲＦ検出可能特徴部４２は、リザーバ１のプランジャに提供され、１つ以上のＲＦ検出器は、注入ポンプデバイス３０に提供され、リザーバ１をリザーバ受容部内に装着させるとき、ＲＦ検出可能特徴部４２と相互作用するようにリザーバ受容部３２に十分近位である。例えば、図１６を参照すると、少なくとも１つのＲＦ検出可能特徴部４２は、リザーバ１の可動プランジャ上（例えば、リザーバプランジャのヘッド１ａ又はリザーバプランジャのシャフト１ｂ上）に提供される。こうした実施形態では、基部／リザーバ／キャップユニットが、リザーバ受容部３２内に装着されているとき、軸Ａに対するＲＦ検出可能特徴部４２の直線位置を検出するために、１つ以上のＲＦセンサが、注入ポンプデバイス３０内（例えば、リザーバ受容部３２内又は付近）に配置されてもよい。したがって、検出されたＲＦ検出可能特徴部４２の位置に基づき、コイル９３に関連する電気的検出回路と接続させた処理エレクトロニクス（処理エレクトロニクス６２など）は、プランジャヘッド１ａの直線位置、及び、このため、リザーバ１での注入媒体の残量を検出するように構成されてもよい。
【０５３８】
特定の実施形態では、処理エレクトロニクスは、プランジャヘッド１ａの直線位置を検出し、かつプランジャヘッド１ａが充填された位置（充填された又は未使用リザーバ１に対応する）にあるか、又はプランジャヘッド１ａが前回の注入ポンプデバイス３０の使用の最終位置にあるかどうかを判定するように構成される。こうした実施形態では、処理エレクトロニクスは、プランジャヘッドが充填位置にない、又はその最終位置にない（使用済み又は再使用リザーバが、注入ポンプデバイスに装着されていることを示すこともある）といった判定に応答して、所定の動作を実行するように構成されてもよい。このような所定の行動としては、以下に限定されないが、注入ポンプデバイス３０の注入媒体送達操作を阻止すること、注入ポンプデバイス３０用の特定の操作上の設定を決定すること、警報又は制御信号を提供すること、データを記録すること、認証操作を提供すること、又は他の所定のタスクを実行すること、を挙げることができる。
【０５３９】
更なる実施形態では、ＲＦ検出可能特徴部４２は、シリアル番号又は他のコード（他のリザーバ１において一意的又は非一意的である）が提供される受動型（又は能動型）ＲＦＩＤチップ又は他のＲＦ検出可能特徴部を含む。こうした実施形態では、リザーバ１（又は基部／リザーバ／キャップユニット）を最初に注入ポンプデバイス３０（又は他の好適な送達デバイス）に装着させるとき、又は装着後特定の時間にて、処理エレクトロニクス（例えば、図５のエレクトロニクス６０など）は、シリアル番号又はコードの読み取りを行う。特定の実施形態では、エレクトロニクス６０は、シリアル番号又はコードが注入ポンプデバイス３０（又は他の送達デバイス）に事前に装着されたリザーバ１のシリアル番号又はコードに対応しているか判定し、かつその一致が決定付けられた（又は決定されなかった）イベントでは、所定の行動を実行するように構成される。こうした実施形態では、エレクトロニクスは、注入ポンプデバイス３０（又は他の送達デバイス）内で時間をかけて使用されたリザーバのシリアル番号又はコードの記録を格納し、リザーバ１から新たに読み込まれたシリアル番号又はコードを事前に格納されたシリアル番号又はコードと比較して、一致が発見されるかどうかを判定するように構成されてもよい。一致は、リザーバ１が既に使用された可能性（又は既に使用されたリザーバ１を再使用する試み）を示すことができる。こうした実施形態では、処理エレクトロニクスは、リザーバ１から読み取られるシリアル番号又はコードが、（既に使用されたリザーバ１の）事前に格納されたシリアル番号又はコードに一致するとの判定に応答して、所定の行動、以下に限定されないが、注入ポンプデバイス３０の注入媒体送達動作を阻止すること、注入ポンプデバイス３０用の特定の動作上の設定を決定すること、警報又は制御信号を提供すること、データを記録すること、認証動作を提供すること、又は他の所定のタスクを実行することなど、を実行するように構成されてもよい。
【０５４０】
ＲＦ検出可能特徴部４２がリザーバプランジャ上に位置している図１６のような実施形態では、ＲＦ検出可能特徴部４２は、受動型デバイス又は能動型デバイスのいずれかであってもよい。受動型デバイスは、能動型デバイスよりも価格が安く、耐久性がある場合がある。しかし、能動型デバイスは、本明細書に記載されるように、追加の機能を提供することができる。
【０５４１】
特定の実施形態では、注入ポンプデバイス３０（又は他の送達デバイス）には、能動型ＲＦＩＤチップ（又は他の能動型ＲＦデバイス）が提供され、リザーバ１のプランジャには、受動型ＲＦＩＤチップ（又は他の受動型ＲＦデバイス）が提供される。このような配置では、磁界は、リザーバ１上の受動型チップと注入ポンプデバイス３０（又は他の送達デバイス）上の能動型チップとの間に存在することができ、磁界の規模は、受動型デバイスと能動型ＲＦデバイスとの間の相対距離に依存する。こうした実施形態では、リザーバピストン上のＲＦデバイスが、注入ポンプデバイス（又は他の送達デバイス）のＲＦデバイスにより近くに移動するときに磁界が増大し、又は、リザーバピストン上のＲＦデバイスが、注入ポンプデバイス（若しくは他の送達デバイス）のＲＦデバイスから更に移動するとき、磁界が減少する。
【０５４２】
したがって、このような実施形態では、センサ素子３４としては、磁界検出器が挙げられ、磁界又はＲＦデバイス間の磁界の変化を検出する。また、このような実施形態では、エレクトロニクス（図５のエレクトロニクス６０などは、上記のようなものなど磁界に基づいて、１つ以上の所定の行動を実施するように構成される。特定の実施形態では、エレクトロニクスは、検出された磁界強度に基づいて、リザーバ１用の注入媒体の体積（残存しているか、又は使用されたレベル又は量）を決定するように構成される。
【０５４３】
更なる実施形態では、体積は、他の好適な方法で決定される。例えば、特定の実施形態では、充填操作の一部として、リザーバ１は、充填ステーション又は充填デバイスにて（部分的に又は十分に）充填され、体積（充填量）に対応する情報は、ＲＦＩＤチップ又はリザーバプランジャ上（又はリザーバの別の部分上）の他のＲＦデバイスに書き込まれる。次に、リザーバを注入ポンプデバイス（又は他の送達デバイス）に装着させるとき、エレクトロニクス（図５のエレクトロニクス６０など）は、ポンプモータの電動工程のカウント又は装着後に分配された注入媒体の量の他の検出を提供する。エレクトロニクスは、リザーバ１内に残留している注入媒体の体積を更に計算する（例えば、充填量から分配量を引くことによって）。
【０５４４】
特定の実施形態では、エレクトロニクスは、注入ポンプデバイス３０のユーザが認知しやすい表示デバイス上に、体積情報（以下に限定されないが、注入媒体が残留しているか又は使用されたレベル又は量など）を表示するように構成されてもよい。注入ポンプデバイス３０（又は他の送達デバイス）に、能動型ＲＦＩＤチップ（又は他の能動型ＲＦデバイス）が提供される実施形態では、追加の情報が書き込まれ、能動型チップ又はデバイスから読み込まれてもよく、こうした情報としては、以下に限定するものではないが、上記のように体積情報又は上記のような１つ以上のシリアル番号又はコードを挙げることもできる。
【０５４５】
更なる実施形態では、注入ポンプデバイス３０（又は他の送達デバイス）に１つ以上の無線又は有線通信デバイスが提供され、この１つ以上の無線又は有線通信デバイスは、注入ポンプデバイス３０とは別個の、又は注入ポンプデバイス３０から遠隔に位置する別の電子デバイスに表示するために、体積情報（又は検出されたパラメータ又は関連付けられた特性に対応する他の情報）を送信するように構成され、かつ制御される。特定の実施形態では、ネットワーク（例えば、以下に限定されないが、インターネットなど）上での通信のため、無線通信デバイス（複数可）を、１つ以上の所定のネットワーク接続デバイスに接続するように構成する。このような１つ以上の所定のネットワーク接続デバイスは、注入ポンプデバイス３０（又は他の送達デバイス）に対して遠隔の地理的位置に位置していてもよい。特定の実施形態では、こうしたネットワーク接続デバイスには、注入ポンプデバイス３０（若しくは他の送達デバイス）から、又は注入ポンプデバイス３０（若しくは他の送達デバイス）と通信する他のネットワーク接続デバイス（クレイドル、又はユーザのコンピュータなど）から情報を受信するように構成されたサーバが含まれる。こうした情報としては、体積情報、シリアル番号若しくはコード又は上記のようなリザーバ１、キャップ４、基部／リザーバ／キャップユニット若しくは注入セットに関する他の情報を挙げることができるが、これらに限定されない。
【０５４６】
こうした実施形態では、ネットワーク接続サーバは、情報を記録したり、関連製品（例えば、補充又は交換品など）を供給したり、又は医学的治療若しくは医療保険をユーザに提供したりするエンティティと連結されてもよい。一例では、ネットワーク接続サーバは、Ｍｅｄｔｒｏｎｉｃ  Ｉｎｃ．のＣａｒｅｌｉｎｋ（商標）システムに連結している。他の実施形態では、ネットワーク接続サーバは、１つ以上の他のサーバ及び関連エンティティである。したがって、こうした情報は、サーバ（又は連結されたエンティティ）によって、補充、新規又は交換用リザーバ、又はキャップ４、基部／リザーバ／キャップユニット又は注入セットの他の構成部品を送るか（又はいつ送るか）を判定するために使用されてもよい。更なる実施形態では、こうした情報は、ユーザの医師又はユーザに関連する他の医学的治療エンティティ（追跡、診断、治療計画の調整又は他の好適な使用のために）に提供されてもよい。このため、このような実施形態では、補充又は交換品が自動的（ユーザが注文する必要なく）にユーザに送られ得、また、使用情報が、ユーザのヘルスケア提供者、保険提供者又は他の好適なエンティティに自動的に提供され得る。
【０５４７】
更なる実施形態では、ネットワーク接続サーバは、上記のネットワーク通信接続又は他のネットワーク接続を介して情報を提供するように構成される（また、注入ポンプデバイス３０又は他の送達デバイスは、その情報を受信するように構成される）。こうした情報としては、リザーバ１、キャップ４、基部／リザーバ／キャップユニット若しくは注入セットの交換又は補充に関する指示若しくは推奨、ヘルスケア提供者、保険業者若しくは製造者からのメッセージ若しくは通知、リコール通知などを挙げることができるが、これらに限定されない。特定の実施形態では、注入ポンプデバイス３０（又は他の送達デバイス）のエレクトロニクス（エレクトロニクス６０など）は、所定の指示、通知又はメッセージの受領に応答して、１つ以上の所定の動作（上記のような）を実施するように構成される。
【０５４８】
更なる実施形態では、所定の複数の（又は多数の）リザーバ１（又は基部／リザーバ／キャップユニット、注文セット又はこれらの構成部品）がユーザに提供され、ＲＦＩＤチップ（又は他のＲＦデバイス）は、（各リザーバ、基部／リザーバ／キャップユニット、注入セット又はこれらの構成部品に対して固有である）１つ以上のシリアル番号又はコードを格納する。こうした実施形態では、注入ポンプデバイス３０（若しくは他の送達デバイス）中のエレクトロニクス（エレクトロニクス６０など）は、注入ポンプデバイス３０（若しくは他の送達デバイス）内で使用されるとき、リザーバ１（又は基部／リザーバ／キャップユニット、注入セット又はこれらの構成部品）のシリアル番号又はコードを検出するように構成されてもよい。検出されたシリアル番号又はコードは、所定の数の複数の（多数の）リザーバ１（又は基部／リザーバ／キャップユニット、注入セット又はこれらの構成部品）がいつ使用されたかを判定し、かつ、より多くのリザーバ１（又は基部／リザーバ／キャップユニット、注入セット又はこれらの構成部品）の注文（再注文）をトリガするように、（注入ポンプデバイス３０又は他の送達デバイスによって、上記のように遠隔サーバによって）追跡される。
【０５４９】
更なる実施形態では、上記のような容量検出は、注入ポンプデバイス３０（又は他の送達デバイス）とユーザとの間の送達経路内の可能性のある閉塞又は遮断を検出するために用いることができる。こうした実施形態では、エレクトロニクス（エレクトロニクス６０など）は、リザーバプランジャの実際の位置ずれ又は位置（例えば、上記のように磁界強度の検出によって）及びモータのカウント数を判定するために、上記のように体積検出を実施するように構成されてもよい。加えて、エレクトロニクス６０は、モータのカウント数がリザーバプランジャの実際の位置ずれに対応していることを判定するように構成される。モータのカウント数の検出された数により生じると考えられる位置ずれの量未満であるリザーバプランジャの実際の位置ずれは、送達経路における閉塞又は遮断のしるしとなり得る。特定の実施形態では、可能性のある閉塞又は遮断の検出時（例えば、リザーバプランジャの実際の位置ずれを所定の閾値ほど超えるモータのカウント数と関連付けられるプランジャの位置ずれが検出された時など）に、エレクトロニクスは、以下に限定されないが、上記のうちの１つ以上の動作など、所定の動作を行うように構成される。
【０５５０】
上記の特定の実施形態では、キャップ４、リザーバ１及び注入ポンプデバイス３０のうちの１つ（又は全て）は、少なくとも１つのセンサ素子を備え、キャップ４、リザーバ１及び注入ポンプデバイス３０のうちのその他のもの（又は全て）は、キャップ４（又は基部／リザーバ／キャップユニット）が注入ポンプデバイス３０に適切に連結されたとき、センサ素子によって検出される、少なくとも１つの検出可能特徴部を備える。上記のような特定の実施形態は、１つ以上の磁気検出可能特徴部及び磁石検出センサ、又は１つ以上の誘導部材及び誘導型センサを備える。上記の他の実施形態では、１つ以上の検出可能特徴部４２はそれぞれ、ＲＦセンサによって検出することができるＲＦ検出可能デバイス又は構造を含み、それぞれのセンサ素子３４は、ＲＦセンサを含む。更に他の実施形態では、１つ以上の検出可能特徴部４２は、磁気検出可能デバイス、誘導検出可能デバイス及びＲＦ検出可能デバイスの任意の組み合わせを含み、１つ以上のセンサ素子３４は、１つ以上の磁気検出センサ、誘導型センサ及びＲＦセンサの任意の組み合わせを含む。また、ＲＦＩＤに関与する使用に関して本明細書に記載の実施形態のいずれかは、無線ＲＦＩＤ接続の代わりに、リザーバ１、注入セット５０及び／又は接続インターフェイス４０と注入ポンプデバイス３０（又は他のデバイス（複数可））との間で、物理的有線接続により実装されてもよい。
【０５５１】
更なる実施形態では、１つ以上の（又は複数の）ＲＦ検出可能特徴部４２は、リザーバ１、キャップ４、又は基部／リザーバ／キャップユニットの他の構成部品に付着されるか、埋め込まれるか、又はさもなければ取り付けられるラベル（又はスマートラベル）中に含まれる。特定の実施形態では、ラベルには、接着剤付基材又はＲＦＩＤタグ又は他のＲＦ検出可能特徴部（アンテナなど）が取り付けられる他の支持層を含む。この基材は、プラスチック、シリコーン、紙又は繊維板などから作製された可撓性シート材料など、任意の好適な材料製であってもよい。他の実施形態では、基材は、以下に限定されないが、金属、プラスチック、セラミック、複合材料などから作製された他の可撓性材料又は硬質材料、半硬質材料など、他の好適な材料で作製される。特定の実施形態では、ラベルは、基材の背面で、接着材料により、キャップ４、リザーバ１又は基部／リザーバ／キャップユニットの他の構成部品に直接付着させることができる。他の実施形態では、ラベルは、以下に限定されないが、圧着、溶接、磁気接続、ネジ、ボルト、クランプ又は他の機械的接続デバイスなど、別の好適な取り付け機構によって、リザーバ１、キャップ４、又は基部／リザーバ／キャップユニットの他の構成部品に取り付けられる。ＲＦＩＤデバイス及びそれらの一部は、複数の構成部品にまたがるか、又は例えばリザーバ１、注入セット５０、チューブ５２、接続インターフェイス４０などの一部であるか、又は、全体が任意の単一の上記の構成部品に一体化されてもよい。
【０５５２】
更なる実施形態では、ラベルは、長さ方向寸法を有し、その長さ方向寸法に沿って、１つ以上の（又は複数の）ＲＦ検出可能特徴部を有する、データストリップの形態で構成される。他の実施形態では、データストリップは、長さ方向寸法に沿った１つ以上のＲＦ検出可能特徴部４２の代替又は追加として、本明細書に記載されるような１つ以上の（又は複数の）他の種類の検出可能特徴部４２（以下に限定されないが、磁気、誘導性、光学的及び機械的検出可能特徴部など）を有する。特定の実施形態では、検出可能特徴部４２は、以下に限定されないが、バーコードパターン又は暗い及び明るい（又は低若しくは高反射）特性を有する構成要素の他の光学的検出可能パターンなど、あるパターンにおいて、１つ以上の光学的検出可能特徴部を含む。
【０５５３】
特定の実施形態では、データストリップは、１つ以上の（又は複数の）検出可能特徴部４２がキャップ４、リザーバ１又は基部／リザーバ／キャップユニットの他の構成部品の周り（周囲又は軸Ａ）に延出するように、キャップ４、リザーバ１又は基部／リザーバ／キャップユニットの他の構成部品の周り（周囲又は軸Ａ）に延びるように構成される。こうした実施形態では、１つ以上のセンサ３４は、注入ポンプデバイス３０内又は注入ポンプデバイス３０に対して取り付けられる。センサ（複数可）３４は、キャップ４（又は基部／リザーバ／キャップユニット）を注入ポンプデバイス３０のリザーバ受容部３２内に装着させるとき、データストリップ上の検出可能特徴部（複数）を検出するために、注入ポンプデバイス３０上の１つ以上の固定位置にて支持される。
【０５５４】
特定の実施形態では、１つ以上のセンサ（複数可）３４は、ラベル（又はデータストリップ）上の１つ以上の検出可能特徴部４２を検出するために、リザーバ受容部３２の周囲及び軸Ａの周りに配置される。こうした実施形態では、センサ（複数可）３４及び関連するエレクトロニクス（図５のエレクトロニクス６０など）は、注入ポンプデバイス３０に対するキャップ４又は基部／リザーバ／キャップユニットの存在又は位置（回転位置など）の一方又は両方を検出するように構成され、ラベル（又はデータストリップ）上の検出可能特徴部４２の配列は、比較的正確な位置検出を提供することができる。例えば、ラベル又はデータストリップは、キャップ４、リザーバ１又は基部／リザーバ／キャップユニットの他の構成部品の周りに配置された複数の検出可能要素を提供するように構成されてもよく、対応する複数の異なる位置において、軸Ａの周りに周方向に又は軸Ａに沿って直線的に（又はその両方）離間している。こうした実施形態では、図４Ａ及び図４Ｂに関して上述のように、１つ以上のセンサ３４がリザーバ受容部３２及び軸Ａの周りに配置されてもよい。
【０５５５】
特定の実施形態では、上記のようなラベル又はデータストリップ上の検出可能特徴部４２の配列は、図４Ａ及び図４Ｂに関して上記のように、リザーバ受容部３２に対する、キャップ４、リザーバ１又は基部／リザーバ／キャップユニットの他の構成部品の適切又は不適切な位置合わせ又は近位度（又はその両方）の比較的正確な検出を提供することができる。また、特定の実施形態では、複数の検出可能特徴部を配置して、キャップ４、リザーバ１又は基部／リザーバ／キャップユニットの他の構成部品の様々な所定の状態が検出を可能としてもよい。
【０５５６】
このため、軸Ａの周りで基部／リザーバ／キャップユニットを回転させ、基部／リザーバキャップユニットをリザーバ受容部３２に挿入することによって、基部／リザーバ／キャップユニットをリザーバ受容部３２内に装着させる例示的実施形態では、回転位置検出又は直線位置検出（又はその両方）を実施することができる。こうした実施形態では、複数の検出可能要素４２は、ラベル又はデータストリップに配置され、軸Ａの周りの周方向で互いに離間しており、注入ポンプデバイス３０に対する軸Ａ周りでのキャップ４、リザーバ１又は基部／リザーバ／キャップユニットの他の構成部品の回転位置（又は動作）の検出が可能になる。代替的に又は追加的に、注入ポンプデバイス３０に対して、軸Ａに沿って、キャップ４、リザーバ１又は基部／リザーバ／キャップユニットの他の構成部品の直線位置（又は動作）の検出が可能になるように、キャップ４、リザーバ１又は基部／リザーバ／キャップユニットの他の構成部品の軸寸法Ａにおいて、複数の要素が離間して配置される。したがって、異なる実施形態では、センサ素子（複数可）３４は、キャップ４、リザーバ１又は基部／リザーバ／キャップユニットの他の構成部品の回転位置、キャップ４、リザーバ１又は基部／リザーバ／キャップユニットの他の構成部品の直線位置、又はこれらの組み合わせを示す１つ以上のセンサ信号を提供する。
【０５５７】
特定の実施形態では、それぞれの検出可能特徴部は、本明細書に記載されるように（以下に限定されないが、磁気、誘導、光学及び機械的検出可能特徴部など）、ＲＦＩＤタグ又は他のＲＦ検出可能特徴部又は他の種類の検出可能特徴部４２を含み、１つ以上の（又は複数のそれぞれの）センサ素子３４によって検出可能なデータ値を示すように構成される。特定の実施形態では、検出可能特徴部は、磁気検出可能なインク、偏光又は光学的検出可能なインク、又はラベル又はデータストリップに容易に適用され得る他の材料で印刷される。他の実施形態では、検出可能特徴部は、接着剤又は他の好適な取り付け機構によってラベル又はデータストリップに付着させる別個の構成要素である。特定の実施形態では、検出可能特徴部（又はラベル又はデータストリップ）は、不可視となるか、部分的に不可視となるか、又はキャップ４、リザーバ１又は基部／リザーバ／キャップユニットの他の構成部品上でカムフラージュされるように、透過性又は一部透過性であるか、又は有色で製造される。他の実施形態では、検出可能特徴部（又はラベル又はデータストリップ）は、可視であるように構成される。
【０５５８】
更なる実施形態では、それぞれの検出可能特徴部４２によって示されたデータ値は、２つの検出可能な状態のうちの１つを有する（例えば、「０」若しくは「１」の１つ、又は領域「正」若しくは「負」の１つ、又は２つの他の所定の値）。こうした実施形態では、複数の検出可能特徴部を有するラベル又はデータストリップは、複数の検出可能特徴部４２を有するデータストリップとして構成することができ、それぞれの検出可能特徴部は、２つの検出可能な状態のうちの１つ（例えば、「０」又は「１」）を示す。このような実施形態の特定例では、ラベル又はデータストリップ上の複数の検出可能特徴部は、キャップ４、リザーバ１又は基部／リザーバ／キャップユニットの他の構成部品をリザーバ受容部３２に挿入させるか、又はリザーバ受容部３２に対して回転させる（又はその両方）とき、注入ポンプデバイス３０に固定した１つ以上のセンサ素子（３４）に隣接して（及びセンサ素子によって連続して読み取られる）通過する。
【０５５９】
特定の実施形態では、ラベル又はデータストリップ上の検出可能特徴部４２の検出可能な状態は、キャップ４、リザーバ１又は基部／リザーバ／キャップユニットの他の構成部品又はそこへ接続された注入セットと関連付けられた特定の情報（以下に限定されないが、上記のキャップ４、リザーバ１又は基部／リザーバ／キャップユニットの他の構成部品又は注入セットの特性など）を示す。このため、例えば、それぞれの考えられる特性は、検出可能特徴部４２の特定のパターンか、又はラベル又はデータストリップ上の検出可能特徴部４２の検出可能な値（以下に限定されないが「０の」及び「１の」）の特定のパターンと関連付けることができる（一対一ベース又は他の所定の関連付け）。こうした実施形態では、こうした関連性は、処理（図６のプロセス１５０など）を行う処理エレクトロニクス（処理エレクトロニクス６２など）によって使用されるために、メモリ（図５のメモリ６６など）内に格納され、検出可能特徴部のパターン又はセンサ素子（複数可）３４によって検出された値に基づいて、キャップ４、リザーバ１又は基部／リザーバ／キャップユニットの他の構成部品又は注入セットの特性を判定し、かつその特性に基づくか、又は使用して、所定の動作を実施することができる。
【０５６０】
更なる実施形態では、ラベル又はデータストリップは、検出可能特徴部４２の２つ以上のトラックによって構成され、それぞれのトラックは、直列（又は他の所定のパターン）に配置される一連の２つ以上の検出可能特徴部を含む。一例では、２つ以上のトラックは、２つ以上の直列（又は他のパターン）の検出可能特徴部が、キャップ４、リザーバ１、又は基部／リザーバ／キャップユニットの他の構成部品の周囲周りに配置されるように互いに平行である。こうした実施形態では、複数のトラックのそれぞれは、キャップ４、リザーバ１又は基部／リザーバ／キャップユニットの他の構成部品又は注入セットの１つ以上の特性を表すパターン又は値（又はその両方）を有する複数の検出可能特徴部４２を含む。
【０５６１】
特定の実施形態では、複数のトラックのうちの１つ以上は、トラックに沿って均等に離間した（又は所定の間隔で離間した）一連の検出可能要素を提供するクロックトラックである。特定の実施形態では、クロックトラック内の検出可能要素は、交互に（以下に限定されないが、「０の」及び「１の」を交互に）配置される。こうした実施形態では、処理エレクトロニクス（図５の処理エレクトロニクス６２など）は、キャップ４、リザーバ１又は基部／リザーバ／キャップユニットの他の構成部品をリザーバ受容部３２内に装着させるとき、リザーバ受容部３２（又は軸Ａ）に対するキャップ４、リザーバ１又は基部／リザーバ／キャップユニットの若しくは注入セットの他の構成部品の動作タイミング（回転運動又は直線運動のタイミングなど）を判定するために、交互（又は他の所定のパターン）の検出可能な値を検出するように構成されてもよい。検出可能特徴部３２の検出タイミングを判定することによって、回転速度又は挿入速度、並びにリザーバ１、キャップ４又は基部／リザーバ／キャップユニットの回転位置及び挿入位置を、（検出可能特徴部の検出タイミングとタイミングトラック内の検出可能特徴部４２間の間隙の関数として）処理エレクトロニクスによって判定することができる。
【０５６２】
特定の実施形態では、ラベル又はデータストリップは、例えば、検出可能特徴部のトラック端部に、検出可能特徴部４２の所定の検出可能な値又は所定のパターンを有する所定の検出可能特徴部４２を含む。こうした実施形態では、所定の検出可能特徴部、値又はパターンは、キャップ４、リザーバ１又は基部／リザーバ／キャップユニットの他の構成部品がリザーバ受容部３２内に十分に装着された状態又は最終位置状態に対応する位置に配置される。換言すれば、所定の検出可能特徴部、値又はパターンは、トラック上の任意の位置に配置され、キャップ４、リザーバ１又は基部／リザーバ／キャップユニットの他の構成部品が、リザーバ受容部３２内の適切な十分に装着された位置にあるとき、１つ以上のセンサ素子（複数可）３４に揃え、かつこれらによって読み取りが行われる（しかし、キャップ、リザーバ、又は基部／リザーバ／キャップユニットが適切に又は十分に装着されていない場合には、読み取られない）。
【０５６３】
ｄ．機械的検出
上記のような特定の実施形態は、１つ以上の磁気、ＲＦ又は誘導検出可能特徴部及び１つ以上の磁石、ＲＦ又は誘導検出センサを含み、他の実施形態は、これらの組み合わせを含む。更に他の実施形態では、機械的検出を使用し、１つ以上の検出可能特徴部４２は、機械的検出可能特徴部を含み、１つ以上のセンサ素子３４は、機械的検出可能特徴部（複数可）と機械的に相互作用する機構を含む。更に他の実施形態では、１つ以上の検出可能特徴部４２は、磁気検出可能特徴部、誘導検出可能特徴部、ＲＦ検出可能特徴部及び機械的検出可能特徴部の２つ以上の組み合わせを含み、１つ以上のセンサ素子３４は、磁気センサ、誘導型センサ、ＲＦセンサ、機械的センサの２つ以上の組み合わせを含む。
【０５６４】
したがって、上記及び図１〜図１６に示すような磁気検出可能特徴部とセンサ、誘導検出可能特徴部と誘導型センサ並びにＲＦ検出可能特徴部とセンサの配置及び構成（検出可能特徴部及びセンサ３４及び４２として）は、参照により組み込まれ、センサ素子及び検出可能特徴部３４及び４２として、機械的検出可能特徴部及び連結された機械的センサを用いる実施形態に適用する。任意の好適な機械的又は電気機械的センサ及び検出可能特徴部は、キャップ４（又は基部／リザーバ／キャップユニット）の存在若しくは位置（又はその両方）若しくは他の特性の機械的検出のために、１つ以上のセンサ素子及び検出可能特徴部３４及び４２として用いられてもよい。
【０５６５】
機械的検出構成の一例示的実施形態を、図１７を参照して記載する。図１７は、注入ポンプデバイス３０の一部の部分的断面図を示し、リザーバ１及び基部／リザーバ／キャップユニットのキャップ４（図には一部のみ）は、リザーバ受容部３２内に受容されている。注入ポンプデバイス３０は、本明細書に記載されるように、リザーバ受容部３２を含み、駆動デバイスなどの構成部品を収容するハウジング３３、及び１つ以上のセンサデバイス（複数可）又は検出可能デバイス（又はその両方）並びに関連するエレクトロニクスを備える。図１８は、注入ポンプデバイス３０の同様の拡大部分的断面図を示すが、ここでは、リザーバ受容部３２は、リザーバ１及びキャップ４（基部／リザーバ／キャップユニット）のない状態である。
【０５６６】
１つ以上のセンサ素子（複数可）又は検出可能特徴部が機械的検出用に構成されている実施形態では、注入ポンプデバイス３０又はキャップ４（若しくは基部／リザーバ／キャップユニットの他の構成部品）のいずれか一方若しくはその両方が、機械的可動部材若しくはアクチュエータを備えるセンサデバイスを保持する。機械的可動部材（アクチュエータ）は、注入ポンプデバイス３０又はキャップ４（又は基部／リザーバ／キャップユニットの他の構成部品）の他方の係合部分に係合し、かつキャップ４（又は基部／リザーバ／キャップユニット）が、注入ポンプデバイス３０のリザーバ受容部３２内に適切にかつ十分に受容されているとき、第１の位置から第２の位置へ移動させられるように配置される。こうした実施形態では、機械的可動部材は、係合部分に係合し、かつ、機械的可動部材（アクチュエータ）は、リザーバ受容部３２に向かう、リザーバ受容部３２内での適切かつ十分な受容位置への、手を使ったキャップ４（又は基部／リザーバ／キャップユニット）の移動の結果として、第１の位置から第２の位置へ移動させられる。
【０５６７】
機械的可動部材は、機械的可動部材が第２の位置へ移動したときは、電気スイッチと係合して作動させるが、第１の位置にあるときは、電気スイッチから係合解除され、作動させることがないように配置される。したがって、キャップ４（又は基部／リザーバ／キャップユニット）がリザーバ受容部３２へ向かって、リザーバ受容部３２内での適切かつ十分な受容位置へと、手動で移動させられることにより、機械的可動部材が第２の位置へ移動し、電気スイッチと係合して作動させる。電気スイッチは、スイッチが作動されたかどうかを検出するように、エレクトロニクス（上述のエレクトロニクス６０など）に接続される。したがって、電気スイッチの作動状態を検出することによって、エレクトロニクスは、キャップ４（又は基部／リザーバ／キャップユニット）がリザーバ受容部３２内に適切に及び十分に受容されているどうかを判定する。
【０５６８】
図１７及び図１８の実施形態では、機械的可動部材７０は、注入ポンプデバイス３０に配置されたチャネル７２内で移動するように担持される。図１７及び図１８の可動部材７０は、概して、細長いシャフト又はシリンダ形状を有し、以下に限定されないが、プラスチック、金属、セラミック、木材、複合材料又はこれらの任意の組み合わせなど、通常の操作の際に形状が保持される、好適な硬質材料で作製される。他の実施形態では、可動部材７０は、他の好適な形状又は形態を有し得る。
【０５６９】
チャネル７２は、注入ポンプデバイス３０のハウジング３３の構造内又はハウジング３３内に位置する更なる構造内に形成されてもよい。チャネル７２の第１の端部は、リザーバ受容部３２へと開口している。チャネル７２の第２の端部は、注入ポンプデバイス３０のハウジング３３内部の別の部分へと開口している。図示した実施形態では、チャネル７２は長手方向寸法（図１７及び図１８の水平方向）に沿って直線状であり、可動部材７０は、チャネル７２の長手方向寸法に沿って延びる、対応する長手方向形状を有する。他の実施形態では、チャネル７２（及び可動部材７０）は、チャネル７２内で可動部材７０を第１の位置と第２の位置との間で移動させることができるような、同様の曲面形状又は他の好適な形状を有していてもよい。
【０５７０】
図１７にて示すように、可動部材７０は、電気スイッチ７６に係合するように配置されている第１の端部７４（図１７の可動部材７０右側の端部）を有する。可動部材７０は、キャップ４（又は基部／リザーバ／キャップユニット）がリザーバ受容部３２内に適切かつ十分に受容されたとき、キャップ４の係合部分８０（又は基部／リザーバ／キャップユニットの他の構成要素）によって係合されるように配置される、第２の端部７８（図１７の可動部材７０の左側端部）を有する。
【０５７１】
更に具体的には、キャップ４（又は基部／リザーバ／キャップユニットの他の構成部品）の係合部分８０は、キャップ４（又は基部／リザーバ／キャップユニット）を手動により挿入し、注入ポンプデバイス３０のリザーバ受容部３２内で、適切にかつ十分な挿入位置に移動させたとき、可動部材７０の第２の端部７８の表面に接触して係合する表面を有する。
【０５７２】
キャップ４（又は基部／リザーバ／キャップユニット）を、リザーバ受容部３２内の適切かつ十分な挿入位置に向かって手動により移動させるとき、係合部分８０は、可動部材７０の第２の端部７８に係合する。次に、適切かつ十分な挿入位置に向かってキャップ４（又は基部／リザーバ／キャップユニット）を更に移動させることにより、係合部分８０が、可動部材７０の第２の端部７８を押し、（図１８に示す）第１の位置から（図１７に示す）第２の位置へと、可動部材７０を移動させる。可動部材７０を第１の位置（図１８）から第２の位置（図１７）へ移動させることにより、可動部材７０の第１の端部７４が、電気スイッチ７６に対して押し出され、電気スイッチ７６を作動させる。対照的に、可動部材７０が第１の位置にあるとき（図１８）、可動部材７０の第１の端部７４は、スイッチ７６との接触がない（又は、スイッチ７６と接触しているが、スイッチ７６の作動に十分な機械的な力が印加されていない）。したがって、キャップ４（又は基部／リザーバ／キャップユニット）がリザーバ受容部３２内で適切にかつ十分に挿入されているとき、スイッチ７６は可動部材７０によって作動されるが、キャップ４（又は基部／リザーバ／キャップユニット）がリザーバ受容部３２内に適切かつ十分に挿入されていないとき、可動部材７０によって作動されることはない。更なる実施形態では、可動部材７０の第１の端部７４は、第１の端部７４のスイッチ７６への動きを伝達する連結構造に接続されるか又は隣接して配置される。
【０５７３】
特定の実施形態では、可動部材７０が第１の位置にあるとき（図１８）、可動部材７０の第２の端部７８が、わずかな距離でリザーバ受容部３２内に延出する。その位置では、キャップ４（又は基部／リザーバ／キャップユニット）をリザーバ受容部３２内の適切かつ十分な挿入位置に向かって移動させるとき、可動部材７０の第２の端部７８は、キャップ４（又は基部／リザーバ／キャップユニット）の係合部分８０と接触するような位置に配置される。特定の実施形態では、キャップ４（又は基部／リザーバ／キャップユニット）をリザーバ受容部３２内の適切かつ十分な挿入位置に向かって移動させるときに、キャップ４又は基部／リザーバ／キャップユニットの直線運動（例えば、図１７及び図１８のリザーバ受容部３２の方向に下向きの運動）を、チャネル７２の長手方向寸法に沿った可動部材７０の直線運動へ転換しやすくするように、可動部材７０の第２の端部７８は、丸形、テーパー形状であるか、又は他の好適な形状であってよい。
【０５７４】
特定の実施形態では、可動部材７０の第２の端部７８は、キャップ４（又は基部／リザーバ／キャップユニット）を手動でリザーバ受容部３２内に挿入させ、適切な位置に向かって回転させるとき、第２の位置に移動することなく（それ故、スイッチ７６を作動させることなく）、キャップ４（又は基部／リザーバ／キャップユニット）の外側表面に接触して、その外側表面に乗る（その外側表面が、可動部材７０の第２の端部７８の上でスライドし得る）のに十分な距離、リザーバ受容部３２のチャネル内に延出する。キャップ４（又は基部／リザーバ／キャップユニット）をリザーバ受容部３２内に適切かつ十分に受容させた（挿入し、適切な位置へと回転させた）とき、キャップ４（又は基部／リザーバ／キャップユニット）の係合部分８０は、可動部材７０の第２の端部７８と係合し、スイッチ７６を作動させるのに十分な力でスイッチ７６に対して可動部材７０の第１の端部７４を押すのに十分な力を可動部材７０に加える。
【０５７５】
特定の実施形態では、可動部材７０の第２の端部７８（又は可動部材７０全体）は、可動部材７０の第２の端部７８が係合部分８０に接触するとき、少なくとも第２の端部７８で係合部分８０によって圧縮されるように、十分に柔軟であり、可撓性、弾性のある材料で作製される。例えば、キャップ４のサイズの違い、又は製造公差（又はその両方）が許容されるように、十分な柔軟性、及び可撓性を有し得る。したがって、可動部材７０の第２の端部７８は、（所定の範囲内で）任意のサイズの外径を有するキャップ４に対しては、十分に圧縮されて、その範囲内のより大きい直径に合わせることにより、接触するのに十分な距離で、リザーバ受容部３２に延びていてよい。
【０５７６】
特定の実施形態では、可動部材７０は、第２の端部７８における圧縮力の少なくとも一部分が可動部材７０を介して伝達され、その結果として、第１の端部７４において、スイッチ７６を作動させるのに十分な力がスイッチ７６に加わる程度の伸張部又は外側への隆起部が形成されるように、十分な柔軟性、可撓性、及び弾性を有する。その後、係合部分８０が可動部材７０の第２の端部７８から離れる方向に移動するとき（例えば、キャップ４又は基部／リザーバ／キャップユニットをリザーバ受容部３２から引き出すとき）、可動部材７０の第２の端部７８は、それ以上圧縮されることはなく、また、第１の端部７４は、可動部材７０の材料の固有の弾性により、スイッチ７６に作動力が加わっていない状態に戻り、これによって、スイッチの状態が変化する（例えば、オフに切り替わる）。
【０５７７】
このため、特定の実施形態では、可動部材７０は、上記のように、第２の端部７８において圧縮動作を行い、第１の端部７４を、スイッチ７６に向かって若しくはスイッチ７６に対して、外側に隆起又は伸張させること以外に、スイッチ７６に向かう物理的な変動を伴うことなく、第１の位置から第２の位置に移動するように構成されてもよい。こうした実施形態では、可動部材７０を、可動部材７０が動く際に、封止構造８６が動かないように、又は封止構造８６の動きが最小限となるように構成することにより（後で詳しく記載される）、封止構造８６の摩耗を減らし、封止機能を向上させてもよい。他の実施形態では、可動部材７０の第２の端部７８が係合部分８０と接触するとき、第１の端部７４が伸張して、スイッチ７６を作動させる一方で、可動部材７０全体も、スイッチ７６に向かって移動する。更に他の実施形態では、可動部材７０の第２の端部７８が係合部分８０と接触するとき、可動部材７０は、圧縮されたり、又は伸張したりせず、代わりに、スイッチ７６に向かう伸張を伴わずに移動する。
【０５７８】
第１の位置から第２の位置に移動したときに、可動部材７０がスイッチ７６に向かって移動する特定の実施形態では、可動部材７０は、付勢部材８２を含むか、又は付勢部材８２と係合し、ここで、付勢部材８２は、可動部材７０に対して、可動部材７０を第１の位置（図１８の位置）に向かって付勢する付勢力を加える。付勢部材８２は、例えば、以下に限定されないが、コイルバネ、板バネ、他のバネ構成、磁石、バルーン又は他の加圧伸張可能な容器など、可動部材７０に対して、第１の位置の方向に力を加える、任意の好適な構造又はデバイスであってよい。図１８では、付勢部材８２の一例としてコイルバネを示す。
【０５７９】
こうした実施形態では、可動部材７０は、可動部材７０が第１の位置に到達したとき、可動部材７０の第１の位置の方向での更なる運動を停止させるための停止面を提供する突出部、延出部又は他の構造を含む。図１７及び図１８の実施形態では、可動部材７０は、停止面を提供する突出肩部８４を含む。図示した実施形態では、突出肩部８４は、チャネル７２の外側に、チャネル７２の第２の端部に隣接して配置されている。突出肩部８４は、突出肩部がチャネルを通り抜けることができないように、チャネル７２の寸法（例えば、幅寸法）よりも大きく（広く）なるように構成される。したがって、突出肩部８４は、可動部材７０が第１の位置（図１８）にあるときに、チャネル７２が位置している構造の表面と係合する、停止面（例えば、肩部８４の表面）を提供する。しかし、可動部材７０が第２の位置（図１７）にあるとき、又は第１の位置と第２の位置の間にあるとき、突出肩部８４は、チャネル７２が位置している構造の表面から離間している。
【０５８０】
特定の実施形態では、例えば、水分、液体又は他の流体がリザーバ受容部３２に入った場合に、チャネル７２を通る水分、液体又は他の流体の通過を防ぐため、１つ以上の封止部又は他の機構が提供される。このため、例えば、注入ポンプデバイス３０が水分、液体又は他の流体（例えば、雨、プールの水、シャワーの水など）にさらされた場合、水分、液体又は他の流体がリザーバ受容部３２から注入ポンプハウジング３３内の他の領域へ通過しないようにすることができる。
【０５８１】
図１７及び図１８の実施形態では、可動部材７０には、チャネル７２の内側表面に対して封止する１つ以上の（図面には２つ示す）封止構造８６が提供される。図示した実施形態では、２つの封止構造８６が可動部材７０に提供されている。他の実施形態では、単一の又は３つ以上の封止構造８６を用いてもよい。特定の実施形態では、それぞれの封止構造８６は、可動部材７０の周りに（例えば、可動部材７０のシャフト又は円筒形構造の外周周りに）材料の突出延出部又はリングを含む。ある実施形態では、１つ以上の封止構造８６は、可動部材７０と同一の材料により形成されたものであり、可動部材７０の一部として形成されるか（例えば、可動部材７０と共に成形されるか、若しくは機械加工されるなど）、又は別途に形成され、可動部材７０に取り付けられるかのいずれかである。ある実施形態では、１つ以上の封止構造８６は、可動部材と同一の材料から作製されたＯリングで構成される。他の実施形態では、１つ以上の封止構造８６は、以下に限定されないが、ゴム、プラスチック又は他の柔軟材料など、封止機能に好適な可撓性、柔軟材料など、可動部材とは異なる材料から作製されたＯリングで構成される。
【０５８２】
スイッチ７６は、第１の状態（作動されていない）及び第２の状態（作動されている）を有する任意の好適な電気スイッチであってよく、可動部材７０によって押されるか、又は接触したときに、状態が変化するように構成される。一実施形態では、（例えば、可動部材７０によって）スイッチ７６を押して、スイッチの状態を変化させることができるボタン構造を有する押しボタン型スイッチである。他の実施形態では、他の好適なスイッチ構成を用いてもよい。ある実施形態では、可動部材７０は、電気スイッチの一部を形成することができ、可動部材７０は、導電性材料で作製され（又は、第１の端部７４に導電性材料を含む）、可動部材７０が第２の位置にあるとき（例えば、図１７の位置）、スイッチ７６の１つ以上の電極と電気的に接触して、スイッチの状態が変化する。
【０５８３】
図１７の実施形態では、スイッチ７６は、回路基板９０に取り付けられ、かつ支持される（プリント配線基板又はエレクトロニクス６０又はスイッチと連結された他のエレクトロニクスを支持する他の構造など）。スイッチ７６及び回路基板９０は、注入ポンプデバイス３０のハウジング３３内で閉じ込められた容積部内に保持されてもよい。特定の実施形態では、１つ以上の付勢部材９２（バネ、ポゴピン構造、可撓性及び弾性的部材など）は、回路基板９０又はスイッチ７６（又はその両方）に隣接した１つ以上の位置に配置され、回路基板９０及びスイッチ７６に付勢力を付与し、回路基板９０及びスイッチ７６の所定の位置での十分な精度を有した状態での配置又は維持を補助する。この方法では、スイッチ７６の位置は、例えば、可動部材７０との適切な位置合わせのために、製造公差に適応するために（又はその両方）十分に画定し、維持することができる。
【０５８４】
図１７及び図１８の実施形態は、１つのセンサ素子を含む（可動部材７０及びスイッチ７６で構成される）。他の実施形態では、２つ以上の（複数の）センサ素子は、それぞれ、各可動部材７０及び関連するスイッチ７６で構成され、注入ポンプデバイス３０のリザーバ受容部３２の周囲、又は注入ポンプデバイス３０のリザーバ受容部３２に沿って、異なるそれぞれの所定の位置に配置される。特定の実施形態では、１つ以上の可動部材７０及び関連するスイッチ７６は、注入ポンプデバイス３０に対するキャップ４の位置を検出するため（例えば、キャップ４又は基部／リザーバ／キャップユニットと注入ポンプデバイス３０との適切な接続を検出するように）に配置される。
【０５８５】
他の実施形態では、１つ以上の可動部材７０及び関連するスイッチ７６を用いて、キャップ４若しくは基部／リザーバ／キャップユニット又はこれらの構成部品に関連付けられた１つ以上の他の特性を検出し、追加的に又は代替的に、注入ポンプデバイス３０との適切な接続を検出する。様々な実施形態では、こうした他の特性としては、以下に限定されないが、磁気検出又はＲＦ検出に関して上述したような、リザーバ１（又はその内容物）、注入セット５０、接続インターフェイス４０又は任意のこれらの組み合わせの特性が挙げられる。
【０５８６】
これらの実施形態では、特定の特性は、以下に限定されないが、以下の１つ以上の機械的パラメータに関連付けられてもよい：キャップ４上の１つ以上の所定の係合部分８０の存在、又はキャップ４上の１つ以上の所定の係合部分８０の位置若しくは位置パターン（軸Ａの寸法に対して環状若しくは直線的な位置）、所定の係合部分８０形状若しくは他のパラメータ又はこれらの任意の組み合わせ。特定の実施形態では、リザーバ１、注入セット５０又は接続インターフェイス４０のそれぞれ異なる所定の特性は、係合部分８０のそれぞれ異なる所定の位置、位置パターン、他の検出可能パラメータに関連付けられる（例えば、一対一ベースで）。これらの実施形態では、処理エレクトロニクス６２は、１つ以上のスイッチ（複数可）７６から受信した信号からリザーバ１、注入セット５０又は接続インターフェイス４０の特性を判定するように構成される。
【０５８７】
例えば、処理エレクトロニクス６２は、１つ以上のスイッチ７６から受信した情報と表又は別の好適なデータ配置に格納した情報とを比較するように構成されてもよい。表又は他のデータ配置は、電子メモリ６６に格納される。表又は他のデータ配置は、磁気、誘導、ＲＦ検出実施形態に関して上述であり、参照により組み込まれるように、複数の異なる所定の係合部分８０位置（又はキャップ上での係合部分８０位置の複数の異なる所定のパターン）と対応する複数の所定の特性とを関連付ける。
【０５８８】
特定の実施形態では、処理エレクトロニクス６２は、磁気検出の実施形態、誘導検出の実施形態及びＲＦ検出の実施形態に関して上記したように、１つ以上のスイッチ７６から受信した信号から検出されたパラメータのうちの１つ以上に基づいて、対応する特性を判定し、これらの特性に基づいて、以下のうちの１つ以上を行うように更に構成される：注入ポンプデバイス３０用の動作設定を決定すること、信号を駆動デバイス又は注入ポンプデバイス３０の他の構成部品に提供すること、１つ以上の警報信号を提供すること、及びキャップ４、基部／リザーバ／キャップユニット、及び注入ポンプデバイス３０のうちの１つ以上の検出された状態又は条件を表すデータを記録すること。
【０５８９】
更なる実施形態では、注入ポンプデバイス３０（又は他の送達デバイス）に１つ以上の無線又は有線通信デバイスが提供され、この１つ以上の無線又は有線通信デバイスは、注入ポンプデバイス３０とは別個の、又は注入ポンプデバイス３０から遠隔に位置する別の電子デバイスに表示するために、体積情報（又はＲＦ検出可能特徴部の検出されたパラメータ又は関連付けられた特性に対応する他の情報）を送信するように構成され、かつ制御される。特定の実施形態では、ネットワーク（例えば、以下に限定されないが、インターネットなど）上での通信のため、無線通信デバイス（複数可）を、１つ以上の所定のネットワーク接続デバイスに接続するように構成する。このような１つ以上の所定のネットワーク接続デバイスは、注入ポンプデバイス３０（又は他の送達デバイス）に対して遠隔の地理的位置に位置していてもよい。特定の実施形態では、こうしたネットワーク接続デバイスには、注入ポンプデバイス３０（若しくは他の送達デバイス）から、又は注入ポンプデバイス３０（若しくは他の送達デバイス）と通信する他のネットワーク接続デバイス（クレイドル、又はユーザのコンピュータなど）から情報を受信するように構成されたサーバが含まれる。こうした情報としては、体積情報、シリアル番号若しくはコード又は上記のようなリザーバ１、キャップ４、基部／リザーバ／キャップユニット若しくは注入セットに関する他の情報を挙げることができるが、これらに限定されない。
【０５９０】
こうした実施形態では、ネットワーク接続サーバは、情報を記録したり、関連製品（例えば、補充又は交換品など）を供給したり、又は医学的治療若しくは医療保険をユーザに提供したりするエンティティと連結されてもよい。一例では、ネットワーク接続サーバは、Ｍｅｄｔｒｏｎｉｃ  Ｉｎｃ．のＣａｒｅｌｉｎｋ（商標）システムに連結している。他の実施形態では、ネットワーク接続サーバは、１つ以上の他のサーバ及び関連エンティティである。したがって、こうした情報は、サーバ（又は連結されたエンティティ）によって、補充、新規又は交換用リザーバ、又はキャップ４、基部／リザーバ／キャップユニット又は注入セットの他の構成部品を送るか（又はいつ送るか）を判定するために使用されてもよい。更なる実施形態では、こうした情報は、ユーザの医師又はユーザに関連する他の医学的治療エンティティ（追跡、診断、治療計画の調整又は他の好適な使用のために）に提供されてもよい。このため、このような実施形態では、補充又は交換品が自動的（ユーザが注文する必要なく）にユーザに送られ得、また、使用情報が、ユーザのヘルスケア提供者、保険提供者又は他の好適なエンティティに自動的に提供され得る。
【０５９１】
更なる実施形態では、ネットワーク接続サーバは、上記のネットワーク通信接続又は他のネットワーク接続を介して情報を提供するように構成される（また、注入ポンプデバイス３０又は他の送達デバイスは、その情報を受信するように構成される）。こうした情報としては、リザーバ１、キャップ４、基部／リザーバ／キャップユニット若しくは注入セットの交換又は補充に関する指示若しくは推奨、ヘルスケア提供者、保険業者若しくは製造者からのメッセージ若しくは通知、リコール通知などを挙げることができるが、これらに限定されない。特定の実施形態では、注入ポンプデバイス３０（又は他の送達デバイス）のエレクトロニクス（エレクトロニクス６０など）は、所定の指示、通知又はメッセージの受領に応答して、１つ以上の所定の動作（上記のような）を実施するように構成される。
【０５９２】
特定の実施形態では、係合部分８０は、キャップ４（又は基部／リザーバ／キャップユニット）を手動により挿入し、注入ポンプデバイス３０のリザーバ受容部３２内での適切にかつ十分に挿入させた位置に移動させるとき、可動部材７０の第２の端部７８に接触するために、隆起面又は所定の面、突起部、凸部、リブ、段階的隆起部、戻り止め部、穴、溝又はキャップ４（又は基部／リザーバ／キャップユニットの他の構成部品）上の任意の好適な位置に提供された他の機械的検出可能特徴部であってもよい。係合部分８０は、キャップ４（又は基部／リザーバ／キャップユニット）が十分に及び適切にリザーバ受容部内に受容され、かつキャップ４（又は基部／リザーバ／キャップユニット）の任意の他の場所で可動部材７０と揃っていないか、又は係合していないときのみ、可動部材７０に揃えて、係合するように、十分に小さいか、又は任意のサイズ又は形状（若しくはその両方）であってもよい。こうした実施形態では、係合部分８０のサイズ又は形状（又はその両方）は、キャップ４（又は基部／リザーバ／キャップユニット）の注入ポンプデバイス３０との適切な接続の比較的正確な検出を提供するように構成されてもよい。
【０５９３】
更なる実施形態では、複数の係合部分８０は、キャップ４（又は基部／リザーバ／キャップユニットの他の構成部品）上の好適な位置に提供され、リザーバ受容部３２内のキャップ４（又は基部／リザーバ／キャップユニット）の対応する複数の異なる挿入位置で、可動部材７０の第２の端部７８に係合する。このため、ユーザは、キャップ４（又は基部／リザーバ／キャップユニット）を、複数の異なる挿入位置のいずれかにおいて、リザーバ受容部３２に挿入して、係合部分８０の１つを可動部材７０の第２の端部７８に係合するようにしてもよい。代替的に又は追加的に、複数の係合部分８０は、キャップ４（又は基部／リザーバ／キャップユニット）をリザーバ受容部３２内に挿入させるか、又は回転させるとき、キャップ４（又は基部／リザーバ／キャップユニット）の対応する複数の異なる挿入位置で、可動部材７０の第２の端部７８に個々に係合するように、キャップ４（又は基部／リザーバ／キャップユニット）上の好適な位置に提供されてもよい。こうした実施形態では、エレクトロニクス６０は、リザーバ受容部３２に対するキャップ４（又は基部／リザーバ／キャップユニット）の複数の場所を検出するように、例えば、キャップ４（又は基部／リザーバ／キャップユニット）の注入ポンプデバイス３０との不適切な接続を検出する、又はリザーバ受容部３２に対する適切又は完全な接続位置に向かって又はその位置から離れて、キャップ４（又は基部／リザーバ／キャップユニット）の移動を検出するように構成される。
【０５９４】
特定の実施形態では、係合部分８０は、キャップ４上のネジ山１９のうちの１つ以に提供される（図２参照）。こうした実施形態では、注入ポンプデバイス３０のリザーバ受容部３２内で、ネジ山１９が対応するネジ山又は溝に十分にかつ適切にねじ切りされているとき（キャップ４又は基部／リザーバ／キャップユニットがリザーバ受容部３２内の十分にかつ適切に受容されているときなど）、係合部分８０は、可動部材７０と揃えるように選択されているネジ山１９上の任意の位置に提供されてもよい。更なる実施形態では、２つの係合部分８０は、２つのそれぞれのネジ山１９に提供されてもよく、一方のネジ山１９及び係合部分８０は、他方のネジ山１９及び係合部分８０からの、キャップ４又は基部／リザーバ／キャップユニットの反対側（又は軸Ａの周りの１８０度）に提供される。このため、２つの係合部分及びネジ山がキャップ４（又は基部／リザーバ／キャップユニット）の相互に反対側にあるか、又は１８０度離れているとき、ユーザは、２つの互いに対して１８０度異なる配向の一方でキャップ４（又は基部／リザーバ／キャップユニット）上のネジ山をリザーバ受容部３２上のネジ山に揃え、キャップ４（又は基部／リザーバ／キャップユニット）を注入ポンプデバイス３０に接続させてもよい。
【０５９５】
更なる実施形態では、３つ以上のネジ山１９及び係合部分８０は、キャップ４（又は基部／リザーバ／キャップユニット）の周囲周りで、相互に離間した位置に提供され、かつ、対応する数のネジ山又は溝が、注入ポンプデバイス３０のリザーバ受容部３２内に提供され、リザーバ受容部３２内のキャップ４（又は基部／リザーバ／キャップユニット）のねじ切りに関して、３つ以上の異なるアライメント配向に適応する。ネジ山１９を用いるいずれかの実施形態では、複数の係合部分８０は、ネジ山１９のうちのいずれか１つ以上においてに提供されてもよい。こうした実施形態では、１つ以上の係合部分８０は、キャップ４（又は基部／リザーバ／キャップユニット）がリザーバ受容部３２内で螺合されるとき、可動部材７０の第２の端部７８と係合し、その後係合解除されるように配置されてもよい。エレクトロニクス６０は、キャップ４（又は基部／リザーバ／キャップユニット）がリザーバ受容部３２内に十分にかつ適切に受容されているかどうかを判定するために、係合部及び係合解除部を検出し、その数を数えるように構成されてもよい。代替的に又は追加的に、エレクトロニクス６０は、係合部分８０の可動部材７０との検出された係合（又は係合及び係合解除）の数に基づいて、リザーバ受容部３２内のキャップ４（又は基部／リザーバ／キャップユニット）の特定の回転位置又は直線位置（又はその両方）を検出するように構成されてもよい。
【０５９６】
例えば、２つの係合部分８０がネジ山１９に提供されている実施形態では、エレクトロニクス６０が、スイッチ７６の２つの作動を検出したとき、エレクトロニクス６０は、キャップ４（又は基部／リザーバ／キャップユニット）が適切に接続されているかを判定するように構成されてもよい。代替的に又は追加的に、エレクトロニクスは、スイッチ７６の１つのみの作動が発生したとき、キャップ４（又は基部／リザーバ／キャップユニット）が適切な量の半分（又は他の特定の量）回転していること、又はリザーバ受容部内で適切な量（又は他の特定の量）の半分直線的に移動していることを判定するように構成されてもよい。他の実施形態では、１つ以上のネジ山１９（又はキャップ４又は基部／リザーバ／キャップユニットの別の好適な面）上に任意の好適な数の係合部分８０を用いてもよい。
【０５９７】
本明細書で議論されるような、可動部材７０は、注入ポンプデバイス３０のハウジング３３内に配置されたチャネル７２内で支持される。特定の実施形態では、ハウジング３３は、チャネル７２を収容するハウジング部分３３’を含み、かつ、スイッチ７６及び回路基板９０が配置される容積部を更に含む。更なる実施形態では、ハウジング部分３３’は、リザーバ受容部３２の少なくとも一部又は全てを更に含む。例えば、図１７の配向に関しては、ハウジング部分３３’としては、開口端部からチャネル７２の下の位置に、リザーバ受容部３２の上部（下部ではない）を含むことができる。こうした実施形態では、リザーバ受容部３２内のキャップ４（又は基部／リザーバ／キャップユニット）の位置を検出するにあたって、精度の向上又は制御を目的として、十分に高い精度により、リザーバ受容部３２に対するチャネル７２の位置（及びしたがって、可動部材７０の第２の端部７８の位置）としてもよい。
【０５９８】
例示的一実施形態では、ハウジング部分３３’は、リザーバ受容部３２の一部を形成するか、又はリザーバ受容部３２に適合するか、又はリザーバ受容部３２の周りにある一部を有し、かつリザーバ受容部を形成するハウジング３３の更なる部分に成形するか、別の方法で付着されるか、又は接続される。特定の実施形態では、リザーバ受容部を形成するハウジング３３の更なる部分は、例えば、注入ポンプデバイス３０の製造中又は組み立て中、ハウジング部分３３’の一部上に成形させる（又は付着させるか、又は別の方法で接続させる）。
【０５９９】
ｅ．光学的検出
上記のような特定の実施形態は、１つ以上の磁気検出可能特徴部及び磁石検出センサを含み、他の実施形態は、１つ以上の誘導検出可能特徴部、ＲＦ検出可能特徴部又は機械的検出可能特徴部と１つ以上のＲＦセンサ、誘導検出センサ又は機械的検出センサを含み、また、他の実施形態は、１つ以上の磁気検出可能特徴部及びセンサ、誘導検出可能特徴部及びセンサ、ＲＦ検出可能特徴部及びセンサ又は機械的検出可能特徴部及びセンサの任意の組み合わせを含む。更に他の実施形態では、光学的検出が使用され、１つ以上の検出可能特徴部４２は光学的検出可能特徴部を含み、１つ以上のセンサ３４は光学センサを含む。更に他の実施形態では、１つ以上の検出可能特徴部４２は、磁気検出可能特徴部、誘導検出可能特徴部、ＲＦ検出可能特徴部及び機械的検出可能特徴部及び光学的検出可能特徴部の２つ以上の組み合わせを含み、１つ以上のセンサ３４は、磁気センサ、誘導型センサ、ＲＦセンサ、機械的センサ及び光学センサの２つ以上の組み合わせを含む。
【０６００】
したがって、上記及び図１〜図１８に示すような、磁気、誘導、ＲＦ及び機械的センサ素子及び検出可能特徴部（センサ素子及び検出可能特徴部３４及び４２として）の配置及び構成は、参照により組み込まれ、センサ素子及び検出可能特徴部３４及び４２として、光学センサ及び光学的検出可能特徴部を用いる実施形態に適用する。特定の実施形態に従って、任意の好適な光学センサ及び光学的検出可能特徴部が、キャップ４（又は基部／リザーバ／キャップユニット）の存在又は位置（又はその両方）の光学的検出のために、１つ以上のセンサ及び検出可能特徴部３４及び４２として用いられてもよい。
【０６０１】
光学的検出構成の一例示的実施形態を、図１９を参照して記載する。図１９には、注入ポンプデバイス３０の注入ポンプハウジング３３の部分３３’’の部分上面図を示す。ハウジング部分３３’’は、図１７に関して上記のハウジング部分３３’に類似し得るが、図１７に関して記載された１つ以上の機械的なセンサの代わりに１つ以上の光学センサと共に構成される。
【０６０２】
図１９の実施形態では、ハウジング部分３３’’は、リザーバ受容部３２の少なくとも一部を含む。特定の実施形態では、ハウジング部分３３’’は、リザーバ受容部３２の上方部分を含み、かつ、上記のハウジング部分３３’と同様に、リザーバ受容部の他の部位に成形されるか、又は別の方法で連結されてもよい。他の実施形態では、ハウジング部分３３’’は、リザーバ受容部３２全体を含む。更に他の実施形態では、ハウジング部分３３’’は、リザーバ受容部３２に隣接して取り付けられるか、又は支持されるように構成された別個のハウジング部分である。
【０６０３】
図１９に示すように、光エミッタデバイス１００及び光検出器デバイス１０２は、ハウジング部分３３’’によって支持されかつ保持される。光エミッタデバイス１００は、リザーバ受容部３２に向かって第１の方向（図１９の矢印１０４で示す）に光ビーム又は他の光学的出力信号を放出するように構成及び配置される。光検出器デバイス１０２は、リザーバ受容部３２から第２の方向（図１９の矢印１０６で示す）に沿って光ビーム又は他の光信号を受信するように構成及び配置される。図１９の実施形態では、第１の方向及び第２の方向は、互いに対してある角度で配置されるが、矢印１０４の方向に送信された光信号は、キャップ４（又は基部／リザーバ／キャップユニットの他の部分）の所定の位置から矢印１０６の方向に沿って反射し得るように並べられる。他の実施形態では、光エミッタデバイス１００及び光検出器デバイス１０２は、光信号を光エミッタデバイス１００から放出することができ、次いで、キャップ４（又は基部／リザーバ／キャップユニットの他の部分）の表面から反射させた後、光検出器デバイス１０２によって受け取ることができるような、互いに対する他の好適な位置で支持される。
【０６０４】
ハウジング部分３３’’は、矢印１０４の方向に伝達された光信号が伝達され、かつ矢印１０４の方向の反射された光信号が伝達される１つ以上の経路を含む。図１９の実施形態では、経路は、光エミッタデバイス１００とリザーバ受容部３２との間に延びる長手方向寸法を有する第１のチャネル１０８と、光受信デバイス１０２とリザーバ受容部３２との間に延びる長手方向寸法を有する第２のチャネル１１０を含む。他の実施形態では、経路（複数可）は、以下に限定されないが、リザーバ受容部の１つ以上の窓、開口部、開口しているか又は透過性（又は一部透過性）側面など、他の好適な形態を有し得る。
【０６０５】
特定の実施形態では、チャネルのそれぞれは、リザーバ受容部３２の内部からハウジング部分３３’’に水分、液体又は他の流体の通過を阻止するように構成された封止部を含む（例えば、チャネル１０８内の封止部１１２及びチャネル１１０内の封止部１１４）。図１９の実施形態では、封止部１１２及び１１４は、光学的に透過性（又は部分的に透過性）の材料の形態であり、これらの材料は、チャネル１０８及び１１０の長さの少なくとも一部を充たし、チャネルの内側表面に接触することで封止している。更なる実施形態では、追加の封止特徴部は、以下に限定されないが、１つ以上のＯリング、スリーブ、又は圧縮性若しくは他の封止増強材製の他の構造など、チャネル１０８及び１１０内の光学的に透過性（又は部分的に透過性）材料上又は周囲に配置される。封止部１１２及び１１４の光学的に透過性（又は部分的に透過性）材料は、以下に限定されないが、プラスチック、ガラス、他のセラミック材料など、本明細書に記載されるように、光信号を十分に通過させる任意の好適な材料であってもよい。封止部１１２及び１１４の代替として又は追加として、光学的に透過性（又は部分的に透過性）材料によって覆われた窓がリザーバ受容部３２とのインターフェイスとなるチャネル（複数可）の端部に配置されてもよい。特定の実施形態では、窓の光学的に透過性（又は部分的に透過性）材料は、窓材料が、ハウジング部分３３’’と一体化するようにハウジング部分３３’’を作製した材料で構成される。他の実施形態では、窓材料は、ハウジング部分３３’’とは別に形成され、ハウジング部分３３’’に取り付けられる。
【０６０６】
図１９の実施形態では、封止部１１２は、光送信デバイス１００を取り囲み、かつ、包み込む（又は部分的に取り囲み、包み込む）単体構造１１６の一部である。同様に封止部１１４は、光送信デバイス１０２を取り囲み、かつ包み込む（又は部分的に取り囲み、かつ包み込む）単体構造１１８の一部である。特定の実施形態では、構造１１６及び１１８は、水分、液体又は他の流体に対して、光エミッタデバイス１００及び光検出器デバイス１０２を封止するか、又は一部封止するハウジング部を形成する。したがって、ある種の実施形態では、光送信デバイス１００及び光受信デバイス１０２は、製造工程中、構造１１６及び１１８内に包み込まれ（又は部分的に包み込まれ）、その後、別の製造工程の一部として、ハウジング部分３３’’内に組み立てるために、保管させるか、又は出荷させることができる。
【０６０７】
特定の実施形態では、ハウジング部分３３’’は、ハウジング部分３３の他の部分から離れて形成され（例えば、図２０に示すように）、その後、ハウジング３３の別の他の部分に成形されるか、又は別の方法で接続される。図２０は、本明細書に記載されるような光学センサ特徴部を含むハウジング部分３３’’の斜視図を示す。他の実施形態では、ハウジング部分３３’’は、成形されるか、又は別の方法でハウジング３３の他の部分と共に単体構造として形成される。図２０の実施形態では、ハウジング部分３３’’は、リザーバ受容部３２の一部（例えば、図１７の配向に対して、リザーバ受容部３２の上部）を形成する中空の、概して円筒形状の部分１２０を含む。
【０６０８】
加えて、図２０のハウジング部分３３’’は、リザーバ受容部３２に対して所定の適切な配向に、光エミッタデバイス１００及び光検出器デバイス１０２を保持し、かつ支持する支持部分１２２を含む。支持部分１２２は、リザーバ受容部に対して固定される。特定の実施形態では、支持部分１２２は、リザーバ受容部３２と共に成形されるか、又は一体化形成される。他の実施形態では、支持部分１２２は、別個に形成されてから、リザーバ受容部３２にしっかりと固定される。比較的正確な照準及び光学的検出のために、ハウジング部分３３’’を注入ポンプデバイス３０のハウジング３３の他の部分と組み立てる前に、ハウジング部分３３’’と光エミッタデバイス１００及び光学検出デバイス１０２とを一体構造として組み立てることによって、工場又は組み立て工場（又は別の公認エンティティ）にて、これらのデバイスの配向を設定することができる。
【０６０９】
キャップ４（又は基部／リザーバ／キャップユニットの他の部分）は、特徴部（複数可）に放出された光信号の光学的検出可能な特性に影響を及ぼす１つ以上の（又は複数の）特徴部を含む。更に具体的には、キャップ４（又は基部／リザーバ／キャップユニット）をリザーバ受容部３２内に挿入させるとき、キャップ４（又は基部／リザーバキャップユニットの他の部分）の外側表面を、光エミッタデバイス１００から放出された光信号ビームによって照射される位置に移動させる。特定の実施形態では、キャップ４（又は基部／リザーバ／キャップユニット）をリザーバ受容部３２内に手動で挿入させるとき、キャップ４（又は基部／リザーバ／キャップユニット）をリザーバ受容部３２内の十分に装着された位置に対して、注入ポンプデバイス３０に対して軸Ａに沿って、回転させるか又は直線状に移動させる（又はその両方）。その動作の間、キャップ４（又は基部／リザーバ／キャップユニットの他の部分）の外側表面部分をハウジング部分３３’’内の光信号経路（複数可）を通るように移動させる。したがって、キャップ４（又は基部／リザーバ／キャップユニット）がリザーバ受容部３２内の十分に装着された位置に移動するとき、キャップ４（又は基部／リザーバ／キャップユニット）の外側表面の異なる領域又はエリアは、光信号経路（複数可）と位置合わせされることになり、光エミッタ１００から光信号によって（少なくとも一時的に）照射される。更に、一旦キャップ４（又は基部／リザーバ／キャップユニット）がリザーバ受容部３２内の十分にかつ適切に装着された位置にあるとき、キャップ４（又は基部／リザーバ／キャップユニットの他の部分）の特定の（所定の）領域又はエリアは、光信号経路（複数可）と位置合わせされ、光エミッタ１００から光信号によって照射される。
【０６１０】
キャップ４（又は基部／リザーバ／キャップユニット）の装着中に照射されるキャップ４（又は基部／リザーバ／キャップユニット）表面の一部又は全てには、検出可能な方法で光信号に影響を及ぼすか又は変化させる１つ以上の特徴部が提供される。特定の実施形態では、キャップ４（又は基部／リザーバ／キャップユニット）がリザーバ受容部３２内の十分にかつ適切に装着された位置に向かって移動するとき、キャップ４（又は基部／リザーバ／キャップユニット）の瞬間的な異なる位置でのハウジング部分３３’’内の光信号経路（複数可）と位置合わせされる（かつ、このため、光エミッタ１００から光信号によって照射させる）位置にて、複数の検出可能特徴部がキャップ４（又は基部／リザーバ／キャップユニット）の表面に提供される。こうした実施形態では、エレクトロニクス６０は、検出器１０２により検出されるとき、複数の異なる位置にて検出可能特徴部によって影響を受けるか又は変化する光信号に基づいて、リザーバ受容部３２に対するキャップ４（又は基部／リザーバ／キャップユニット）の複数の異なる場所（十分にかつ適切に装着された場所など）を検出するように構成される。
【０６１１】
特定の実施形態では、キャップ４（又は基部／リザーバ／キャップユニット）の外側表面部分は、光エミッタ１００によって放出された光信号を反射する光学反射特徴部を含む。例えば、キャップ４（又は基部／リザーバ／キャップユニット）の外側表面は、光学反射材料により形成されるか、又は光学反射材料でコーティングされてもよい。代替的に又は追加的に、光学反射材料は、キャップ４（又は基部／リザーバ／キャップユニット）に付着させてもよい。こうした実施形態では、キャップ４（又は基部／リザーバ／キャップユニット）上の１つ以上の閉じ込められた領域又はエリアには、光学反射性ではないか、又はキャップ４（又は基部／リザーバ／キャップユニット）上の他のエリアとは異なる検出可能な光学反射特性を有する特徴部が提供される。したがって、キャップ４（又は基部／リザーバ／キャップユニット）が最初にリザーバ受容部３２に挿入されるとき、光エミッタ１００からの光信号は、キャップ４（又は基部／リザーバ／キャップユニット）上の反射材料を照射し、光検出器１０２に反射されてもよい。エレクトロニクス６０は、光検出器１０２（及びその出力信号）によって反射された信号の検出に応答して、リザーバ受容部３２内のキャップ４（又は基部／リザーバ／キャップユニット）の存在を検出するように構成されてもよい。
【０６１２】
次に、リザーバ受容部３２内の完全かつ適切な装着位置に向かって、キャップ４（又は基部／リザーバ／キャップユニット）を回転させるか、又は直線的に移動させるとき（又はその両方）、反射しない（又は反射特性を変化させる）特徴部が提供された１つ以上の領域又はエリアが移動して、ハウジング部分３３’’の光信号経路（複数可）と位置合わせされる。この結果、光エミッタ１００からの光信号が反射することはなく（又は検出可能な異なる方法で、キャップ４又は基部／リザーバ／キャップユニットの他の部分に対して反射される）、かつ光検出器１０２は、対応する出力信号をエレクトロニクス６０に提供する。こうした実施形態では、エレクトロニクス６０は、光検出器１０２からの出力信号に基づいて、キャップ４（又は基部／リザーバ／キャップユニット）の位置を判定するように構成される。
【０６１３】
キャップ４（又は基部／リザーバ／キャップユニット）がリザーバ受容部３２内の所定の対応する位置にあるとき、ハウジング部分３３’’内の光信号経路（複数可）と位置合わせされるキャップ４（又は基部／リザーバ／キャップユニット）上の所定の位置に光学的検出可能特徴部を配置することによって、キャップ４（又は基部／リザーバ／キャップユニット）をリザーバ受容部３２内に移動させるとき、光検出器１０２により検出された検出光学特徴部をカウントすること（又は別の方法で、光検出器１０２から受信した出力信号を評価すること）により、エレクトロニクス６０は、リザーバ受容部３２内のキャップ４（又は基部／リザーバ／キャップユニット）の位置を判定するように構成されてもよい。更に、キャップ４（又は基部／リザーバ／キャップユニット）がリザーバ受容部３２内の十分にかつ適切に装着された位置にあるとき、ハウジング部分３３’’の光信号経路（複数可）と揃っているキャップ４（又は基部／リザーバ／キャップユニット）上の所定の位置に少なくとも１つの光学的検出可能特徴部を配置することによって、エレクトロニクス６０は、その特徴部の検出に対応した光検出器１０２からの出力信号に基づいて、キャップ４（又は基部／リザーバ／キャップユニット）が、リザーバ受容部３２内に十分にかつ適切に装着されていることを判定するように構成されてもよい。
【０６１４】
キャップ４（又は基部／リザーバ／キャップユニット）の外側表面が、光反射性外側表面を有する上記実施形態では、検出可能特徴部（複数可）は、光反射性ではないか、又は異なる反射特性（検出可能パラメータ）を有する１つ以上の特徴部を含み、１つ以上の特徴部としては、以下に限定されないが、材料、コーティング、表面輪郭若しくはパターン（リブ、溝、波形状、粗さ、摩耗、穴など）、又は光反射特性を阻止するか若しくは変化させる付着物品を挙げることができる。特定の実施形態では、１つ以上の光学的検出可能特徴部は、キャップ４（又は基部／リザーバ／キャップユニット）の反射性外側表面部分に１つ以上の穴又はデテントを含む。更なる実施形態では、１つ以上の光学的検出可能特徴部は、キャップ上の１つ以上の光学的検出可能特徴部の存在；キャップ上の１つ以上の光学的検出可能特徴部の位置又は位置パターン；キャップ上の光学的検出可能特徴部の種類；光学的検出可能特徴部により格納されたデータの種類又は内容；光学的検出可能特徴部によって放出された信号の極性、方向又は配向を含む。更なる実施形態では、光学的検出可能特徴部は、以下に限定されないが、バーコード又は２Ｄデータマトリックス又はライナーコードなど、光学的検出可能な領域の機械可読パターンを含む。こうした実施形態では、光学的検出可能領域のパターンは、エレクトロニクス６０で読み取り可能な符号化情報を示す。特定の実施形態では、１つ以上の光学的検出可能特徴部は、１つ以上の所定の位置でキャップ４（又は基部／リザーバ／キャップユニット）に付着させ、本明細書に記載されるように、又は、別の方法で、光エミッタ１００からの光信号の反射を阻止するか若しくは検出可能に変化させるような光学的検出可能特徴部を有する外側表面を有する１つ以上の接着剤付タグを含む。
【０６１５】
他の実施形態では、キャップ４（又は基部／リザーバ／キャップユニット）の外側表面部分は、光学反射を抑制するように構成され、１つ以上の光学的検出可能特徴部は、検出可能な反射性であるように構成される。こうした実施形態では、エレクトロニクス６０は、キャップ４（又は基部／リザーバ／キャップユニット）上の反射光学特徴部（複数可）の検出を示す光検出器１０２から信号を評価することによって、リザーバ受容部３２内のキャップ４（又は基部／リザーバ／キャップユニット）の１つ以上の相対位置を検出するように構成される。
【０６１６】
更なる実施形態では、キャップ４（又は基部／リザーバ／キャップユニット）における１つ以上の光学的検出可能特徴部は、光信号の波長、方向、位相又は他の検出可能パラメータのうちの１つ以上を変更することによって、光学的検出可能な方法において光信号を変化させるように構成される。更なる実施形態では、それぞれ異なる検出可能特徴部がリザーバ受容部３２内のキャップ４（又は基部／リザーバ／キャップユニット）のそれぞれ異なる位置で、ハウジング部分３３’’内の光信号経路（複数可）と位置合わせされるように、複数の異なる光学的検出可能特徴部は、互いに対してそれぞれ異なる所定の位置で、キャップ４（又は基部／リザーバ／キャップユニット）に提供される。こうした実施形態では、それぞれ異なる光学的検出可能特徴部は、ハウジング部分３３’’の光信号経路（複数可）と位置合わせされるとき、異なる検出可能な反射性信号を光検出器１０２に提供するように（キャップ４又は基部／リザーバ／キャップユニット上の他の光学的検出可能特徴部に対して）構成され得る。したがって、光検出器１０２には、異なる検出可能な反射信号が提供され、このため、キャップ４（又は基部／リザーバ／キャップユニット）のそれぞれ異なる位置で、異なる出力信号を提供する。こうした実施形態では、エレクトロニクス６０は、光検出器１０２の出力信号に基づいて、リザーバ受容部３２に対するキャップ４（又は基部／リザーバ／キャップユニット）の位置を判定するように構成される。
【０６１７】
光エミッタデバイス１００は、光学的検出可能信号を放出する任意の好適なデバイスであってもよい。特定の実施形態では、光エミッタデバイス１００は、発光ダイオード（ＬＥＤ）デバイス及び所定の波長又はピーク波長、放射強度、強度角度又はそれらの範囲を有する光出力信号を生成するように構成されるＬＥＤ駆動回路を含む。特定の実施形態では、光エミッタデバイス１００は、ＩＲ出力信号を提供するように構成される赤外線（ＩＲ）デバイスである。他の実施形態では、以下に限定されないが、ＩＲ外の他の波長で操作するデバイスなど、他の好適な光エミッタデバイスが用いられてもよい。
【０６１８】
光検出器デバイス１０２は、光エミッタ１００によって出力される光信号を検出し、キャップ４（又は基部／リザーバ／キャップユニット）から反射させる任意の好適なデバイスであってもよい。光エミッタ１００がＩＲ  ＬＥＤデバイスを含む実施形態では、光検出器デバイス１０２は、ＩＲフォトトランジスタ又はＩＲ照射を検出するように構成される他のデバイスを含む。他の実施形態では、光検出器デバイス１０２は、以下に限定されないが、フォトトランジスタ、フォトレジスタ、フォトダイオード、光電池、光電子増倍管、ｐｈｏｔｏ  Ｓｃｈｍｉｔｔ  Ｔｒｉｇｇｅｒ、電荷結合デバイス（ＣＣＤ）、能動ピクセルセンサ（ＡＰＳ）又は検出可能物質内で光信号に反応する他の好適なデバイスのうちの１つ以上を挙げることもできる。
【０６１９】
図１９及び図２０の実施形態は、光エミッタ−検出器対１００、１０２で構成される１つの光学センサを含む。他の実施形態では、２つ以上の（複数の）光学センサ（２つ以上の光エミッタ−検出器対１００、１０２で構成される）は、リザーバ受容部３２の周囲又はリザーバ受容部３２に沿って所定の位置に配置される。特定の実施形態では、１つ以上の光学センサ（光エミッタ−検出器対）は、注入ポンプデバイス３０に対するキャップ４の位置を検出するため（例えば、キャップ４又は基部／リザーバ／キャップユニットと注入ポンプデバイス３０との適切な接続を検出するために）に配置される。
【０６２０】
他の実施形態では、１つ以上の光学センサ（光エミッタ−検出器対）を用いて、キャップ４若しくは基部／リザーバ／キャップユニット又はこれらの構成部品に関連付けられた１つ以上の他の特性を検出し、追加的に又は代替的に、注入ポンプデバイス３０との適切な接続を検出する。様々な実施形態では、こうした他の特性としては、以下に限定されないが、磁気検出、ＲＦ検出又は機械的検出に関して上述したような、リザーバ１（又はその内容物）、注入セット５０、接続インターフェイス４０又は任意のこれらの組み合わせの特性が挙げられる。
【０６２１】
これらの実施形態では、特定の特性は、以下に限定されないが、キャップ４上の１つ以上の光学的検出可能要素の存在；又はキャップ４上の１つ以上の光学的検出可能要素の位置又は位置パターン（軸Ａの寸法に対して環状又は直線的な位置）、光学的検出可能なパターン、形状、波長又はピーク波長、放射強度、強度角度、又は光学的検出可能要素の他の検出可能パラメータ又はこれらの任意の組み合わせなど、光学的検出可能要素の１つ以上の検出可能パラメータに関連付けることができる。特定の実施形態では、リザーバ１、注入セット５０又は接続インターフェイス４０のそれぞれ異なる所定の特性は、光学的検出可能要素のそれぞれ異なる所定の検出可能パラメータに関連付けられる（例えば、一対一ベースで）。これらの実施形態では、処理エレクトロニクス６２は、例えば、図６のプロセス１５０に関して記述されたような工程を用いて、リザーバ１、注入セット５０又は接続インターフェイス４０の特性を１つ以上の光学センサから受信された信号（光エミッタ−検出器対）から判定するように構成される。
【０６２２】
例えば、処理エレクトロニクス６２は、１つ以上の光学センサ（光エミッタ−検出器対）から受信した情報と表又は別の好適なデータ配置に格納した情報とを比較するように構成されてもよい。表又は他のデータ配置は、電子メモリ６６に格納される。表又は他のデータ配置は、磁気、ＲＦ及び機械的検出実施形態に関して上述され、参照により組み込まれるように、複数の異なる所定の光学的検出可能要素、又は１つ以上の光学的検出可能要素の位置若しくは位置パターン、光学的検出可能なパターン、形状、光学的検出可能要素の他のパラメータ又はこれらの任意の組み合わせと、対応する複数の所定の特性とを関連付ける。
【０６２３】
特定の実施形態では、処理エレクトロニクス６２は、磁気検出の実施形態、ＲＦ検出の実施形態及び機械的検出の実施形態に関して上記したように、１つ以上の光学センサ（光エミッタ−検出器対）から受信した信号から検出されたパラメータ（又は光学シグネチャ）のうちの１つ以上に基づいて、対応する特性を判定し、これらの特性に基づいて、以下のうちの１つ以上を行うように更に構成される：注入ポンプデバイス３０用の動作設定を決定すること、信号を駆動デバイス又は注入ポンプデバイス３０の他の構成部品に提供すること、１つ以上の警報信号を提供すること、及びキャップ４、基部／リザーバ／キャップユニット、及び注入ポンプデバイス３０のうちの１つ以上の検出された状態又は条件を表すデータを記録すること。
【０６２４】
更なる実施形態では、注入ポンプデバイス３０（又は他の送達デバイス）に１つ以上の無線又は有線通信デバイスが提供され、この１つ以上の無線又は有線通信デバイスは、注入ポンプデバイス３０とは別個の、又は注入ポンプデバイス３０から遠隔に位置する別の電子デバイスに表示するために、リザーバ１に残存している又はリザーバ１から分配される注入流体の体積に関する体積情報（又は１つ以上の光学的検出可能要素の検出されたパラメータ又は関連付けられた特性に対応する他の情報）を送信するように構成され、かつ制御される。特定の実施形態では、ネットワーク（例えば、以下に限定されないが、インターネットなど）上での通信のため、無線通信デバイス（複数可）を、１つ以上の所定のネットワーク接続デバイスに接続するように構成する。このような１つ以上の所定のネットワーク接続デバイスは、注入ポンプデバイス３０（又は他の送達デバイス）に対して遠隔の地理的位置に位置していてもよい。特定の実施形態では、こうしたネットワーク接続デバイスには、注入ポンプデバイス３０（若しくは他の送達デバイス）から、又は注入ポンプデバイス３０（若しくは他の送達デバイス）と通信する他のネットワーク接続デバイス（クレイドル、又はユーザのコンピュータなど）から情報を受信するように構成されたサーバが含まれる。こうした情報としては、１つ以上の検出パラメータ若しくは１つ以上の関連特性に対応する情報、又は上記のようなリザーバ１、キャップ４、基部／リザーバ／キャップユニット若しくは注入セットに関する他の情報を挙げることができるが、これらに限定されない。
【０６２５】
こうした実施形態では、ネットワーク接続サーバは、情報を記録したり、関連製品（例えば、補充又は交換品など）を供給したり、又は医学的治療若しくは医療保険をユーザに提供したりするエンティティと連結されてもよい。一例では、ネットワーク接続サーバは、Ｍｅｄｔｒｏｎｉｃ  Ｉｎｃ．のＣａｒｅｌｉｎｋ（商標）システムに連結している。他の実施形態では、ネットワーク接続サーバは、１つ以上の他のサーバ及び関連エンティティである。したがって、こうした情報は、サーバ（又は連結されたエンティティ）によって、補充、新規又は交換用リザーバ、キャップ、注入セットの針、ハウジング、注入セットチューブ又はキャップ４、基部／リザーバ／キャップユニット又は注入セットの他の構成部品を送るか（又はいつ送るか）を判定するために使用されてもよい。更なる実施形態では、こうした情報は、ユーザの医師又はユーザに関連する他の医学的治療エンティティ（追跡、診断、治療計画の調整又は他の好適な使用のために）に提供されてもよい。このため、このような実施形態では、補充又は交換品が自動的（ユーザが注文する必要なく）にユーザに送られ得、また、使用情報が、ユーザのヘルスケア提供者、保険提供者又は他の好適なエンティティに自動的に提供され得る。
【０６２６】
更なる実施形態では、ネットワーク接続サーバは、上記のネットワーク通信接続又は他のネットワーク接続を介して情報を提供するように構成される（また、注入ポンプデバイス３０又は他の送達デバイスは、その情報を受信するように構成される）。こうした情報としては、リザーバ１、キャップ４、基部／リザーバ／キャップユニット若しくは注入セットの交換又は補充に関する指示若しくは推奨、ヘルスケア提供者、保険業者若しくは製造者からのメッセージ若しくは通知、リコール通知などを挙げることができるが、これらに限定されない。特定の実施形態では、注入ポンプデバイス３０（又は他の送達デバイス）のエレクトロニクス（エレクトロニクス６０など）は、所定の指示、通知又はメッセージの受領に応答して、１つ以上の所定の動作（上記のような）を実施するように構成される。
【０６２７】
ｆ．電気接点式検出
上記のような特定の実施形態は、１つ以上の磁気検出可能特徴部及び磁石検出センサを含み、他の実施形態は、１つ以上の誘導、ＲＦ、機械的又は光学的検出可能特徴部と誘導、ＲＦ、機械的又は光学検知センサを含む。他の実施形態は、１つ以上の磁気検出可能特徴部及びセンサ、誘導検出可能特徴部及びセンサ、ＲＦ検出可能特徴部及びセンサ、機械的検出可能特徴部及びセンサ又は光学的検出可能特徴部及びセンサの任意の組み合わせを含む。更に他の実施形態では、電気接点式検出が使用され、１つ以上の検出可能特徴部４２は第１の電気接点特徴部を含み、１つ以上のセンサ３４は、選択的に第１の電気接触特徴部に電気的に接触させるように配置された更なる電気接点特徴部を有する電気接点センサを含む。更に他の実施形態では、１つ以上の検出可能特徴部４２は、磁気検出可能特徴部、誘導検出可能特徴部、ＲＦ検出可能特徴部、機械的検出可能特徴部、光学的検出可能特徴部又は電気接点特徴部の２つ以上の組み合わせを含み、１つ以上のセンサ素子３４は、磁気センサ、誘導型センサ、ＲＦセンサ、機械的センサ、光学センサ及び電気接点センサの２つ以上の組み合わせを含む。
【０６２８】
したがって、上記及び図１〜図２０に示すような、磁気、誘導、ＲＦ、機械的及び光学センサ素子及び検出可能特徴部（センサ素子及び検出可能特徴部３４及び４２として）の配置及び構成は、参照により組み込まれ、センサ素子及び検出可能特徴部３４及び４２として、電気接点センサ及び電気接点特徴部を使用する実施形態に適用する。特定の実施形態では、任意の好適な電気接点センサ及び電気接点特徴部は、キャップ４（又は基部／リザーバ／キャップユニット）の存在又は位置（又はその両方）の電気接点式検出のために、１つ以上のセンサ及び検出可能特徴部３４及び４２として用いてもよい。
【０６２９】
電気接点式検出構成の例示的実施形態は、図２１〜図２７を参照して記述する。図２１には、注入ポンプデバイス３０の注入ポンプハウジング３３の一部（リザーバ受容部３２の開口端部など）の部分上面図を示す。キャップ４には、キャップ４の本体５に取り付けられた第１の電気接点特徴部１３０が提供される。キャップ４（又は基部／リザーバ／キャップユニット）を注入ポンプデバイス３２のリザーバ受容部３２に装着させるとき、注入ポンプデバイス３２上で第２の電気接点特徴部１３２と係合し、電気的に接触するキャップ本体５上の位置に、第１電気接点特徴部１３０が提供される。
【０６３０】
電気接点特徴部１３０及び１３２のそれぞれは、以下に限定されないが、導電金属部材、めっき、コーティング、インク又は本明細書に記載されるような電気接点に好適な他の材料など、任意の好適な導電性材料のうちの１つ以上を含むことができる。電気接点特徴部１３０は、キャップ本体５の壁部分に取り付けるか、埋め込まれるか、成形されるか、付着させるか、又は別の方法で貼着してもよい。同様に、電気接点特徴部１３２は、リザーバ受容部３２内のハウジング３３の壁部分に取り付けるか、埋め込まれるか、成形されるか、付着させるか、又は別の方法で貼着してもよい。
【０６３１】
特定の実施形態では、電気接点特徴部１３０及び１３２の一方又は両方は、軸Ａに対して放射方向に付勢された付勢部分を備え、この場合、例えば、第１の電気接点特徴部１３０を、放射方向に外向き（軸Ａから離れる方向）に付勢するか、又は第２の電気接点特徴部１３２を、軸Ａに対して放射方向に内向き付勢する（又は両方の電気接点特徴部を付勢する）。特定の実施形態では、電気接点特徴部１３０及び１３２のうちの少なくとも一方は、平滑なストリップ又はパッド構成を有する。図２１の実施形態では、電気接点特徴部１３０は２つの付勢接触部分１３０ａ及び１３０ｂを含み、電気接点特徴部１３２は２つの接触パッド１３２ａ及び１３２ｂを含む。他の実施形態では、図２２に示すように、電気接点特徴部１３０は、導電ストリップ又は細長いパッドを含み、電気接点特徴部１３２は、２つの付勢導電性部材１３２ｃ及び１３２ｄを含む。他の実施形態では、電気接点特徴部１３０及び１３２は、他の好適な構成を有する。
【０６３２】
例示的電気接点特徴部構成１３０（キャップ本体５から取り外している）は、図２３Ａ〜図２３Ｅに示す。図２３Ａの実施形態では、電気接点特徴部１３０は、図２１の電気接点特徴部１３０に類似した第１及び第２の付勢延出部分１３０ａ及び１３０ｂを含む。図２３Ａの電気接点特徴部１３０は、一部曲げるか又は折ら、シート又はストリップの他の部分から外向きに延出する延出部分１３０ａ及び１３０ｂを有する導電性金属材料のシート又はストリップで作製されてもよい。本材料は、押圧を延出部分１３０ａ及び１３０ｂに加えたとき、延出部分１３０ａ及び１３０ｂをシート又はストリップの他の部位に向かって更に内側に曲げるか、又は折ることができる十分な可撓性を有する。更に、本材料は押圧を加えたとき、非押圧状態に対して延出部分１３０ａ及び１３０ｂを付勢するのに十分な固有のバネ力を有する（図２３Ａに示すような）。
【０６３３】
図２３Ｂ及び図２３Ｃの実施形態では、電気接点特徴部１３０は、複数（図示した実施形態では２つの）の別個の付勢部材（図２３Ｂでは、１３０ｃ及び１３０ｄ、並びに図２３Ｃでは、１３０ｅ及び１３０ｆ）を含む。図２３Ｂの実施形態では、付勢部材１３０ｃ及び１３０ｄはそれぞれ、図２３Ａの延出部分１３０ａ及び１３０ｂと同様に曲げられるか、又は折られる導電性金属のストリップ又はシートから形成されていてもよい。しかし、付勢部材１３０ｃ及び１３０ｄは、以下に限定されないが、キャップ本体５上の導電性ワイヤ又は導電性トレースなどの導体１３４によって共に電気的に連結されている別個の部材である。各付勢部材１３０ｃ及び１３０ｄは、例えば、図２３Ｅに示すように、キャップ本体５の壁部分に支持されてもよい。
【０６３４】
図２３Ｃの実施形態では、それぞれの付勢部材１３０ｅ及び１３０ｆは、それぞれ、付勢バネ１３８に係合又は接続された導電体１３６を含み、かつ付勢バネ１３８により外向きに付勢される（例えば、キャップ本体５から外向きに）。それぞれの付勢部材１３０ｅ及び１３０ｆは、図２３Ｅに示すように、キャップ本体５の壁部分、例えば、キャップ本体５のくぼみ部又は溝内に支持されてもよい。付勢部材１３０ｅ及び１３０ｆは、以下に限定されないが、キャップ本体５上の導電性ワイヤ又は導電性トレースなどの導体１３９によって共に電気的に接続されている別個の部材である。特定の実施形態では、付勢バネ１３８は、導電性材料から作製され、かつ導体１３９及びそれぞれの導電体１３６に電気的に連結され、本体１３６と共に電気的に連結する。
【０６３５】
図２１の実施形態では、キャップ４（又は基部／リザーバ／キャップユニット）がリザーバ受容部３２に対して軸Ａ方向に移動するとき、付勢部材１３０ａ及び１３０ｂは、リザーバ受容部３２の内側表面に係合し、かつそれに沿ってスライドする。キャップ４（又は基部／リザーバ／キャップユニット）がリザーバ受容部３２の十分に装着された位置に到達するとき、付勢部材１３０ａ及び１３０ｂはそれぞれ、パッド１３２ａ及び１３２ｂに揃えられ、かつ電気的に接触する。付勢部材１３０ａ及び１３０ｂは共に電気的に接続させるため、付勢要素１３０ａ及び１３０ｂをパッド１３２ａ及び１３２ｂと接触させるとき、パッド１３２ａ及び１３２ｂは、（電気接点特徴部１３０を介して）共に電気的に接続させられる。
【０６３６】
付勢部材１３０ｃ及び１３０ｄによって接触させる前に、パッド１３２ａ及び１３２ｂを互いに電気的に分離させるが、パッド１３２ａ及び１３２ｂの電気的接続（又は短絡）を検出するように構成されたセンサ回路と接続する。したがって、パッド１３２ａ及び１３２ｂは、それぞれ、付勢部材１３０ａ及び１３０ｂによって接触させるとき、センサ回路３４は、電気的に共と接続する（又は短絡させる）パッド１３２ａ及び１３２ｂの状態を検出するように構成される。
【０６３７】
図２２の実施形態では、付勢部材１３２ｃ及び１３２ｄは、上記のように、リザーバ受容部３２の内側壁部上又は内に提供される。図２６及び図２７は、注入ポンプデバイスのハウジング３３の壁部分上の付勢部材１３２の例を示すこともある。図２１及び図２２の実施形態では、キャップ４の本体５上の電気接点特徴部１３０を示し、他の実施形態では、電気接点特徴部１３０は、キャップ本体５に関して記載されているように類似の方法でリザーバ１の本体に提供される。こうした実施形態では、電気接点特徴部１３２は、（図２１の配置に対して）リザーバ受容部に更に配置され、基部／リザーバ／キャップユニットが、リザーバ受容部内に適切に装着されているとき、リザーバ１の本体上で電気接点特徴部と位置合わせされる。
【０６３８】
特定の実施形態では、電気接点特徴部１３２は、注入ポンプデバイス３０のハウジング３３の壁部分に提供される。他の実施形態では、電気接点特徴部１３２は、リザーバ受容部３２の上端（開口端部）で、注入ポンプデバイスのハウジング３３に接続される上部リング部材１３７内に提供される。上部リング部材１３７は、以下に限定されないが、プラスチック、金属、セラミック、木材、複合材料又はこれらの任意の組み合わせなど、任意の好適な硬質材料製であってもよく、以下に限定されないが、ネジ山、ネジ、ボルト、クランプ、接着材料、溶接、スロット及び溝コネクタなど、任意の好適な方法でハウジング３３に接続されてもよい。こうした実施形態では、上部リング部材１３７は、エレクトロニクス６０の一部又は全てを含めてもよい。あるいは、上部リング部材１３７は、ハウジング３３上の対応する電気接点と電気的に接続する１つ以上の電気接点を含み、電気接点特徴部１３２を注入ポンプデバイス３０内に配置されるエレクトロニクス６０に電気的に連結させる。
【０６３９】
特定の実施形態では、エレクトロニクス６０（センサ回路と連結されているのは３４）は、キャップ４上の電気接点特徴部１３０により、共に電気的に接続される（又は短絡させる）パッド１３２ａ及び１３２ｂの検出に応答して、リザーバ受容部内の適切に装着された位置でのキャップ４（又は基部／リザーバ／キャップユニット）の存在を検出するように構成される。他の実施形態では、エレクトロニクス６０は、電気接点特徴部１３０に関連付けられた他のパラメータを検出し、検出されたパラメータとキャップ４（又は連結させたリザーバ１若しくは基部／リザーバ／キャップユニット、若しくはそれらに接続された注入セット接続）の１つ以上の特性とを関連付けるように構成される。
【０６４０】
図２１〜図２３Ｅの特定の実施形態では、キャップ４（又は基部／リザーバ／キャップユニット）の外側表面の１つ以上の部分には、電気接点特徴部１３０を含む。こうした実施形態では、キャップ４（又は基部／リザーバ／キャップユニット）上の１つ以上の他の領域又はエリアは、導電性ではないか、又は電気接点特徴部１３０とは異なる検出可能な方法で実施する。したがって、電気接点特徴部１３０及び１３２が互いに係合するように、キャップ４（又は基部／リザーバ／キャップユニット）をリザーバ受容部３２内の十分に装着させた位置にあるとき、第１の電気接点特徴部１３０は、第２の電気接点特徴部１３２の導体要素（パッド１３２ａ及び１３２ｂ、付勢部材１３２ｃ及び１３２ｄ）間の電子回路を完結又は閉鎖する。エレクトロニクス６０は、第２の電気接点特徴部１３２の導体要素（パッド１３２ａ及び１３２ｂ又は付勢部材１３２ｃ及び１３２ｄ）間での閉鎖された電子回路の検出に応答して、リザーバ受容部３２内のキャップ４（又は基部／リザーバ／キャップユニット）の存在を検出するように構成されてもよい。
【０６４１】
リザーバ受容部３２内の十分に装着させた位置から離れる方向にキャップ４（又は基部／リザーバ／キャップユニット）を回転させる又は直線的に移動させる（又はその両方）とき、キャップ４（又は基部／リザーバ／キャップユニット）上の電気接点特徴部１３０は、リザーバ受容部３２の電気接点特徴部１３２との係合が外れるように移動する。その結果、第２の電気接点特徴部１３２の導体要素（パッド１３２ａ及び１３２ｂ又は付勢部材１３２ｃ及び１３２ｄ）間で電子回路が破断されるか又は切断される。エレクトロニクス６０は、第２の電気接点特徴部１３２の導体要素（パッド１３２ａ及び１３２ｂ又は付勢部材１３２ｃ及び１３２ｄ）間での破断された電子回路の検出に応答して、リザーバ受容部３２内の十分に装着された位置からのキャップ４（又は基部／リザーバ／キャップユニット）の移動を検出するように構成されてもよい。
【０６４２】
更なる実施形態では、複数の電気接点特徴部１３０は、キャップ４（又は基部／リザーバ／キャップユニット）がリザーバ受容部３２内の所定の対応する位置にあるとき、１つ以上の電気接点特徴部１３０がリザーバ受容部３２内の１つ以上の電気接点特徴部１３２と位置合わせされるように、キャップ４（又は基部／リザーバ／キャップユニット）上の対応する複数の異なる所定の位置に配置される。こうした実施形態では、エレクトロニクス６０は、キャップ４（又は基部／リザーバ／キャップユニット）をリザーバ受容部３２内に移動させるとき、検出された電子回路接続（短絡）又は切断（破断）を数えることによって、リザーバ受容部３２内のキャップ４（又は基部／リザーバ／キャップユニット）の位置を判定するように構成されてもよい。
【０６４３】
更なる実施形態では、キャップ４（又は基部／リザーバ／キャップユニット）上の１つ以上の電気接点特徴部）は、例えば、以下に限定されないが、特定の電気抵抗又はインピーダンス特性又はパラメータなど、所定の電気的検出可能な特性又はパラメータを有するように構成する。こうした実施形態では、エレクトロニクス６０は、磁気検出、ＲＦ検出、機械的検出又は光学的検出に関して上記のような、検出された特性（複数可）又はパラメータ（複数可）をキャップ４（又は基部／リザーバ／キャップユニット）の１つ以上の特性を関連付けるか、又はリザーバ１（又はその内容物）、注入セット５０、接続インターフェイス４０又はこれらの任意の組み合わせと関連付ける電気接点特徴部１３０の１つ以上の特性又はパラメータを検出するように構成される。
【０６４４】
更なる実施形態では、他方に対してそれぞれ異なる電気的検出可能な特性を有する複数の異なる電気接点特徴部１３０は、互いに対してそれぞれ異なる所定の位置でキャップ４（又は基部／リザーバ／キャップユニット）に提供される。こうした実施形態では、キャップ（又は基部／リザーバ／キャップユニット）上のそれぞれの異なる電気接点特徴部１３０は、リザーバ受容部３２のキャップ４（又は基部／リザーバ／キャップユニット）のそれぞれ異なる位置で、リザーバ受容部３２内の電気接点特徴部１３２と位置合わせされる。したがって、エレクトロニクス６０は、キャップ４（又は基部／リザーバ／キャップユニット）をリザーバ受容部３２に対して移動させるときに検出された特定の電気的接続（複数可）（短絡（複数可））又は切断（複数可）（破断（複数可）に基づいて、リザーバ受容部３２に対してキャップ４（又は基部／リザーバ／キャップユニット）の位置を判定するように構成されてもよい。
【０６４５】
特定の実施形態では、キャップ１、基部／リザーバ／キャップユニット、リザーバ１、注入セット５０又は接続インターフェイス４０のそれぞれ異なる所定の特性を電気接点特徴部（複数可）１３０のそれぞれ異なる所定の検出可能な位置、位置パターン、又は他の検出可能な特性又はパラメータと関連付ける（例えば、一対一をベースとした又は他の所定の関連）。これらの実施形態では、処理エレクトロニクス６２は、電気接点特徴部（複数可）１３２に接続したセンサ３４から受信された信号から、キャップ４、基部／リザーバ／キャップユニット、リザーバ１、注入セット５０又は接続インターフェイス４０の特性を判定するように構成される。
【０６４６】
例えば、処理エレクトロニクス６２は、１つ以上のセンサ３４から受信した情報と表又は別の好適なデータ配置に格納した情報とを比較するように構成されてもよい。表又は他のデータ配置は、電子メモリ６６に格納される。表又は他のデータ配置は、複数の異なる所定の電気的に検出可能な特性又はパラメータ、又は１つ以上の電気接点特徴部（複数可）１３０の位置若しくは位置パターン、又はこれらの任意の組み合わせをキャップ４、基部／リザーバ／キャップユニット、リザーバ１、注入セット５０又は接続インターフェイス４０の対応する複数の所定の特性に関連付ける。
【０６４７】
特定の実施形態では、処理エレクトロニクス６２は、磁気検出、誘導検出、ＲＦ検出の実施形態、機械的実施形態及び光学的検出に関して上記したように、電気接点特徴部１３０から検出された特性又はパラメータのうちの１つ以上に基づいて、対応する特性を（例えば、図６に関して記載したように、プロセス１５０を使用して）判定し、これらの特性に基づいて、以下のうちの１つ以上を行うように更に構成される：注入ポンプデバイス３０用の動作設定を決定すること、信号を駆動デバイス又は注入ポンプデバイス３０の他の構成部品に提供すること、１つ以上の警報信号を提供すること、及びキャップ４、基部／リザーバ／キャップユニット、及び注入ポンプデバイス３０のうちの１つ以上の検出された状態又は条件を表すデータを記録すること。
【０６４８】
更なる実施形態では、注入ポンプデバイス３０（又は他の送達デバイス）に１つ以上の無線又は有線通信デバイスが提供され、この１つ以上の無線又は有線通信デバイスは、注入ポンプデバイス３０とは別個の、又は注入ポンプデバイス３０から遠隔に位置する別の電子デバイスに表示するために、リザーバ１に残存している又はリザーバ１から分配される注入流体の体積に関する体積情報（又は１つ以上の電気接点式検出可能要素の検出されたパラメータ又は関連付けられた特性に対応する他の情報）を送信するように構成され、かつ制御される。特定の実施形態では、ネットワーク（例えば、以下に限定されないが、インターネットなど）上での通信のため、無線通信デバイス（複数可）を、１つ以上の所定のネットワーク接続デバイスに接続するように構成する。このような１つ以上の所定のネットワーク接続デバイスは、注入ポンプデバイス３０（又は他の送達デバイス）に対して遠隔の地理的位置に位置していてもよい。特定の実施形態では、こうしたネットワーク接続デバイスには、注入ポンプデバイス３０（若しくは他の送達デバイス）から、又は注入ポンプデバイス３０（若しくは他の送達デバイス）と通信する他のネットワーク接続デバイス（クレイドル、又はユーザのコンピュータなど）から情報を受信するように構成されたサーバが含まれる。こうした情報としては、１つ以上の検出パラメータ若しくは１つ以上の関連特性に対応する情報、又は上記のようなリザーバ１、キャップ４、基部／リザーバ／キャップユニット若しくは注入セットに関する他の情報を挙げることができるが、これらに限定されない。
【０６４９】
こうした実施形態では、ネットワーク接続サーバは、情報を記録したり、関連製品（例えば、補充又は交換品など）を供給したり、又は医学的治療若しくは医療保険をユーザに提供したりするエンティティと連結されてもよい。一例では、ネットワーク接続サーバは、Ｍｅｄｔｒｏｎｉｃ  Ｉｎｃ．のＣａｒｅｌｉｎｋ（商標）システムに連結している。他の実施形態では、ネットワーク接続サーバは、１つ以上の他のサーバ及び関連エンティティである。したがって、こうした情報は、サーバ（又は連結されたエンティティ）によって、補充、新規又は交換用リザーバ、キャップ、注入セットの針、ハウジング、注入セットチューブ又はキャップ４、基部／リザーバ／キャップユニット又は注入セットの他の構成部品を送るか（又はいつ送るか）を判定するために使用されてもよい。更なる実施形態では、こうした情報は、ユーザの医師又はユーザに関連する他の医学的治療エンティティ（追跡、診断、治療計画の調整又は他の好適な使用のために）に提供されてもよい。このため、このような実施形態では、補充又は交換品が自動的（ユーザが注文する必要なく）にユーザに送られ得、また、使用情報が、ユーザのヘルスケア提供者、保険提供者又は他の好適なエンティティに自動的に提供され得る。
【０６５０】
更なる実施形態では、ネットワーク接続サーバは、上記のネットワーク通信接続又は他のネットワーク接続を介して情報を提供するように構成される（また、注入ポンプデバイス３０又は他の送達デバイスは、その情報を受信するように構成される）。こうした情報としては、リザーバ１、キャップ４、基部／リザーバ／キャップユニット若しくは注入セットの交換又は補充に関する指示若しくは推奨、ヘルスケア提供者、保険業者若しくは製造者からのメッセージ若しくは通知、リコール通知などを挙げることができるが、これらに限定されない。特定の実施形態では、注入ポンプデバイス３０（又は他の送達デバイス）のエレクトロニクス（エレクトロニクス６０など）は、所定の指示、通知又はメッセージの受領に応答して、１つ以上の所定の動作（上記のような）を実施するように構成される。
【０６５１】
電気接点式検出構成の別の実施形態の例は、図２４及び図２５に示す。図２４は、一対の第１電気接点特徴部１６１及び１６２を含むキャップ４及び第２の一対の電気接点特徴部１６３及び１６４を含む注入ポンプデバイス３０を示す。図２５は、装着させた状態で図２４のキャップ４（又は図２４のキャップ４を有する基部／リザーバ／キャップユニット）を有する注入ポンプデバイス３０の一部を示す。
【０６５２】
第１の電気接点特徴部１６１及び１６２は、キャップ４（又は基部／リザーバ／キャップユニット）を注入ポンプデバイス３２のリザーバ受容部３２に装着させるとき、注入ポンプデバイス３０上で一対の第２の電気接点特徴部１６３及び１６４と係合し、電気接触が行われるように配置される。しかし、第２の電気接点特徴部１６３及び１６４は、注入ポンプデバイス３０のハウジング３３上であり、リザーバ受容部３２の外側の位置に配置される。したがって、第１及び第２の接触特徴部１６１〜１６４は、キャップ４（又は基部／リザーバ／キャップユニット）を注入ポンプデバイス３２のリザーバ受容部３２に装着させるとき、リザーバ受容部３２の外側で互いに係合する。
【０６５３】
図２４の実施形態では、第２の電気接点特徴部１６３及び１６４は、ハウジング３３の表面３３ａ上に配置され、表面３３ａは、軸Ａ及び注入ポンプデバイス３０のリザーバ受容部３２の開口端部と同一方向（又は実質的に同一方向）に面する。他の実施形態では、第２の電気接点特徴部１６３及び１６４は、ハウジング３３の他の好適な表面又は注入ポンプデバイス３０上の他の好適な位置に位置させてもよい。
【０６５４】
図２４の実施形態では、第１の電気接点特徴部１６１及び１６２は、キャップ４の延出部分１６６上で支持される。キャップ４（又は基部／リザーバ／キャップユニット）を注入ポンプデバイス３２のリザーバ受容部３２に装着させたとき、延出部分は、軸Ａから外向きにハウジング３３の表面３３ａ上に延出する。特定の実施形態では、延出部分１６６は、キャップのハウジング５の一体化部分である。例えば、延出部分１６６は、例えば、成形プロセスなどにおいて、ハウジング５の他の部分で（及び同一材料で）形成されてもよい。他の実施形態では、延出部分１６６は、キャップ４のハウジング５から離れて形成され、任意の好適な接続機構（以下に限定されないが、接着剤、溶接、コネクタなど）によってハウジング５に取り付けられる。
【０６５５】
特定の実施形態では、キャップ４（又は基部／リザーバ／キャップユニット）が注入ポンプデバイス３０のリザーバ受容部３２内の十分にかつ適切に装着させた位置にあるとき、第１の電気接点特徴部１６１及び１６２は、一対の第２の電気接点特徴部１６３及び１６４と係合し、電気的に接触するが、キャップ４（又は基部／リザーバ／キャップユニット）がリザーバ受容部３２内の十分にかつ適切に装着させた位置にないとき、第１の電気接点特徴部１６１及び１６２は、一対の第２の電気接点特徴部１６３及び１６４と係合せず、電気的に接触しないように配置される。より具体的には、キャップ４（又は基部／リザーバ／キャップユニット）を十分にかつ適切に装着させたとき、１つの第１の電気接点特徴部１６１は、１つの第２の電気接点特徴部１６３と係合するように配置され、他の第１の電気接点特徴部１６２は、他の第２の電気接点特徴部１６４と係合するように配置される。この方法では、キャップ４（又は基部／リザーバ／キャップユニット）がリザーバ受容部３２内の十分にかつ適切に装着させた位置にあるときのみ、第１及び第２の電気接点特徴部対間での電気接触が行われる。
【０６５６】
特定の実施形態では、第１及び第２の電気接点特徴部１６１〜１６４は、上記の第１及び第２の接触特徴部１３０及び１３２と同様に構成され、動作してもよい。更なる実施形態では、第１の電気接点特徴部は、（以下に限定されないが、集積回路（ＩＣ）チップ１６８など）、キャップ４によって担持される電子回路の電気的端子の一部である（又は、電気的端子に電気的に接続されている）。こうした実施形態では、ＩＣチップ１６８は、ＥＰＲＯＭ、ＲＯＭ、ＰＲＯＭ又は電気的データ及び／又はプログラムを格納する他の好適な電子記憶装置を備える。こうした実施形態では、第１及び第２の電気接点特徴部対間での電気接触が行われるとき、注入ポンプデバイス３０内のエレクトロニクス（例えば、後述の電子回路１７０及び／又は図５に関して上述の電子回路６０）は、電子記憶装置からのデータを読み取るように構成されてもよい。更なる実施形態では、こうした注入ポンプデバイス３０内のエレクトロニクスは、データを電子記憶装置（例えば、ＩＣチップ１６８）に書き込むように構成されてもよい。
【０６５７】
電子記憶装置（例えば、ＩＣチップ１６８）に格納されるか、又は書き込まれるデータとしては、以下に限定されないが、キャップ４（又は基部／リザーバ／キャップユニット、若しくは注入セット、注入ポンプデバイス３０又はユーザ）の１つ以上の特性に関連するデータなどの、任意の好適なデータを挙げることができ、該データとしては、リザーバ、キャップ、又は注入ポンプデバイスの製造者の種類又は身元；リザーバ、キャップ、又は注入ポンプデバイスのサイズ；リザーバ内の注入媒体の種類又は濃度；リザーバ内の注入媒体の体積量；リザーバ内の注入媒体に関連した製造日、有効期限、又は充填日に対応する日付；リザーバ、キャップ、又は注入ポンプデバイスの製造日又は有効期限に対応する日付；リザーバ又はリザーバ内の注入媒体を製造、充填、又は他の方法で処理した場所に対応する位置情報；キャップ又は注入ポンプデバイスを製造、組み立て、又は他の方法で処理した場所に対応する位置情報；リザーバ、リザーバ内の注入媒体、キャップ、又は注入ポンプデバイスの使用が認められた場所に対応する位置情報；リザーバ、キャップ、注入ポンプデバイス、又は注入媒体の製造、洗浄、充填又は他の方法での処理が行われたバッチに関連するロット番号又は符号；シリアル番号；固有ＩＤ；権限を有するユーザのユーザ識別情報などが挙げられるが、これらに限定されない。
【０６５８】
図２４及び２５の実施形態では、注入ポンプデバイス３０の第２の電気接点特徴部１６３及び１６４は、注入ポンプデバイス３０のハウジング３３内に具備される電子回路１７０（又はその一部）に電気的に接続される。特定の実施形態では、図５に関して上記のように、電子回路１７０は、電子回路６０の一部であってもよいか又は電子回路６０を含んでもよく、図５のセンサ素子３４は、第２の電気接点特徴部１６３及び１６４を示すか、又は第２の電気接点特徴部１６３及び１６４に接続され、第２の電気接点特徴部１６３及び１６４に電気的に接触させて、第１の電気接点特徴部１６１及び１６２の電気的接続を検出する。こうした実施形態では、第１及び第２の電気接点特徴部１６１〜１６４の電気接触を検出することは、図２１〜図２３Ｅの実施形態での電気接点特徴部間での電気接触の検出に類似していてもよい。他の実施形態では、他の好適な検出エレクトロニクスにより、第１及び第２の電気接点特徴部１６１〜１６４の電気接触の検出が実施されてもよい。
【０６５９】
特定の実施形態では、電子回路１７０は、以下に限定されないが、マイクロコントローラ（μｃ）１７２及び抵抗器回路及び／又は他の回路構成部品などの制御装置回路を含む。また、特定の実施形態では、電子回路１７０は、注入ポンプデバイス３０のハウジング３３内に位置するプリント配線基板アセンブリ（ＰＣＢＡ）１７４に提供されてもよい。
【０６６０】
第１及び第２の電気接点特徴部１６１〜１６４は、金属又は他の導電性材料のパッドとして形成されてもよい。他の実施形態では、第１の電気接点特徴部１６１及び１６２又は第２の電気接点特徴部１６３及び１６４（又は第１及び第２の電気接点特徴部１６１〜１６４のそれぞれ）は、以下に限定されないが、ｐｏｇｏコネクタ、バネ付勢コネクタなど、付勢されているか、付勢力に対して移動するために別の方法で支持されたバネである導電性部材を含んでもよい。こうした実施形態では、一対の第１の電気接点特徴部１６１〜１６２及び一対の第二の電気接点特徴部１６３〜１６４の一方又は両方は、キャップ４（又は基部／リザーバ／キャップユニット）がリザーバ受容部３２内の十分にかつ適切に装着させた位置にあるとき、第１及び第２の電気接点特徴部が付勢力により、互いに、確かに係合するように、他の一対の第１又は第２の電気接点特徴部に対して加圧し、かつ付勢力（例えば、バネ力）に対して移動するように配置される。他の実施形態では、他の好適な電気的コネクタは、以下に限定されないが、共にスナップ留めし、電気接触させるスナップ留めコネクタ、共にスライドさせて電気接触させるスライドコネクタなど、第１及び第２の電気接点特徴部１６１〜１６４と共に又は第１及び第２の電気接点特徴部１６１〜１６４のために使用してもよい。
【０６６１】
更なる実施形態では、リザーバ受容部３２内でキャップ４（又は基部／リザーバ／キャップユニット）を十分にかつ適切に装着させたとき、注入ポンプデバイス３０のリザーバ受容部３２内で、注入ポンプデバイス３０上の１つ以上の追加の電気接点特徴部１６７と電気接触させるために、１つ以上の追加の電気接点特徴部１６５が、キャップ４（又は基部／リザーバ／キャップユニットの他の部分）に配置される。注入ポンプデバイス３０上の追加の電気接点１６７は、マイクロコントローラ１７２（又はエレクトロニクス１７０の他の部分）に１つ以上の導線１６９を介して電気的に接続されていてもよい。こうした実施形態では、エレクトロニクス（例えば、図５に関して上記のような、電子回路１７０及び／又は電子回路６０など）は、一対の第１及び第２の電気接点特徴部１６１〜１６４間の電気的接続の検出に加えて、又は代替として、追加の電気接点特徴部１６５及び１６７の電気的接続を検出するために構成されてもよい。こうした実施形態では、追加の電気接点特徴部１６５及び１６７間及び一対の第１及び第２の電気接点特徴部１６１〜１６４間での電気的接続が検出された時のみ、エレクトロニクスが、リザーバ受容部３２内のキャップ４（又は基部／リザーバ／キャップユニット）の適切な位置を検証するように構成されてもよい。他の実施形態では、追加の電気接点特徴部１６５及び１６７間の電気的接続の検出、及び一対の第１及び第２の電気接点特徴部１６１〜１６４間の電気的接続の検出は、冗長検出システムとして用いられてもよい。
【０６６２】
特定の実施形態では、第２の電気接点特徴部１６３及び１６４は、注入ポンプデバイス３０のハウジング３３上に取り付けられ、ハウジング３３を介する流体（水又は他の流体）の漏れを阻止するように、ハウジング３３に対して封止を行う。こうした実施形態では、注入ポンプデバイス３０は、湿気のある状態、又は更なる実施形態では、特定の水中環境又は水面下環境において使用されるように構成されてもよい。例えば、実施形態は、濡れた状態（例えば、ユーザは、入浴する、シャワーを浴びる又は水泳する間）、海水又は他の塩水又はイオン性溶液状態、又は高湿度又は雨の状態にて使用するために構成されてもよい。こうした実施形態では、更なる高信頼性封止部が、キャップ４（又は基部／リザーバ／キャップユニット）又は注入ポンプデバイス３０のリザーバ受容部３２の開口端部、又はその両方に提供され、キャップ４（又は基部／リザーバ／キャップユニット）をリザーバ受容部３２に装着させると、流体がリザーバ受容部３２に入らないようにしてもよい。また、このような実施形態では、注入ポンプデバイスのハウジング３３の他の部分は、水がハウジング３３に入らないように、十分に封止されるか又は防水されているように作製されてもよい。したがって、特定の実施形態では、キャップ４（又は基部／リザーバ／キャップユニット）上の電気接点特徴部と注入ポンプデバイス３０の接触特徴部との間の電気的な接続のそれぞれは、リザーバ受容部３２の外側で行われる（例えば、一対の第１及び第２の電気接点特徴部１６１〜１６４を介し、第２の電気接点特徴部１６３及び１６４は、ハウジング３３により封止され、接触特徴部を介して流体の通過を阻害する）。
【０６６３】
特定の実施形態では、エレクトロニクス（例えば、図５に関して上記の電子回路１７０及び／又は電子回路６０など）は、注入ポンプデバイスが濡れた状態又はイオン性溶液環境に存在している状態を検出するために構成されてもよい。こうした実施形態では、エレクトロニクスは、キャップ４（又は基部／リザーバ／キャップユニット）上の電子デバイス（例えば、ＩＣチップ１６８）に信号を提供し、かつ電子デバイス（例えば、ＩＣチップ１６８）から応答を検出するように構成されてもよく、この応答は、乾燥した状態と濡れた状態（又はイオン性溶液）とでは異なる。
【０６６４】
注入ポンプデバイス内のエレクトロニクス（例えば、図５に関して上記のような、電子回路１７０及び／又は電子回路６０など）は、注入ポンプデバイス（及び接続されたキャップ４又は基部／リザーバ／キャップユニット）が乾燥環境にあるとき、上記のように、キャップ４（又は基部／リザーバ／キャップユニット）上電子デバイス（例えば、ＩＣチップ１６８）からデータを読み取るように（及び／又は電子デバイスにデータを書き込むように）構成されてもよい。特定の実施形態では、注入ポンプデバイス（及び接続されたキャップ４又は基部／リザーバ／キャップユニット）が濡れた環境又はイオン性環境にあるとき、エレクトロニクスは、上記のように、装着させた位置で、キャップ４（又は基部／リザーバ／キャップユニット）の存在を検出するように更に構成されてもよいが、キャップ４（又は基部／リザーバ／キャップユニット）上の電子デバイス（例えば、ＩＣチップ１６８）での読み取り又は書き込みはできない。こうした実施形態では、注入ポンプデバイス内のエレクトロニクスは、表３に従って操作するように構成されてもよい。
【０６６５】
表３
接続環境      データの読み取り      存在の確認  
濡れている        いいえ                はい
乾燥している        はい                はい
【０６６６】
表３に従って動作する実施形態では、注入ポンプデバイス（及び接続されたキャップ４又は基部／リザーバ／キャップユニット）が、例えば、システム設定又は典型的に乾燥環境で発生する他の活動に対して乾燥環境にあるとき、キャップ４（又は基部／リザーバ／キャップユニット）上の電子デバイス（例えば、ＩＣチップ１６８）でデータの読み取り又は書き込みを行ってもよい。例えば、乾燥環境では、モデル番号、カニューレ長さ、注入セットチューブの長さ又は本明細書に記載される他の特性に関するデータは、キャップ４（又は基部／リザーバ／キャップユニット）上の電子デバイス（例えば、ＩＣチップ１６８）から読み取ることができ、注入ポンプデバイスの初期の又は更新した設定を補助し、注入セットチューブ及びカニューレの適切なプライミング又は充填が可能になり、他の操作を行う。次に、しばらく経過後、注入ポンプデバイスは、キャップ４（又は基部／リザーバ／キャップユニット）上の電子デバイスでのデータの正確な読み取り及び書き込みができないような濡れた（又はイオン性溶液）環境に配置してもよく、キャップ４（又は基部／リザーバ／キャップユニット）の存在を更に検出し、キャップ４（又は基部／リザーバ／キャップユニット）の存在が検出されるとき、引き続き、これまでに（最初に又は更新により）設定したように、動作する。特定の実施形態では、濡れた（又はイオン性溶液）環境の検出時に、エレクトロニクス（図５に関して上記の電子回路１７０及び／又は電子回路６０など）は、電気接点特徴部１６１〜１６４が湿気又はイオン性溶液にさらされることで、通信ビットエラーが発生する可能性があるため、読み取り操作又は書き込み操作を行わないように構成されてもよい。
【０６６７】
濡れた（又はイオン性溶液）状態を検出する回路構成の一例が、図２６に示されており、キャップ４（又は基部／リザーバ／キャップユニット）の電子デバイス（例えば、ＩＣチップ１６８）は、第１及び第２の電気接点特徴部１６１〜１６４を介して、アース端子１７６及びマイクロプロセッサチップ（例えば、マイクロコントローラ１７２に対応する）の一対の入力／出力端子（ＧＰＩＯ−１及びＧＰＩＯ−２）に接続される。本実施形態では、マイクロコントローラ１７２は、選択的に電気接点特徴部１６３及び１６１を介して試験信号をＩＣチップ１６８に送信し、その後、ＩＣチップ１６８から応答信号を受信してもよく、電気接点特徴部１６３及び１６１を介する応答信号は、応答信号は、電気接点特徴部１６３及び１６１を介し、応答信号は、ＩＣチップ１６８が濡れた（又はイオン性溶液）環境にあるときと、ＩＣチップ１６８が乾燥環境にあるときとでは異なる値又はパラメータを有する。マイクロコントローラ１７２は、応答信号を検出し、かつＩＣチップ１６８が濡れた環境又は乾燥環境にあるかどうかを判定するように構成されてもよい。
【０６６８】
キャップ４（又は基部／リザーバ／キャップユニット）の注入ポンプデバイス３０への脱着を検出するために更に動作する回路構成の別の例は、図２７に示す。図２７の実施形態では、マイクロコントローラ１７２は、入力端子ＩＮＴ及びＡＤＣ−ＣＨＸ及び更なる入力／出力端子ＩＯを更に含み、電気接点特徴部１６３は、端子ＩＯ及びコンパレータの一方の入力に接続される（コンパレータの他方の入力は、基準電位に接続され、コンパレータの出力は、ＩＮＴ入力に接続される）。図２７の実施形態では、ＩＣチップ１６８が電気接点特徴部１６１及び１６２を介して電気接点特徴部１６３及び１６４に接続されるようにキャップ４（又は基部／リザーバ／キャップユニット）を装着させるとき、ＩＮＴ入力がコンパレータから出力された信号を受信し、電圧の強弱を示す。しかし、ＩＣチップ１６８が電気接点特徴部１６３及び１６４に接続されないようにキャップ４（又は基部／リザーバ／キャップユニット）が十分に装着されていなとき、ＩＮＴ入力がコンパレータから出力された信号を受信し、電圧がないことを示す。マイクロコントローラ１７２は、電圧状態を検出し、（キャップ４又は基部／リザーバ／キャップユニットが十分に装着されているかどうかを検出するために）ＩＣチップ１６８が接続されているかどうかを判定するように構成されてもよい。
【０６６９】
３．リザーバ／キャップ／注入セットユニット
上記のような実施形態では、接続インターフェイス４０は、キャップ４を基部２（このため、リザーバ１に対して）に取り外し可能に取り付ける第１の取り外し可能なカプラ及びキャップ４を注入ポンプデバイス３０に取り外し可能に取り付ける第２の取り外し可能なカップルを含む取り外し可能なカプラを使用して、リザーバ１と注入セット５０及びキャップ４注入ポンプデバイス３０と接続し、かつインターフェイスをとるように構成される。このような実施形態の特定の例では、キャップ４は、選択的に及び手動により、キャップ４とリザーバ１及び注入ポンプデバイス３０との接続及び分離を行うことができるように構成され、例えば、リザーバ１を保存、出荷、販売、又は別方法でユーザ（又はヘルスケア提供者若しくは他の資格者）に提供し、注入ポンプデバイス、接続インターフェイス４０及び注入セット５０を個々に独立させて、ユーザ（又はヘルスケア提供者若しくは他の資格者）により、キャップ４と注入ポンプデバイスとを接続させることが可能であってもよい。
【０６７０】
このような実施形態の更なる例では、取り外し可能なカプラは、ユーザ（又はヘルスケア提供者又は他の資格者）が第１のリザーバ１を第２のリザーバ１（又は再充填した第１のリザーバ１）に交換し、キャップ４を第１のリザーバ１から分離し、第２のリザーバ１（又は再充填した第１のリザーバ１）に再接続できることによって、引き続き同一の接続インターフェイス４０を使用することができるように構成されてもよい。例えば、第１のリザーバ１は、（例えば、第１のリザーバ１が十分に又は部分的に空である、又はさもなければ交換する準備できている後に）注入ポンプデバイス３０のリザーバ受容部３２から取り外してもよく、キャップ４（又はキャップ４及び基部２）は、第１のリザーバ１から取り外し、その後、第２のリザーバ１と接続する。その後、第２のリザーバ１は、注入ポンプデバイス３０のリザーバ受容部３２に装着させる。この方法では、リザーバ１は、交換されてもよく、注入セット５０は、引き続き（患者の皮膚から針５６を引き出すことなく）患者に固定させる。
【０６７１】
図２８ａ〜図３４に関して記載されているような他の実施形態では、リザーバ（２０１又は３０１）及び注入セット（２５０又は３５０）を連結ユニットとして組み立て、組み立て済みユニットとして、保存、出荷、又は別の方法でのユーザ（又はヘルスケア提供者又は他の資格者）への提供が行われる。このような実施形態は、注入セット（２５０又は３５０）をリザーバ（２０１又は３０１）に恒久的に又は所望の方法で接続が維持される他の方法で接続する接続インターフェイスを含んでもよい。
【０６７２】
特定の実施形態では、リザーバ２０１及び３０１並びに注入セット２５０及び３５０は、上記リザーバ１及び注入セット５０に対応し（かつ、同様に操作する）、本明細書に記載されるような方法で注入ポンプデバイス３０と共に用いられる。しかし、図２８Ａ〜図３４に関して記載された実施形態では、移送ガード２００又は３００は、リザーバ２０１と供給容器（図３１の２０３）インターフェイスをとるために更に提供され、ユーザ（又はヘルスケア提供者若しくは他の資格者）は、例えば、リザーバ２０１又は３０１を注入ポンプデバイス３０に装着する（又は再度装着する）前に、供給容器２０３からリザーバ２０１又は３０１（完全に又は部分的に）に注入媒体を充填することができる。
【０６７３】
図２８Ａ〜図３４に関して記載された実施形態は、上記のうちの１つ以上のいずれかの検出実施形態（磁気検出、ＲＦ検出、機械的検出及び光学的検出）と共に使用してもよい。したがって、図２８Ａ〜図３４の更なる実施形態では、リザーバ２０１若しくは３０１、又はキャップ２０４若しくは３０４（又はリザーバ及びキャップの両方）には、上記のような、１つ以上の検出可能要素４２が提供される。
【０６７４】
ａ．ツイストアンドロック式実施形態
図２８Ａ〜図３１に関して記載された実施形態では、リザーバ２０１と供給容器２０３とのインターフェイスをとる移送ガード２００を用いる。移送ガード２００は、リザーバ２０１と供給容器（ボトル、第２のリザーバ又は他の容器とインターフェイスをとって、例えば、そのボトル、第２のリザーバ又は他の容器からの流体媒体により、リザーバ２０１を充填又は再充填するように構成された構造体である。一旦充填（又は再充填）すると、リザーバ２０１は、移送ガード２００から分離され、その後、注入ポンプデバイス３０に装着させて、上記のように操作してもよい。移送ガードの例は、米国特許第８，３５６，６４４号、名称「Ｔｒａｎｓｆｅｒ  Ｇｕａｒｄ  Ｓｙｓｔｅｍ  ａｎｄ  Ｍｅｔｈｏｄｓ」に記載され、その全体が参考として本明細書に組み込まれる。他の実施形態では、他の好適な移送ガード構造を用いてもよい。
【０６７５】
図２８Ａ〜図３１の実施形態では、移送ガード２００には、例えば、以下に限定されないが、プラスチック、金属、セラミック、木材、紙又はカード用紙、複合材料など、適切な硬質材料で構成された一般的な円筒状本体２０２を含む。移送ガード２０２の本体２０２は、リザーバ２０１の注入媒体ポートとインターフェイスをとるための第１の端部２０５及び供給容器２０３の注入媒体ポートとインターフェイスをとるための第２の端部２０６を有する。図２８Ａ〜図３１の実施形態では、第１の端部２０５は、リザーバ２０１の注入媒体ポートの少なくとも一部分を受容する内容積部を有する開口部及び空洞を有する。また、この実施形態では、第２の端部２０６は、供給容器の注入媒体ポートの少なくとも一部分を受容する内容積部を有する開口部及び空洞を有する。
【０６７６】
リザーバ２０１及び供給容器２０３の注入媒体ポートが移送ガード２００の第１及び第２の端部で空洞内に受容されたとき、移送ガード２００内の１つ以上の中空針は、リザーバ２０１の内容積部と流体連通して、供給容器の内容積部に接続される。その状態で、リザーバピストンを引き出して（リザーバ２０１の本体に対して外向きに引く）、リザーバ２０１内部と供給容器内部との間で十分な圧力差をもたらし、注入媒体を供給容器から、中空針（複数可）を介し、リザーバ２０１へ引き出してもよい。
【０６７７】
一旦、リザーバ２０１を十分に充填させ、供給容器２０３を移送ガード２００の第２の端部２０６から取り外してもよい。代替的に又は追加的に、移送ガード２００の第１の端部２０５は、例えば、リザーバ２０１に対して軸ＡＡの周りで移送ガード２００を回転させ、次に、後述のように、軸ＡＡの方向に沿って離れるように移送ガード２００及びリザーバ２０１を引くことにより、リザーバ２０１から取り外してもよい。容器２０３及び移送ガード２００が、図３１に示す配置において、リザーバ２０１のポートに接続されるとき、軸ＡＡは、リザーバ２０１の長手方向軸、並びに容器２０３及び移送ガード２００の長手方向軸に対応する。移送ガード２００は、リザーバ２０１から取り外した後、配置されるように構成されてもよい。あるいは、移送ガード２００は、１つ以上の更なる充填操作のために、リザーバ２０１から取り外した後、別の又は同一のリザーバ２０１に再接続するように構成されてもよい。
【０６７８】
リザーバ２０１の注入媒体ポートに接続するキャップ２０４であり、リザーバ２０１のポートに接続したとき、リザーバ２０１に対して軸ＡＡの周りで回転可能である。本明細書に記載されるように、リザーバ２０１に接続されるとき、キャップ２０４は、図２９Ａ及び図２９Ｂに示すような少なくとも第１の位置（又は充填位置）及び図３０Ａ及び図３０Ｂに示すような第２の位置（又は送達位置）に対して、及び第１の位置と第２の位置との間で回転可能である。
【０６７９】
図２９Ａ〜図３１の実施形態では、キャップ２０４をリザーバ２０１のポートと接続するとき、キャップ２０４は、軸ＡＡと同軸で延びる一般的な円筒状部分２０８を有する。キャップ２０４は、概して円筒状の部分２０８の外表面において軸ＡＡ周りに延出する突出リブ２１０を含む。突出リブ２１０は、リザーバ２０１のポートにおいて対応した形状の溝２１２に適合させ、リザーバ２０１にキャップ２０４を固定し、キャップ２０４をリザーバ２０１に対して軸ＡＡの周りで回転させることができる。他の実施形態では、２つ又はそれ以上の突出リブは、キャップ２０４の円筒状部分２０８の外側表面に提供され、対応する数（２つ又はそれ以上）の溝２１２は、キャップ２０４がリザーバ２０１のポートに接続されるとき、２つ又はそれ以上のリブを受容するために、リザーバ２０１のポートに提供される。
【０６８０】
特定の実施形態では、リブ（複数可）２１０が溝（複数可）２１２内にあるとき、キャップ２０４又はリザーバ２０１のポート（若しくはその両方）は、キャップ２０４をリザーバ２０１に固定するのに十分な剛性を有する材料より製造されているが、キャップ２０４をリザーバ２０１のポートにスナップ留めすることができるほど、十分に可撓性及び弾性である。こうした実施形態では、組み立て中、円筒状部分２０８は、リザーバ２０１のポートに挿入し、軸ＡＡの方向に沿って押し、リブ（複数可）２１０は、リザーバ２０１のポートで溝（複数可）２１２に係合し、その後、それらの圧縮された状態から拡大し、溝（複数可）２１２が充填されるか、又は一部充填されるまで、リブ（複数可）２１０がリザーバ２０１のポートの内側表面に沿ってかつリザーバ２０１のポートの内側表面に対して一部圧縮するように構成される。特定の実施形態では、リブ（複数可）２１０を溝（複数可）２１２と係合するとき、キャップ２０４は、キャップ２０４とリザーバ２０１とを組み立てる人が認知するスナップ留め音又はスナップ留めする感触をもたらすように構成される。一旦所定の位置にスナップ留めすると、リブ（複数可）２１０は、溝（複数可）２１２内に入り、リザーバ２０１に対して軸ＡＡの周りでキャップ２０４を回転させ、他の部分をリザーバ２０１に接続することができる。
【０６８１】
図２９Ａ〜図３１に示す実施形態では、１つ以上のリブ２１０はキャップ２０４に提供され、１つ以上の溝２１２はリザーバ２０１のポート内に提供される。他の実施形態では、リブ及び溝の対応する位置は、１つ以上のリブがリザーバ２０１のポートに提供され、１つ以上の溝がキャップ２０４に提供されるように逆である。更に他の実施形態では、キャップ２０４及びリザーバ２０１のポートのそれぞれは、少なくとも１つのリブ及び少なくとも１つの溝を含む。
【０６８２】
チャネル２１４は、キャップ２０４の円筒状部分２０８を介して、軸ＡＡの方向に沿って延出する。チャネル２１４は、端部２１６及び２１７の双方で開口している。しかし、チャネル２１４は、キャップ２０４によって保持され、端部２１６に隣接している隔膜１１８によって封止される。図２９Ａ〜図３１の実施形態では、隔膜２１８は、チャネル２１４の端部２１６とは隣接しているが、凹んでいる位置でキャップ２０４内で支持される。隔膜は、流体封止（特定の実施形態では、ハーメチックシール）をもたらす材料により作製され、チャネル２１４を封止するが、リザーバ２０１のポートが移送ガード２０１の第１の端部２０５内に受容されたとき、移送ガード２００内で針（複数可）によって穿刺させることができる。特定の実施形態では、隔膜２１８は、針をその材料に穿刺し、その後隔膜から引き出された後、自動的にそれ自体が再封止される材料より作製される。
【０６８３】
チャネル２１４は、チャネル２１４の第１及び第２の端部２１６と端部２１７との間で、その長手方向寸法に沿った位置に開口部２２０を有する。図３０Ａ及び３０Ｂに示すように、キャップ２０４をリザーバに接続し、キャップ２０４を第２の位置（又は送達位置）に回転させるとき、開口部２２０は、リザーバ２０１のポート内の更なるチャネル２２２の開口端部２２１と流体連通するように位置合わせされるように配置される。しかし、図２９Ａ及び図２９Ｂに示すような、キャップ２０４が第１の位置（又は充填位置）にあるとき、開口部２２０は、ずれており、リザーバのポート内でチャネル２２２と流体連通していない。
【０６８４】
リザーバ２０１のポート内のチャネル２２２は、キャップ２０４をリザーバ２０１に接続するとき、チャネル２１４の長手方向寸法及び軸ＡＡの横方向に延びる長手方向寸法を有する。図２９Ａ〜図３１の実施形態では、キャップ２０４をリザーバ２０１に接続するとき、チャネル２２２は、概して、チャネル２１４に垂直に延びる。チャネル２２２は、注入セット２５０のチューブ２５２と流体連通して接続される。特定の実施形態では、チューブ２５２は、恒久的に又は接続が維持される他の方法で、リザーバ２０１に接続する（チャネル２２２にて）。図２９Ａ〜図３１の実施形態では、チューブ５２及び注入針５６に関して上記のように、チューブ２５２は、注入針に接続する。
【０６８５】
特定の実施形態では、キャップが、第１の位置にあるとき（又は第１と第２の位置の間の他の位置）、チャネル２２２の開口端部２２１は、キャップ２０４により封止し、チャネル２２２へ又はチャネル２２２からの流体通路を阻止する。一例では、キャップ２０４が、第１の位置にあるとき（又は第１と第２の位置の間の他の位置）、キャップ２０４の円筒状部分２０８の外側表面は、リザーバ２０１のポートの内側表面と十分に接近して適合し、チャネル２２２の開口端部２２１を封止するように構成される。更なる例では、キャップ２０４が、第１の位置にあるとき（又は第１と第２の位置の間の他の位置）、１つ以上のシール又はシール材料は、キャップ２０４の円筒状部分２０８の外側表面上に配置され、チャネル２２２の開口端部２２１を封止する。
【０６８６】
キャップ２０４をリザーバ２０１に接続するとき、キャップ２０４は、リザーバ２０１のポート端部上に延出する１つ以上の拡張アーム２２４を含む。図２９Ａ〜図３１の実施形態では、キャップ２０４は、キャップ２０４の円筒状部分２０８から延びる２つの拡張アーム２２４を有する。拡張アーム２２４は、軸ＡＡに対して互いの反対側の位置で（１８０度離れて）円筒状部分２０８から延出し、かつ、軸ＡＡの寸法は、円筒状部分２０８よりも細い。したがって、図２９Ａ〜図３０Ｂに示すように、キャップ２０４がリザーバ２０１のポートに接続されるとき、アーム２２４は、リザーバ２０１のポート端部上で、軸ＡＡに対して外向き及び横方向に延出する。
【０６８７】
また、リザーバ２０１のポートは、軸ＡＡに対して外向き及び横方向に延出する１つ以上の拡張アーム２２６を更に含む。図２８Ａ〜図３１の実施形態では、リザーバ２０１は、軸ＡＡに対して互いに（１８０度離れて）反対側の位置に、リザーバ２０１のポート端部から延出する２つの拡張アーム２２６を有する。図３０Ａ及び図３０Ｂに示すように、キャップ２０４を第２の位置（又は送達位置）に回転させるとき、リザーバ２０１のポートの拡張アーム２２６は、拡張アーム２２４と位置合わせされるように（拡張アーム２２４が軸ＡＡ方向に直接、拡張アーム２２６の頂部にあるように）配置される。図２９Ａ及び図２９Ｂに示すように、キャップ２０４が第１の位置（又は充填位置）にあるとき、又はキャップ２０４が第１の位置と第２の位置の間の他の位置にあるとき、拡張アーム２２６は、拡張アーム２２４と位置合わせされないように（拡張アーム２２４が軸ＡＡ方向において、拡張アーム２２６の頂部に直接ないように）配置される。本明細書に記載されるように、拡張アーム２２４は、キャップ２０４を図２９Ａ及び図２９Ｂに示す第１の位置（又は充填位置）から、図３０Ａ及び図３０Ｂの第２の位置（又は送達位置）に回転させるための、力を受容するように係合することができる表面を提供する。
【０６８８】
特定の実施形態では、キャップ２０４又はリザーバ２０１のポート（又はその両方を）には、キャップ２０４を第２の位置に回転させた後、ラッチ又は第２の位置（又は送達位置）でキャップ２０４をロックする他の構造が提供される。図２９Ａ〜図３１の実施形態では、キャップは、リザーバ２０１のポートの対応する一対の停止部材２３０と係合するように配置される一対の可撓性爪２２８を含む。特定の実施形態では、可撓性爪２２８は、キャップ２０４の可撓性延出部であり、円筒状部分２０８及びキャップ２０４のアーム２２４と共に一体型（例えば、成形された）構造として形成される。可撓性爪２２８は、キャップ２０４を第１の位置（又は充填位置）と第２の位置（又は送達位置）との間の第１の方向に回転させると、キャップ２０４の円筒状部分２０８の外周周りに、リザーバ２０１のポートの端面に隣接して配置される。
【０６８９】
第１の位置（又は充填位置）と第２の位置（又は送達位置）との間でキャップ２０４を第１の方向で回転させると、停止部材２３０は、リザーバ２０１のポートの端面に配置され、可撓性爪２２８と係合する。キャップ２０４を第１の位置（又は充填位置）から第２の位置（又は送達位置）に向かって回転させると、可撓性爪２２８は、停止部材２３０と係合し、かつ停止部材２３０に沿ってスライドする。停止部材２３０との係合により、停止部材２３０に沿ってあるときに、可撓性爪２２８を軸ＡＡに向かって内側に屈曲させる。キャップ２０４を第２の位置（又は送達位置）に回転させると、可撓性爪２２８は、固有の弾性により、停止部材２３０を通って移動し、軸ＡＡから離れて外側に逆に屈曲する。
【０６９０】
特定の実施形態では、キャップ２０４がその位置まで一旦回転されると、停止部材２３０は、第２の位置（又は送達位置）以外でのキャップ２０４の回転を阻止するような形状であるか、又は別の方法で構成される。図２９Ａ〜図３１の実施形態では、各停止部材２３０は、キャップ２０４が第１の位置（又は充填位置）にあるときに可撓性爪２２８に面するスロープ又は傾斜面、及びキャップ２０４が第２の位置（又は送達位置）にあるときに可撓性爪２２８に面する停止面を有する。停止部材２３０のスロープ又は傾斜面は、第１の位置から第２の位置までのキャップの回転方向に軸ＡＡに向かって内側にスロープし、停止部材２３０の停止面は、更に階段形の放射状寸法を有する。他の実施形態では、それぞれの停止部材２３０は、第２の位置（又は送達位置）に向かってキャップ２０４を回転させるときに、可撓性爪２２８を通過させることができ、一旦キャップ２０４を第２の位置まで回転させると、可撓性爪２２８と係合して、第１の位置（又は充填位置）に向かってのキャップ２０４の逆回転を阻止するために好適な他の形状を有する。図２９Ａ〜図３１の実施形態では、キャップ２０４には、２つの可撓性爪２２８が提供され、リザーバ２０１には、２つの停止部材２３０が提供される。他の実施形態では、キャップ２０４には、１つのみの可撓性爪又は３つ以上の可撓性爪が提供され、リザーバ２０１には、１つのみの停止部材又は３つ以上の停止部材、又はこれらの任意の組み合わせが提供される。
【０６９１】
図２８Ａ〜図３１の実施形態では、移送ガード２００は、リザーバ２０１の各拡張アーム２２６について、窓開口部２３２を含む。したがって、図２８Ａ〜図３１の実施形態では、移送ガード２００は、２つの窓開口部２３２を有する。加えて、各窓開口部２３２の片側縁部２３６に又はその付近には、スロット２３４が提供される。各スロット２３４は、窓開口部２３２の１つから、移送ガード２００の第１の端部２０５までの軸ＡＡの方向と平行に延びる。リザーバ２０１のポートが移送ガードの第１の端部２０５内の空洞内に受容されたとき、リザーバ２０１のポート上の各拡張アーム２２６が窓開口部２３２のそれぞれ１つを介して延出するように、窓開口部２３２及びスロット２３４は、移送ガード２００の第１の端部２０５で、リザーバを受容する空洞に対して開いている。
【０６９２】
図２８Ａ〜図３１の実施形態では、リザーバ２０１、注入セット２５０及び移送ガード２００は、１つのユニットとして、共に組み立てられてもよく、パッケージ化され、保存され、かつプリアセンブルユニット（リザーバ／注入セット／移送ガードユニット）として、ユーザ（又はヘルスケア提供者又は他の資格者）に提供されてもよい。最初に、キャップ２０４は、図２９Ａ及び図２９Ｂに示すような、第１の位置（又は充填位置）にあるが、リザーバ２０１のポートは、図２８Ａ及び図２８Ｂに示すような移送ガード２００の第１の端部２０５内に受容される。この状態では、キャップ２０４の拡張アーム２２４及びリザーバ２０１の拡張アーム２２６は、移送ガード２００内の開口部２３２を通って延出するが、拡張アーム２２６は、スロット２３４とずれている。
【０６９３】
移送ガード２００の第１の端部２０５内に受容されるリザーバのポート及び第１の位置（又は充填位置）にあるキャップ２０４、注入媒体の供給物を含む供給容器は、移送ガード２００の第２の端部２０６の空洞内に受容されてもよい。特定の実施形態では、リザーバ／注入セット／移送ガードユニットは、プリアセンブル状態ではあるが、供給容器は移送ガード２００に接続されずに、ユーザ（又はヘルスケア提供者又は他の資格者）に提供される。こうした実施形態では、リザーバ２０１は、注入ポンプデバイスに装着する前に、供給容器を移送ガード２００の第２の端部２０６に装着し、リザーバ２０１内で（一部に又は十分に）ピストンを引き出して、供給容器から移送ガード針（複数可）を介して、リザーバ２０１に所望の体積の注入媒体流体を引き出すことによって、（一部又は十分に）充填されていてもよい。一旦リザーバ２０１が、所望の容積の注入媒体流体を受容すると、上記のように操作するために、ユーザ（又はヘルスケア提供者又は他の資格者）は、移送ガード２００からリザーバ２０１を解放し、リザーバ２０１を注入ポンプデバイス３０のリザーバ受容部３２に装着する。
【０６９４】
特定の実施形態では、リザーバ２０１を移送ガードから解放するために、ユーザ（又はヘルスケア提供者又は他の資格者）は、移送ガード２００及びリザーバ２０１の１つを第１の方向の他方に対して、軸ＡＡの周りで、解放位置（図２８Ｂに示す）まで回転させる（例えば、図２８Ａの実施形態では時計回りに）。移送ガード２００及びリザーバ２０１を互いに対して回転させると、各窓開口部２３２の側縁部２３６がキャップ２０４のアーム２２４の１つと係合し、アーム２２４上で任意の力が印加される。第１の方向での、移送ガード２００とリザーバ２０１との更なる相対的回転により、アーム２２４によって、図３０Ａ及び図３０Ｂに示す第２の位置（又は送達位置）に向かって及びその位置に対して、キャップ２０４が強制的に回転する。
【０６９５】
キャップ２０４が第２の位置（又は送達位置）に到達すると、アーム２２４は、リザーバ２０１のポートで拡張アーム２２６（隣接して及び直接その頂部に）と位置合わせされる。加えて、位置合わせされたアーム２２４及び２２６は、移送ガードのスロット２３４と位置合わせされる。この状態では、図２８Ｂの矢印によって示すように、軸ＡＡ方向にリザーバ２０１を移送ガード２００から手動で分離することにより、リザーバ２０１を移送ガード２００から引き出してもよい。リザーバ２０１を移送ガード２００から引き出すと、位置合わせされた拡張アーム２２４及び２２６がスロット２３４を通過して、リザーバ２０１のポートを移送ガード２００の第１の端部２０５内の空洞内から取り外すことができるようになる。移送ガード２００から取り外すときに、リザーバ２０１のポートにあるキャップ２０４は、図３０Ａ及び図３０Ｂに示すように、第２の位置（又は送達位置）にある。したがって、移送ガード２００及びリザーバ２０１を互いに対して解放位置（図２８Ｂ）まで回転させることによっても、キャップ２０４を第２の位置（又は送達位置）に回転させる。
【０６９６】
このため、特定の実施形態では、リザーバ／注入セット／移送ガードユニットには、注入セット２５０への流体経路を閉鎖して空気の導入を防止する第１の位置（又は充填位置）にキャップ２０４が提供される。この状態では、供給容器を、移送ガード２００に接続して、（一部又は十分に）リザーバ２０１を充填してもよい。一旦リザーバを所望の水準まで充填させると、移送ガードを使用して、キャップ２０４の第２の位置（又は送達位置）までの回転を補助し、注入セット２５０への流体経路は、リザーバ２０１内部に対して開口される。特定の実施形態では、一旦、その位置まで回転させると、キャップ２０４は、第２の位置（又は送達位置）にラッチ係合されるか、又はロックされる。この状態では、リザーバ２０１は、上記のように操作するために、移送ガード２００から取り外し、注入ポンプ３０のリザーバ受容部３２に装着させる。
【０６９７】
図２８Ａ〜図３１に関して記載された実施形態は、上記のうちの１つ以上のいずれかの検出実施形態（磁気検出、ＲＦ検出、機械的検出及び光学的検出）と共に使用してもよい。こうした実施形態では、図３１に示すように、リザーバ２０１又はキャップ２０４（又はその両方）には、上記の１つ以上の検出可能要素４２が提供される。
【０６９８】
このような実施形態の特定例では、１つ以上の検出可能要素がキャップ２０４の１つ以上の拡張アーム２２４上に配置され、１つ以上の対応するセンサは、注入ポンプデバイス３０上の拡張アーム２２４が第２の位置（又は送達位置）まで十分に回転されているかどうかを検出する位置に配置される。こうした実施形態では、第２の位置（又は送達位置）まで十分に回転させていない拡張アーム２２４を検出する時に、注入ポンプデバイス内のエレクトロニクス６０は、１つ以上の所定の操作を提供するように構成されてもよく、このような所定の操作としては、以下に限定されないが、１つ以上のポンプ操作を停止又は阻止すること、限定されたポンプ操作のみ可能にすること、警告メッセージを提供すること、又は検出を示すデータを記録することが挙げられる。代替的に又は追加的に、エレクトロニクス６０は、少なくとも一部、拡張アーム２２４が第２の位置に対して適切に回転されているとの判定に基づいて（又は応答して）、１つ以上の所定の操作を提供するように構成されてもよく、このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０６９９】
ｂ．バネ付きプランジャ
図３２〜図３４を参照して記述された実施形態は、リザーバ３０１と供給容器（例えば、上述した供給容器２０３に類似している）とのインターフェイスをとるために移送ガード３００を用いる。図３２は、移送ガード３００の一部に受容された（かつインターフェイスをとる）リザーバ３０１のネック部分の部分的断面図を示す。図３３は、移送ガード３００をネック部分から外して取り除いたときのリザーバ３０１のネック部分の部分的断面図を示す。図３４は、リザーバ、キャップ及び移送ガードシステムの分解斜視図を示す。移送ガード３００の一部のみ（即ち、中空針３０６の一部など第１の端部３０５部分）図３２に示す。
【０７００】
図３２〜図３４の実施形態では、リザーバ３０１は、リザーバ３０１のネック部分３０７内に配置された注入媒体ポートを有する。加えて、キャップ構造３１０は、リザーバ３０１のネック部分３０７内に配置される。キャップ構造３１０は、可動プランジャ３１２及び例えば、以下に限定されないが、コイルバネ又は他のバネ構造などの付勢部材３１４を含む。
【０７０１】
リザーバ３０１のネック部分３０７は、ネック部分３０７の内容積部に対して一方の端部で開口し、注入セット３５０のチューブ３５２の他方の端部を接続するチャネル３１６を含む。特定の実施形態では、チューブ３５２は、恒久的に又は接続が維持される他の方法で、リザーバ３０１に接続する（チャネル３１６にて）。注入セット３５０及びチューブ３５２は、上述の注入セット５０又は２５０及びチューブ５２又は２５２に類似していてもよい。
【０７０２】
リザーバ３０１のネック部分３０７は、１つ以上の第１突起部又は他の停止面３１８、並びにネック部分３０７の内容積部内で、可動プランジャ３１２を保持するように配置された１つ以上の第２の停止面３２０を更に含む。特定の実施形態では、第１の突起部又は停止面３１８は、（ネック部分３０７の内容積部が、リザーバの内容積部の他の部分に対して開口している）ネック部分３０７の底部に又はネック部分３０７の底部に隣接して配置されたリング形突起部を含む。特定の実施形態では、第２の突起部又は停止面３２０は、リザーバポート又はネック部分３０７の頂部に、又はそれらに隣接して配置されたリング形突起部を含む（ネック部分３０７の内容積部は、リザーバ外の環境に対して開口している）。特定の実施形態では、第１及び第２の突起部又は停止面３１８及び３２０は、例えば、一体成形構造として、リザーバ３０１の本体と一体で形成される。他の実施形態では、第１及び第２の突起部又は停止面３１８及び３２０の１つ又は両方は、リザーバ３０１に固定した別個の要素として形成される。
【０７０３】
図３２〜図３４の実施形態では、可動プランジャ３１２は、第１及び第２の対向する表面３２２及び３２４を有する一般的な円筒状本体を含む。図３２〜図３４では第１の表面３２２は、リザーバ３０１のポートの開口端部に向かって上向きにしている。図３２〜図３４では第２の表面３２４は、リザーバ３０１の内容積部に向かって下向きにしている。プランジャ３１２は、プランジャ３１２を介して流体を通過させることが可能な１つ以上の流体通路を含む。図３２〜３４の実施形態では、４つの流体通路３２６は、プランジャ３１２を介して延出するチャネルの形態で提供される（第１の表面３２２の側面から第２の表面３２４の側面に）。他の実施形態では、可動プランジャ３１２を介して、任意の好適な数のチャネル又はその他の流体通路が提供される。可動プランジャ３１２は、本明細書に記載の様式で動作するように、以下に限定されないが、プラスチック、ゴム、金属、セラミック、木材又は複合材料又はこれらの任意の組み合わせなど、十分な剛性及び強度を有する任意の好適な材料で作製されてもよい。
【０７０４】
上記の実施形態と同様に、図３２〜３４の実施形態のリザーバ３０１、注入セット３５０及び移送ガード３００は、１つのユニットとして、共に組み立ててもよく、パッケージ化され、保存され、かつプリアセンブルユニット（リザーバ／注入セット／移送ガードユニット）として、ユーザ（又はヘルスケア提供者又は他の資格者）に提供されてもよい。他の実施形態では、リザーバ３０１及び移送ガード３００は別個に提供され、使用時又は使用前に共に組み立てられる。
【０７０５】
移送ガード３００をリザーバ３０１と共に組み立てたとき、リザーバ３０１のポート部分は、図３２に示すように、移送ガード３００の第１の端部３０５の空洞内に受容され、移送ガード針３０６は、リザーバ３０１のポート開口端部内に受容される。図３２に示すように、この状態では、移送ガード針３０６は、プランジャ３１２の第１の表面３２２に係合し、及び付勢部材３１４の付勢力を超える力をプランジャに加え、プランジャ３１２を第１の位置（又は充填位置）に押し込む。図３２〜図３４の実施形態では、プランジャ３１２表面３２２は、流路３２６から離間している中央領域３２３を有し、移送ガード針３０６に係合する係合面を提供する。
【０７０６】
第１の位置（又は充填位置）では、プランジャ３１２の円筒状の外側表面は、チャネル３１６の開口端部と位置合わせされ、チャネル３１６へ又はチャネル３１６からの流体の流れを遮断して、チャネル３１６を封止する。しかし、プランジャ３１２内の流路３２６により、流体をプランジャ３１２を介してリザーバ３０１の内容積部に通過させることができる。したがって、図３２に示す第１の位置（又は充填位置）では、プランジャ３１２がチャネル３１６を遮断して、注入セットチューブ３５２へ又は注入セットチューブ３５２の外へ流体が通過するのを阻止し、流体は、移送ガード３００の針３０６から流路３２６を介してリザーバの内側に流し、（一部又は十分に）リザーバを充填することができる。
【０７０７】
一例では、プランジャ３１２の外側表面は、リザーバ２０１のネックの内側表面に十分に接近して適合し、プランジャ３１２が第１の位置にあるとき、チャネル３１６の開口端部を封止するように構成される。更なる例では、プランジャ３１６が第１の位置にあるとき、１つ以上の封止部又は封止材料が、プランジャ３１６の外側の円筒状表面上に配置され、チャネル３１６の開口端部を封止する。こうした実施形態では、１つ以上の封止部又は封止材料は、例えば、以下に限定されないが、チャネル３１６の開口端部と位置合わせされ、遮断又は封止する位置で、プランジャ３１６の外側の円筒状表面に貼着されたシリコーン又は柔らかいプラスチック又はゴム材料を挙げることもできる。
【０７０８】
リザーバ３０１の充填後、上記のように、リザーバ３０１を注入ポンプデバイス３０のリザーバ受容部３２内に装着させてもよいように、リザーバ３０１のポート端部を移送ガード３００から取り外す。リザーバ３０１を移送ガード３００から取り外すときに、移送ガード針３０６をリザーバのポート３０１から引き出す。これにより、図３３に示すその第２の位置（又は送達位置）に対する付勢部材３１４の力を受けて、可動プランジャ３１２を移動させることができる。第２の位置（又は送達位置）では、プランジャ３１２は、第２の停止面３２０に隣接する。
【０７０９】
第２の位置（又は送達位置）では、プランジャ３１２は、チャネル３１６の開口端部から分離され、チャネル３１６とリザーバ３０１内部との間の流体連通を可能にしている。その結果、注入セット３５０の注入セットチューブ３５２は、リザーバ内部と流体連通し、流体の送達が可能になっている。この状態では、リザーバ３０１は、注入ポンプデバイス３０のリザーバ受容部３２に装着させ、かつ上記のように操作され得る。
【０７１０】
したがって、図３２〜３４の実施形態では、リザーバ３０１、注入セット３５０及び移送ガード３００は、組み立て済みユニットとして提供されてもよく、移送ガードの針は、付勢部材の付勢力に対して、プランジャを第１の位置（又は充填位置）にする。第１の位置（又は充填位置）では、充填操作の前及び間にプランジャシールによりチャネル３１６を封止し、このため、リザーバ内部と注入セットとの間の流体経路が封鎖される。プランジャ３１２内の流路３２６により、プランジャ３１２が第１の位置（又は充填位置）にあるとき、流体を移送ガード針から（供給容器から）リザーバ３０１内部へ流すことができる。一旦充填が十分に完了すると、リザーバ３０１は移送ガード３００から取り外され、付勢プランジャ３１２を第２の位置（又は送達位置）に移動させ、プランジャ３１２は、これ以上チャネル３１６を封止することはない。この位置では、チャネル３１６はリザーバ３０１内部と流体連通され、チャネル３１６を介して注入セットチューブ３５２への注入媒体の送達を制御するために、リザーバ３０１を注入ポンプデバイス３０に装着させる。
【０７１１】
図３２〜図３４の実施形態の更なる例では、リザーバの開口ポート端部にて、又はリザーバの開口ポート端部に隣接して、リザーバの開口ポート端部を封止するために、リザーバ３０１は、隔膜（図示せず）を含む。隔膜（図示せず）は、以下に限定されないが、シリコーン、プラスチック又はゴム材料など、任意の好適な材料製であってもよく、これらは、移送ガード３００がリザーバ３０１のネック部分に接続されるとき、リザーバ３０１内に収容している注入媒体と親和性があり、かつ針３０６により穿刺され得る（及びそれを介して針３０６が延出する）。特定の実施形態では、隔膜（図示せず）は、リザーバ３０１のネック部分内で嵌合するように構成される円板形状又はプラグ形状を有し、かつ、リザーバ３０１のネック部分（例えば、第２の停止面３２０に固定する固定させる。特定の実施形態では、隔膜は、針３０６を取り外した後に、それ自体を封止する再封止可能な材料で作製される。
【０７１２】
図３２〜図３４の実施形態は、上記のうちの１つ以上のいずれかの検出実施形態（磁気検出、ＲＦ検出、機械的検出及び光学的検出）と共に使用してもよい。こうした実施形態では、図３２に示すように、リザーバ３０１又はプランジャ３１２（又はその両方）には、上記の１つ以上の検出可能要素４２が提供される。
【０７１３】
このような実施形態の特定の例では、１つ以上の対応するセンサは、プランジャ３１２が第２の位置（又は送達位置）に移動したことを検出する位置にて、注入ポンプデバイス３０に配置される。こうした実施形態では、注入ポンプデバイス内のエレクトロニクス６０は、プランジャ３１２が第２の位置（又は送達位置）に十分に移動していないことを検出する際に、１つ以上の所定の操作を提供するように構成されてもよく、このような所定の操作としては、以下に限定されないが、１つ以上のポンプ操作を停止又は阻止すること、限定されたポンプ操作のみ可能にすること、警告メッセージを提供すること、又は検出を示すデータを記録することが挙げられる。代替的に又は追加的に、エレクトロニクス６０は、少なくとも一部、プランジャ３１２が第２の位置（又は送達位置）に十分に移動しているとの判定に基づいて（又は応答して）１つ以上の所定の操作を提供するように構成されてもよく、このような所定の操作は、以下に限定されないが、ポンプ操作が可能になること、又は提供されること、所定のポンプ操作が可能になること、所定のメッセージを提供すること、及び検出を示すデータを記録することのうちの１つ以上を含む。
【０７１４】
４．キャップ又はリザーバとポンプとの機械的インターフェイス
上記のように、基部／リザーバ／キャップユニットが注入ポンプデバイス３０のリザーバ受容部３２内に受容されたとき、第２の取り外し可能なカプラにより、キャップ４（又は基部／リザーバ／キャップユニット）を注入ポンプデバイス３０のハウジングに取り外し可能に固定する。図１及び図２の実施形態では、第２の取り外し可能なカプラは、基部／リザーバ／キャップユニットを注入ポンプデバイス３０に取り外し可能に固定するために、注入ポンプデバイス３０のリザーバ受容部３２内で、対応するネジ山（図示せず）に係合するように配置されるキャップ４のハウジング５上にネジ山１９を含む。
【０７１５】
他の実施形態では、第２の取り外し可能なカプラは、キャップ４を注入ポンプデバイス３０に選択的に取り外し可能な方法で連結するために、以下に限定されないが、図３５〜図７５に関して記載されるような連結構造など、他の好適な連結構造を含む。図３５〜図７５及び図７８〜図８１に関して記載された実施形態では、キャップ４０４、５０４、７０４、８０４、９０４ａ〜ｅ、９６４、９７４、９８４、９９４、１００４及び１０１４を含み、リザーバ１（例えば、上記のように基部／リザーバ／キャップユニットを形成するため）に接続し、リザーバ受容部３２内に受容され、かつ、キャップ４に関して上記の方法に類似した方法で、注入ポンプデバイス３０と共に操作する。
【０７１６】
図３５〜図７５及び図７８〜図８１の実施形態は、上記のうちの１つ以上のいずれかの検出実施形態（磁気検出、ＲＦ検出、機械的検出及び光学的検出）と共に使用してもよい。したがって、図３５〜図７５の更なる実施形態では、リザーバ又はキャップ４０４、５０４、７０４、８０４、９０４ａ〜ｅ、９６４、９７４、９８４、９９４、１００４及び１０１４（又はその両方）には、上記のように、１つ以上の検出可能要素４２が提供される。
【０７１７】
ａ．キャップ上での押込みつまみ解放
特定の実施形態では、第２の取り外し可能なカプラは、リザーバ受容部３２内で停止面を係合する１つ以上の弾性延出部を含み、リザーバ受容部内でキャップ（又は基部／リザーバ／キャップユニット）を保持する。１つ以上の弾性延出部は、可撓性があり、停止面を選択的に係合解除し、キャップ（又は基部／リザーバ／キャップユニット）のリザーバ受容部３２からの取り外しが可能になる。
【０７１８】
例えば、図３５に関して記載された実施形態では、第２の取り外し可能なカプラは、キャップ４０４上に２つの可撓性の弾性延出部（アーム又はウィング）４０６を含む。延出部４０６は、図３５に示すように、リザーバ受容部３２内でチャネル３５により受容されるように構成される。チャネル３５に係合するとき、弾性延出部４０６は、キャップ４０４（又は基部／リザーバ／キャップユニット）が注入ポンプデバイス３０のリザーバ受容部３２から外れないようにする。しかし、図３５に示す状態から、手動により、２つの延出部４０６を互いに対して圧縮させ（例えば、２つの延出部４０６のうちの異なるそれぞれの１つに親指及び人差し指を置いて、互いに向かって延出部を圧縮することによって）、ユーザがリザーバ受容部３２外でキャップ４０４（又は基部／リザーバ／キャップユニット）を引っ張ることができる十分な量、延出部４０６をチャネル３５から引き出すことができる。
【０７１９】
図３５の実施形態では、キャップ４、基部２及びリザーバ１に関して上記のように、キャップ４０４は、リザーバ（又は基部及びリザーバ）と連結させるように構成される。図３５には、キャップ４０４及び注入ポンプデバイス３０のリザーバ受容部３２の一部の断面図を示し（基部及びリザーバは図示せず）、キャップ４０４を注入ポンプデバイス３０のハウジングに係合する方法を更に示す。しかし、特定の実施形態では、キャップ４０４は、リザーバ１（上記のように、例えば、基部／リザーバ／キャップユニットの一部として）とすでに組み立てられているときに、キャップ４０４をリザーバ受容部３２内に受容させるように構成させる。
【０７２０】
キャップ４０４は、上記のように、以下に限定されないが、注入セット５０の注入セットチューブ５２など、注入セットチューブに接続するために、ポート４０８を含む。また、キャップ４０４は、チャネル４０９が延出する本体部分４０７を含む。チャネル４０９は、上記の針９に類似した中空針（図示せず）に接続し、中空ニードからポート４０８（かつポート４０８に接続されたときは注入セットチューブ）への流体連通経路をもたらす。また、キャップ４０４は、キャップ４０４をリザーバ（又は基部／リザーバユニット）に連結する、（第１の取り外し可能なカプラの）１つ以上の接続特徴部を更に含む。図３５の実施形態では、接続特徴部は、戻り止め開口部４１０（上記の戻り止め開口部１０に類似している）、差込スロット４１５（上記差込スロット１５に類似している）及び停止肩部４１６（上記の停止肩部１６に類似している）を含む。接続特徴部４１０、４１５及び４１６が構成され、上記の開口部１０、スロット１５及び停止肩部１６に類似の方法で、キャップ４０４をリザーバ１（又は基部／リザーバユニット）に接続するために操作されてもよい。
【０７２１】
キャップ４０４は、本明細書に記載のように操作するために、以下に限定されないが、プラスチック、金属、セラミック、複合材料又は他の好適な材料など、十分な剛性及び強度を有する任意の１つ以上の好適な材料製であってもよい。一例では、キャップ４０４（弾性延出部４０６、本体４０７、及びポート４０８など）は、単体の一体型成形構造として、成形プラスチックで作製される。他の実施形態では、キャップ４０４は、他のプロセスにより又は共に組み立てられた複数の部分において（又はその両方）作製してよい。
【０７２２】
図３５に示す実施形態では、弾性延出部４０６のそれぞれは、係合部分４０６ａを有する。それぞれの延出部４０６の係合部分４０６ａは、キャップ４０４（又は基部／リザーバ／キャップユニット）をリザーバ受容部３２内に装着させるとき、注入ポンプデバイス３０のリザーバ受容部３２内のチャネル３５に少なくとも部分的に受容される形状である。チャネル３５内に受容されたとき、弾性延出部４０６の係合部分４０６ａは、キャップ４０４（又は基部／リザーバ／キャップユニット）が注入ポンプデバイス３０のリザーバ受容部３２から外れないようにする。しかし、チャネル３５に係合するとき、手動により、２つの延出部４０６を互いに対して圧縮させ（例えば、２つの延出部４０６のうちの異なるそれぞれの１つに親指及び人差し指を置いて、互いに向かって延出部を圧縮することによって）、ユーザがリザーバ受容部３２外でキャップ４０４（又は基部／リザーバ／キャップユニット）を引っ張ることができる十分な量、係合部分８０６ａをチャネル３５から引き出すことができる。
【０７２３】
チャネル３５は、リザーバ受容部３２の開口端部の周縁部周りのリップ部分３７を画定し、チャネル３５及びリップ部分３７は、第１の停止面３５ａを有する（図３５ではチャネル３５の下向き面）し、延出部の係合部分４０６がチャネル３５内に受容されたとき、その停止面に対して、各係合部分４０６ａの第１の表面（図３５の延出部４０６の上向き表面）が係合して、キャップ４０４がリザーバ受容部３２から外れるのを阻止する。第２の停止面３５ｂ（図３５のチャネル３５の上向き面）は、延出部の係合部分４０６ａが一旦チャネル３５に受容されると、その面に対して、各係合部分４０６ａの第２の表面が係合して、キャップ４０４（又は基部／リザーバ／キャップユニット）のリザーバ受容部３２への更なる挿入を阻止する。
【０７２４】
特定の実施形態では、キャップ４０４は、リザーバ１から分離するか、又はリザーバ１に接続されるかのいずれかで、ユーザ（又は医療技術者又は他の資格者）に提供される。別途受容されたとき、ユーザ（又は医療技術者若しくは他の資格者）は、上記のように、キャップ４０４をリザーバ１と組み立てる（又は基部２及びリザーバ１と共に、基部／リザーバ／キャップユニットを形成する）。
【０７２５】
一旦組み立てると、基部／リザーバ／キャップユニットを、軸Ａ方向に沿って、リザーバ受容部３２に挿入させる。特定の実施形態では、基部／リザーバ／キャップユニットをリザーバ受容部３２に挿入すると、ユーザ（又は医療技術者若しくは他の資格者）は、互いに向かって（又は軸Ａに向かって）延出部４０６を半径方向に内側に圧縮させる。ユーザ（又は医療技術者若しくは他の資格者）は、係合部分４０６ａにより、リザーバ受容部３２のポートのリップ部３７を取り除くことができるように十分に、延出部４０６を内側に圧縮させて、基部／リザーバ／キャップユニットをリザーバ受容部３２に挿入させる。ユーザ（又は医療技術者又は他の資格者）は、一旦リップ部３７を通って係合部分４０６ａを挿入させると、延出部４０６上において圧縮力を解放させ、延出部４０６を圧縮前の状態に向かって半径方向に外向きに後ろへ移動させることができる。
【０７２６】
延出部４０６を圧縮前の状態に戻すとき、係合部分４０６ａを、軸Ａに対して放射状に外向きに移動させる、リザーバ受容部３２の内側表面に係合させる。次に、必要であれば、ユーザ（又は医療技術者又は他の資格者）は、軸Ａの方向でキャップ４０４の位置に対して調整し、係合部分４０６ａをチャネル３５と揃えて、係合部分をチャネル３５内に受容させることができる。係合部分４０６ａをチャネル３５に揃えると、延出部４０６の弾性戻り力により、係合部分４０６ａをチャネル３５に移動させ、かつ、キャップ４０４（及び基部／リザーバ／キャップユニット）を注入ポンプデバイス３０のリザーバ受容部３２にロックさせる。
【０７２７】
したがって、特定の実施形態では、キャップ４０４（又は基部／リザーバ／キャップユニット）をリザーバ受容部３２に挿入するとき、ユーザ（又は医療技術者又は他の資格者）は、互いに向かって延出部４０６を圧縮する。他の実施形態では、ユーザ（又は医療技術者又は他の資格者）が、係合部分４０６ａをキャップ４０４（又は基部／リザーバ／キャップユニット）を、延出部４０６上の別個の圧縮力も用いることなく、リザーバ受容部３２に挿入できるような形状にする。例えば、このような実施形態では、係合部分４０６ａは、それらの先端部に丸みがあるか、又は角度が付けられていてもよく、軸Ａに沿ったリザーバ受容部３２へのキャップ４０４（又は基部／リザーバ／キャップユニット）の移動が可能になり、延出部を互いに対して押し付けることができる。
【０７２８】
特定の実施形態では、延出部４０６の弾性戻り力及び係合部分４０６ａの形状により、係合部分４０６ａとチャネル３５との間のスナップ嵌め動作が提供されるように構成される。こうした実施形態では、延出部４０６及び係合部分４０６ａの形状は、ユーザ（又は医療技術者又は他の資格者）がキャップ４０４（又は基部／リザーバ／キャップユニット）をリザーバ受容部３２に挿入するときに、可聴又は触覚（又はその両方）によるスナップ音若しくはユーザ（又は医療技術者若しくは他の資格者）が知覚可能である感触（又はその両方）を提供するように構成される。スナップ嵌め動作は、ユーザ（又は医療技術者又は他の資格者）に、キャップ４０４（又は基部／リザーバ／キャップユニット）が十分に又は適切にリザーバ受容部３２内に受容されている可聴又は触覚（又はその両方）指標を提供する。
【０７２９】
キャップ４０４（又は基部／リザーバ／キャップユニット）は、２つの延出部４０６を互いに向かって圧縮することによってリザーバ受容部３２から取り外し、ユーザがリザーバ受容部３２外でキャップ４０４（又は基部／リザーバ／キャップユニット）を引っ張ることができる十分な量、係合部分８０６ａをチャネル３５から引き出してもよい。延出部４０６を互いに向かって圧縮させて、ユーザ（又は医療技術者若しくは他の資格者）は、キャップ４０４（又は基部／リザーバ／キャップユニット）をリザーバ受容部３２外で軸Ａ方向に引っ張る。特定の実施形態では、キャップ４０４（又は基部／リザーバ／キャップユニット）をリザーバ受容部３２から取り外すにあたって、キャップ４０４上でねじれ又は回転運動も必要としない。
【０７３０】
図３５の実施形態では、それぞれの延出部４０６は、キャップ４０４（又は基部／リザーバ／キャップユニット）をリザーバ受容部３２内に装着させるとき、露出させるか、又はユーザ（又は医療技術者若しくは他の資格者）に別の方法で接触可能な圧縮表面４０６ｂを有する。特定の実施形態では、キャップ４０４（又は基部／リザーバ／キャップユニット）をリザーバ受容部３２内に装着させるとき、表面６０８ｂは、リザーバ受容部３２のポートの外側及びリザーバ受容部３２のポート上部に配置される。ユーザ（又は医療技術者若しくは他の資格者）に対して、延出部４０６を把持するか、又は別の方法で操作し、延出部を選択的に圧縮し、かつ解放し、上述のように、キャップ４０４（又は基部／リザーバ／キャップユニット）をリザーバ受容部３２外で軸Ａ方向に引っ張るための表面４０６ｂが提供される。特定の実施形態では、表面４０６ｂは、ユーザ（又は医療技術者若しくは他の資格者）の把持を向上させるために、かつ、ユーザ（又は医療技術者若しくは他の資格者）に表面４０６ｂの触覚指標を付与するために、摩擦促進特徴部を有する。図示した実施形態では、摩擦促進特徴部は、表面４０６ｂに形成された複数の隆起部又は溝を含む。他の実施形態では、他の好適な摩擦促進特徴部は、以下に限定されないが、隆起又はくぼみ表面輪郭の他のパターン、ゴム又は延出部４０６の材料より高い摩擦の他の材料の１つの層など、表面４０６ｂに提供される。
【０７３１】
特定の実施形態では、注入ポンプデバイス３０のリザーバ受容部３２は、基部／リザーバ／キャップユニットをリザーバ受容部３２に装着させるとき、軸Ａ方向にかつリザーバ受容部３２から外向きに、バネ、又はキャップ４０４若しくはリザーバ１上に付勢力を付与する他の付勢部材を含む。例示的一実施形態では、注入ポンプデバイス３０は、リザーバ受容部３２の底部に位置するコイルバネを含み、基部／リザーバ／キャップユニットが、リザーバ受容部３２内に装着されているとき、図３５を参照して上方向にリザーバ１及びキャップ４０４上に付勢力を付与する。他の実施形態では、付勢部材は、基部／リザーバ／キャップユニットが、リザーバ受容部３２内に装着されているとき、キャップ４０４の所定の表面に係合するように位置するバネを含む。更なる実施形態では、付勢部材は、バネ又はキャップ４０４又はリザーバ１に取り付けられた他の付勢デバイスであり、基部／リザーバ／キャップユニットが、リザーバ受容部３２内に装着されているとき、注入ポンプデバイスのリザーバ受容部３２の所定の表面に係合する。付勢力により、チャネル３５の第１の停止面３５ａに対して係合部分４０６ａの第１の表面（図３５の上面）を押し付ける。こうした実施形態では、この付勢力が、リザーバ受容部３２内の所定の位置でキャップ４（及び基部／リザーバ／キャップユニット）のロック及び維持を補助する。
【０７３２】
図３５に示す実施形態では、キャップ４０４は、互いに対して軸Ａの反対側に（例えば、約１８０度離れて）配置される２つの弾性延出部４０６を有する。他の実施形態では、２つの延出部４０６は、互いに対して及び軸Ａに対して他の好適な位置に配置されてもよい。更に他の実施形態では、キャップ４０４は、弾性延出部４０６を１つのみ含む。更に他の実施形態では、キャップ４０４は、３つ以上の弾性延出部４０６を含む。例えば、更なる実施形態では、キャップ４０４は、両手を使用して、延出部の４つ全てを圧縮するように（即ち、片手は、４つの延出部のうちの２つを圧縮し、他方の手は、他の２つの延出部を圧縮する）、２つの対で配置される４つの弾性延出部４０６を含む。
【０７３３】
上記の様々な実施形態では、弾性延出部４０６は、キャップ４０４の本体４０７と一体形成され、固有の可撓性及び弾性を有する材料から作製される。他の実施形態では、延出部４０６は、以下に限定されないが、バネ又は固有のバネ力を有する材料など、弾性コネクタを用いて、キャップ４０４の本体４０７に取り付けられる別個の部材である。
【０７３４】
図３５の実施形態では、チャネル３５は、注入ポンプデバイス３０のハウジング内の環状チャネルである（又は上記のようにハウジング部分３３、３３’、３３’’）。チャネル３５は、リザーバ受容部３２の開口端部から短い距離でリザーバ受容部３２内に位置し、キャップ４０４（又は基部／リザーバ／キャップユニット）をリザーバ受容部３２内に配置させるとき、キャップ４０４（又は基部／リザーバ／キャップユニット）の軸Ａ付近に延びる。チャネル３５の環状形状により、注入ポンプデバイス３０に対する任意の回転配向（軸Ａ周り）において、キャップ４０４をリザーバ受容部３２に挿入することができ、依然として、係合部分４０６ａをチャネルの第１及び第２の停止面と揃え、係合することができる。しかし、１つ以上の停止面の他の好適な構成を、他の実施形態で用いてもよい。例えば、他の実施形態では、環状チャネルの表面の代わりに、１つ以上の係合部分４０６ａを受容する位置において、リザーバ受容部３２の内側表面の１つ以上のギザギザ部又はくぼみ部の表面によって形成された停止面を用いてもよい。更に他の実施形態では、リザーバ受容部３２の内側表面上において１つ以上の隆起特徴部によって停止面のうちの１つ以上が提供される。
【０７３５】
図３５を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ４０４又はリザーバ１（又はその両方）には、上記の１つ以上の検出可能要素４２が提供される。
【０７３６】
このような実施形態の特定例では、１つ以上の検出可能要素４２が延出部４０６の１つ又はそれぞれに提供される。例えば、１つ以上の検出可能要素４２は、延出部４０６のうちの１つ以上の係合部分４０６ａに提供されてもよい。こうした実施形態では、１つ以上の対応するセンサが、延出部４０６（又は係合部分４０６ａ）が適切な位置、例えば、チャネル３５内に位置しているかどうかを検出する位置で注入ポンプデバイス３０上に配置される。他の実施形態では、センサ（複数可）は、リザーバ受容部３２内の延出部４０６（又は係合部分４０６ａ）の他の考えられる位置を検出するように配置される。
【０７３７】
こうした実施形態では、注入ポンプデバイス内のエレクトロニクス６０は、適切な位置にない延出部４０６（又は係合部分４０６ａ）の検出時に（例えば、チャネル３５の外側にあるか、又はチャネル３５内に十分に位置していない係合部分４０６ａの検出時に、１つ以上の所定の操作を提供するように構成されてもよい。このような所定の操作としては、以下に限定されないが、１つ以上のポンプ操作を停止又は阻止すること、限定されたポンプ操作のみ可能にすること、警告メッセージを提供すること、又は検出を示すデータを記録することが挙げられる。
【０７３８】
代替的に又は追加的に、エレクトロニクス６０は、（例えば、チャネル３５内に十分に位置している係合部分４０６ａの検出時に）延出部４０６（又は係合部分４０６ａ）が適切な位置にあるという判定に少なくとも一部基づいて（又は応答して）、１つ以上の所定の操作を提供するように構成されてもよい。このような所定の操作としては、以下に限定されないが、ポンプ操作を可能にするか、又は継続すること、制限されたポンプ操作を可能にすること、所定のメッセージを提供すること、又は検出を示すデータを記録すること、のうちの１つ以上が挙げられる。
【０７３９】
ｂ．押込型楕円形リングの解放
他の実施形態では、キャップ（又は基部／リザーバ／キャップユニット）を注入ポンプデバイス３０のリザーバ受容部３２に装着させるとき、第２の取り外し可能なカプラは、キャップ（又は基部／リザーバ／キャップユニットの他の部分）内又は上に１つ以上の対応する溝又は停止面に係合する注入ポンプデバイス３０のハウジング上又は内に１つ以上の可動又は弾性（又はその両方）リング形状部材を含む。溝（複数可）又は停止面（複数可）に係合するとき、リング形状部材（複数可）により、リザーバ受容部３２内の所定の位置でキャップ（又は基部／リザーバ／キャップユニットの他の部分）がロックされ、キャップ（又は基部／リザーバ／キャップユニットの他の部分）がリザーバ受容部３２内の所定の位置から取り外されるのを阻止する。
【０７４０】
リング形状部材（複数可）は、注入ポンプデバイス３０のハウジングの外側に、１つ以上のボタン又は他のインターフェイスを含むか、又は接続される。ボタン（複数可）又は他のインターフェイス（複数可）は、ユーザ（又は医療技術者若しくは他の資格者）が選択的に操作し、少なくとも１つの寸法において選択的にリング形状部材を拡大させるように構成される。リング形状部材が拡大することにより、キャップ（又は基部／リザーバ／キャップユニットの他の部分）がロック状態から解放され、ユーザ（又は医療技術者又は他の資格者）は、キャップ４０４（又は基部／リザーバ／キャップユニット）をリザーバ受容部から取り外すことができる。特定の実施形態では、リング形状部材も拡大して、注入ポンプデバイス３０のリザーバ受容部３２内でキャップ（又は基部／リザーバ／キャップユニットの他の部分）を装着させる。
【０７４１】
例えば、図３６〜図３８を参照して記載した実施形態では、第２の取り外し可能なカプラは、十分に剛性であり、かつ強力であり、また、可撓性及び弾性的である材料から作製され、本明細書に記載のように操作するリング部材５０２を含む。特定の実施形態では、リング部材５０２は柔軟プラスチック材料又はシリコーンゴム材料で作製される。キャップ５０４（又は基部／リザーバ／キャップユニット）を注入ポンプデバイス３０のリザーバ受容部３２内に装着させるとき、リング部材５０２は、キャップ５０４（又は基部／リザーバ／キャップユニットの他の部分）内で溝と係合するように構成される。
【０７４２】
キャップ５０４の例は図３８に示される。図３８に示すように、キャップ５０３は、キャップ５０４の本体５０７の外側表面上に溝５０５を含む。様々な他の態様では、キャップ５０４は、キャップ４又は本明細書に記載の他のキャップ４０４、７０４又は８０４に類似していてもよい。
【０７４３】
リング部材５０２は、環状リング部分５０３、固定部５０６及びボタン部分５０８を含む。リング部５０３は、内部開口部５１０を有し、内部開口部５１０を介して延出するリザーバ受容部３２の軸Ａを有するリザーバ受容部３２内又はリザーバ受容部３２上に配置される。特定の実施形態では、リング部材５０２は、リザーバ受容部３２の領域内で注入ポンプデバイス３０のハウジングの一部によって保持され、リング部５０３の中心点又は軸は、リザーバ受容部３２の軸Ａ（又は同軸である）に又は隣接して配置される。リング部材５０２のボタン部分５０８は、リザーバ受容部３２にて、注入ポンプデバイス３０のハウジング内の開口部又はスロットを介して延出する。リング部材５０２の固定部５０６は、リザーバ受容部３２にて、注入ポンプデバイス３０のハウジング内の受容部開口部、スロット又はギザギザ部内に受容される。図３６〜図３８の実施形態では、固定部５０６及びボタン部分５０８は、リング部５０３と軸Ａの互いに反対側に提供される。
【０７４４】
リング部材５０２のボタン部分５０８を操作しないとき、リング部材５０２は、第１の状態（解放状態）にある。第１の状態（解放状態）では、リング部５０３内の開口部５１０は、第１の方向で第１の幅（又は直径）Ｄ１を有し、第１の方向は、固定部５０６及びボタン部分５０８に沿って延出する。また、第１の状態（解放状態）では、開口部５１０は、第２の方向に第２の幅（又は直径）Ｄ２を有し、第２の方向は、第１の方向に対して横方向に延出する。図３６〜図３８の実施形態では、第２の方向（第２の幅Ｄ２）は、（第１幅Ｄ１の）第１の方向にほぼ垂直である。他の実施形態では、第１の方向は横方向であるが、第２の方向に対して垂直ではない。
【０７４５】
リング部材５０２のボタン部分５０８を操作するとき（例えば、ユーザ、ヘルスケア提供者又は他の資格者の指５１１によって押される）、リング部材５０２は、第２の状態（拡大状態）にある。第２の状態（拡大状態）では、開口部５１０の第２の幅（又は直径）Ｄ２’は、第１の状態（解放状態）での第２の幅（又は直径）Ｄ２に対して第２の方向に拡大する。また、第２の状態（拡大状態）では、リング部材５０２内の開口部５１０の第１の幅（又は直径）Ｄ１’は、第１の状態（解放状態）において、第１の幅（又は直径）Ｄ１に対して第１の方向で減少する。
【０７４６】
キャップ５０４（又は基部／リザーバ／キャップユニット）が注入ポンプデバイス３０のリザーバ受容部３２内に装着され、リング部材５０２が第１の状態（解放状態）にあるとき、リング部分５０３は、キャップ５０４内の溝５０５内に少なくとも部分的に受容されるように構成される。溝５０５内に受容されたとき、リング部５０３により、キャップ５０４（又は基部／リザーバ／キャップユニット）が注入ポンプデバイス３０のリザーバ受容部３２から外れないようにする。しかし、図３６に示す状態から、リング部材５０２のボタン部分５０８は、手動により押され、リング部５０３の第２の幅をＤ２からＤ２’（第２の状態又は拡大状態）に拡大させてもよい。リング部分５０３の第２の幅をＤ２からＤ２’へ拡大することによって、ユーザがリザーバ受容部３２外で、キャップ５０４（又は基部／リザーバ／キャップユニット）を引っ張ることができる十分な量、リング部分５０３を溝５０５から引き出す。
【０７４７】
特定の実施形態では、キャップ５０４は、上記のように、以下に限定されないが、注入セット５０の注入セットチューブ５２など、注入セットチューブに接続するために、ポートを含む。また、キャップ５０４は、上記の針９に類似した中空針（図示せず）に接続し、中空ニードからポート（かつポートに接続されたときは注入セットチューブ）への流体連通経路をもたらす本体部分５０７を介するチャネルを含む。また、キャップ５０４は、キャップ５０４をリザーバ（又は基部／リザーバユニット）に連結する、上記のような１つ以上の接続特徴部を含む。キャップ５０４は、本明細書に記載のように操作するために、以下に限定されないが、プラスチック、金属、セラミック、複合材料又は他の好適な材料など、十分な剛性及び強度を有する任意の１つ以上の好適な材料製であってもよい。一例では、キャップ５０４は、単体の一体型成形構造として、成形プラスチック材料で作製される。他の実施形態では、キャップ５０４は、他のプロセスにより又は共に組み立てられた複数の部分において（又はその両方）作製してよい。
【０７４８】
特定の実施形態では、キャップ５０４は、リザーバ１から分離するか、又はリザーバ１に接続されるかのいずれかで、ユーザ（又は医療技術者又は他の資格者）に提供される。別途受容されたとき、ユーザ（又は医療技術者若しくは他の資格者）は、上記のように、キャップ５０４をリザーバ１（又は基部２及びリザーバ１と共に、基部／リザーバ／キャップユニットを形成する）と組み立てる。
【０７４９】
一旦組み立てると、基部／リザーバ／キャップユニットは、軸ＡＡ方向に沿って、リザーバ受容部３２に挿入させる。特定の実施形態では、基部／リザーバ／キャップユニットをリザーバ受容部３２に挿入すると、ユーザ（又は医療技術者若しくは他の資格者）は、リング部材５０２のボタン部分５０８を押して、開口部５１０の第２の直径をＤ２からＤ２’へ拡大させる。開口部５１０の第２の直径をＤ２からＤ２’へ拡大させて、キャップ５０４（又は基部／リザーバ／キャップユニット）は、リザーバ受容部３２に挿入し、開口部５１０を介して、リング部材５０２に挿入する。
【０７５０】
一旦キャップ５０４（又は基部／リザーバ／キャップユニット）を十分な距離、リザーバ受容部３２に挿入させると、ボタン部分５０８を解放して、リング部材５０２を第１の状態（解放状態）に戻すことができるが、キャップ５０４の本体５０７の一部は、リング部材５０２の開口部５１０を通って延出する。この位置では、リング部材５０２の開口部５１０の内側表面の一部は、キャップ５０４の本体５０７の外側表面の一部に隣接する。次に、必要であれば、ユーザ（又は医療技術者又は他の資格者）は、軸Ａの方向でキャップ５０４の位置に対して調整し、溝５０５をリング部材５０２と揃えることができ、リング部分５０３を溝５０５内に受容させることができる。溝５０５をリング部材５０２のリング部分５０３と揃えるとき、リング部材５０２の弾性戻り力により、リング部分５０３を溝５０５に移動させて、キャップ５０４（及び基部／リザーバ／キャップユニット）を注入ポンプデバイス３０のリザーバ受容部３２にロックさせる。
【０７５１】
したがって、特定の実施形態では、キャップ５０４（又は基部／リザーバ／キャップユニット）をリザーバ受容部３２に挿入するとき、ユーザ（又は医療技術者又は他の資格者）は、ボタン部分５０８を押す。他の実施形態では、キャップ５０４（又は基部／リザーバ／キャップユニット）は、ユーザがボタン部分５０８を押すことなく、ユーザ（又は医療技術者又は他の資格者）がキャップ５０４（又は基部／リザーバ／キャップユニット）をリザーバ受容部３２に挿入できる形状である。例えば、このような実施形態では、キャップ５０４（又は基部／リザーバ／キャップユニット）を軸Ａの方向にリザーバ受容部３２内に更に移動させるとき、テーパー状の外側表面がリング部分５０３の内側表面に係合し、リング部分５０３が第２の方向に拡大するように、キャップ５０４（又は基部／リザーバ／キャップユニット）は、上端に対して、キャップ５０４（又は基部／リザーバ／キャップユニット）の底部に向かってより小さい直径にテーパー状の外側表面を有してもよい。
【０７５２】
特定の実施形態では、リング部材５０２の弾性戻り力及び溝５０５の形状により、リング部材５０２と溝５０５との間のスナップ嵌め行動が提供されるように構成される。こうした実施形態では、リング部分５０３及び溝５０５は、ユーザ（又は医療技術者又は他の資格者）がキャップ５０４（又は基部／リザーバ／キャップユニット）をリザーバ受容部３２に挿入するときに、可聴又は触覚（又はその両方）によるスナップ音若しくはユーザ（又は医療技術者若しくは他の資格者）が知覚可能である感触（又はその両方）を提供するように構成される。スナップ嵌め動作は、ユーザ（又は医療技術者又は他の資格者）に、キャップ５０４（又は基部／リザーバ／キャップユニット）が十分に又は適切にリザーバ受容部３２内に受容されている可聴又は触覚（又はその両方）指標を提供する。
【０７５３】
キャップ５０４（又は基部／リザーバ／キャップユニット）は、ボタン５０８を押して、開口部５１０の第２の幅をＤ２からＤ２’へ拡大することによってリザーバ受容部３２から取り外し、ユーザがリザーバ受容部３２外でキャップ５０４（又は基部／リザーバ／キャップユニット）を引っ張ることができる十分な量、リング部分５０３を溝５０５から引き出す。ユーザ（又は医療技術者若しくは他の資格者）は、ボタン部分５０８を押して、キャップ５０４（又は基部／リザーバ／キャップユニット）をリザーバ受容部３２外で軸Ａ方向に引っ張る。特定の実施形態では、キャップ５０４（又は基部／リザーバ／キャップユニット）をリザーバ受容部３２から取り外すにあたって、キャップ５０４上でいかなるねじれ又は回転運動も必要としない。
【０７５４】
特定の実施形態では、注入ポンプデバイス３０のリザーバ受容部３２は、基部／リザーバ／キャップユニットをリザーバ受容部３２に装着させるとき、軸ＡＡ方向にかつリザーバ受容部３２から外向きに、バネ、又はキャップ５０４若しくはリザーバ１上に付勢力を付与する他の付勢部材を含む。こうした実施形態では、バネ又は付勢部材は、バネ又はキャップ４０４に関して上記の付勢部材に類似していてもよい。付勢力により、溝５０５の表面（図３８の下面）をリング部分５０３の表面に対して押し付ける。こうした実施形態では、この付勢力が、リザーバ受容部３２内の所定の位置でキャップ５０４（及び基部／リザーバ／キャップユニット）のロック及び維持を補助する。
【０７５５】
図３６〜図３８に示す実施形態では、リング部材５０２は、１つのボタン部分５０８を有する。他の実施形態では、リング部材５０２は、固定部５０６の代わりに、第２のボタン部分（図示せず）を含み、第２のボタン部分は、ボタン部分５０８と同様の方法で、注入ポンプデバイスのハウジングから外側に延出する。特定の実施形態では、第２のボタン部分は、第１のボタン部分５０８に対して、リング部材５０２（及び軸Ａ）の反対側に配置される。こうした実施形態では、ユーザ（又は医療技術者若しくは他の資格者）は、２つのボタン部分５０８を片手で把持し、圧縮し（例えば、親指を一方のボタン部分に置き、人差し指を他方のボタン部分に置き、ボタン部分を互いに向かって圧縮することによって）、リング部材を第２の状態（拡大状態）に拡大してもよい。
【０７５６】
図３６〜図３８の実施形態では、キャップ５０４内の溝５０５は、キャップ５０４の本体全体５０７の周りに延びる環状の溝である。溝５０５の環状形状により、注入ポンプデバイス３０に対する任意の回転配向（軸Ａ周り）において、キャップ５０４をリザーバ受容部３２に挿入することができ、依然として、リング部材を溝５０５と揃え、係合することができる。しかし、１つ以上の停止面の他の好適な構成を、他の実施形態で用いてもよい。例えば、他の実施形態では、キャップ５０４本体５０７の外側表面に、リング部材５０２が第１の状態（解放状態）にあり、キャップ５０４（又は基部／リザーバ／キャップユニット）がリザーバ受容部３２内に受容されたときにリング部分５０３を係合する停止面を形成する１つ以上のギザギザ部又はくぼみを用いてもよい。
【０７５７】
図３６〜図３８の実施形態は、１つのボタン部分５０８を有する１つのリング形状部材５０２を含む。他の実施形態では、２つ（以上の）リング形状部材は、図３６から図３８のリング形状部材５０２と同様に、リザーバ受容部の領域内で、注入ポンプデバイス３０のハウジング上又は内に支持される。こうした実施形態では、複数のリング形状部材が、概して、リザーバ受容部３２（軸Ａは、各リング形状部材の内側開口部を介して延びる）と同軸で配置されてもよいが、リザーバ受容部３２周りの異なるそれぞれの位置に、それらのそれぞれのボタン部分５０８と共に配置される。複数のリング形状部材を用いる実施形態では、キャップ５０４は、対応する数（複数）（各リング形状部材に対して１つ）の溝５０５を含む。
【０７５８】
図３６〜図３８の実施形態では、１つ以上のリング形状部材５０２は、注入ポンプデバイス３０のリザーバ受容部３２部分に隣接して位置付け、かつ側面方向（軸Ａに垂直又は別の方法で、横方向）に移動可能であるボタン部分（複数可）５０８と共に配置される。他の実施形態では、図３９に示すように、各リング形状部材５０２のボタン部分５０８は、連結構造５１２と係合させる。連結構造５１２は、ボタン部分５０８に対して異なる（遠隔）位置に位置しているか、ボタン部分５０８に対して異なる方向に配向されているかのいずれか又はその両方である更なるボタン部分５１４に接続する。図３９の実施形態では、更なるボタン部分５１４は、リザーバ受容部３２に隣接して位置しているが、（図３９に対して下方向に手動押力を受ける時）軸Ａ方向に移動させるために配向される。また、特定の実施形態では、更なるボタン部分５１４は、例えば、リング形状部材５０２の自然の戻り（弾性）力を受けてリング形状部材５０２が第１の状態（解放状態）に戻ることによって、手動押力を受けないか又は解放されているとき、拡張させた（押していない）状態に戻されるように構成される。
【０７５９】
図３９の実施形態では、更なるボタン部分５１４を押すとき、連結構造５１２は、更なるボタン部分５１４の表面をスライドにより係合するボタン部分５０８上に傾斜面又はくさび形状表面を含む。更なるボタン部分５１４が押されているとき、傾斜面又はくさび形状表面をスライドにより係合することにより、ボタン部分５０８をその押下状態（及びその第２の状態又は拡大状態に拡大させるためのリング形状部材５０２）に向かって移動させる。したがって、矢印５１６の方向にボタン部分５１４を押すとき、連結構造５１２により、矢印５１８の方向にボタン部分５１４の軸方向の有向運動がボタン部分５０８の半径方向の有向運動に移行される。
【０７６０】
ボタン部分５１４を離すことによって、リング形状部材５０２をその第１の状態（解放状態）に戻し、更なるボタンを移動させて、最初の（押されていない）状態に戻す。他の実施形態では、傾斜面又はくさび形状表面は、更なるボタン部分５０４と連結構造５１２のインターフェイスで更なるボタン部分５１４に提供される。更なる実施形態では、連結構造５１２及び更なるボタン部分５１４はいずれも、それらのインターフェイスに傾斜面又はくさび形状表面を有する。更なる実施形態では、更なるボタン部分５１４をボタン部分５０８に機能的と接続するために、他の好適な連結構造が用いられる。
【０７６１】
図３６〜図３８を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ５０４又はリザーバ１（又はその両方）には、上記の１つ以上の検出可能要素４２が提供される。
【０７６２】
代替的に又は追加的に、リング形状部材５０２には、上記の１つ以上の検出可能要素４２が提供される。複数のリング形状部材を用いる実施形態では、複数のこれらのリング形状部材（又は複数のリング形状部材のそれぞれ）には、上記の１つ以上の検出可能要素を提供してもよい。例えば、１つ以上の検出可能要素４２は、リング部分５０３又はボタン部分５０８に提供されてもよい。
【０７６３】
こうした実施形態では、注入ポンプデバイス３０は、上記のうちの１つ以上の対応するセンサ素子３２を含み、検出可能要素４２を検出するために、例えば、リング形状部材５０２が第１の状態（解放状態）又は第２の状態（拡大状態）のうちの１つ以上にあるとき、注入ポンプデバイス３０のハウジングに対してリング形状部材の位置を検出するために、配置されてもよい。更なる実施形態では、検出可能要素（複数可）４２及びセンサ素子（複数可）は、リング形状部材のリング部分５０３がキャップ５０４の溝５０５内に受容されたとき、１つ以上のセンサ素子が１つ以上の検出可能要素を検出するように配置される。
【０７６４】
このような実施形態の更なる例では、１つ以上の追加の検出可能要素４２は、キャップ５０４（又は基部／リザーバ／キャップユニットの他の部分）に提供され、キャップ５０４（又は基部／リザーバ／キャップユニット）を注入ポンプデバイス３０のリザーバ受容部３２内に適切に受容させたとき（又はリザーバ受容部３２内に適切に受容されていないとき）、１つ以上の更なるセンサ素子３２は、注入ポンプデバイス３０上に配置されて、これらの検出可能要素４２を検出する。したがって、これらの実施形態ではエレクトロニクス６０は、少なくとも一部センサ素子３２により提供された信号に基づいて、キャップ５０４（又は基部／リザーバ／キャップユニット）が適切にリザーバ受容部３２内に受容されているか、及びリング形状部材５０２と適切に係合されているかどうかを判定するために構成されてもよい。
【０７６５】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ５０４（又は基部／リザーバ／キャップユニット）がリザーバ受容部３２内に適切に受容されていないことを判定すること、及び（２）リング形状部材のリング部分５０３がキャップ５０４の溝５０５内に適切に受容されていないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０７６６】
代替的に又は追加的に、エレクトロニクス６０は、少なくとも一部に以下のうちの１つ以上に基づいて（又は対応して）１つ以上の所定の操作を提供するように構成されてもよい：（１）キャップ５０４（又は基部／リザーバ／キャップユニット）がリザーバ受容部３２内に適切に受容されていることを判定すること、及び（２）リング形状部材のリング部分５０３がキャップ５０４の溝５０５内に受容されていることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０７６７】
ｃ．Ｕ字型解放による押込み
他の実施形態では、キャップ（又は基部／リザーバ／キャップユニット）を注入ポンプデバイス３０のリザーバ受容部３２に装着させるとき、第２の取り外し可能なカプラは、キャップ（又は基部／リザーバ／キャップユニットの他の部分）内又は上に１つ以上の対応する溝又は停止面に係合する注入ポンプデバイス３０のハウジング上又は内に１つ以上の可動Ｕ字型部材を含む。溝（複数可）又は停止面（複数可）に係合するとき、Ｕ字型部材（複数可）により、リザーバ受容部３２内の所定の位置でキャップ（又は基部／リザーバ／キャップユニットの他の部分）がロックされ、キャップ（又は基部／リザーバ／キャップユニットの他の部分）がリザーバ受容部３２内の所定の位置から取り外されるのを阻止する。
【０７６８】
Ｕ字型部材（複数可）は、注入ポンプデバイス３０のハウジングの外側に、１つ以上のボタン又は他のインターフェイスを含むか、又は接続される。ボタン（複数可）又は他のインターフェイス（複数可）は、ユーザ（又は医療技術者若しくは他の資格者）が選択的に操作し、Ｕ字型部材を少なくとも１つの所定の方向に選択的に移動（スライド、転位又は別の方法で移動）させるように構成される。Ｕ字型部材を所定の方向に移動することにより、キャップ（又は基部／リザーバ／キャップユニットの他の部分）がロック状態から解放され、ユーザ（又は医療技術者又は他の資格者）は、キャップ４０４（又は基部／リザーバ／キャップユニット）をリザーバ受容部から取り外すことができる。特定の実施形態では、Ｕ字型部材も所定の方向に選択的に移動（スライド、転位又は別の方法で移動）させて、注入ポンプデバイス３０のリザーバ受容部３２内でキャップ（又は基部／リザーバ／キャップユニットの他の部分）を装着させる。
【０７６９】
例えば、Ｕ字型部材６０２を含む第２の取り外し可能なカプラの実施形態は、図４０〜図４２を参照して記載される。図４０〜図４２の実施形態は、以下に限定されないが、図３８を参照して本明細書に記載の溝５１５を有するキャップ５０４など、溝を有するキャップと共に操作するように構成される。
【０７７０】
図４０〜図４２の実施形態では、Ｕ字型部材６０２は、本明細書に記載の操作を行うのに十分に剛性かつ強力な材料から作製される。特定の実施形態では、Ｕ字型部材６０２は、プラスチック、金属、セラミック、複合材料又は他の好適な材料で作製される。キャップ５０４（又は基部／リザーバ／キャップユニット）を注入ポンプデバイス３０のリザーバ受容部３２内に装着させるとき、Ｕ字型部材６０２は、キャップ５０４（図３８）内で又は基部／リザーバ／キャップユニットの別の部分で溝５１５と係合するように構成される。
【０７７１】
Ｕ字型部材６０２は、曲面部分６０３、曲面部分６０３の片端から延出する第１の概ね直線状の部分６０５、及び曲面部分６０３の第２の端部から延出する第２の概ね直線状の部分６０７を含み、曲面部分６０３と第１及び第２の概ね直線状の部分６０５及び６０７を組み合わせたものがＵ字形状を形成する。他の実施形態では、部分６０５及び６０７は直線ではなく、その代わり、それらのそれぞれの長さ寸法に沿って湾曲を有する。また、Ｕ字型部材６０２は、ボタン部分６０８、概ね直線状の部分６０５及び６０７の接続端部も含む。
【０７７２】
Ｕ字型部材６０２は、２つの概ね直線状の部分６０５と６０７との間と曲面部分６０３とボタン部分６０８との間に位置する内部開口部６１０を有する。Ｕ字型部材は、（図３６〜図３７を参照して上述のように、リング形状部材５０２がリザーバ受容部３２上又は内に支持される方法に類似の方法で）注入ポンプデバイス３０のリザーバ受容部３２上又は内に配置される。特に、Ｕ字型部材は、リザーバ受容部３２内又はリザーバ受容部３２にわたって任意の位置に支持され、リザーバ受容部３２の軸ＡＡは、内部開口部６１０を介して延出する。
【０７７３】
特定の実施形態では、Ｕ字型部材６０２は、リザーバ受容部３２の領域内で注入ポンプデバイス３０のハウジングの一部によって保持され、内部開口部６１０の中心点は、リザーバ受容部３２の軸ＡＡ（又は同軸である）に又は隣接して配置される。Ｕ字型部材６０２のボタン部分６０８は、リザーバ受容部３２にて、注入ポンプデバイス３０のハウジング内の開口部又はスロットを通って延出する。
【０７７４】
Ｕ字型部材６０２（ボタン部分６０８など）は、第１の位置（図４０にて示すように）と第２の位置（図４１にて示すように）との間で移動可能である。特定の実施形態では、Ｕ字型部材６０２は、例えば、別個のバネ又は他の付勢部材によって、又はＵ字型部材６０２が作製されている材料の形状及び固有のバネ力によって、第１の位置（図４０に示す）に向かって付勢される。図４０〜図４２の実施形態では、以下に限定されないが、コイルバネ６１２などの付勢部材は、ボタン部分６０８と注入ポンプデバイス３０のハウジングとの間に挟入される。他の実施形態では、付勢部材は、Ｕ字型部材の曲面部分６０３と注入ポンプデバイス３０のハウジングの一部（又は注入ポンプデバイス３０とＵ字型部材６０２の直線状部分６０８の一方又は両方）との間に挟入されてもよい。
【０７７５】
ボタン部分６０８は、リザーバ受容部の領域において、注入ポンプデバイスのハウジングの外部に位置する表面６０８ａを有する。ボタン部分６０８の表面６０８ａは、付勢部材６１２の力を上回って、選択的にＵ字型部材６０２を移動させるための手動力を受けるように配置される。このため、例えば、ユーザ（又は医療技術者若しくは他の資格者）は、手動力をボタン部分６０８の表面６０８ａ上に加え、表面６０８ａを任意の指又は親指で押すことによって、Ｕ字型部材６０２を第１の位置（図４０）から第２の位置（図４１）へ移動させる。
【０７７６】
ボタン部分６０８を操作しないときには、Ｕ字型部材６０２は第１の位置にある。キャップ５０４（又は基部／リザーバ／キャップユニット）がリザーバ受容部３２内に適切に受容されて、Ｕ字型部材６０２が第１の位置にあるとき、Ｕ字型部材６０２の曲面部分６０３は、キャップ５０４の溝５０５に係合して、軸ＡＡ方向でのリザーバ受容部３２に対するキャップ５０４（及び基部／リザーバ／キャップユニット）の移動を阻止する。特定の実施形態では、キャップ５０４（又は基部／リザーバ／キャップユニット）が注入ポンプデバイス３０のリザーバ受容部３２内に装着され、Ｕ字型部材６０２が第１の位置（図４０）にあるとき、曲面部分６０３は、キャップ５０４内の溝５０５内に少なくとも部分的に受容されるように構成される。溝５０５内に受容されたとき、曲面部分６０３により、キャップ５０４（又は基部／リザーバ／キャップユニット）が注入ポンプデバイス３０のリザーバ受容部３２から外れないようにする。
【０７７７】
しかし、図３９に示す状態から、Ｕ字型部材６０２のボタン部分６０８は、手動により押して、Ｕ字型部材６０２を第１の位置から第２の位置に向かって移動させてもよい。Ｕ字型部材６０２を第２の位置に向かって移動させるとき、ユーザがリザーバ受容部３２外で、キャップ５０４（又は基部／リザーバ／キャップユニット）を引っ張ることができる十分な量、曲面部分６０３を溝５０５から引き出す。
【０７７８】
上記のように、基部／リザーバ／キャップユニットは、軸ＡＡ方向に沿って、リザーバ受容部３２に挿入させる。特定の実施形態では、基部／リザーバ／キャップユニットをリザーバ受容部３２に挿入すると、ユーザ（又は医療技術者若しくは他の資格者）は、Ｕ字型部材６０２のボタン部分６０８を押して、Ｕ字型部材６０２を第２の位置に向かって移動させる（図４１）。Ｕ字型部材６０２を第２の位置に向かって十分に移動させるとき、キャップ５０４（又は基部／リザーバ／キャップユニット）は、リザーバ受容部３２に挿入し、開口部６１０を介して、Ｕ字型部材６０２に挿入することができる。
【０７７９】
一旦キャップ５０４（又は基部／リザーバ／キャップユニット）を十分な距離、リザーバ受容部３２に挿入させると、ボタン部分６０８を解放して、例えば、付勢部材６１２の戻り力を介して、Ｕ字型部材６０２を第１の状態（解放状態）に戻すことができるが、キャップ５０４の本体５０７の一部は、Ｕ字型部材６０２の開口部６１０を通って延出する。この位置では、Ｕ字型部材６０２の開口部６１０内の曲面部分６０３の内側表面の一部は、キャップ５０４の本体５０７の外側表面の一部に隣接し、かつ押し出す。次に、必要であれば、ユーザ（又は医療技術者又は他の資格者）は、軸Ａの方向でキャップ５０４の位置に対して調整し、溝５０５をＵ字型部材６０２の曲面部分６０３と揃えることができ、曲面部分６０３を溝５０５内に受容させることができる。溝５０５をＵ字型部材６０２の曲面部分６０３と揃えるとき、曲面部分６０３の弾性戻り力により、曲面部分６０３を溝５０５に移動させて、キャップ５０４（及び基部／リザーバ／キャップユニット）を注入ポンプデバイス３０のリザーバ受容部３２にロックさせる。
【０７８０】
したがって、特定の実施形態では、キャップ５０４（又は基部／リザーバ／キャップユニット）をリザーバ受容部３２に挿入するとき、ユーザ（又は医療技術者又は他の資格者）は、ボタン部分６０８を押す。他の実施形態では、キャップ６０４（又は基部／リザーバ／キャップユニット）は、ユーザがボタン部分６０８を押すこともなく、ユーザ（又は医療技術者又は他の資格者）がキャップ５０４（又は基部／リザーバ／キャップユニット）をリザーバ受容部３２に挿入できる形状である。例えば、このような実施形態では、キャップ５０４（又は基部／リザーバ／キャップユニット）を軸Ａの方向にリザーバ受容部３２内に更に移動させるとき、テーパー状の外側表面が曲面部分５０３の内側表面に係合し、Ｕ字型部材６０２が第２の位置に向かって押されるように、キャップ５０４（又は基部／リザーバ／キャップユニット）は、上端に対して、キャップ５０４（又は基部／リザーバ／キャップユニット）の底部に向かってより小さい直径にテーパー状になっている外側表面を有してもよい。
【０７８１】
特定の実施形態では、付勢部材６１２の戻り力並びに曲面部分６０３及び溝５０５の形状は、Ｕ字型部材６０２と溝５０５との間のスナップ嵌め行動が提供されるように構成される。こうした実施形態では、曲面部分６０３及び溝５０５は、ユーザ（又は医療技術者又は他の資格者）がキャップ５０４（又は基部／リザーバ／キャップユニット）をリザーバ受容部３２に挿入するときに、可聴又は触覚（又はその両方）によるスナップ音若しくはユーザ（又は医療技術者若しくは他の資格者）が知覚可能である感触（又はその両方）を提供するように構成される。スナップ嵌め動作は、ユーザ（又は医療技術者又は他の資格者）に、キャップ５０４（又は基部／リザーバ／キャップユニット）が十分に又は適切にリザーバ受容部３２内に受容されている可聴又は触覚（又はその両方）指標を提供する。
【０７８２】
キャップ５０４（又は基部／リザーバ／キャップユニット）は、ボタン部分６０８を押してリザーバ受容部３２から取り外し、Ｕ字型部材６０２を第２の位置に向かって移動させ、ユーザがリザーバ受容部３２外で、キャップ５０４（又は基部／リザーバ／キャップユニット）を引っ張ることができる十分な量、曲面部分５０３を溝５０５から引き出してもよい。ユーザ（又は医療技術者若しくは他の資格者）は、ボタン部分６０８を押して、キャップ５０４（又は基部／リザーバ／キャップユニット）をリザーバ受容部３２外で軸Ａ方向に引っ張る。特定の実施形態では、キャップ５０４（又は基部／リザーバ／キャップユニット）をリザーバ受容部３２から取り外すにあたって、キャップ５０４上でいかなるねじれ又は回転運動も必要としない。
【０７８３】
特定の実施形態では、注入ポンプデバイス３０のリザーバ受容部３２は、基部／リザーバ／キャップユニットをリザーバ受容部３２に装着させるとき、軸Ａ方向にかつリザーバ受容部３２から外向きに、バネ、又はキャップ５０４若しくはリザーバ１上に付勢力を付与する他の付勢部材を含む。こうした実施形態では、バネ又は付勢部材は、バネ又はキャップ４０４に関して上記の付勢部材に類似していてもよい。付勢力により、溝５０５の表面（図３８の下面）を曲面部分６０３の表面に対して押し付ける。こうした実施形態では、この付勢力が、リザーバ受容部３２内の所定の位置でキャップ５０４（及び基部／リザーバ／キャップユニット）のロック及び維持を補助する。
【０７８４】
図４０〜図４１の実施形態は、１つのボタン部分６０８を有する１つのＵ字型部材６０２を含む。他の実施形態では、２つ（以上の）Ｕ字型部材は、図４０〜図４１のＵ字型部材６０２と同様に、リザーバ受容部の領域内で、注入ポンプデバイス３０のハウジング上又は内に支持される。こうした実施形態では、複数のＵ字型部材が、概して、リザーバ受容部３２（各Ｕ字型部材の内側開口部６１０を介して延出する軸Ａ）と同軸で配置されてもよいが、リザーバ受容部３２周りの異なるそれぞれの位置に、それらのそれぞれのボタン部分６０８と共に配置される。
【０７８５】
例えば、図４２で示される実施形態では、２つのＵ字型部材６０２及び６０２’は、注入ポンプデバイス３０のリザーバ受容部３２上に配置され、Ｕ字型部材６０２は、Ｕ字型部材６０２’に隣接して（上に）又は軸Ａ方向にＵ字型部材６０２’から離間している。Ｕ字型部材６０２のボタン部分６０８は、Ｕ字型部材６０８のボタン部分６０８ａに対して、軸Ａの反対側（１８０度離れて）に配置される。この構成では、ユーザ（又は医療技術者又は他の資格者）は、（両方のＵ字型部材をそれらのそれぞれの第１の位置からそれらのそれぞれの第２の位置に移動させるため）、親指をボタン部分の片方に置き、人差し指を他のボタン部分に置き、親指と人差し指を互いに向かって圧縮することによって、両方のＵ字型部材を片手で同時に操作してもよい。他の実施形態では、３つ以上のＵ字型部材（及びボタン部分）を用い、２つ以上の手を使用して、全てのＵ字型部材を同時に操作して（移動させて）、キャップ５０４をロック解除するようにしてもよい。
【０７８６】
２つ以上のＵ字型部材６０２、６０２’などを用いる実施形態では、キャップ５０４は、対応する数（２つ以上の）の溝５０５をキャップ５０４内に含む。こうした実施形態では、キャップ５０４（又は基部／リザーバ／キャップユニット）を上記のようにリザーバ受容部３２内に適切に装着させるとき、それぞれのＵ字型部材６０２、６０２’などは、溝５０５の異なるそれぞれの１つに揃えて、受容されるように配置される。この状態では、２つ以上のＵ字型部材６０２、６０２’などは、キャップ５０３（又は基部／リザーバ／キャップユニット）がリザーバ受容部３２から外れないようにする。この状態から、Ｕ字型部材６０２、６０２’などのそれぞれのボタン部分６０８、６０８’などを同時に操作して（手動により、同時に押す）、Ｕ字型部材６０２、６０２’などをそれらのそれぞれの第２の位置に向かって移動させることができる。この結果、ユーザがリザーバ受容部３２外でキャップ５０４（又は基部／リザーバ／キャップユニット）を引っ張ることができる十分な量、Ｕ字型部材６０２、６０２’などのそれぞれの曲面部分６０３をその対応する溝５０５から引き出す。
【０７８７】
図４０〜図４２の実施形態では、１つ以上のＵ字型部材６０２、６０２’などは、注入ポンプデバイス３０のリザーバ受容部３２部分に隣接して位置付け、かつ側面方向（軸Ａに垂直又は別の方法で、横方向）に移動可能であるボタン部分（複数可）６０８と共に配置される。他の実施形態では、図３９に示されているように、各リング形状部材６０２のボタン部分６０８を、連結構造５１２と係合させる。連結構造５１２は、ボタン部分６０８に対して異なる（遠隔）位置に位置しているか、ボタン部分６０８に対して異なる方向に配向されているかのいずれか又はその両方である更なるボタン部分５１４に接続する。図３９の実施形態では、更なるボタン部分５１４は、リザーバ受容部３２に隣接して位置しているが、（図３９に対して下方向に手動押力を受ける時）軸Ａ方向に移動させるために配向される。また、特定の実施形態では、更なるボタン部分５１４は、例えば、付勢部材６１２の戻り付勢力を受けてＵ字型部材６０２が第１の状態（解放状態）に戻ることによって、手動押力を受けないか又は解放されているとき、拡張させた（押していない）状態に戻されるように構成される。
【０７８８】
図４０〜図４２を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ５０４又はリザーバ１（又はその両方）には、上記の１つ以上の検出可能要素４２が提供される。
【０７８９】
特定の実施形態では、Ｕ字型部材６０２には、上記の１つ以上の検出可能要素４２が提供される。複数のＵ字型部材６０２、６０２’などを用いる実施形態では、複数のこれらのＵ字型部材（又は複数のＵ字型部材のそれぞれ）には、上記の１つ以上の検出可能要素を提供することができる。例えば、１つ以上の検出可能要素４２は、曲面部分６０３、ボタン部分６０８又はＵ字型部材６０２、６０２’などの直線状部分６０５の任意の一方（又は両方）に提供されてもよい。
【０７９０】
こうした実施形態では、注入ポンプデバイス３０は、上記のうちの１つ以上の対応するセンサ素子３２を含み、検出可能要素４２を検出するため、例えば、Ｕ字型部材（６０２、６０２’など）が第１の位置、第２の位置又は第１及び第２の位置の間の他の位置のうちの１つ以上にあるとき、注入ポンプデバイス３０のハウジングに対するＵ字型部材の位置を検出するように配置される。更なる実施形態では、検出可能要素（複数可）４２及びセンサ素子（複数可）は、Ｕ字型部材の曲面部分６０３がキャップ５０４の溝５０５内に受容されたとき、１つ以上のセンサ素子が１つ以上の検出可能要素を検出するように配置される。
【０７９１】
このような実施形態の更なる例では、１つ以上の追加の検出可能要素４２は、キャップ５０４（又は基部／リザーバ／キャップユニットの他の部分）に提供され、キャップ５０４（又は基部／リザーバ／キャップユニット）を注入ポンプデバイス３０のリザーバ受容部３２内に適切に受容させたとき（又はリザーバ受容部３２内に適切に受容されていないとき）、１つ以上の更なるセンサ素子３２は、注入ポンプデバイス３０上に配置されて、これらの検出可能要素４２を検出する。したがって、これらの実施形態ではエレクトロニクス６０は、少なくとも一部センサ素子３２により提供された信号に基づいて、キャップ５０４（又は基部／リザーバ／キャップユニット）が適切にリザーバ受容部３２内に受容されているか、及びＵ字型部材（６０２、６０２’など）と適切に係合されているかどうかを判定するために構成されてもよい。
【０７９２】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ５０４（又は基部／リザーバ／キャップユニット）がリザーバ受容部３２内に適切に受容されていないことを判定すること、及び（２）Ｕ字型部材の曲面部分６０３がキャップ５０４の溝５０５内に適切に受容されていないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０７９３】
代替的に又は追加的に、エレクトロニクス６０は、少なくとも一部に以下のうちの１つ以上に基づいて（又は対応して）１つ以上の所定の操作を提供するように構成されてもよい：（１）キャップ５０４（又は基部／リザーバ／キャップユニット）がリザーバ受容部３２内に適切に受容されていることを判定すること、及び（２）Ｕ字型部材の曲面部分６０３がキャップ５０４の溝５０５内に受容されていることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０７９４】
ｄ．プッシュボタン解放によるツイストロック
図４３〜図４７を参照して記載されているように、他の実施形態では、第２の取り外し可能なカプラは、キャップ７０４上に１つ以上の弾性延出部７００を含む。延出部（複数可）７００は、キャップ７０４（又は基部／リザーバ／キャップユニット）をリザーバ受容部３２内に移動させるとき、弾性延出部（複数可）がリザーバ受容部３２内で、１つ以上の溝、ギザギザ部又は他の停止面３２ｄに係合するまで、係合するように、かつリザーバ受容部３２の内側表面３２ｃによって内側に反屈するように構成される。停止面（複数可）３２ｄと係合させるとき、弾性延出部（複数可）が、キャップ７０４（又は基部／リザーバ／キャップユニット）をリザーバ受容部内で保持し、かつロックする。
【０７９５】
特定の実施形態では、１つ以上の弾性延出部７００は、キャップ（又は基部／リザーバ／キャップユニット）のリザーバ受容部３２からの取り外しが可能になるほど十分に可撓性があり、停止面を選択的に係合解除する。例えば、図４３〜４７では、選択的に弾性延出部（複数可）７００を、十分に停止面３２ｄの係合を解除する量、移動させるために、注入ポンプデバイス３０は、ユーザ（又は医療技術者又は他の資格者）が手動で押すように構成される、１つ以上（図３６〜４０では２つ）のボタン部材７０８を含む。他の例では、ユーザ（又は医療技術者又は他の資格者）が所定の量を超える手動力（回転若しくは直線、又はその両方）をキャップ７０４（又は基部／リザーバ／キャップユニットの他の部分）に印加するとき、１つ以上の弾性延出部７００は、停止面３２ｄと十分に係合解除するように構成されてもよい。
【０７９６】
初めに、キャップ７００（又は基部／リザーバ／キャップユニット）をリザーバ受容部３２内に移動させるとき、各延出部７００は、リザーバ受容部３２内側表面３２ｂのそれぞれのスロープ面又は傾斜面３２ｃを係合するように構成される係合部分７０２を有する。図４３から図４７では、キャップ７０４は、２つの延出部７００を有し、リザーバ受容部３２の内側表面３２ｂは、対応する数の（２つ）（それぞれの延出部７００に対して、１つの）傾斜面部分３２ｃを有する。各傾斜面部分３２ｃは、ランプ部分３２ｃに沿って、第１の円周位置３２ｃ’から第２の円周位置３２ｃ’’まで、軸Ａに対して内側に向かってスロープしている表面を有する。停止面３２ｄは、各傾斜面部分３２ｃの第２の周辺位置３２ｃ’’に位置する。図４３〜４７の実施形態では、各停止面３２ｄは、リザーバ受容部の内側表面３２ｂ内にギザギザ部を含み、各傾斜面部分３２ｃの片端に位置される。
【０７９７】
キャップ７０４（又は基部／リザーバ／キャップユニット）が最初にリザーバ受容部内に受容されたとき、ランプ部分３２ｃは、キャップ７０４上の延出部７００の係合部分７０２に揃えるように構成される。一旦、キャップ７０４（又は基部／リザーバ／キャップユニット）を最初にリザーバ受容部内に受容させると、キャップ７０４（又は基部／リザーバ／キャップユニット）は、軸Ａの周りで第１の方向（例えば、図４３及び図４４において矢印７０６の方向）で回転させるように構成される。キャップ７０４は、ユーザ（又は医療技術者又は他の資格者）がキャップ７０４を把持し、矢印７０６の回転方向に手動力を印加することができるようにする任意の表面を提供する拡張把持部７０５を含む。キャップ７０４（又は基部／リザーバ／キャップユニット）を回転させるとき、キャップ７０４上の延出部７００の係合部分７０２は、ランプ部分３２ｃの表面に沿ってある。キャップ７０４（又は基部／リザーバ／キャップユニット）は、矢印７０６の方向に回転させるとき、ランプ部分の内向きスロープにより、延出部７００を内向き（軸Ａに向かって）に屈曲させる。
【０７９８】
延出部７００は、継続して、ランプ部分３２ｃの表面に沿ってあり、延出部７００が、停止面３２ｄと揃い、係合するまで内側に屈曲させるように構成される。停止面３２ｄと係合させるとき、弾性延出部７００が、キャップ（又は基部／リザーバ／キャップユニット）をリザーバ受容部内で保持し、かつロックする。図４３〜図４７の実施形態では、停止面３２ｄは、弾性延出部７００をわずかに外向きに屈曲させることができるギザギザ部を含み、係合部分７０２とギザギザ部とを揃えるときに（図４４に示すように）、係合部分７０２をギザギザ部に少なくとも一部に延長させることができる。
【０７９９】
特定の実施形態では、延出部７００、係合部分７０２及び停止面３２ｄ（又はその両方）は、係合部分７０２が停止面３２ｄのギザギザ部にあるとき、キャップ７０４を注入ポンプデバイス３０に固定するのに十分な剛性を有するが、係合部分７０２を停止面３２ｄのギザギザ部にスナップ留めすることができるほど、十分な可撓性及び弾性を有する材料から作製される。こうした実施形態では、キャップ７０４を回転させるとき、係合部分７０２は、延出部７００が屈曲するため、係合部分７０２が停止面３２ｄのギザギザ部に揃ってかつ嵌め込まれるまで、ランプ部分３２ｃに沿っている。特定の実施形態では、キャップ７０４は、リザーバ受容部３２でキャップ７０４（又は基部／リザーバ／キャップユニット）を装着している人に認知されるスナップ音又はスナップ留め様の感触をもたらすように構成される。
【０８００】
停止面３２ｄのギザギザ部と係合させるとき、弾性延出部７００は、キャップ７０４（又は基部／リザーバ／キャップユニット）が注入ポンプデバイス３０のリザーバ受容部３２から外れないようにする。しかし、図４３に示す状態から、２つの延出部７００は、手動により、一対のボタン部材７０８を回転させることにより、内側に屈曲してもよい（軸Ａに向かって）（１つを図４３に示し、他方は軸Ａに対してリザーバ受容部３２の反対側にあり、図示されていない）。ボタン部材７０８を操作して、延出部７００を内側に屈曲させ、ユーザがキャップ７０４（又は基部／リザーバ／キャップユニット）をリザーバ受容部３２から取り外すことができる十分な量、延出部７００を停止面３２ｄのギザギザ部から引き出す。特定の実施形態では、リザーバ受容部３２及びキャップ７０４は、ボタン部材７０８を操作させて、十分な量で延出部７００をギザギザ部から取り外すとき、キャップ７０４（又は基部／リザーバ／キャップユニット）を回転させる又はひねる必要なく、軸Ａの直線方向に外向きに引っ張り、キャップ７０４（又は基部／リザーバ／キャップユニット）をリザーバ受容部３２から取り外すことができるように構成される。
【０８０１】
図４３〜４７の実施形態では、各ボタン部材７０８は、注入ポンプデバイス３０のハウジング内のギザギザ部内で支持され、リザーバ受容部の開口ポートに隣接した本体を含む。各ボタン部材７０８の本体は、ユーザ（又は医療技術者又は他の資格者）の指又は親指で押して、ボタン部材７０８を操作することができる位置に、注入ポンプデバイス３０のハウジングの外側からさらされた表面７０８ａを有する。また、各ボタン部材７０８の本体は、注入ポンプデバイス３０のハウジング内で通路又は開口部を介して延びる連結部分７０８ｂを含み、かつ、リザーバ受容部３２の内側の停止面３２ｄの１つのギザギザ部内で隣接して又は部分的に位置する表面７０８ｃを有する。特定の実施形態では、各ボタン部材７０８は、軸Ａに対して放射方向に外向きにボタン部材７０８を付勢するように配置されるバネ又は他の付勢部材７１４を含む。各ボタン部材７０８は、その表面７０８ａ上で手動で押され、軸Ａに対して放射方向に内側に連結部分７０８を移動させるように構成される。延出部７００の係合部分７０２が、ボタン部材７０８と連結した停止面３２ｄのギザギザ部にある場合、ボタン部材７０８を押すとき、ボタン部材７０８の表面７０８ｃを延出部７００に内側に力を加える。ボタン部材７０８を十分な距離押すことによって、延出部７００は、上記のように、キャップ７０４（又は基部／リザーバ／キャップユニット）をリザーバ受容部３２から取り外すことができる十分な量、停止面３２ｄのギザギザ部以外で、延出部７００の係合部分７０２を引き出す量、内側に屈曲させる。
【０８０２】
特定の実施形態では、キャップ７０４は、リザーバ受容部３２のポートの領域において、注入ポンプデバイス３０に位置する１つ以上の対応する又は適合する特徴部７１２と揃える１つ以上のアライメント特徴部７１０を含み、初めに、キャップ７０４（又は基部／リザーバ／キャップユニット）をリザーバ受容部３２内に受容させるとき、軸Ａに対して１つ以上の所定の回転位置でキャップ７０４を揃える。１つ以上の所定の位置は、リザーバ受容部３２により、初めに、キャップ７０４（又は基部／リザーバ／キャップユニット）がリザーバ受容部３２内に受容させるとき、第１の位置３２ｃ’で、又はその付近で、延出部７００の係合部分７０２がランプ部分３２ｃに係合する位置である。
【０８０３】
したがって、キャップ７０４（又は基部／リザーバ／キャップユニット）は、図４３に示すように、キャップ７０４（又は基部／リザーバ／キャップユニット）をリザーバ受容部の開口ポートから挿入し、及び手動により、アライメント特徴部７１０及び７１２を揃えることによって、注入ポンプデバイス３０に装着してもよい。この場合、延出部７００は、ランプ部分３２ｃの第１の位置３２ｃ’にて又はランプ部分３２ｃの第１の位置３２ｃ’付近にて、ランプ部分３２ｃのスロープ面を係合する。この状態から、キャップ７０４を矢印７０６の方向に手動により継続的に回転させて、係合部分７０２が停止面３２ｄのギザギザ部に揃うまで、延出部７００の係合部分７０２をランプ部分３２ｃのスロープ面に沿うようにしてもよい。この状態では、係合部分７０２を（少なくとも一部）停止面３２ｄのギザギザ部内で受容し、かつ延出部７００を外向きに屈曲させ、リザーバ受容部３２内の操作位置でキャップ７０４（及び基部／リザーバ／キャップユニット）を保持し、かつロックする。
【０８０４】
上記のように、ボタン部材７０８を全て同時に手動により押すことによって、リザーバ受容部３２からキャップ７０４（及び基部／リザーバ／キャップユニット）を取り外し、リザーバ受容部３２から、キャップ７０４（及び基部／リザーバ／キャップユニット）を手動で外側（軸Ａの方向に沿って）に引っ張ることが十分できるように、延出部７００を内側に屈曲させて、ギザギザ部から係合部分７０２を引き出してもよい。
【０８０５】
図４３〜４７の実施形態では、キャップ７０４は、上記のように、キャップ４及びリザーバ１の操作と類似した方法で、注入ポンプデバイス３０により操作するために、上記のように、リザーバ（又は基部及びリザーバ）に連結されるように構成される。キャップ７０４は、上記のように、以下に限定されないが、注入セット５０の注入セットチューブ５２など、注入セットチューブに接続するために、ポート７０７を含む。また、キャップ７０４は、チャネル７０９が延出する本体部分を含む。チャネル７０９は、上記の針９に類似した中空針（図示せず）に接続し、中空ニードからポート７０７（かつポート７０７に接続されたときは注入セットチューブ）への流体連通経路をもたらす。また、キャップ７０４は、キャップ７０４をリザーバ（又は基部／リザーバユニット）に連結する、１つ以上の接続特徴部（例えば、上記のように、第１の取り外し可能なカプラ）を更に含む。
【０８０６】
キャップ７０４は、本明細書に記載のように操作するために、以下に限定されないが、プラスチック、金属、セラミック、複合材料又は他の好適な材料など、十分な剛性及び強度を有する任意の１つ以上の好適な材料製であってもよい。一例では、キャップ７０４（弾性延出部７００、把持部７０５、ポート７０７及びキャップ本体など）は、単体の一体型成形構造として、成形プラスチック材料で作製される。他の実施形態では、キャップ７０４は、他のプロセスにより又は共に組み立てられた複数の部分において（又はその両方）作製してよい。
【０８０７】
図４３〜４７の実施形態では、アライメント特徴部７１０は、キャップ７０４上で外向き延びるタブであり、アライメント特徴部７１２は、注入ポンプデバイス３０のハウジング内のリザーバ受容部の開口ポートに、内向きに延出するスロットであり、スロットは、揃えたときに、タブを受容する形状となっている。他の実施形態では、適合するアライメント特徴部７１０及び７１２は、１つ以上の所定の位置でキャップ７０４をリザーバ受容部３２に受容され得る他の好適な構造を有し、このような他の構造は、１つ以上の他のタブ及びスロット、キー型表面、表面形状又は他の形状特徴部を含む。
【０８０８】
図４３〜４７の実施形態では、それぞれの停止面３２ａは、延出部７００の係合部分７０２の少なくとも一部と揃えて、受容する形状であるギザギザ部を含む。他の実施形態では、停止面３２ａは、以下に限定されないが、延出部、突出部、溝、又はリザーバ受容部３２の内側表面３２ｂに提供された他の構造的特徴部など、リザーバ受容部内に提供される１つ以上の他の特徴部を含む。
【０８０９】
図４３〜４７の実施形態は、２つの延出部７００、２つのランプ部分３２ｃ、２つの停止面３２ｄ及び２つのボタン部材７０８を含む。他の実施形態では、これらの特徴部のそれぞれを１つのみ適用する。更に他の実施形態では、これらの特徴部のそれぞれを３つ以上適用する。
【０８１０】
図４３〜４７の実施形態では、２つの延出部７００は、互いに対してキャップ７０４及び軸Ａの反対側に配置し、同様に、２つのボタン部材７０８は、互いに対してキャップ及び軸Ａの反対側に配置される。加えて、２つのランプ部分３２ｃ及び２つの停止面３２ｄは、互いに対してリザーバ受容部及び軸Ａの反対側で配置される。この構成により、例えば、１つのボタン部材７０８を親指で押し、他のボタン部材７０８を同じ手の人差し指で押すことによって、２つのボタン部材７０８を同時に片手で操作することが可能になる。他の実施形態では、延出部、ボタン部材、ランプ部分及び停止面は、他の好適な位置に配置する。
【０８１１】
図４３〜図４７を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ７０４又はリザーバ１（又はその両方）には、上記の１つ以上の検出可能要素４２が提供される。
【０８１２】
特定の実施形態では、キャップの延出部７００のうちの１つ以上（又は全て）には、上記の１つ以上の検出可能要素４２が提供される。こうした実施形態では、注入ポンプデバイス３０は、例えば、延出部７００がランプ部分３２ｃと係合されるとき、又は延出部が停止面３２ｄと係合されるとき、又は延出部が屈曲されるとき（若しくはこれらの任意の組み合わせ）、検出可能要素４２を検出するように配置される上記の１つ以上の対応するセンサ素子３２を含んでもよい。更なる実施形態では、タブ又は他のアライメント特徴部７１０のうちの１つ以上（又はその全て）には、上記の１つ以上の検出可能要素４２が提供される。こうした実施形態では、例えば、キャップ７０４上のアライメント特徴部７１０は、注入ポンプデバイス３０上で対応するアライメント特徴部に適切に揃えられるか、又は適合されるとき、注入ポンプデバイス３０は、検出可能要素４２を検出するように配置される上記の１つ以上の対応するセンサ素子３２を含んでもよい。
【０８１３】
このような実施形態の更なる例では、１つ以上の追加の検出可能要素４２は、キャップ７０４（又は基部／リザーバ／キャップユニットの他の部分）に提供され、キャップ７０４（又は基部／リザーバ／キャップユニット）を注入ポンプデバイス３０のリザーバ受容部３２内に適切に受容された場合（又はリザーバ受容部３２内に適切に受容されていない場合）、１つ以上の更なるセンサ素子３２は、注入ポンプデバイス３０上に配置されて、これらの検出可能要素４２を検出する。したがって、これらの実施形態ではエレクトロニクス６０は、キャップ７０４（又は基部／リザーバ／キャップユニット）が適切にリザーバ受容部３２内に受容されているか、又は延出部７００が適切に停止面３２ｄに係合されているか、又はその両方を判定するために構成されてもよい。
【０８１４】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ７０４（又は基部／リザーバ／キャップユニット）がリザーバ受容部３２内に適切に受容されていないことを判定すること、及び（２）延出部７００が内部停止面３２ｃのギザギザ部内に適切に受容されていないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０８１５】
代替的に又は追加的に、エレクトロニクス６０は、少なくとも一部に以下のうちの１つ以上に基づいて（又は対応して）１つ以上の所定の操作を提供するように構成されてもよい：（１）キャップ７０４（又は基部／リザーバ／キャップユニット）がリザーバ受容部３２内に適切に受容されていることを判定すること、及び（２）延出部７００が内部停止面３２ｃのギザギザ部内に適切に受容されていることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０８１６】
ｅ．つまみ解放による圧入ロック
図４８〜５１を参照して記載されているような他の実施形態では、第２の取り外し可能なカプラは、リザーバ受容部３２の開口ポートの領域において、注入ポンプデバイス３０のハウジング上の１つ以上の特徴部３９と係合し、かつ嵌合するキャップ８０４のスカート形状部８０２に１つ以上の特徴部８００を含む。図４８〜図５１の実施形態では、特徴部（複数可）８００は、キャップ８０４のスカート形状部８０２に一対の開口スロットを含み、特徴部（複数可）３９は、リザーバ受容部３２の開口ポートの周りに、外向きに延出する環状のリップ部を含む。
【０８１７】
キャップ８０４は、キャップ８０４（又は基部／リザーバ／キャップユニット）をリザーバ受容部３２内に装着させるとき（例えば、キャップ４、２０４、４０４、５０４、６０４及び７０４に関して上述のように、又は別の好適な方法で）、リザーバ１と連結（例えば、上記のような第１の取り外し可能なカプラ又は他の好適な連結具構造により）し、リザーバ受容部３２内で少なくとも一部嵌合するように構成される本体部分８０３を含む。キャップ８０４のスカート形状部８０２は、キャップ８０４の本体部分８０３の外側に延出し、スカート形状部８０２の内側表面８０２ａと本体部分８０３の外側表面８０３ａとの間の空間８０６に対して開いている一端（キャップ８０４の本体部分８０３のリザーバ連結端部に隣接しているスカート形状部８０２の端部）を有する。
【０８１８】
キャップ８０４（又は基部／リザーバ／キャップユニット）をリザーバ受容部３２内に装着させるとき、キャップ８０４の本体部分８０３は、少なくとも一部リザーバ受容部３２内で嵌合し（例えば、キャップ４、２０４、４０４、５０４、６０４及び７０４に関して上記のように、又は別の好適な方法において）、スカート形状部８０２は、リザーバ受容部３２の開口ポートの外側に少なくとも一部延びる。特に、キャップ８０４（又は基部／リザーバ／キャップユニット）をリザーバ受容部３２内に装着させるとき、リザーバ受容部３２のポートの端部を、キャップ８０４のスカート形状部８０２と本体部分８０３との間の空間８０６に少なくとも一部嵌合させる。
【０８１９】
図４８〜図５１の実施形態では、キャップ８０４のスカート形状部８０２は、その開口端部に楕円形又は卵形を有し、１つの寸法（Ｄ１）が第２の寸法（Ｄ２）よりも広い。特定の実施形態では、スカート形状部の内側表面の幅（第２の寸法Ｄ２）はリザーバ受容部３２の開口ポート端部の直径より小さく、スカート形状部の内側表面の幅（第１の寸法Ｄ１）はリザーバ受容部３２の開口ポート端部の直径より大きい。こうした実施形態では、スカート形状部８０２は、第１寸法（Ｄ１）方向に十分な圧縮力をスカート形状部に加えたとき、第２の寸法（Ｄ２）に拡大するように、十分に弾性及び可撓性である材料又は構造（又はその両方）で構成される。更に、このような実施形態では、スカート形状部８０２は、圧縮力が解放されたとき、圧縮されていない構成に戻るのに十分に弾性である。
【０８２０】
スカート形状部８０２及び係合特徴部（スロット）８００の形状及びサイズは、スカート形状部８０２を第２の寸法Ｄ２に拡大したとき（例えば、手動により、第１寸法Ｄ１のスカート形状部８０２を圧縮することによって）、スカート形状部８０２をリザーバ受容部３２のポートの端部に嵌合することができるように構成される。拡大させた（圧縮させた）状態では、キャップ８０４のスカート形状部８０２は、キャップ８０４（又は基部／リザーバ／キャップユニット）をリザーバ受容部３２内に移動させるとき、リザーバ受容部３２のポートの端部に嵌合させてもよい。
【０８２１】
一旦キャップ８０４（又は基部／リザーバ／キャップユニット）をリザーバ受容部３２に十分に挿入させると、スカート形状部８０２は、その拡大していない状態に戻ってもよい（例えば、手動の圧縮力をスカート形状部８０２上で解放することによって）。スカート形状部８０２を拡大していない状態に戻したとき、スカート形状部８０２上の係合特徴部（スロット）８００は、リザーバ受容部３２のポートの周囲で係合特徴部（リップ部）３９を係合し、かつ受容する。この状態では、キャップ８０４（又は基部／リザーバ／キャップユニット）は、操作位置でリザーバ受容部３２内で保持され、ロックされる。
【０８２２】
この状態から、キャップ８０４（又は基部／リザーバ／キャップユニット）は、第１の寸法Ｄ１でスカート形状部８０２に圧縮力を加えることによって、リザーバ受容部３２から取り外し、スカート形状部８０２を第２の寸法Ｄ２に拡大し、キャップ８０４のロックを解除し、及びキャップ８０４（又は基部／リザーバ／キャップユニット）を手動により、リザーバ受容部３２外で引っ張ることができる十分な量、係合特徴部（スロット）８００を係合特徴部（リップ部）３９から引き出してもよい。
【０８２３】
図４８〜５１の実施形態では、キャップ８０４は、上記のように、キャップ４及びリザーバ１の操作と類似した方法で、注入ポンプデバイス３０により操作するために、上記のように、リザーバ（又は基部及びリザーバ）に連結されるように構成される。キャップ８０４は、上記のように、以下に限定されないが、注入セット５０の注入セットチューブ５２など、注入セットチューブに接続するために、ポート８０７を含む。キャップ８０４の本体部分８０３は、上記の針９に類似した中空針（図示せず）に接続し、中空ニードからポート８０７（かつポート８０７に接続されたときは注入セットチューブ）への流体連通経路をもたらすチャネル８０９を含む。
【０８２４】
キャップ８０４は、本明細書に記載のように操作するために、以下に限定されないが、プラスチック、金属、セラミック、複合材料又は他の好適な材料など、十分な剛性及び強度を有する任意の１つ以上の好適な材料製であってもよい。一例では、キャップ８０４（弾性スカート形状部８０２など）は、単体の一体型成形構造として、成形プラスチック材料で作製される。他の実施形態では、キャップ８０４は、他のプロセスにより又は共に組み立てられた複数の部分で（又はその両方）作製されてもよい。
【０８２５】
図４８〜図５１の実施形態では、キャップ８０４のスカート形状部８０２は、１つ以上の摩擦特徴部８０８を含む外側表面を有する。摩擦特徴部８０８は、スカート形状部８０２上に位置を特定し、上記のように、手動の圧縮力を加えるために提供される。加えて、摩擦特徴部８０８は、手動による圧縮力を加えるときに、任意の指又は親指がスカート形状部８０２から滑り落ちないように構成される。図４８〜図５１の実施形態では、第１及び第２の摩擦特徴部は、スカート形状部８０２上の第１寸法Ｄ１に沿った位置に提供される。図４８〜図５１の実施形態では、それぞれの摩擦特徴部は、一組の隆起リブを含む。他の実施形態では、他の好適な摩擦特徴部は、任意の指又は親指とスカート形状部８０２（以下に限定されないが、溝、突出部、スカート形状部８０２の材料よりも高い摩擦係数を有する材料の１つ以上のパッドなど）との間の摩擦を促進するために使用してもよい。
【０８２６】
図４８〜図５１の実施形態は、スカート形状部８０２上に２つの係合特徴部（スロット）８００を含む。他の実施形態は、１つのみの係合特徴部（スロット）８００を使用し、更に他の実施形態は、スカート形状部８０２上に３つ以上の係合特徴部（スロット）８００を含む。また、図４８〜図５１の実施形態は、注入ポンプデバイス３０上に１つの係合特徴部（リップ部）３９を含み、他の実施形態は、注入ポンプデバイス３０上に２つ以上の係合特徴部（リップ部、突出部など）３９を含む。
【０８２７】
図４８〜図５１の実施形態では、特徴部（複数可）８００は、キャップ８０４のスカート形状部８０２に一対の開口スロットを含む。他の実施形態では、係合特徴部８００は、注入ポンプデバイス３０上の係合特徴部３９を係合する他の好適な構造（以下に限定されないが、１つ以上の溝、ギザギザ部、穴など）を含む。他の実施形態では、特徴部（複数可）８００は、以下に限定されない１つ以上のリブ又は他の突出部などの突出特徴部を含み、係合特徴部３９は、適合するスロット、溝、ギザギザ部、穴などを含む。
【０８２８】
図４８〜図５１の実施形態では、特徴部（複数可）３９は、リザーバ受容部３２のポートの周りに環状の外向きに延出するリップ部を含む。他の実施形態では、係合特徴部３９は、キャップ８０４上の適合する係合特徴部８００を係合するために、以下に限定されないが、１つ以上の突出部、スロット、溝、ギザギザ部、穴など、他の好適な構造を含む。
【０８２９】
図４８〜図５１を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ８０４又はリザーバ１（又はその両方）には、上記の１つ以上の検出可能要素４２が提供される。
【０８３０】
特定の実施形態では、キャップ８０４のスカート形状部８０２には、上記の１つ以上の検出可能要素４２が提供される。こうした実施形態では、例えば、係合特徴部８００を係合特徴部３９と係合するとき、又はスカート形状部８０２をリザーバ受容部３２のポート端部に延在させるとき、又はリザーバ受容部３２のポート端部を空間８０６に延在させるとき（又はこれらを組み合わせたもの）、注入ポンプデバイス３０は、検出可能要素４２を検出するように配置される上記の１つ以上の対応するセンサ素子３２を含んでもよい。
【０８３１】
このような実施形態の更なる例では、１つ以上の追加の検出可能要素４２は、キャップ８０４（又は基部／リザーバ／キャップユニットの他の部分）に提供され、キャップ８０４（又は基部／リザーバ／キャップユニット）を注入ポンプデバイス３０のリザーバ受容部３２内に適切に受容された場合（又はリザーバ受容部３２内に適切に受容されていない場合）、１つ以上の更なるセンサ素子３２は、注入ポンプデバイス３０上に配置されて、これらの検出可能要素４２を検出する。したがって、これらの実施形態のエレクトロニクス６０は、キャップ８０４（又は基部／リザーバ／キャップユニット）が適切にリザーバ受容部３２内に受容されているか、係合特徴部８００が係合特徴部３９に係合されているか、又はスカート形状部８０２が、リザーバ受容部３２のポート端部に延出しているかどうかを判定するために構成されてもよい。
【０８３２】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ８０４（又は基部／リザーバ／キャップユニット）がリザーバ受容部３２内に適切に受容されていないことを判定すること、（２）係合特徴部８００が係合特徴部３９に十分に係合されていないことを判定すること、及び（３）スカート形状部８０２がリザーバ受容部３２のポート端部に十分に延出していないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０８３３】
代替的に又は追加的に、エレクトロニクス６０は、少なくとも一部に以下のうちの１つ以上に基づいて（又は対応して）１つ以上の所定の操作を提供するように構成されてもよい：（１）キャップ８０４（又は基部／リザーバ／キャップユニット）がリザーバ受容部３２内に適切に受容されていることを判定すること、（２）係合特徴部８００が係合特徴部３９に係合されていることを判定すること、及び（３）スカート形状部８０２がリザーバ受容部３２のポート端部に延出していることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０８３４】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０８３５】
ｆ．接続及び解放するつまみ
図５２〜図５４に関して記載されているように、更なる実施形態では、第２の取り外し可能なカプラは、キャップ９０４ａ上に形成されたか又は取り付けられた１つ以上の可撓性アーム９００を含む可撓性アーム構造を含む。キャップ９０４ａ（又は基部／リザーバ／キャップユニット）を注入ポンプデバイス３０のリザーバ受容部３２に装着させるとき、各可撓性アーム９００は、注入ポンプデバイス３０上の対応するギザギザ部、開口部、溝、停止面又は他の係合特徴部に係合するように構成されるタブ９０２を含む。図５２は、キャップ９０４ａのハウジング９０５の互いに対して反対側（軸Ａの反対側）に提供された２つの屈曲アーム９００を含むキャップ９０４ａの下向き図を示す。この配置では、２つの屈曲アーム９００を互いに向かって片手で、手動により圧縮し、後述のように、キャップ（又は基部／リザーバ／キャップユニット）を解放することができる。しかし、他の実施形態では、１つ以上の屈曲アーム９００は、キャップ９０４ａのハウジング９０５上の任意の好適な位置に配置されてもよい。
【０８３６】
各屈曲アーム９００は、自由端部９００ａを有し、及び片持梁方法でハウジング９０５の他の部分から延出する（第２の端部９００ｂにて）。図５２〜図５４の実施形態では、キャップ９０４ａのハウジング９０５は、それぞれの屈曲アーム９００に隣接して任意の形状又はギザギザ部を有し、屈曲アーム９００とキャップのハウジング９０５の別の部分との間に間隙９０３を提供する。こうした実施形態では、屈曲アーム９００が屈曲していない状態にあるとき（図５２に示すように）、各屈曲アーム９００は、ハウジング９０５の隣接した部分の外側表面の輪郭に追従する外側表面９０６を有する。他の実施形態では、各屈曲アーム９００は、キャップ９０４ａのハウジング９０５から外向きに延出し、屈曲アームとハウジング９０５との間に間隙９０３を形成する。内側に指向する十分な圧力を屈曲アーム９００に加えたとき、各屈曲アーム９００は、キャップ９０４ａの中心部分に向かって、間隙９０３に内側に屈曲するように十分に可撓性がある。加えて、内側に指向する圧力が解放されたとき、各屈曲アーム９００は、屈曲していない状態に戻るように十分に弾性である。
【０８３７】
各屈曲アーム９００は、屈曲アーム９００の自由端部９００ａから外向き（軸Ａに対して放射状に外向き）に延出するタブ９０２を有する。タブ９０２は、キャップ９０４ａ（又は基部／リザーバ／キャップユニット）をリザーバ受容部３２内に装着させるとき、注入ポンプデバイス３０のリザーバ受容部３２で、それに対応した形状のギザギザ部、開口部、溝、停止面又は他の係合構造に係合するか又は嵌合するような形状にする。図５３の実施形態では、係合構造は、リザーバ受容部３２の開口端部の上部リング部材９１０内に穴９０８を含む。２つの穴９０８は、図５２の実施形態の２つの屈曲アーム９００に対応するように図５３に示す。
【０８３８】
上部リング部材９１０は、以下に限定されないが、溶接、のり、樹脂又は他の接着材料、ネジ山、摩擦嵌合など、任意の好適な取り付け機構で、リザーバ受容部３２に取り付けられてもよい。上部リング部材９１０は、以下に限定されないが、プラスチック、金属、セラミック、複合材料又はこれらの組み合わせなど、任意の好適な硬質材料製であってもよい。特定の実施形態では、図７の実施形態に関して上述のように、上部リング部材９１０は、上部リング部材９４に対応する（又は上部リング部材９４である）。他の実施形態では、穴９０８（又は他の係合構造）は、例えば、注入ポンプデバイス３０のリザーバ受容部３２を画定する１つ以上の壁部分内又は壁部分上で、直接注入ポンプデバイス３０のハウジング３３内又は注入ポンプデバイス３０のハウジング３３に提供される。
【０８３９】
特定の実施形態では、それぞれの屈曲アーム９００は、例えば、ハウジング９０５の他の部分と共に成形されることによって、キャップ４のハウジング９０５と一体型で形成される。こうした実施形態では、キャップ９０４ａのハウジング９０５（及び、このため、それぞれの屈曲アーム９００）は、本明細書に記載されるような形状を保持し、操作するために十分な剛性及び本明細書に記載されるように、それぞれの屈曲アーム９００を内側に屈曲させ、非屈曲状態に戻すような内側及び戻る十分な可撓性及び弾性を有する材料で作製される。他の実施形態では、それぞれの屈曲アームは、キャップ９０４ａのハウジング９０５に対して別個の要素であり、及び以下に限定されないが、１つ以上の溶接、接着剤、ねじ、ボルト、クランプなど任意の好適な取り付け機構によって、ハウジング９０５に取り付けられる。
【０８４０】
図５２及び図５３の実施形態では、キャップ９０４ａ（又は基部／リザーバ／キャップユニット）は、キャップ９０４ａ（又は基部／リザーバ／キャップユニット）をリザーバ受容部３２の開口端部（又はリング部材９１０の開口端部）に挿入することによって、注入ポンプデバイスのリザーバ受容部３２内に装着させる。キャップ９０４ａをリザーバ受容部３２に挿入するとき、指圧を屈曲アーム９００に加えて、互いに向かって（軸Ａに向かって）屈曲アーム９００を圧縮してもよい。この行動によって、屈曲アーム９００は、キャップ９０４ａ（及び基部／リザーバ／キャップユニット）をリザーバ受容部３２に更に移動することができるように、タブ９０２により、リザーバ受容部３２（又はリング部材９１０）の上縁部を取り除くことができる十分な量、間隙９０３の内側に屈曲させる。タブ９０２により上縁部を除去し、リザーバ受容部３２（又はリング部材９１０）内にあるとき、屈曲アーム９００から指圧を解放して、弾性屈曲アーム９００を非屈曲状態に戻すことができる。しかし、タブ９０２は、リザーバ受容部３２（又はリング部材９１０）内に配置されるため、キャップ９０４ａを十分に装着された位置に更に移動させるとき、タブ９０２は、リザーバ受容部３２（又はリング部材９１０）の内側表面にあるか又はスライドする。キャップ９０４ａ（及び基部／リザーバ／キャップユニット）がリザーバ受容部３２内の十分に装着させた位置にあるとき、キャップ４上のタブ９０２は、リザーバ受容部３２（又はリング部材９１０）内の穴９０８と揃える。タブ９０２を穴９０８と揃えたとき、タブ９０２を穴９０８内に嵌合させ、例えば、屈曲アーム９００の弾性により、屈曲アーム９００をそれらの非屈曲状態に対して少なくとも一部収縮することができる。この行動により、タブ９０２を穴９０８内で保持させ、リザーバ受容部３２内での装着された位置にキャップ９０４ａ（及び基部／リザーバ／キャップユニット）を保持する。
【０８４１】
図５２〜図５４の実施形態では、リザーバ受容部３２内に装着された位置から、キャップ９０４ａ（及び基部／リザーバ／キャップユニット）を取り外すために、開口部９０８から延びるタブ９０２の端部に指圧を加えることができる。例えば、圧縮行動は、手動により、互いに向かってタブ９０２のタブ端部を圧縮することによって適用し、開口部９０８からタブ９０２を解放するのに十分内側に、屈曲アーム９００を屈曲することができる。特定の実施形態では、リザーバ受容部３２の開口端部から外向きの方向にキャップ９０４ａ（又は基部／リザーバ／キャップユニット）を引っ張るために、上記による手動の圧縮力と直線力（手動により加えられる）とを組み合わせたものを加えて、開口部９０８からタブ９０２を解放する。一旦、タブ９０２が開口部９０８から解放されると、リザーバ受容部３２の開口端部から外向きの方向にキャップ９０４ａ（又は基部／リザーバ／キャップユニット）を引っ張るための更なる手動力を加えて、リザーバ受容部３２からキャップ９０４ａ（及び基部／リザーバ／キャップユニット）を引き出す。
【０８４２】
特定の実施形態では、ロック機構は、屈曲アーム９００の１つ以上（又はそれぞれ）上又は間隙９０３の１つ以上（又はそれぞれ）内に提供され、連結された屈曲アーム９００を内側屈曲しているところから選択的にロックする。特定の実施形態では、注入ポンプデバイス３０内でタブ９０２を係合部材（例えば、穴９０８）と係合するとき、ロック機構は、キャップ９０４ａ（又は基部／リザーバ／キャップユニット）がリザーバ受容部３２から（例えば、偶発的に又は認可されていないよう）外れないように、屈曲アーム９００を選択的にロックするように構成される。また、こうした実施形態では、ロック機構は、屈曲アーム９００を選択的にロック解除し、屈曲アームを屈曲し、タブ９０２を係合部材から解放できるように構成される。図５４の実施形態では、ロック機構は、屈曲アーム９００と連結された間隙９０３内に位置させている移動可能なロック部材９１２を含む。移動可能なロック部材９１２は、制御された方法で第１の位置と第２の位置（図５４に実線及び破線で示す）との間で移動させるように配置される。第１の位置（図５４の実線位置）では、可動ロック部材９１２は、第２の位置（図５４の破線位置）での可動ロック部材９１２の位置と比較して、更に屈曲アーム９００の自由端９００ａ向かって位置している。ロック部材９１２が、第１の位置（図５４の実線位置）にあるとき、屈曲アーム９００は、ロック部材９１２によって内側へ屈曲しないようにされる。ロック部材９１２が第２の位置（図５４の破線位置）にあるとき、十分な内側に指向された圧力が屈曲アーム９００に加わったときに、屈曲アーム９００を内側に屈曲させることができる。特定の実施形態では、キャップ９０４ａ（又は基部／リザーバ／キャップユニット）をリザーバ受容部３２へ装着させる間、又はリザーバ受容部３２から取り外す間、ロック部材９１２は、第２の位置（図５４の破線位置）にあるように制御され、キャップ９０４ａ（又は基部／リザーバ／キャップユニット）をリザーバ受容部３２に十分に装着させるとき、第１の位置（図５４の実線位置）に移動させるか、又はそのまま存在するように選択的に制御される。
【０８４３】
ロック部材９１２の移動は、以下に限定されないが、手動レバー、磁気アクチュエータ、電子ソレノイドなど任意の好適な機構によって制御する。特定の実施形態では、ロック部材９１２は、キャップ９０４ａの外側表面上又は隣接して位置する磁気的に電磁石又は可動磁石と相互作用する磁気材料又は磁気的に引付け可能な材料である（又は、含む）。電磁石は、選択的に励磁させて（又は可動磁石を選択的に移動させて）、ロック部材９１２をロック位置とロック解除位置との間で移動させることができる（図５４の実線位置及び破線位置）。更なる実施形態では、ロック部材９１２は、付勢部材９１４（以下に限定されないが、コイルバネ又は他のバネなど）に連結され、ロック部材９１２がロック解除位置に移動するように制御されていないとき、ロック部材９１２をロック位置（図５４の実線位置）に対して付勢させてもよい。他の実施形態では、ロック部材９１２がロック位置に移動するように制御されていないとき、付勢部材９１４により、ロック部材９１２をロック解除位置（図５４の破線位置）に向かって付勢される。
【０８４４】
図５２〜図５４の実施形態は、上記のうちの１つ以上のいずれかの検出実施形態（磁気検出、誘導検出、ＲＦ検出、機械的検出及び光学的検出）と共に使用してもよい。こうした実施形態では、キャップ９０４ｂ又はリザーバ１（又はその両方）には、上記の１つ以上の検出可能要素４２が提供され、リング９１０又は注入ポンプデバイス３０の他の部分には、上記のように、１つ以上のセンサ素子３４が提供される。特定の実施形態では、１つ以上の検出可能要素４２は、屈曲アーム９００上に配置されるか、又は可動ロック部材９１２（又はその両方）上に配置される。こうした実施形態では、エレクトロニクス（例えば、エレクトロニクス６０）は、キャップ９０４ａ（若しくは基部／リザーバ／キャップユニット）の存在の検出又は上記のような他の特徴及び情報に加えて又は代替的に、屈曲アーム（複数可）９００の相対位置（屈曲状態）を検出するか、又はロック部材９１２の相対位置（又はその両方）を検出するように構成されてもよい。
【０８４５】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ９０４ａ（又は基部／リザーバ／キャップユニット）がリザーバ受容部３２内に適切に受容されていないことを判定すること、（２）タブ９０２が係合部材９０８に十分に係合されていないことを判定すること、及び（３）ロック部材９１２がロック解除位置にあることを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０８４６】
代替的に又は追加的に、エレクトロニクス６０は、少なくとも一部に以下のうちの１つ以上に基づいて（又は対応して）１つ以上の所定の操作を提供するように構成されてもよい：（１）キャップ９０４ａ（又は基部／リザーバ／キャップユニット）がリザーバ受容部３２内に適切に受容されていることを判定すること、（２）タブ９０２が係合部材９０８に係合されていることを判定すること、及び（３）ロック部材９１２がロック位置にあることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０８４７】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０８４８】
ｇ．解放する枢動
図５５に関して記載されているような更なる実施形態では、第２の取り外し可能なカプラは、枢動点９１５にて、キャップ９０４ｂに枢動可能に連結される一対の枢動部材９１１及び９１３を含む。以下に限定されないがバネ９１６及び９１８など、１つ以上の付勢部材が提供され、枢動部材９１１及び９１３をラッチ状態又はロック状態に付勢する。ラッチ状態では、各枢動部材９１６及び９１８の片端（図５５での下端）は、リザーバ受容部３２の内側表面３２ｂにおいて、溝又はギザギザ部３２ｅ内に受容される。この状態では、キャップ９０４ｂ（及び基部／リザーバ／キャップユニット）がリザーバ受容部３２から外れることがないように、キャップ９０４ｂは、注入ポンプデバイス３０のリザーバ受容部３２内でラッチ係合されるか又はロックされる。
【０８４９】
この状態から、各枢動部材９１６及び９１８の片端（図５５では上端）は、手動により、他の枢動部材に向かって圧縮させ、ユーザ（又は医療技術者若しくは他の資格者）が、リザーバ受容部から、軸Ａの方向にキャップ９０４ｂ（及び基部／リザーバ／キャップユニット）を引っ張るのに十分な量、各枢動部材の他の端部（図５５の下端）を溝又はギザギザ部３２ｅから引き出してもよい。
【０８５０】
図５６に関して記載されているように更なる実施形態では、第２の取り外し可能なカプラは、枢動点９２１に、注入ポンプデバイス３０のハウジングに枢動可能に接続される１つ以上の枢動部材９２０を含む。以下に限定されないがバネなど、１つ以上の付勢部材９２２が提供され、枢動部材（複数可）９２０をラッチ状態又はロック状態に付勢する。ラッチ状態では、各枢動部材９１６及び９１８の片端（図５５での下端）は、キャップ９０４ｃの外側表面において、溝又はギザギザ部９０４ｃ’内に受容される。この状態では、キャップ９０４ｃ（及び基部／リザーバ／キャップユニット）がリザーバ受容部３２から外れることがないように、キャップ９０４ｃは、注入ポンプデバイス３０のリザーバ受容部３２内でラッチ係合されるか又はロックされる。
【０８５１】
この状態から、枢動部材９２０の片端（図５６では下端）は、手動により、注入ポンプデバイス３０のハウジングに向かって押して、ユーザ（又は医療技術者若しくは他の資格者）がキャップ９０４ｃ（及び基部／リザーバ／キャップユニット）をリザーバ受容部から軸Ａの方向に引っ張ることができる十分な量、枢動部材９２０の他の端部（図５６では上端）を溝又はギザギザ部９０４ｃから引き出すことができる。図５５〜図５６を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ９０４ｂ若しくは９０４ｃ又はリザーバ１（又はその両方）には、上記の１つ以上の検出可能要素４２が提供され、注入ポンプデバイス３０には、上記のように、１つ以上のセンサ素子３４が提供される。
【０８５２】
特定の実施形態では、１つ以上の検出可能要素４２は、枢動部材（複数可）９１１、９１３又は９２０上に配置されるか、又は付勢部材９１６、９１８及び９２２（又はその全て）上に配置される。こうした実施形態では、エレクトロニクス（例えば、エレクトロニクス６０）は、キャップ９０４ｂ又は９０４ｃ（若しくは基部／リザーバ／キャップユニット）の存在の検出若しくは上記のような他の特徴及び情報に加えて又は代替的に、枢動部材（複数可）又は付勢部材の相対位置を検出するように構成されてもよい。
【０８５３】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ９０４ｂ又は９０４ｃ（又は基部／リザーバ／キャップユニット）がリザーバ受容部３２内に適切に受容されていないことを判定すること、及び（２）枢動部材（複数可）９１１、９１３又は９２０が溝又はギザギザ部３２ｅ又は９０４ｃ’に十分に係合されていないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０８５４】
代替的に又は追加的に、エレクトロニクス６０は、少なくとも一部に以下のうちの１つ以上に基づいて（又は対応して）１つ以上の所定の操作を提供するように構成されてもよい：（１）キャップ９０４ｂ又は９０４ｃ（又は基部／リザーバ／キャップユニット）がリザーバ受容部３２内に適切に受容されていることを判定すること、及び（２）枢動部材（複数可）９１１、９１３又は９２０が溝又はギザギザ部３２ｅ又は９０４ｃ’に十分に係合されていることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０８５５】
図５７及び図５８を参照して記載されているような更なる実施形態では、第２の取り外し可能なカプラは、注入ポンプデバイス３０に支持され、注入ポンプデバイス３０のリザーバ受容部３２に少なくとも一部突起している１つ以上の（又は複数の）付勢ボール部材９３０を含む。ボール部材９３０は、キャップ９０４ｄ（又は基部／リザーバ／キャップユニット）を注入ポンプデバイス３０のリザーバ受容部３２内に装着させるとき、キャップ９０４ｄのハウジングの外側表面の１つ以上の溝又はギザギザ部に係合するように配置される（１つの溝は、図５７の９０４ｄ’にて示される）。
【０８５６】
ｈ．付勢ボール部材による圧入ロック
図５７及び図５８の実施形態では、ボール部材９３０は、リザーバ受容部３２の開口端部上の上部リング部材９３２内で支持される。上部リング部材９３２は、以下に限定されないが、溶接、のり、樹脂又は他の接着材料、ネジ山、摩擦嵌合など、任意の好適な取り付け機構で、リザーバ受容部３２に取り付けられてもよい。上部リング部材９３２は、以下に限定されないが、プラスチック、金属、セラミック、複合材料又はこれらの組み合わせなど、任意の好適な硬質材料製であってもよい。特定の実施形態では、図７の実施形態に関して上述のように、上部リング部材９０８は、上部リング部材９４に対応する（又は上部リング部材９４である）。他の実施形態では、ボール部材９３０は、例えば、注入ポンプデバイス３０のリザーバ受容部３２を画定する１つ以上の壁部分内又は壁部分上で、直接注入ポンプデバイス３０のハウジング３３内又は注入ポンプデバイス３０のハウジング３３上に支持される。
【０８５７】
特定の実施形態では、ボール部材９３０は、１つ以上の付勢部材によって、リザーバ受容部３２の内部に向かって（軸Ａに向かって）付勢される。図５７及び図５８の実施形態では、付勢部材９３４は、図５８の断面図に示すように、上部リング部材９３２の内側に支持されたバネを含む。特定の実施形態では、上部リング部材９３２は、ボール部材９３０及び連結された付勢部材９３４が支持されるボール受容部９３６を含む。図５８の実施形態では、受容部９３６は、リザーバ受容部３２（又は軸Ａ）の内側に対する方向で幅が広くなるテーパー形状を有し、ボール部材を受容するテーパー形状の襟部を形成する。
【０８５８】
リップ部９３８は、受容部９３６の内向き端部に提供され、受容部９３６のテーパー状襟部内でボール部材９３０を保持する。ボール部材９３０は、受容部９３６内で保持させるが、ボール部材９３０の一部は、リザーバ受容部３２内部に向かって上部リング部材９３２の外側に延びるように、リップ部９３８に対して付勢部材９３４によって付勢される。特定の実施形態では、ボール部材９３０は、キャップ９０４ｄ（又は基部／リザーバ／キャップユニット）がリザーバ受容部３２内に受容されたとき、キャップ９０４の外側表面に係合し、かつ、溝９０４ｄ’内に受容される十分な距離、リザーバ受容部３２の内部に延出する。
【０８５９】
リップ部９３８に対して付勢されるとき、ボール部材９３０は、受容部９３６のテーパー状表面から離間しているが、好適な力をボール部材の外向き延在させた部分に加えるとき、テーパー状表面に向かって（付勢部材の力に対して）、移動可能である。
【０８６０】
したがって、キャップ９０４ｄ（又は基部／リザーバ／キャップユニット）をリザーバ受容部３２に挿入するとき、ボール部材９３０が係合し、キャップ９０４ｄの溝９０４’に受容されるまで、ボール部材９３０は、キャップ９０４ｄの外側表面に係合し、かつスライドするか、又は沿う。キャップ９０４ｄ（又は基部／リザーバ／キャップユニット）がリザーバ受容部３２内の十分に装着された位置に到達するとき、ボール部材９３０が係合され、溝９０４ｄ’に受容されるように、溝９０４ｄ’及びボール部材９３０は、互いに対して配置される。
【０８６１】
キャップ９０４の外側表面及び溝９０４’の外側に係合するとき、ボール部材９３０は、付勢部材９３４の付勢力に対して押し、更に受容部９３６に移動させる。しかし、ボール部材９３０が溝９０４ｄ’内に受容されたとき、ボール部材は、その延出位置に向かって付勢部材９３４の付勢力を受けて移動する。この行動により、ボール部材９３４の一部を溝９０４ｄ’内に延在させ、リザーバ受容部３２内で装着させた位置にキャップ９０４ｄ（及び基部／リザーバ／キャップユニット）を保持する。リザーバ受容部３２内に装着された位置から、キャップ９０４ｄ（及び基部／リザーバ／キャップユニット）を取り外すには、手動力を加えて、ボール部材９３０上の付勢部材９３４の付勢力を上回り、ボール部材９３０を受容部９３６に更に入れる十分な力で、キャップ９０４ｄをリザーバ受容部３２から外向きに引っ張ることができる。
【０８６２】
図５７及び図５８の実施形態では、ボール部材９３０は、リング部材９３２内で（又はリザーバ受容部３２の一部を形成する壁部内で）環状に延びる１つのボール受容部９３６内に含まれてもよい。他の実施形態では、それぞれのボール部材９３０は、別個の受容部９３６内に含まれてもよい。更なる実施形態では、ボール部材９３０の代わりに他の形状の部材を使用してもよい。
【０８６３】
図５７〜図５８の実施形態では、３つのボール部材９３０を図示している。しかし、任意の好適な数のボール部材９３０を用いてもよい。特定の実施形態では、４、５又は６のいずれかのボール部材９３０を用いる。他の実施形態では、４未満、又は６を超えるボール部材９３０を用いる。加えて、キャップ９０４ｄは、溝９０４ｄ’とキャップ９０４ｄの開口端部との間のキャップ９０４ｄの外側表面に１つ以上の封止部９３９を含めてもよい（図５７に示す１つのＯリング封止部）。封止部（複数可）９３９は、キャップ９０４ｄ（又は基部／リザーバ／キャップユニット）をリザーバ受容部３２内に装着させるとき、リザーバ受容部３２の内側表面に係合し、キャップ９０４ｄと受容部３２の内側表面との間に防湿封止部を提供するように配置される。（本明細書に記載のキャップの他の実施形態としては、封止部９３９に類似した１つ以上の封止部を挙げることもできる。）
【０８６４】
図５７〜図５８を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ９０４ｄ又はリザーバ１（又はその両方）には、上記の１つ以上の検出可能要素４２が提供され、注入ポンプデバイス３０には、上記のように、１つ以上のセンサ素子３４が提供される。
【０８６５】
特定の実施形態では、１つ以上の検出可能要素４２は、ボール部材９３０上又は付勢部材９３４（又はその両方）上に配置される。こうした実施形態では、エレクトロニクス（例えば、エレクトロニクス６０）は、キャップ９０４ｄ（若しくは基部／リザーバ／キャップユニット）の存在の検出若しくは上記のような他の特徴及び情報に加えて又は代替的に、ボール部材（複数可）又は付勢部材（複数可）の相対位置を検出するように構成されてもよい。
【０８６６】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ９０４ｄ（又は基部／リザーバ／キャップユニット）がリザーバ受容部３２内に適切に受容されていないことを判定すること、及び（２）ボール部材（複数可）９３０が溝９０４ｄ’に十分に係合されていないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０８６７】
代替的に又は追加的に、エレクトロニクス６０は、少なくとも一部に以下のうちの１つ以上に基づいて（又は対応して）１つ以上の所定の操作を提供するように構成されてもよい：（１）キャップ９０４ｄ（又は基部／リザーバ／キャップユニット）がリザーバ受容部３２内に適切に受容されていることを判定すること、及び（２）ボール部材（複数可）９３０が溝９０４ｄ’に十分に係合されていることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０８６８】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０８６９】
ｉ．回転式リングロック及び解放
図５９及び６０を参照して記載されているように、更なる実施形態では、第２の取り外し可能なカプラは、リザーバ受容部３２の開口端部に取り付けられた、回転式リング部材９４０を含む。図５９には、注入ポンプデバイス３０のリザーバ受容部３２内で回転させるために取り付けられている回転式リング部材９４０を示す。図６０には、注入ポンプデバイス３０から分離している回転式リング部材９４０を示す。
【０８７０】
回転式リング部材９４０は、注入ポンプデバイス３０に接続されるが、リザーバ受容部３２の軸Ａの周りで回転させるために取り付けられている（及びリザーバ受容部３２に装着させるとき、キャップ９０４ｅ及び基部／リザーバ／キャップユニット）。例えば、回転式リング部材９４０の環状縁部は、リザーバ受容部３２の内壁（又はその壁部に取り付ける上部リング部材）の環状溝内で嵌合し、溝は、回転式リング部材９４０の環状縁部を受容し、注入ポンプデバイス３０に対して、軸Ａの周りでの回転式リング部材９４０の回転が可能となる寸法である。他の実施形態では、回転式リング部材９４０は、他の好適な回転式連結機構によって回転させるために取り付けられてもよい。
【０８７１】
特定の実施形態では、回転式リング部材９４０は、中央開口部９４２の縁部から、外向きに放射状に延びる中央開口部９４２及び１つ以上の（又は複数の）切取り部又はスロット９４３を有する概して環状形状の部分９４１を有するプレートで形成される。図５９及び図６０の実施形態は、回転式リング部材９４０は、環状部分９４１の外縁部から放射状に外向き延びるハンドル又はレバー部分９４４を有する。ハンドル又はレバー部分９４４は、図５９に示すように、注入ポンプデバイス３０において、リザーバ受容部３２の領域にスロット形状（細長い）開口部９４５を介して外向きに延びる。ハンドル又はレバー部分９４４は、ユーザインターフェイスを提供し、ユーザは、ハンドル又はレバー部分９４４を一方の側面又は他方の側面（図５９において、左へ又は右へ）に手動で移動させることによって、注入ポンプデバイス３０に対して、回転式リング部材９４０を手動により回転できるようになる。
【０８７２】
回転式リング部材９４０内の中央開口部９４２は、キャップ９０４ｅの本体部分９０４ｅ’の外法寸法に適合するか又はこれらに対応する寸法であり、軸Ａの方向で、キャップ９０４ｅをリザーバ受容部３２に挿入するとき、本体部分９０４ｅ’を中央開口部９４２に通すことができる。また、キャップ９０４ｅは、キャップ９０４ｅの本体部分から放射状に外向きに延びる１つ以上の（又は複数の）タブ部分９０４ｅ’’を含む。特定の実施形態では、タブ部分９０４ｅ’’の数は、回転式リング９４０内の切取り部又はスロット９４３の数と同じか、又は少ない。
【０８７３】
タブ部分９０４ｅ’’は、キャップ９０４ｅ（又は基部／リザーバ／キャップユニット）をリザーバ受容部３２に挿入するとき、切取り部又はスロット９４３と揃えられ、切取り部又はスロット９４３を介して適合する形状である。また、特定の実施形態では、タブ部分９０４ｅ’’は、リザーバ受容部３２の内側表面（リザーバ受容部３２に取り付けられている上部リング部材の内側表面）において、対応する溝又はスロット９４６に揃えて、嵌合させる。こうした実施形態では、リザーバ受容部３２の内壁の別個の溝又はスロット９４６は、キャップ９０４ｅ（又は基部／リザーバ／キャップユニット）をリザーバ受容部３２に挿入したとき、切取り部又はスロット９４３のそれぞれの異なる１つと連結させ、それぞれの１つ切取り部又はスロット９４３と揃える。タップ部分９０４ｅ’’が、回転式リング９４０内の切取り部又はスロット９４３を通るように、キャップ９０４ｅ（又は基部／リザーバ／キャップユニット）をリザーバ受容部３２に十分に挿入すると、タブ部分９０４ｅ’’は、リザーバ受容部３２の内側表面９４８で停止面又は棚部に隣接する。
【０８７４】
タブ部分９０４ｅ’’（切取り部又はスロット９４３を通す）が停止面又は棚部９４８に配置されるように、キャップ９０４ｅ（又は基部／リザーバ／キャップユニット）をリザーバ受容部３２に十分に挿入させると、回転式リング部材９４０を回転させて、溝又はスロット９４６とずらして、切取り部又はスロット９４３を移動させてもよい。切取り部又はスロット９４３を溝又はスロット９４６とずらして（タブ９０４ｅ’’が溝又はスロット９４６内にあるとき、キャップ９０４ｅは、回転式リング部材９４０によってリザーバ受容部内に保持される。キャップ９０４ｅを解放するために、上記のように、回転式リング部材９４０は、手動により回転させて、切取り部又はスロット９４３を溝又はスロット９４６と揃える。こうして揃えたときに、キャップ９０４ｅ（又は基部／リザーバ／キャップユニット）をリザーバ受容部３２から取り外すとき、タブ９０４ｅが切取り部又はスロット９４３を通って戻るように、キャップ９０４ｅをリザーバ受容部３２から手動により引き出してもよい。
【０８７５】
特定の実施形態では、キャップ９０４ｅの本体部分９０４ｅ’は、リザーバ受容部３２内で表面９４８に対して封止する１つ以上の（又は複数の）封止部材９４７を含む。図５９の実施形態では、タブ９０４ｅ’’とキャップ９０４ｅの開口端部との間のキャップ９０４ｅの本体部分９０４ｅ’の周りに封止部材９４７がＯリングの形態で提供される。封止部材９４７は、係合され、リザーバ受容部３２の内側表面に対して封止を形成するように配置される（例えば、軸Ａに向かって内側に隆起している内側表面９４８）。
【０８７６】
特定の実施形態では、回転式リング部材９４０において、数が切取り部又はスロット９４３の数と同じか、又は以下であるタブ部分（例えば、９０４ｅ’’）を有し、切取り部又はスロット９４３の対応するパターンに配置されるキャップ（例えば、キャップ９０４ｅ）のみ、回転式リング９４０を有するリザーバ受容部３２内に装着させることができる。こうした実施形態では、他のキャップ（図示せず）は、回転式リング部材９４０において、切取り部又はスロット９４３よりも数が多いか、又は異なるパターンで配置される（又はその両方）タブ部分を有し、このため、図５９に示す注入ポンプデバイス３０のリザーバ受容部３２内で嵌合させることができない。しかし、このような実施形態では、１つ以上の他の注入ポンプデバイス（注入ポンプデバイス３０に類似している）には、回転式リング部材（回転式リング部材９４０に類似している）が提供されるが、特定のキャップが特定の注入ポンプデバイス（全てではないが）内に嵌合するように構成されるように、他のキャップ上のタブに対応する数及びパターンの切取り部又はスロット９４３を有する。したがって、特定のユーザに供給されるキャップ９０４ｅは、別のユーザに関連付けられた注入ポンプデバイスではなく、その特定のユーザに関連付けられた注入ポンプデバイス３０に対応するように構成されてもよい。このため、タブ９０４ｅ’’の異なる数及びパターン並びに切取り部又はスロット９４３の数及びパターン（複数の可能な数及びパターン）は、それぞれ異なるユーザ（複数のユーザ）に関連付けられてもよい。
【０８７７】
図５９及び図６０の実施形態は、４つの均等間隔の切取り部又はスロット９４５及び４つの対応する均等間隔のタブ９０４ｅ’’を含み、他の実施形態としては、他の好適な数の切取り部又はスロット９４５及びタブ９０４ｅ’’かつ／又はこれらの他の好適な間隔を含むこともある。
【０８７８】
図６１〜図６３に関して記載されているように、更なる実施形態では、第２の取り外し可能なカプラは、リザーバ受容部３２の開口端部に取り付けられた別の回転式リング部材９５０の形態を含む。図６１には、注入ポンプデバイス３０のリザーバ受容部３２上で回転させるために取り付けられている回転式リング部材９５０を示す。また、図６２には、注入ポンプデバイス３０のリザーバ受容部３２上で回転させるために取り付けられたが、図６１の回転式リング部材９５０の位置に対して１８０度回転させた回転式リング部材９５０を示す。図６３には、注入ポンプデバイス３０から分離し、下面表面（図６０及び図６２で下向きの面）が下向きであることが見える回転式リング部材９５０を示す。
【０８７９】
図６１〜図６３の実施形態では、回転式リング部材９５０は、環状部分９５１を有し、中央開口部９５２は、図６０のリング部材の中央開口部９４３と同様に、キャップ（又は基部／リザーバ／キャップユニット）を通過させることが可能な寸法を有する。加えて、図６０では、回転式リング部材９５０は、ハンドル部分９４４により、リング部材９４０の回転が可能になる方法に類似した方法で、リング部材を手動により回転させるために、ハンドル又はレバー部分９５３を含む。しかし、図６１〜図６３のリング部材９５０は、１つの表面（図６１及び図６２では、表面を下向きに又はリザーバ受容部３２に向かって）に溝又はリブ特徴部９５４を含む。溝又はリブ特徴部９５４は、回転式リング部材９５０の周りに少なくとも一部に延び、部分的らせん体を形成し、溝又はリブ特徴部９５４の第１末端９５４ａは、溝又はリブ特徴部９５４の第２の端部９５４ｂに対して、半径方向に内側（軸Ａにより近い）に位置している。リザーバ受容部で回転させるために回転式リング部材９５０を取り付けるとき（図６１及び６２に示すように）、溝又はリブ特徴部９５４は、リザーバ受容部３２に面する。
【０８８０】
可動ピン又はロック部材９５６は、延出位置（図６１に示す）と後退位置（図６２に示す）との間を移動させるために注入ポンプデバイス３０のハウジング３３により支持される。特定の実施形態では、付勢部材９５７（例えばバネなど）により、延出位置に向かって可動ピン又はロック部材９５６を付勢する。延出位置（図６１）では、可動ロック部材９５６の端部９５６ａは、少なくとも一部リザーバ受容部３２に延びる。後退位置（図６２）では、可動ロック部材９５６の端部９５６ａは、リザーバ受容部３２外で格納される（又は延出位置に対して、リザーバ受容部３２まで延びていない）。
【０８８１】
可動ロック部材９５６は、回転式リング部材９５０の溝又はリブ特徴部９５４と係合する突出部又は延出部９５６ｂを有する。図６１及び６２には、回転式リング部材９５０内の溝９５４に延出しているところの突出部又は延出部９５６ｂが示される。突出部又は延出部９５６ｂ及び溝又はリブ特徴部９５４は、回転式リング部材９５０が回転する（例えば、図６１及び６２に示す位置に対して及び位置間で回転する）とき突出部又は延出部９５６ｂが溝又はリブ特徴部９５４内となるか、又は溝若しくはリブ特徴部９５４に沿っており、かつ、溝若しくはリブ特徴部９５４によって誘導されるように構成される。らせん形状の溝又はリブ特徴部９５４（放射状内側端部９５４ａから放射状外側端部９５４ｂに延出する）であるために、図６１及び６２に示す対応する位置に対して及び対応する位置間で回転式リング部材９５０が回転するとき、可動ロック部材９５６は、図６１及び６２に示す延在位置と後退位置との間を移動する。
【０８８２】
キャップ（又は基部／リザーバ／キャップユニット）をリザーバ受容部３２に装着させ、可動ロック部材９５６が延出位置（図６１）にあるとき、可動ロック部材９５６は、キャップ（又は基部／リザーバ／キャップユニット）上の溝、ギザギザ部又は他の停止面に係合するように構成される。こうした実施形態では、キャップは、キャップ本体の外表面に溝、ギザギザ部又は他の停止面（例えば、以下に限定されないが、図５６のキャップ９０４ｃ内の溝９０４ｃ’に類似した溝又は図５７のキャップ９０４ｄ内の溝９０４ｄ’）を含む。
【０８８３】
したがって、図６１〜６３の実施形態では、キャップ（又は基部／リザーバ／キャップユニット）をリザーバ受容部３２に挿入するために、回転式リング部材９５０を回転させて、可動ロック部材９５６を後退位置（図６２に示す）に格納する。後退位置の可動ロック部材９５６により、キャップ（又は基部／リザーバ／キャップユニット）を回転式リング部材９５０の開口部９５２を介して、かつ少なくとも一部リザーバ受容部３２に挿入してもよい。一旦、キャップ（又は基部／リザーバ／キャップユニット）をリザーバ受容部（例えば、十分に装着された位置）に挿入させると、回転式リング部材９５０は、図６１に示すような位置に回転させて、可動ロック部材９５６を延出位置（図６１に示すような）に移動させてもよい。延出位置では、可動ロック部材９５６は、キャップ上の溝又はギザギザ部に延在し（又は停止面と係合する）、装着位置でキャップ（及び基部／リザーバ／キャップユニット）を保持する。
【０８８４】
キャップ（又は基部／リザーバ／キャップユニット）をリザーバ受容部から取り外すために、回転式リング部材９５０を図６２に示す位置に回転させ、可動ロック部材９５６を後退位置（図６２に示すような）に移動させる。後退位置の可動ロック部材９５６により、手動によりキャップ（（又は基部／リザーバ／キャップユニット）をリザーバ受容部３２から外向きに引くことによって、キャップ（（又は基部／リザーバ／キャップユニット）は、リザーバ受容部３２から引き出してもよい。
【０８８５】
図５９〜図６３を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ９０４ｂ若しくは９０４ｃ又はリザーバ１（又はその両方）には、上記の１つ以上の検出可能要素４２が提供され、注入ポンプデバイス３０には、上記のように、１つ以上のセンサ素子３４が提供される。
【０８８６】
特定の実施形態では、１つ以上の検出可能要素４２は、回転式リング部材９４０又は９５０、タブ９０４ｅ’’上、可動ロック部材９５６又は付勢部材９５７（又はこれらの任意の組み合わせ）上に配置される。こうした実施形態では、エレクトロニクス（例えば、エレクトロニクス６０）は、キャップ（若しくは基部／リザーバ／キャップユニット）の存在の検出若しくは他の特徴及び上記のような情報に加えて又は代替的に、回転式リング部材、タブ、可動ロック部材又は付勢部材の相対位置を検出するように構成されてもよい。
【０８８７】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていないことを判定すること、及び（２）回転式リング部材、可動ロック部材又は付勢部材がロック位置にないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０８８８】
代替的に又は追加的に、エレクトロニクス６０は、少なくとも一部に以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていることを判定すること、及び（２）回転式リング部材、可動ロック部材又は付勢部材がロック位置にあることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０８８９】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０８９０】
ｊ．つまみ解放による爪圧入ロック
図６４〜図６６に関して記載されているように、更なる実施形態では、第２の取り外し可能なカプラは、キャップ９６４上に配置される１つ以上の（又は複数の）ラッチ爪を含み、注入ポンプデバイスのハウジング３３上であるが、リザーバ受容部の外側に位置する１つ以上の対応するリブ、溝、開口部、突起部又は他の停止面構造と係合する。ラッチ爪が停止面構造と係合されるとき、ラッチ爪により、キャップ９６４が注入ポンプデバイス３０のハウジング３３に固定される。こうした実施形態では、キャップ９６４は、注入ポンプデバイス３０上で、停止面構造（複数可）と係合していないラッチ爪（複数可）を選択的に移動させるために、指圧により屈曲させることができる十分な可撓性及び弾性材料（プラスチック又は他の好適な材料）で構成されてもよい。こうした実施形態では、キャップ４を注入ポンプデバイス３０のハウジングに固定するとき、キャップ９６４を圧縮して、キャップ４をハウジング３３から解放してもよい。
【０８９１】
例えば、図６４〜６６の実施形態では、キャップ９６４には、ユーザが手動により、本体部分９６５を圧縮し、本体部分９６５を１つの寸法（圧縮力が指向される寸法）に圧縮することができ、結果として、第２の寸法に拡大する（例えば、一方向に対して実質的に垂直の寸法）ことが可能である十分な可撓性及び弾性である、本体部分９６５が提供される。したがって、例えば、第１の寸法で圧縮力を加えた（図６４のページ内及び外に指向され、図６６の矢印Ｓの方向に指向される）とき、キャップ９６４の本体部分９６５は、第２の寸法に拡大する（目的とする（図６４の右側及び左側に指向し、図６６の矢印Ｅの寸法に指向される）。
【０８９２】
また、図６４〜図６６の実施形態では、キャップ９６４は、キャップ９６４の屈曲本体部分９６５に提供された複数のラッチ爪９６０（図示した実施形態には２つのラッチ爪９６０）を含む。図６４〜図６６には、２つのラッチ爪９６０を示しているが、他の実施形態では、キャップ９６４の内側周りに離間した３つ以上のラッチ爪を有してもよい。図示した実施形態では、ラッチ爪９６０は、以下に限定されないが、成形構造など、１つの一体成形構造として、キャップ本体９６５と共に形成される。他の実施形態では、ラッチ爪９６０は、キャップ本体９６５に連結されている別個の構成要素である。
【０８９３】
図６４〜図６６の実施形態では、キャップ本体９６５は、図６５に示すように、リザーバ受容部３２の端部に及びその外側に（又は上記のように、リザーバ受容部３２の端部に固定されたリング部材上に）嵌合するのに十分に大きい内径を有する開口内部及び開口端部（図６４では、下向きの端部）を有する。リザーバ受容部３２（又はリザーバ受容部３２の上部リング部）の端部に嵌合させたとき、爪９６０は、注入ポンプデバイス３０のハウジング３３上で（又は上部リング部上で）停止面９６２に係合し、キャップ４（又は基部／リザーバ／キャップユニット）を注入ポンプデバイス３０に固定する。
【０８９４】
特定の実施形態では、爪９６０は、停止面９６２上の更なる係合面９６６に係合するように構成される係合面９６３を有する。キャップ９６４の本体９６５の直径（少なくとも、キャップ９６４の開口端部）は、キャップ本体９６５がリザーバ受容部３２の開口端部に配置されるとき、爪部９６０の停止面９６４が停止面９６２の係合面９６６に係合するような寸法とする。一旦係合表面９６３及び９６６が係合されると、キャップ４（又は基部／リザーバ／キャップユニット）をリザーバ受容部３２に対して装着させた位置に向かって移動させるとき、キャップ９６４をリザーバ受容部３２に向かって更に移動させることで、係合面９６６により爪部９６０が半径方向に外向きになる。キャップ４（又は基部／リザーバ／キャップユニット）を装着位置に向かって更に移動させるとき、キャップ９６４の本体９６５が可撓性材料であることにより、係合面９６６の力を受けて、爪部９６０が係合面９６６から離れる（を通る）まで爪部９６０を半径方向に外向きにすることができる。一旦爪部９６０が係合面９６６から離れる（を通る）と、キャップ本体９６５の材料の弾性により、爪部９６０が互いに向かって戻る（又はスナップ留めされる）ように、爪部９６０が配置されるキャップ本体９６５の寸法がわずかに短縮して、停止面９６２の下で注入ポンプデバイス３０のハウジング３３と係合する。この配置では、爪部９６０は、注入ポンプデバイス３０のハウジング３３上でキャップ４を保持する。
【０８９５】
装着させた位置（図６５に示す）から、爪部９６０が配置される寸法において、キャップ本体９６５を拡大させる位置で、キャップ本体９６５に圧縮力を加えることによって、注入ポンプデバイス３０のハウジング３３からキャップ９６４を選択的に取り外し、停止面９６２と係合しないように爪部９６０を選択的に移動させてもよい。特定の実施形態では、キャップ本体５は、圧縮力を加えることができる（矢印Ｓの方向）位置に、表面特徴部９６７を含み、キャップ本体９６５を選択的に拡大して（矢印Ｅの方向）、停止面９６２から爪部９６０を解放することができる。この方法では、キャップ９６４（又は基部／リザーバ／キャップユニット）を注入ポンプデバイス３０のリザーバ受容部３２に選択的に接続するために、比較的取り扱いが容易であり、費用効率が高い接続構造を提供することができる。特定の実施形態では、表面特徴部９６７は、外観上認知可能であるか、又は接触することができる面を提供し、ユーザがキャップ本体９６５に圧縮力を加え、爪部９６０を選択的に移動させる位置を判定する際に役立つ。更なる実施形態では、表面特徴部９６７は、一連の凸部、隆起部、溝若しくはこれらの組み合わせ又はユーザの指とキャップ本体９６５との間（キャップ本体９６５の他の部分に対して）の摩擦を増加させる他の表面特徴部又は添加材料を含めてもよい。
【０８９６】
図６４〜図６６の実施形態では、爪部９６０の係合表面９６３及び９６６の一方又は両方並びに停止面９６２は、テーパー状の面又はスロープ表面（キャップ９６４をリザーバ受容部に装着させるとき軸Ａ若しくは注入ポンプデバイス３０に対するキャップ９６４の運動方向に対してスロープしている）を有し、係合表面９６３及び９６６が係合され、十分な力により共に押し付けられるとき、爪部９６０が半径方向に外向きに移動するのを補助する。加えて、図６５に示すように、キャップ９６４（又は基部／リザーバ／キャップユニット）が装着された位置にあるとき、爪部９６０及び停止面９６２の一方又は両方は、それぞれ、互いに係合する第２の係合表面９６８及び９６９を含むことができる。第２の係合表面９６８及び９６９は、爪部９６０が半径方向に外向きに十分な距離、移動するまで（矢印Ｓの方向にキャップ本体９６５を圧縮することによって）、キャップ９６４が注入ポンプデバイスのハウジング３３から分離しないように構成される。特定の実施形態では、第２の係合表面９６８及び９６９は、軸Ａに実質的に垂直である。他の実施形態では、爪部９６０の係合表面及び停止面９６２は、上記のように、係合し、選択的に係合解除するとき、選択的係合、保持が可能な他の好適な構成を有する。
【０８９７】
図６４〜図６６の実施形態は、上記のうちの１つ以上のいずれかの検出実施形態（磁気検出、誘導検出、ＲＦ検出、機械的検出及び光学的検出）と共に使用してもよい。こうした実施形態では、キャップ９６４は、上記の１つ以上の検出可能要素４２が提供され、注入ポンプデバイス３０には、上記のように、１つ以上のセンサ素子３４が提供される。
【０８９８】
特定の実施形態では、１つ以上の検出可能要素４２は、爪部９６０に配置される。こうした実施形態では、エレクトロニクス（例えば、エレクトロニクス６０）は、キャップ（若しくは基部／リザーバ／キャップユニット）の存在の検出若しくは上記のような他の特徴及び情報に加えて又は代替的に、爪部９６０の相対位置を検出するように構成されてもよい。
【０８９９】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていないことを判定すること、及び（２）爪部９６０がロック位置（又はキャップが装着された位置）にないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０９００】
代替的に又は追加的に、エレクトロニクス６０は、少なくとも一部に以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていることを判定すること、及び（２）爪部９６０がロック位置（又はキャップが装着された位置）にあることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０９０１】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０９０２】
ｋ．拡張式リング部材による圧入ロック
図６７〜図６８に関して記載されているように、更なる実施形態では、第２の取り外し可能なカプラは、注入ポンプデバイス３０のリザーバ受容部３２内又はその上に（又は本明細書に記載されるように、リザーバ受容部３２に取り付けられた上部リング部材内又はその上に）配置される拡張式リング部材９７０を含む。キャップ９７４（又は基部／リザーバ／キャップユニット）を注入ポンプデバイス３０のリザーバ受容部３２内に移動させるとき、拡張式リング部材９７０は、キャップ９７４（又は基部／リザーバ／キャップユニット）上の係合特徴部９７２によって係合するように配置される。こうした実施形態では、キャップ９７４（又は基部／リザーバ／キャップユニット）を、装着位置に向かってリザーバ受容部３２内に移動させるとき、拡張式リング部材９７０を拡張して、キャップ９７４上の係合特徴部９７２をリング部材９７０内の間隙９７３を介して移動させ、リング部材９７０から離れさせる（通過させる）ことができる。一旦係合特徴部９７２をリング部材９７０内の間隙９７３を介して離れさせる（を通過する）と、リング部材９７０は、元の（拡張していない）状態に戻り、係合特徴部９７２が間隙９７３を介して通過しないようにし、リザーバ受容部３２内でキャップ９７４（又は基部／リザーバ／キャップユニット）を保持する。
【０９０３】
図６７〜図６８の実施形態では、拡張式リング部材９７０は、概して環状形状を有し、２つの端部９７０ａと９７０ｂとの間に間隙９７３が提供される。リング部材９７０は、弾性的拡張性である材料で製造され、リング部材９７０の２つの端部９７０ａ及び９７０ｂに対して、２つの端部９７０ａ及び９７０ｂを離れて広げる方向に十分な力を加えたとき、第１の状態から拡張させて、第１の状態に対して間隙９７３を更に開く（間隙９７３の幅が増大する）ことができる。加えて、力をリング部材９７０の２つの端部９７０ａ及び９７０ｂから解放したとき、リング部材９７０は、その第１の状態（拡張していない状態）に戻るように十分に弾性である。リング部材９７０は、本明細書に記載されるように、以下に限定されないが、バネ金属又は他の金属、プラスチック性材料、セラミック性材料又は複合材料、又はこれらの任意の組み合わせなど、拡張及び短縮するにあたって十分に可撓性及び弾性である任意の好適な材料製であってもよい。
【０９０４】
リング部材９７０は、リザーバ受容部３２内に保持され、特定の実施形態では、リザーバ受容部３２の内側表面（又はリザーバ受容部の上端に取り付けられた上部リング部材）に固定される。リング部材９７０は、任意の好適な固定機構によって注入ポンプデバイス３０のハウジング３３（又は上部リング部材）により固定されてもよく、特定の実施形態では、注入ポンプデバイス３０のハウジング３３に、キー型により合わせて、ハウジング３３に対してリング部材９７０が回転しないようにする。図示した実施形態では、リング部材９７０は、注入ポンプデバイス３０のハウジング３３内の対応する形状のキースロット又はギザギザ部９７８内に嵌合するキー型タブ又は突出部９７６を含み、リング部材９７０が回転しないようにする。他の実施形態では、キー型タブ及びキースロットの配置は、キー型タブがハウジング３３上に、キースロットがリング部材９７０上になるように逆である。他の実施形態では、他の好適なキー型係合特徴部がリング部材９７０及び注入ポンプデバイス３０のハウジング３３に提供され、リング部材９７０が回転しないようにする。
【０９０５】
図６７の実施形態では、キャップ９７４の係合特徴部９７２は、キャップハウジング９７５の表面から外向きに突出している突出部を含む。係合特徴部９７２の突出部は、比較的小さな幅を有するか、又はキャップ９７４の開口端部に向かって端部が尖っており、かつキャップ９７４のポート６端部に対して幅が広いテーパー状部位９７２ａ（図６７のキャップ９７４の下端）を含む。図示した実施形態では、テーパー状部位９７２ａは、三角形又は矢じり様形状を有する。また、図示した実施形態において、係合特徴部９７２の突出部は、概してテーパー状部位９７２ａからキャップ９７４のポート６端部に対して拡大する直線部分９７２ｂを含む。概して、直線部分９７２ｂは、テーパー状部位９７２ａの最も小さい幅又は尖っている端部を超え、かつ、テーパー状部位９７２ａの最も広い幅の端部よりも小さい幅寸法を有する。特定の実施形態では、係合特徴部９７２は、例えば、以下に限定されないが成形構造など、１つの一体化構造として、キャップ９７４の本体９７５の他の部位と共に形成される。他の実施形態では、係合特徴部９７２は、キャップ９７４の本体９７５に取り付けられる別個の構成要素である。
【０９０６】
キャップ９７４（又は基部／リザーバ／キャップユニット）を、装着位置に向かってリザーバ受容部３２内に移動させるとき、係合特徴部９７２のテーパー状部位９７２ａは、間隙９７３に嵌合するか、又は間隙９７３を介して嵌合するように構成される。テーパー状部位９７２ａのテーパー形状は、テーパー状部位９７２ａを間隙９７３と揃える（また、適切な装着アライメント位置のキャップ９７４又は基部／リザーバ／キャップユニットを注入ポンプデバイス３０と揃える）ために役立つ。テーパー状部位９７２ａの最も幅が広い端部（キャップ４のポート６端部に近い端部）は、テーパー状部位９７２ａが間隙９７３を通過した後、リング部材９７０と係合する停止面９７２ｃを有する。停止面９７２ｃは、リング部材９７０と係合するとき、キャップ９７４（又は基部／リザーバ／キャップユニット）がリザーバ受容部３２から外れないようにする。テーパー状部位９７２ａが間隙９７３を通過するとき、係合特徴部の直線部分９７２ｂは、間隙９７３内に配置され、かつ、リング部材９７０に対して（このため、注入ポンプデバイス３０に対する）、キャップ９７４（及び基部／リザーバ／キャップユニット）の回転を阻止する。
【０９０７】
図６７〜図６８の実施形態では、間隙９７３のいずれかの側面の端部９７０ａ及び９７０ｂは、軸Ａ方向に対してテーパー状になっているか、又はスロープしている。図６７〜図６８に示すように、テーパー状になっているか又はスロープしている端部９７０ａ及び９７０ｂは、第１の幅ｄ１及び第２の幅ｄ２を有する間隙９７３を形成し、第１の幅ｄ１は、更にリザーバ受容部３２内に位置し、第２の幅ｄ２よりも小さい。テーパー状になっているか、スロープしている端部９７０ａ及び９７０ｂは、キャップ９７４上の係合特徴部９７２をギャップ９７４に揃えるのを更に補助し、また、係合特徴部９７２が間隙９７３を介して通過するとき、キャップ９７４（又は基部／リザーバ／キャップユニット）の軸Ａの装着方向の直線運動をリング部材９７０を拡大する力に転換するのを補助する。
【０９０８】
特定の実施形態では、間隙９７３を選択的に拡大するために、リング部材９７０には、１つ以上のアーム又はレバー（図示せず）又はユーザが手動操作可能な他の特徴部が提供される。こうした実施形態では、係合特徴部９７２をリング部材９７０内の間隙９７３を介して通過させるように、一旦キャップ９７４（又は基部／リザーバ／キャップユニット）をリザーバ受容部３２に装着させると、リング部材９７０を選択的に拡大して（アーム又はレバー上での手動力により）、キャップ９７４をリザーバ受容部３２から外向きに手動により引っ張ることができ、キャップ９７４（又は基部／リザーバ／キャップユニット）をリザーバ受容部３２から取り外すことができる。
【０９０９】
図６７〜図６８を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ９７４は、上記の１つ以上の検出可能要素４２が提供され、注入ポンプデバイス３０には、上記のように、１つ以上のセンサ素子３４が提供される。
【０９１０】
特定の実施形態では、１つ以上の検出可能要素４２は、リング部材９７０又は係合特徴部９７２（又はその両方）上に配置される。こうした実施形態では、エレクトロニクス（例えば、エレクトロニクス６０）は、キャップ（若しくは基部／リザーバ／キャップユニット）の存在の検出若しくは上記のような他の特徴及び情報に加えて又は代替的に、リング部材９７０又は係合特徴部９７２の相対位置を検出するように構成されてもよい。
【０９１１】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていないことを判定すること、及び（２）リング部材９７０又は係合特徴部９７２がロック位置（又はキャップが装着された位置）にないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０９１２】
代替的に又は追加的に、エレクトロニクス６０は、少なくとも一部に以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていることを判定すること、及び（２）リング部材９７０又は係合特徴部９７２がロック位置（又はキャップが装着された位置）にあることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０９１３】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０９１４】
ｌ．スロット及びタブ接続機構
図６９〜図７１に関して記載されているように、更なる実施形態では、第２の取り外し可能なカプラは、注入ポンプデバイス３０のリザーバ受容部３２の内部に保持され、リザーバ受容部３２の開口端部に隣接している圧縮式リング部材９８０を含む。図示した実施形態では、圧縮式リング部材９８０は、リザーバ受容部３２の内側表面に提供された環状の溝又はノッチ９８１内で嵌合される。圧縮式リング部材９８０は、非圧縮状態（図６９に示す）及び圧縮状態（図７０に示す）を有する。非圧縮状態（図６９）では、圧縮式リング部材９８０は、キャップ９８４（又は基部／リザーバ／キャップユニット）をリザーバ受容部３２内に装着させるか、又はリザーバ受容部３２から引き出すとき、キャップ９８４（又は基部／リザーバ／キャップユニット）の少なくとも一部が通過する中央開口部９８０ａを含む。圧縮式リング部材９８０は、以下に限定されないが、弾性圧縮ゴム、シリコーンゴム又はプラスチック材料など任意の好適な圧縮可能材料製であってもよい。
【０９１５】
上部リング部材９８２は、リザーバ受容部３２の開口端部に嵌合するように構成され、例えば、リザーバ受容部３２の開口端部に隣接して、注入ポンプデバイス３０のハウジング３３の外側表面に固定する、ネジ山９８３（又は他の好適な接続構造）を含む。上部リング部材９８２は、以下に限定されないが、概して硬質のプラスチック、金属、セラミック、木材又は複合材料又はこれらの任意の組み合わせなど、任意の好適な硬質材料製であってもよい。キャップ９８４（又は基部／リザーバ／キャップユニット）をリザーバ受容部３２内に装着させるか、又はリザーバ受容部３２から引き出すとき、上部リング部材９８２は、キャップ９８４（又は基部／リザーバ／キャップユニット）の少なくとも一部が通過する中央開口部９８２ａを含む。また、上部リング部材９８２は、中央開口部９８２ａを取り囲み、圧縮式リング部材９８０の少なくとも一部で重なり合い、かつ隣接する棚部又はリップ部分９８２ｂを含む。
【０９１６】
上部リング部材９８２のネジ山９８３は、リザーバ受容部３２の開口端部の周りに、注入ポンプデバイス３０のハウジング３３の外側表面で対応するネジ山９８６に螺合するように配置される。したがって、上部リング部材９８２は、注入ポンプデバイス３０のハウジング３３に（ネジ山９８３及び９８６又は他の好適な接続構造を介して）固定し、リザーバ受容部３２の溝又はノッチ９８１内で圧縮式リング部材９８０を保持するのに役立つ。更に、本明細書に記載されるように、上部リング部材９８２は、軸Ａの周りで第１の方向に回転させ、更にハウジング３３に選択的にネジ切りし、上部リング部材９８２の隆起部又はリップ部９８２ｂと、リザーバ受容部３２内の溝又はノッチ９８１との間で圧縮式リング部材９８０を選択的に圧縮してもよい。この状態から、上部リング部材９８２は、第１の方向と反対側の第２の方向に軸Ａの周りで回転させて、選択的に圧縮式リング部材９８０の圧縮を戻してもよい。
【０９１７】
圧縮式リング部材９８０が非圧縮状態にあるとき（図６９に示すように）、圧縮式リング部材９８０の中央開口部９８０ａは、キャップ９８４（及び基部／リザーバ／キャップユニット）を少なくとも一部、中央開口部９８０ａを介して通過させ、キャップ９８４（又は基部／リザーバ／キャップユニット）をリザーバ受容部３２に装着させるか、又はリザーバ受容部３２から引き出すことができる十分な大きさ（例えば、キャップ９８４及び基部／リザーバ／キャップユニットの外径より大きい）の直径を有する。非圧縮状態では、圧縮式リング部材９８０及び上部リング部材９８２において、中央開口部９８０ａ及び９８２ａを介してキャップ（又は基部／リザーバ／キャップユニット）をキャップ９８４の本体９８５の一部が圧縮式リング部材９８０に横方向に隣接する位置まで通過させることによって、キャップ９８４（又は基部／リザーバ／キャップユニット）をリザーバ受容部３２に移動させてもよい。次に、上部リング部材９８２を、圧縮式リング部材９８０を軸Ａ方向に圧縮する方向に回転させる。
【０９１８】
圧縮式リング部材９８０が圧縮状態にあるとき（図７０に示すように）、圧縮式リング部材９８０は、軸Ａ方向に圧縮されるが、軸Ａに向かって内側に拡大し、中央開口部９８０ａの直径が減少する。注入ポンプデバイス３０のハウジング３３に十分な量の上部リング部材９８２のねじ切りを行うことによって、上部リング部材９８２は、圧縮式リング部材９８０を圧縮して、キャップ９８４（又は基部／リザーバ／キャップユニット）をリザーバ受容部３２内で保持するように十分な力でリング部材９８０をキャップ本体９８５の外側表面に係合させ、かつ隣接させる量、中央開口部９８０ａの直径を減少させる（図７０に示すように）。
【０９１９】
特定の実施形態では、上部リング部材９８２及び圧縮式リング部材９８０の一方又は両方にはそれぞれ、キャップ９８４の本体９８５上に対応する１つ以上の（又は複数の）タブ又は突出部９８９を受容する形状及びサイズを有する１つ以上（又は複数）のノッチ又はスロット９８８及び９８７が提供される。図示した実施形態では、上部リング部材９８２及び圧縮式リング部材９８０は、それぞれ２つのスロットを有し、キャップ９８４は、２つの対応するタブ９８９を有する。他の実施形態では、３つ以上のスロット及びタブは、それぞれの構成部品に提供されてもよい。更に他の実施形態では、スロットがキャップ９８４の本体９８５上にあり、かつ、タブ又は突起部は、上部リング部材９８２及び圧縮式リング部材９８０上にあるように、スロット及びタブの位置は逆である。リザーバ受容部３２内においてキャップ９８４（又は基部／リザーバ／キャップユニット）を装着する又はリザーバ受容部３２からキャップ９８４（又は基部／リザーバ／キャップユニット）を取り外す間、スロット及びタブは、軸Ａに対する所定の回転位置において、キャップ９８４（及び基部／リザーバ／キャップユニット）を揃えるのに役立つ。したがって、キャップ９８４（又は基部／リザーバ／キャップユニット）をリザーバ受容部３２内に装着させるとき、スロット及びタブは、軸Ａに対する適切な回転配向又は角度付き配向において、キャップ９８４（及び基部／リザーバ／キャップユニット）を配向して配置されてもよい。
【０９２０】
図７２及び図７３を参照して記載されているような更なる実施形態では、第２の取り外し可能なカプラは、例えば、本明細書に記載の他の上部リング部材が注入ポンプデバイスに取り付けられている方法に類似の方法又は他の好適な方法で、注入ポンプデバイス３０のリザーバ受容部３２の開口端部に取り付けられた上部リング部材９９０を含む。キャップ９９４（又は基部／リザーバ／キャップユニット）をリザーバ受容部３２内に装着させるか、又はリザーバ受容部３２から引き出すとき、上部リング部材９９０は、キャップ９９４（又は基部／リザーバ／キャップユニット）の少なくとも一部が通過する中央開口部９９０ａを含む。上部リング部材９９０は、以下に限定されないが、概して硬質のプラスチック、金属、セラミック、木材又は複合材料又はこれらの任意の組み合わせなど、任意の好適な硬質材料製であってもよい。
【０９２１】
図７２の実施形態では、キャップ９９４（又は基部／リザーバ／キャップユニット）を少なくとも一部、上部リング部材９９０の中央開口部９９０ａを介して通過させるとき、上部リング部材９９０は、キャップ９９４の本体９９５上に対応する１つ以上の（又は複数の）タブ又は突出部９９１を受容する形状及びサイズを有する、それぞれ、１つ以上（又は複数）のノッチ又はスロット９９０ｃが提供された隆起部又はリップ部分９９０ｂを有する。図示した実施形態では、上部リング部材９９０は、２つのスロットを有し、キャップ９９４は、２つの対応するタブ９９１を有する。他の実施形態では、３つ以上のスロット及びタブは、それぞれの構成部品に提供されてもよい。
【０９２２】
図７２の実施形態では、リザーバ受容部３２の内壁部を画定する注入ポンプデバイス３０のハウジング３３の一部には、環状棚部９９６と、環状棚部９９６を通って、環状の棚部９９６の下のリザーバ受容部３２の内壁部まで延びる１つ以上の（又は複数の）チャネル９９７とが提供される。環状棚部９９６は、軸Ａの周りに延出し、ハウジング３３の上部縁部の一部としてリザーバ受容部に形成されてもよいか、又はハウジング３３の上部縁部の下のリザーバ受容部３２の内壁上に更なる表面特徴部として形成されてもよい。図７２の実施形態では、２つのチャネル９９７が提供される（１つは図示し、他方は見えないが、注入ポンプデバイス３０のハウジング３３を介して見えるように破線で示す）。他の実施形態では、３つ以上のチャネル９９７が提供されてもよい。
【０９２３】
リザーバ受容部３２内でキャップ９９４（又は基部／リザーバ／キャップユニット）を装着させるには、キャップ９９４（又は基部／リザーバ／キャップユニット）を上部リング部材９９０内の開口部９９０を介して、軸Ａ方向に沿って移動させる。軸Ａの方向に沿ってキャップ９９４を移動させるとき、手動により、軸Ａの周りでキャップ９９４を回転させ、タブ９９１がスロット９９０ｃを介して通過するように、キャップ９９４上のタブ９９１と上部リング部材９９０内のスロット９９０ｃとを揃える。一旦タブ９９１がスロット９９０ｃを介して通過すると、タブ９９１は棚部９９６に係合し、タブ９９１がチャネル９９７の開口端部と揃うまでキャップ９９４がリザーバ受容部３２に更に移動することはない。より具体的には、一旦タブが棚部９９６に係合されると、キャップ９９４を手動により回転させ、軸Ａの周りで手動により更に回転させ、タブは棚部９９６の頂部に沿って、タブ９９１とチャネル９９７の開口端部とを揃える。特定の実施形態では、タブ９９１によって係合させ、軸Ａの周りの一方向でのキャップ９９４（又は基部／リザーバ／キャップユニット）の更なる回転運動を停止するために棚部９９６に沿った１つ以上の位置に１つ以上の突出部、壁部又は他の特徴部９９８が提供される。停止特徴部（複数可）９９８は、一方向の更なる回転を阻止し、ユーザがタブ９９１とチャネル９９７の開口端部とを揃える補助を行う。
【０９２４】
一旦タブ９９１とチャネル９９７の開口端部とを揃えると、キャップ９９４（又は基部／リザーバ／キャップユニット）を軸Ａの方向に、更にリザーバ受容部３２内に、十分に装着させた位置に向かって手動により移動させる。図７２に示すように、チャネル９９７は、それらの開口端部から下向きに、更にリザーバ受容部３２に、かつ、一部は軸Ａの周りに延出する。したがって、キャップ９９４（及び基部／リザーバ／キャップユニット）を一部軸Ａの周りで回転させ、かつ装着位置に対して移動させるとき、タブ９９１は、チャネル９９７に追従して下向きに、かつ一部軸Ａの周りになる。
【０９２５】
タブ９９１がチャネル９９７の下端に到達するとき、キャップ９９４（及び基部／リザーバ／キャップユニット）は、リザーバ受容部３２内の十分に装着された位置にある。特定の実施形態では、チャネル９９７の下端は、タブ９９１によって係合される更なるくぼみ部又は停止面を含み、タブ９９１がチャネル９９７の下端部に到達すると、ユーザに触覚フィードバックを提供し、タブ９９１がチャネル９９７の下端に到達したこと（及びキャップ９０４又は基部／リザーバ／キャップユニットが十分に装着された位置にあること）を示す。
【０９２６】
十分に装着された位置から、チャネル９９７の開口端部に向かって、タブ９９１によりチャネル９９７を追従する方向に、軸Ａの周りで手動によりキャップ９９４を回転させ、同時にキャップ９９４をリザーバ受容部３２から外向きに引っ張ることによって、キャップ９９４（及び基部／リザーバ／キャップユニット）をリザーバ受容部から取り外してもよい。タブ９９１がチャネル９９７の開口端部に到達すると、軸Ａの周りで更に手動によりキャップ９９４を回転させて、タブ９９１とスロット９９０ｃとを揃える。一旦タブ９９１とスロット９９０ｃとが揃うと、キャップ９９４をリザーバ受容部３３２から外向きに更に引っ張ることにより、キャップ９９４（及び基部／リザーバ／キャップユニット）を上部リング部材９９０内の開口部９９０ａを介して、リザーバ受容部３３２から引き出す。
【０９２７】
図７２の実施形態では、タブ９９１は、キャップ９９４の開口端部の下（図７２の下端）に、キャップ９９４の本体９９５から延出する脚部９９９に配置されてもよい。脚部９９９は、キャップ９９４の開口端部から十分な距離で、タブ９９１に位置し、リザーバ受容部３２内でチャネル９９７を係合し（上部リング部材９９０の下）、キャップ９９４（又は基部／リザーバ／キャップユニット）の一部は、上部リング部材９９０の開口部９９０ａから外向きに延びる。
【０９２８】
他の実施形態では、脚部９９９は省略され、タブ９９１は、キャップ９９４の本体９９５に配置される。こうした実施形態では、チャネル９９７は、上部リング部材９９０に配置されてもよく（注入ポンプデバイス３０のハウジング３３の代わりに）、図７３に示すように、上部リング部材９９０のリップ部９９０ｂは省略してもよい。
【０９２９】
図７２及び図７３の実施形態では、チャネル９９７の開口上端部は、テーパー状であるか、又はチャネルの他の部分より幅が広く張り出している。チャネル９９７のテーパー状であるか、又は張り出している上端部は、リザーバ受容部３２内でキャップ９９４（又は基部／リザーバ／キャップユニット）を装着する間、ユーザがタブ９９１とチャネルの開口端部とを揃えるのに役立つ。
【０９３０】
図６９〜図７３を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ９８４又は９９４は、上記の１つ以上の検出可能要素４２が提供され、注入ポンプデバイス３０には、上記のように、１つ以上のセンサ素子３４が提供される。
【０９３１】
特定の実施形態では、１つ以上の検出可能要素４２は、タブ９８９、圧縮式リング部材９８０又は上部リング部材９８２上に配置される。こうした実施形態では、エレクトロニクス（例えば、エレクトロニクス６０）は、キャップ（若しくは基部／リザーバ／キャップユニット）の存在の検出若しくは上記のような他の特徴及び情報に加えて又は代替的に、タブ９８９、圧縮式リング部材９８０又は上部リング部材９８２の相対位置を検出するように構成されてもよい。
【０９３２】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていないことを判定すること、及び（２）タブ９８９、圧縮式リング部材９８０又は上部リング部材９８２がロック位置（又はキャップが装着された位置）にないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０９３３】
代替的に又は追加的に、エレクトロニクス６０は、少なくとも一部に以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていることを判定すること、及び（２）タブ９８９、圧縮式リング部材９８０又は上部リング部材９８２がロック位置（又はキャップが装着された位置）にあることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０９３４】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０９３５】
ｍ．バネ接続
図７４及び図７５を参照して記載されているような更なる実施形態では、第２の取り外し可能なカプラは、注入ポンプデバイス３０のハウジング３３に支持され、リザーバ受容部３２内で少なくとも一部延びるように配置される１つ以上の（又は複数の）可動部材１０００を含む。図７４の実施形態には、２つの可動部材１０００を含む。他の実施形態には、リザーバ受容部３２内で軸Ａの周りに配置された３つ以上の可動部材１０００を含む。それぞれの可動部材１０００は、リザーバ受容部の内壁部分上又はその中に支持され、リザーバ受容部３２の中央に向かって（軸Ａに向かって）、付勢部材１００２によって付勢される。特定の実施形態では、付勢部材１００２は、可動部材１０００と注入ポンプデバイス３０のハウジング３３の一部との間に配置される以下に限定されないが、コイルバネ、板バネなどのバネである。それぞれの可動部材１０００は、ピン又はペレット形状（又は他の好適な形状）を有する剛体で構成されてもよく、以下に限定されないが、プラスチック、金属、セラミック、木材、複合材料又はこれらの任意の組み合わせなど、任意の好適な硬質材料から作製されてもよい。
【０９３６】
図示した実施形態では、それぞれの可動部材１０００は、リザーバ受容部３２の内壁部分の溝、窪部又はギザギザ部１００３内に配置される。図示した実施形態では、注入ポンプデバイスのハウジング３３内に溝、窪部又はギザギザ部１００３が提供される。他の実施形態では、溝、窪部又はギザギザ部１００３（及び可動部材１０００及び付勢部材１００２）は、例えば、本明細書に記載の他の上部リング部材をハウジング３３に接続する類似の方法で、リザーバ受容部３２にてハウジング３３の上端に接続される上部リング部材（図示せず）に配置される。
【０９３７】
それぞれの可動部材１０００は、キャップ１００４（又は基部／リザーバ／キャップユニット）を軸Ａ方向にリザーバ受容部３２に移動させるとき、キャップ１００４の本体１００５の外側表面上で可撓性バネ部材１００６に係合し、接触するように配置される。可撓性バネ部材１００６は、キャップ本体１００５に接続され、傾くか、又は外側に広がりながら、キャップ１００４の開口端部（図７４及び図７５の下端部）から離れるように延びる。特定の実施形態では、単一のバネ部材１００６は、キャップ本体１００５の周りに（軸Ａの周りに）延出し、リザーバ受容部３２（及び軸Ａ）に対して、キャップ１００４（及び基部／リザーバ／キャップユニット）の任意の回転位置で、可動部材１０００に係合する。他の実施形態では、複数の可動部材１０００の数及び位置に対応する複数のバネ部材１００６は、キャップ１００４（又は基部／リザーバ／キャップユニット）を軸Ａ方向にリザーバ受容部３２に移動させるとき、キャップ本体１００５の外周周りに配置され、対応する複数の可動部材１０００に係合する。
【０９３８】
特定の実施形態では、それぞれの対の２つのバネ部材１００６が互いに対して軸Ａの反対側に配置されるように、バネ部材１００６の１つ以上の対がキャップ本体１００５に配置される。こうした実施形態では、所与の対の２つのバネ部材１００６は、リザーバ受容部内でのキャップ１００４（又は基部／リザーバ／キャップユニット）の安定性の保持に役立つように、反対方向へ放射状に指向されたバネ力を付与する。更に他の実施形態では、それぞれ異なるキャップ１００４は、他のキャップ１００４に対して、バネ部材１００６の異なる配置を有し（例えば、キャップ本体１００５上の数又は位置パターンが異なる）、異なる特性に対応する異なる特徴部を有する他の実施形態に関して上述のように、異なる配置は、キャップ１００４（又は基部／リザーバキャップユニット又はそこへ接続される注入セット）の異なるそれぞれの特性に対応する。
【０９３９】
図７４及び図７５の実施形態では、キャップ１００４（又は基部／リザーバ／キャップユニット）をリザーバ受容部３２に挿入し、装着させた位置に対して軸Ａ方向に移動させるとき、リザーバ受容部３２内の可動部材１０００は、キャップ１００４上の屈曲バネ１００６に係合する。キャップ１００４（又は基部／リザーバ／キャップユニット）は、装着された位置に対して、リザーバ受容部に更に移動させるとき、可動部材１０００をバネ部材（複数可）１００６に対して押し付け、バネ部材（複数可）１００６を、可動部材１０００を通過して移動させるまで、キャップ本体１００５に向かって外向きに延出するバネ部材（複数可）の張り出し端部（複数可）を押し込む。キャップ１００４（又は基部／リザーバ／キャップユニット）がリザーバ受容部３２内の十分に装着させた位置に移動させたとき、キャップ本体１００５のバネ部材（複数可）１００６は、可動部材１０００を通過して移動させ、バネ部材（複数可）１００６は、図７５に示すような、押し付けられていない状態に戻る。この状態では、可動部材１０００は、任意の位置に対して、バネ部材（複数可）１００６上で外向きに付勢され（付勢部材１００２によって）、バネ部材（複数可）１００６に係合し、リザーバ受容部３２からキャップ（又は基部／リザーバ／キャップユニット）を引き出す方向にキャップ１００４（又は基部／リザーバ／キャップユニット）が移動しないようにする。
【０９４０】
装着させた位置から、キャップ１００４（又は基部／リザーバ／キャップユニット）は、可動部材１０００を半径方向に外向きに、バネ部材（複数可）１００６が可動部材１０００付近を通過できる十分な距離分選択的に移動させることによって、リザーバ受容部３２から外向きに、軸Ａ方向に、キャップ１００４を引っ張るために手動力を加え、リザーバ受容部から選択的に引き出してもよい。特定の実施形態では、可動部材１０００を放射状に外向きに選択的に移動させるための機構が注入ポンプデバイス３０のハウジング３３内に提供され、こうした機構としては、これらに限定するものではないが、付勢部材１００２上の磁気又は電磁石ソレノイド、手動による可動レバー、又は他の好適な機構を挙げることができる。
【０９４１】
可動部材１０００は、リザーバ受容部の開口端部（図７４及び図７５において上向き）に対して向かっている第１の表面、リザーバ受容部３２の内側に向かっている第２の表面（図７４及び図７５において下向き）により構成される。特定の実施形態では、可動部材１０００の第１の表面は、テーパー状であるか、スロープしているか又は湾曲しており（軸Ａに対して１つ以上の傾斜角を形成している）、キャップ１００４（又は基部／リザーバ／キャップユニット）をリザーバ受容部３２に対して軸Ａ方向に移動させるとき、バネ部材（複数可）１００６を可動部材に係合させ、かつ半径方向に外向きに移動させる能力を向上させる。更なる実施形態では、可動部材１０００の第２の表面は、概して、軸Ａに垂直であり（又は、別の好適な形状を有する）、キャップ１００４（又は基部／リザーバ／キャップユニット）が十分に装着された位置にあるとき（図７５に示すような）、バネ部材（複数可）１００６が可動部材１０００を通過して移動しないようにする。
【０９４２】
特定の実施形態では、１つ以上の封止部材１００８は、キャップ１００４上、例えば、キャップ本体１００５の外周周りに、キャップ本体１００５の開口端部に隣接して提供される。こうした実施形態では、キャップ１００４（又は基部／リザーバ／キャップユニット）をリザーバ受容部３２に装着させるとき、１つ以上の封止部材１００８は、リザーバ受容部３２の内側表面に対して接触し、かつ封止するように構成される。封止部材１００８は、以下に限定されないが、Ｏリング又は本明細書に記載されるような封止材料のバンドなど、任意の好適な封止構造であってもよい。
【０９４３】
図７４〜図７５を参照して記載された実施形態は、上記の検出実施形態（磁気検出、誘導検出、ＲＦ検出、機械的検出、光学的検出及び電気接点式検出）のうちの１つ以上のいずれかと共に使用してもよい。こうした実施形態では、キャップ１００４は、上記の１つ以上の検出可能要素４２が提供され、注入ポンプデバイス３０には、上記のように、１つ以上のセンサ素子３４が提供される。
【０９４４】
特定の実施形態では、１つ以上の検出可能要素４２は、タブ９９１、脚部９９９、可動部材１０００、付勢部材１００２又はバネ部材１００６に配置される。こうした実施形態では、エレクトロニクス（例えば、エレクトロニクス６０）は、キャップ（若しくは基部／リザーバ／キャップユニット）の存在の検出若しくは上記のような他の特徴及び情報に加えて又は代替的に、タブ９９１、脚部９９９、可動部材１０００、付勢部材１００２又はバネ部材１００６の相対位置を検出するように構成されてもよい。
【０９４５】
こうした実施形態では、注入ポンプデバイス内のエレクトロニクス６０は、少なくとも一部、以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていないことを判定すること、及び（２）タブ９９１、脚部９９９、可動部材１０００、付勢部材１００２又はバネ部材１００６がロック位置（又はキャップが装着された位置）にないことを判定すること。このような所定の操作としては、以下に限定されないが、１つ以上のポンプ操作を停止又は阻止すること、限定されたポンプ操作のみ可能にすること、警告メッセージを提供すること、及び検出を示すデータを記録することが挙げられる。
【０９４６】
代替的に又は追加的に、エレクトロニクス６０は、少なくとも一部に以下のうちの１つ以上に基づいて（又は対応して）１つ以上の所定の操作を提供するように構成されてもよい：（１）キャップ（又は基部／リザーバ／キャップユニット）がリザーバ受容部３２内に適切に受容されていることを判定すること、及び（２）タブ９９１、脚部９９９、可動部材１０００、付勢部材１００２又はバネ部材１００６がロック位置（又はキャップが装着された位置）にあることを判定すること。このような所定の操作は、以下に限定されないが、ポンプ操作が可能になること、又は提供されること、所定のポンプ運転が可能になること、所定のメッセージを提供すること、及び検出を示すデータを記録することのうちの１つ以上を含む。
【０９４７】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０９４８】
ｎ．バネ式リザーバ又はキャップによる押込嵌め
本明細書に記載の実施形態のいずれかの更なる例では、注入ポンプデバイス３０のリザーバ受容部３２は、基部／リザーバ／キャップユニットが、リザーバ受容部３２内に装着されているとき、バネ又は付勢力を、リザーバ受容部３２（軸Ａ）長手方向軸の方向に、かつリザーバ受容部３２から外向きに、リザーバ（例えば、リザーバ１、２０１又は３０１又は他の好適なリザーバ）又はキャップ（例えば、キャップ４、２０４、４０４、５０４、７０４、８０４、９０４ａ〜ｅ、９６４、９７４、９８４、９９４、１００４又は他の好適なキャップ）に付与する他の付勢部材（図７６及び図７７の付勢部材１０００など）を含むことができる。ユーザ（又は医療技術者又は他の資格者）は、基部／リザーバ／キャップユニットを基部／リザーバ／キャップユニット、リザーバ端部をまず、リザーバ受容部３２に挿入し、かつキャップをバネ又は他の付勢部材の力に対して押し付けることによって、リザーバ受容部３２に装着し、基部／リザーバ／キャップユニットをリザーバ受容部３２に更に移動させる。
【０９４９】
こうした更なる例では、キャップ（又は基部／リザーバ／キャップユニット）が、リザーバ受容部３２内に十分にかつ適切に受容されているとき、キャップは、バネ又は他の付勢部材の付勢力に対して、キャップを注入ポンプデバイス３０にラッチ係合するか又はロックするラッチ構造若しくはロック構造を含む。こうしたラッチ構造又はロック構造外の様々な例を本明細書に記載し、所定の手動による行動を行って、ラッチ係合又はロックされている状態からキャップ（又は基部／リザーバ／キャップユニット）の選択的なラッチ係合又はロックを解除し、キャップ（又は基部／リザーバ／キャップユニット）をリザーバ受容部３２から引き出すことができる。特定の実施形態では、キャップ又は基部／リザーバ／キャップユニット）がラッチ状態又はロック状態にあるとき、バネ又は他の付勢部材の力が、リザーバ受容部３２内の所定の位置でのキャップ（及び基部／リザーバ／キャップユニット）のロック及び維持を補助する。
【０９５０】
ある実施形態では、バネ又は他の付勢部材は、キャップ（又は基部／リザーバ／キャップユニット）が、少なくとも一部、バネ又は他の付勢部材の力によって、キャップ（又は基部／リザーバ／キャップユニット）をラッチ状態又はロック状態からラッチ解除又はロック解除するときに、リザーバ受容部３２から一部突き出すように構成される。一部キャップ（又は基部／リザーバ／キャップユニット）をリザーバ受容部３２から突き出すことによって、リザーバ１、２０１、３０１は、リザーバ受容部３２内の駆動機構との操作上のアライメント外に移動させ、このため、（キャップ又は基部／リザーバ／キャップユニットを再びラッチ状態又はロック状態に配置しない限り、又はキャップ又は基部／リザーバ／キャップユニットを再びラッチ状態又はロック状態に配置するまで）注入ポンプデバイスによって操作されることはない。代替的に又は追加的に、一部キャップ（又は基部／リザーバ／キャップユニット）をリザーバ受容部３２から突き出すことによって、キャップ（又は基部／リザーバ／キャップユニット）は、把持が更に容易になり、キャップ（又は基部／リザーバ／キャップユニット）をリザーバ受容部３２から更に引き出すことができる。
【０９５１】
図７６は、注入ポンプデバイス３０のリザーバ受容部３２の一部を示し、基部／リザーバ／キャップユニットは、リザーバ受容部３２の内容積部内に受容される。基部／リザーバ／キャップユニットのリザーバの端部のみ図７６に示す。図７６のリザーバは、本明細書に記載のキャップ実施形態（４、２０４、４０４、５０４、７０４、８０４、９０４ａ〜ｅ、９６４、９７４、９８４、９９４、１００４）のいずれかに連結されるか又は含むリザーバ１、２０１又は３０１あってもよい。図７６の例示的実施形態では、注入ポンプデバイス３０は、リザーバ受容部３２の閉じた端部（図７６の底端）に又はその付近に位置するコイルバネの形態で付勢部材１０１０を含み、基部／リザーバ／キャップユニットが、リザーバ受容部３２内に装着されているとき、リザーバ上（及びリザーバに連結されたキャップ）で、リザーバ受容部３２のポート端部に向かって、矢印１０１２及び軸Ａの方向（図７６では上向き）に、付勢力を付与する。
【０９５２】
図７６の実施形態では、付勢部材１０１０が係合し、かつ付勢力をリザーバ１、２０１、３０１の端部面１ｃに付与する。付勢部材１０１０は、リザーバ受容部３２の停止面３２ａによって支持される。したがって、図７６の例示的実施形態では、付勢部材１０１０を形成するコイルバネの一方の端部は、リザーバ１の端部面１ｃに隣接し、かつリザーバ１の端部面１ｃ上に付勢力を付与するように配置され、コイルバネの第２の端部は、停止面３２ａに隣接し、かつ停止面３２ａによって支持されるように配置される。他の実施形態では、係合部材は、付勢部材１０１０が端部面１ｃ又は停止面３２ａ（又はその両方）に直接接触しないように、付勢部材１０１０とリザーバ１の端部面１ｃ又はリザーバ受容部３２の停止面３２ａ（又はその両方）との間に挟入される。
【０９５３】
図７６の実施形態では、停止面３２ａは、その閉じた端部でのリザーバ受容部の端部面である。他の実施形態では、停止面３２ａは、以下に限定されないが、延出部、突出部、溝、ギザギザ部又はリザーバ受容部３２の内側表面３２ｂ又はリザーバ受容部３２の端部の内側表面に提供される他の構造的特徴部などの面など、リザーバ受容部内に提供される別の面である。
【０９５４】
更なる例示的実施形態では、図７７に示すように、付勢部材１０１０は、キャップ４（又は２０４、４０４、５０４、７０４、８０４、９０４ａ〜ｅ、９６４、９７４、９８４、９９４又は１００４）の表面４ａに係合し、付勢力を付与する。図７７には、キャップ、リザーバ及びリザーバ受容部３２の一部のみ示す。図７６のキャップは、本明細書に記載のキャップ（例えば、キャップ４、２０４、４０４、５０４、７０４、８０４、９０４ａ〜ｅ、９６４、９７４、９８４、９９４又は１００４）又は他の好適なキャップのいずれかであってよい。
【０９５５】
図７７では、表面４ａは、キャップの端面である（リザーバを受容するキャップ開口端部に隣接している）。他の実施形態では、表面４ａは、キャップ又は延出部又はキャップの他の構造的特徴部の任意の他の所定の表面であってもよい。図７７の付勢部材１０１０は、上記のように、リザーバ受容部３２の停止面３２ａによって支持される。しかし、図７７の例示的実施形態では、停止面３２ａは、リザーバ受容部３２の内側表面３２ｂ上の環状突出部である。
【０９５６】
図７６及び図７７の実施形態では、付勢部材１０１０としてはコイルバネが挙げられる。他の実施形態では、以下に限定されないが、コイルバネの有無に関わらず、バネ、磁気的又は電磁石付勢部材、圧縮流体付勢部材又はこれらの任意の組み合わせの他の形態など、他の種類の付勢部材を用いる。
【０９５７】
ｏ．他の接続構成
他の実施形態では、第２の取り外し可能なカプラは、リザーバ受容部３２の開口ポートの領域において、注入ポンプデバイス３０のハウジング上で１つ以上の他の特徴部と係合し、嵌合する１つ以上の他の特徴部を含む。特定の実施形態では、注入ポンプデバイス３０には、電源を入れたとき（又は電源を遮断したとき）、ソレノイドプランジャを第１の位置から第２の位置に選択的に移動させる電子ソレノイドデバイスが提供される。こうした実施形態では、第２の取り外し可能なカプラは、ソレノイドプランジャが第２の位置にあるとき（即ち、ソレノイドの電源を入れるか、電源を切って、プランジャを第２の位置に移動させるとき）、ソレノイドプランジャと係合するように配置されるキャップ上に（例えば、キャップ４、４０４、５０４、７０４、８０４又は他の好適なキャップ構成上に）１つ以上の溝、ギザギザ部、穴、突起部又は他の停止面を含む。キャップ上で停止面と係合するとき、ソレノイドプランジャは、リザーバ内でキャップをロックし、保持する。ソレノイドプランジャが第２の位置にあるとき、リザーバ受容部からキャップのロックを解除し、（例えば、手動でキャップをリザーバ受容部３２外で軸Ａの方向に引っ張ることによって）キャップをリザーバ受容部から取り外すことができる十分な量、プランジャをキャップ上の停止面から引き出す。
【０９５８】
ｐ．側面充填式リザーバ受容部
上記の様々な実施形態では、注入ポンプデバイス３０のリザーバ受容部３２は、軸Ａの方向に沿って、リザーバ受容部の開口端部に挿入されたキャップ（又は基部／リザーバ／キャップユニット）を受容するために、軸Ａが延びる端部開口部（開口端部）を有する。更なる実施形態では、注入ポンプデバイス３０のハウジング３３は、本明細書に記載のキャップ（又は基部／リザーバ／キャップユニット）のいずれか又は他の好適なキャップ（又は基部／リザーバ／キャップユニット）など、キャップ（又は基部／リザーバ／キャップユニット）を側面から受容するリザーバ受容部３２への側面開口部を有する。こうした実施形態では、キャップ４（又は基部／リザーバ／キャップユニット）は、リザーバ受容部３２の開口側面を介して、軸Ａに対して横方向（例えば、一般に垂直）に挿入される。
【０９５９】
例えば、図７８及び図７９の実施形態では、注入ポンプデバイス３０のハウジング３３は、側面にて、側面開口部を介して、キャップ１０１４（又は基部／リザーバ／キャップユニット）を受容するサイズ及び形状を有する側面開口部１０１３（図では見えないところで対向している）を含む。特定の実施形態では、一旦キャップ１０１４（又は基部／リザーバ／キャップユニット）が、リザーバ受容部内に受容されると、ハウジング３３の側面開口部１０１３を閉じるためのドア又は閉鎖構造が提供される。
【０９６０】
キャップ１０１４は、隆起ポート端部１０１６を有する（例えば、図１及び図２のキャップ４のポート６端部に対応する）。特定の実施形態では、キャップ１０１４は、本明細書に記載のキャップ（例えば、キャップ４、２０４、４０４、５０４、７０４、８０４、９０４ａ〜ｅ、９６４、９７４、９８４、９９４、若しくは１００４など）又は他の好適なキャップのいずれかであってもよい。
【０９６１】
図７８及び図７９の実施形態では、注入ポンプデバイスのハウジング３３は、軸方向Ａでリザーバ受容部３２の両端部を覆う。その点では、ハウジング３３の部分１０１８は、リザーバ受容部３２の上端に延びる（接近している）。また、リザーバ受容部３２は、その下端で閉鎖している（図７８及び図７９には示さず）。しかし、リザーバ受容部３２の上端の部分１０１８は、リザーバ受容部の側面開口部１０１３に対して一端で開口し、リザーバ受容部３２の頂部に延出している、スロット形状の開口部１０２０を含む。
【０９６２】
図示した実施形態では、スロット形状の開口部１０２０は、リザーバ受容部３２の直径の少なくとも一部に延び、リザーバ受容部３２の軸Ａに対して横方向である。スロット形状開口部１０２０は、ハウジング３３の部分１０１８を介して、リザーバ受容部３２に細長い長方形開口部を形成できるように、長さ寸法より短い幅寸法を有する。キャップ１０１４（又は基部／リザーバ／キャップユニット）が側面開口部１０１３を介してリザーバ受容部３２に受容されたとき、スロット形状開口部１０２０は、キャップ１０１４の隆起ポート端部１０１６を受容するように構成される。図７９に示すように、キャップ１０１４（又は基部／リザーバ／キャップユニット）がリザーバ受容部３２に受容されたとき、キャップ１０１４の隆起ポート端部１０１６は、スロット形状開口部１０２０を介して、リザーバ受容部から外側に延出する。その配置では、隆起ポート端部１０１６のポートは、容易に接触可能であり、注入ポンプデバイス３０のハウジング３３によって遮られることはなく、ユーザが快適であるように注入セットチューブを配向するにあたって、より大きい可撓性が可能になるか、又は隆起ポート端部１０１６からチューブを接続するか、又は切断するために、容易に接触可能になる。
【０９６３】
図７８及び図７９に示す実施形態では、隆起ポート端部１０１６（及び、このために、キャップ１０１４及び基部／リザーバ／キャップユニット）を軸Ａに対して所定の回転配向に揃えるとき、スロット形状開口部１０２０の幅寸法は、隆起ポート端部１０１６を受容可能なサイズを有する。しかし、スロット形状開口部１０２０の幅寸法は、キャップ１０１４の直径より小さく、このため、キャップ１０１４（又は基部／リザーバ／キャップユニット）をリザーバ受容部３２内に配置させるとき、キャップ１０１４がスロット形状開口部１０２０を介して通過することはない。
【０９６４】
こうした実施形態では、キャップ１０１４の隆起ポート端部１０１６の第１の面又は寸法は、スロット形状開口部１０２０の幅よりも広く、隆起ポート端部１０１６の第２の面の幅又は寸法は、スロット形状開口部１０２０の幅よりも狭い。したがって、こうした実施形態では、キャップ１０１４（又は基部／リザーバ／キャップユニット）がリザーバ受容部３２に受容されたとき、スロット形状開口部１０２０は、軸Ａに対するキャップ１０１４（又は基部／リザーバ／キャップユニット）の回転配向又は角度を付けた配向の制御を補助することができる。更に、ハウジング３３の部分１０１８は、キャップ１０１４（又は基部／リザーバ／キャップユニット）がリザーバ受容部３２に受容されたとき、注入ポンプデバイスのハウジング３３に対する軸面方向Ａの移動からのキャップ１０１４（及び基部／リザーバ／キャップユニット）の保持を補助し得る。
【０９６５】
図８０及び図８１に示すような他の実施形態では、ハウジング３３の部分１０１８には、キャップ１０１４の隆起ポート端部１０１６をスロット形状開口部１０２０’の開口端部を介して嵌合することができる十分な幅を有する幅の広いスロット形状開口部１０２０’が提供され、その幅の広い面又は寸法は、スロット形状開口部１０２０’の開口端部に指向して（対向して）配向される（即ち、軸Ａに向かって対向している）。しかし、キャップ１０１４（又は基部／リザーバ／キャップユニット）をリザーバ受容部３２内に配置させるとき、スロット形状開口部１０２０’の１つ以上の寸法は、キャップ１０１４の直径より小さく、このため、キャップ１０１４はスロット形状開口部１０２０’を介して通過することはない。リザーバ受容部３２の側面開口部を介して、キャップ１０１４（又は基部／リザーバ／キャップユニット）をリザーバ受容部３２に挿入するとき、スロット形状開口部１０２０’は、キャップ１０１４の隆起ポート端部１０１６の幅広の側面又は面に隣接する端部面１０２２を含む。特定の実施形態では、キャップ１０１４の隆起ポート端部１０１６が端部面１０２２に隣接しているとき、キャップ１０１４（又は基部／リザーバ／キャップユニット）がリザーバ受容部３２内で適切に装着された位置及び配向に配置されるように、端部面１０２２を配置し、配向する。
【０９６６】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０９６７】
５．キャップ又は注入ポンプデバイスの通気口
本明細書に記載の実施形態のいずれかの更なる例では、キャップ（例えば、キャップ４、４０４、５０４、７０４、８０４、９０４ａ〜ｅ、９６４、９７４、９８４、９９４、１００４、１０１４又は他の好適なキャップ）には、１つ以上の通気開口部が提供される（キャップ４に関して上述の通気開口部２４など）。通気開口部（複数可）２４は、キャップ外部環境からキャップ本体の内容積部への１つ以上の空気経路を提供する。したがって、キャップ（又は基部／リザーバ／キャップユニット）をリザーバ受容部３２内に装着させるとき、通気開口部（複数可）は、キャップ外部環境と注入ポンプデバイスとの間にリザーバ受容部３２内環境（即ち、基部／リザーバ／キャップユニットがリザーバ受容部３２内に受容されたときの基部／リザーバ／キャップユニットとリザーバ受容部３２の内壁部との間の容積部）への空気流経路又は均圧経路を提供する。
【０９６８】
特定の実施形態では、通気開口部（複数可）２４は、水又は他の液体が通気開口部（複数可）を介して通過するのを阻止する疎水性物質を含む。例えば、疎水性物質は、それぞれの通気開口部の一方若しくは両方の開口端部（内側端部及び外側端部）に又は通気開口部内に膜として提供されてもよい。他の実施形態では、キャップの表面又はリザーバ受容部３２のポートに滴下するか、又は累積する可能性のある液体を吸収するか又は逃すために、それぞれの通気開口部内に又はこれらに隣接して吸収性材料が提供される。
【０９６９】
これらの又は他の実施形態では、移送ガード（例えば、本明細書に記載の移送ガード２００又は３００）からリザーバを係合解除するとき又はキャップ（例えば、本明細書に記載のキャップのいずれか）に係合するとき、リザーバ表面のいかなる残留液体も拭き取るワイパ構造。
【０９７０】
キャップ１０２４内の通気口構成の例示的実施形態は、図８２を参照して記載する。特定の実施形態では、キャップ１０２４は、本明細書に記載のキャップ（例えば、キャップ４、２０４、４０４、５０４、７０４、８０４、９０４ａ〜ｅ、９６４、９７４、９８４、９９４、１００４若しくは１０１４など）又は他の好適なキャップのいずれかであってもよい。
【０９７１】
キャップ１０２４の断面図は、図８２に示し、キャップ１０２４は、複数の通気開口部１０２８を含む（そのうちの２つを図８２に示す）。通気開口部１０２８は、キャップ１０２４の頂部壁に提供され、キャップ１０２４の注入セットチューブ用ポート１０２６周囲に配置される。図８２の実施形態では、キャップ１０２４の内側表面（キャップ１０２４をリザーバ１上に配置したとき、リザーバ１に対向している表面）には、ポート１０２６への内部開口部１０３２を取り囲む環状の溝１０３０が提供される。通気開口部１０２８は、環状の溝１０３０内に配置される。
【０９７２】
加えて、溶接ホーン１０３４（又は他の取り付け機構）の第１の環状配列が環状の溝１０３０の周りに、同心状に提供される。特定の実施形態では、溶接ホーン１０３６（又はその他の取り付け機構）の第２の環状配列は、環状の溝１０３０と内側ポート開口部１０３２との間に、環状の溝１０３０と同心上（このため、第１の環状配列１０３６と同心上）に提供される。更なる実施形態では、溶接ホーン１０３６（又は他の取り付け機構）の第２の環状配列を省略してもよい。
【０９７３】
第１及び第２の環状配列１０３４及び１０３６により、膜１０３８を環状の溝１０３０及び通気開口部１０２８上のキャップ１０２４の内側表面に固定する。特に、第１及び第２の環状配列１０３４及び１０３６により、環状の溝１０３０のいずれか一方の側面上の２つの同心の環状の取り付け域において、膜１０３８をキャップ１０２４の内側表面に固定する。特定の実施形態では、膜１０３８は、水をはじくが、空気を通過させることができる疎水性物質で作製される（又はコーティングされている）。
【０９７４】
キャップ１０２４の内側表面に固定したとき、膜１０３８は、溝１０３０を覆うが、環状の溝１０３０深さ分の通気開口部１０２８からは分離される。したがって、環状の溝１０３０により、膜１０３８とキャップ１０２４の内側表面との間に遮るもののない環状の空気流経路が提供される。通気開口部１０２８は、環状の溝１０３０内において、環状の空気流経路の周囲に配置され、かつ環状の空気流経路により空気流連通される。
【０９７５】
膜１０３８がキャップ１０２４の内側表面に付着しているとき、膜１０３８は、内側ポート開口部１０３２と揃えられている中央開口部１０３８ａを含む。他の実施形態では、膜１０３８の中心部分は、中央開口部１０３８ａを含んでいないが、その代わりに、注入セットチューブ５２をポート１０２６に取り付けるとき、注入セット５０の針によって穿刺するように構成される。
【０９７６】
特定の実施形態では、溶接ホーン（又は他の取り付け機構）の第１及び第２の配列は、超音波溶接ホーンの配列を含む。こうした実施形態では、膜１０３８を溶接ホーン配列に対して押し、膜をキャップ１０２４に溶接するにあたって十分な超音波エネルギーを溶接ホーンに加えることによって、膜をキャップ１０２４の内側表面に固定する。他の実施形態では、以下に限定されないが、のり又は他の接着材料など他の好適な取り付け機構を用いてもよい。
【０９７７】
キャップ１０２４の内側表面に固定させると、膜１０３８により、空気を通過させることができるが、通気口１０２８を介する水分の通過は阻止される。環状の溝１０３０により、（通気開口部１０２８に直接配置される膜に対して）空気流経路にさらされる膜１０３８の表面積を増大させることによって、通気開口部１０２８及び膜１０３８を介する空気流が改良される。
【０９７８】
上記の実施形態は、キャップ（例えば、キャップ１０２４）上に位置する通気開口部及び膜を含み、図８３を参照して記載された他の実施形態は、リザーバ受容部３２の開口端部上で注入ポンプデバイス３０のハウジング３３に接続された（又は接続可能な）上部リング部材１０４０上に１つ以上の通気開口部（膜の有無にかかわらず）を含む。上部リング部材１０４０は、本明細書に記載の上部リング部材（以下に限定されないが、上部リング部材９４、１３７、９１０、９３２、９９０）又は他の好適な上部リング部材のいずれかであってもよい。
【０９７９】
図８３の実施形態では、上部リング部材１０４０は、リング部材１０４０を通ってリザーバ受容部３２の内部まで延出する中央開口部１０４０ａ及び１つ以上の（又は複数の）通気開口部１０４２を含む。上部リング部材１０４０は、注入ポンプデバイス３０のハウジング３３内の１つ以上の対応するキー型スロット又はくぼみ部内で係合する又は嵌合し、ハウジング３３に対する上部リング部材１０４０の回転を阻止する（又はハウジング３３に対して上部リング部材１０４０を適切に位置させる）１つ以上のキー型タブ又は突出部１０４１を更に含む。他の実施形態では、キー型タブ（複数可）又は突出部（複数可）及びキー型スロット（複数可）又はくぼみ部（複数可）の位置は、キー型タブ（複数可）又は突出部（複数可）はハウジング３３上にあり、キー型スロット（複数可）又はくぼみ部（複数可）が上部リング部材１０４０にあるように、逆である。
【０９８０】
図８３では、上部リング部材１０４０には、軸Ａに対し互いに反対側に上部リング部材の側壁を通る２つの通気開口部１０４２が提供される。他の実施形態では、上部リング部材１０４０は、１つのみの通気開口部１０４２を含む。他の実施形態では、上部リング部材１０４０は、上部リング部材周り（軸Ａの周り）に配置される３つ以上の通気開口部を含む。更なる実施形態では、上部リング部材１０４０の自由端面（図８３の上向き面）を介して１つ以上の通気開口部が提供される。
【０９８１】
特定の実施形態では、それぞれの通気開口部１０４２は、上記のように膜１０３８で覆われている。膜１０３８は、上部リング部材１０４０の内側表面（中央開口部１０４０ａに対向する面）に提供されてもよく、また、通気開口部１０４２上に覆ってもよい。他の実施形態では、膜１０３８は、上部リング部材１０４０の外側表面（軸Ａに対して外向きの面）に提供され、通気開口部１０４２の外側上で覆われる。更に他の実施形態では、膜１０３８は、上部リング部材１０４０の１つ又は両方の内側表面及び外側表面と同一平面であるか、又はくぼんでいる通気開口部１０３８の内側に提供される。
【０９８２】
上記の様々な実施形態では、キャップ４（又はキャップ２０４、４０４、５０４、７０４、８０４、９０４ａ〜４、１０５０、９７４、９８４、９９４、１００４、１０１４、１０２４又は本明細書に記載の他のキャップ）は、リザーバ１において隔膜を穿刺する中空針（針９など）を含むか、又は中空針（針９など）と共に操作し、リザーバ１の内側とチューブ５２との間に流体経路をもたらす。他の実施形態は、キャップとリザーバとの間に針のない接続部を用い、一例を図８４〜図８６に示す。図８４〜図８６の実施形態では、キャップ１０５０には、ポート１０５４の第１開口端部１０５２ａから第２の開口端部１０５２ｂまで延出する中空の中央チャネル又は経路１０５２が提供される。本明細書に記載されるように、チャネル又は経路１０５２は、ポート１０５４からリザーバ１内部までの針のない流体経路を提供する。
【０９８３】
キャップ１０５０は、丸みのある末端部分１０５０ａを有するキャップ本体を含む。キャップ本体の丸みのある末端部分１０５０ａは、半球状様の又は半球状の形状を有する外側表面を有し、経路１０５２の第２の開口端部１０５２ｂは、半球状様の又は半球状の形状の頂点に配置される。キャップ本体は、ポート部分１０５０ｂ（図８４及び図８５のキャップ１０５０の上部）を有し、その上には、ポート１０５４が配置される。ポート１０５４は、上記のポート６に類似していてもよく、ポート６に関して上記のように、注入セット５０のチューブ５２に接続していてもよい。キャップ本体の隆起部分１０５０ｃは、キャップ本体周囲のキャップ１０５０の丸みのある末端部分１０５０ａとポート部分１０５０ｂとの間に延びる。特定の実施形態では、キャップ本体（丸みのある末端部分１０５０ａ、ポート部分１０５０ｂ及び隆起部分１０５０ｃを包含する）は、例えば、以下に限定されないが、単一の成形又は機械加工構造など１つの一体型構造として形成される。他の実施形態では、キャップ本体（丸みのある末端部分１０５０ａ、ポート部分１０５０ｂ又は隆起部部分１０５０ｃを含む）は、キャップ１０５０の本体を形成するために共に接続される、別個の構成要素から作製される。
【０９８４】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０９８５】
６．ピボットキャップ対リザーバの接続
図８４〜図８６の実施形態では、キャップ１０５０は、リザーバ１の本体の開口端部に選択的に配置されるように構成され、キャップ本体の丸みのある端部１０５０ａは、リザーバ１の開口端部に少なくとも一部に延出している。キャップ１０５０が、リザーバ１の本体の開口端部に配置されるとき、キャップ１０５０の丸みのある端部１０５０ａは、リザーバ１内に位置する環状の封止構造１０５４に接触し、封止するように配置される。丸みのある端部１０５０ａの丸み（半球状様の又は半球状の）形状により、キャップ１０５０の全周において、丸みのある端部１０５０ａの表面で環状の封止構造１０５４に対して封止することができる。
【０９８６】
特定の実施形態では、環状の封止構造１０５４は、シリコーンゴム又は他の好適な可撓性封止材料から作製されたＯリング、バンド又は他の好適な封止部を含む。環状の封止構造１０５４は、リザーバ１の開口端部において、又はリザーバ１の開口端部より短い選択された距離のいずれかで、リザーバ１の内側表面の内周周りに配置される（例えば、リザーバ１のヘッド又はネック部分であって、リザーバ１のヘッド又はネック部分は、リザーバ１の本体の他の部分よりも小さい直径を有する）。特定の実施形態では、リザーバ１の内側表面（又はリザーバ１のヘッド又はネック部分）には、環状の封止構造１０５４に隣接し、リザーバ１内の固定された位置において環状の封止構造１０５４を保持するのに役立つ環状の溝１０５６ａ、リブ若しくは隆起部１０５６ｂ（又はその両方）（又は他の保持表面）が提供される。
【０９８７】
図８４〜図８６の実施形態では、キャップ１０５０は、ヒンジ式又はピボット式接続構造１０５８によってリザーバ１のハウジングに接続される（例えば、リザーバ１のヘッド又はネック部分又はリザーバ１の開口端部に隣接する他の位置にて）。図示した実施形態では、ピボット式接続構造１０５８は、キャップ１０５０上に第１のヒンジ部分１０５８ａと、リザーバ１上に第２のヒンジ部分１０５８ｂと、その長さに沿って枢軸ＰＡが画定される枢動ピン１０５８ｃを含む。第１のヒンジ部分１０５８ａは、互いに対して、枢動回転させるために（例えば、第１及び第２のヒンジ部分１０５８ａ及び１０５８ｂにおいて、揃えられた開口部を介して枢動ピン１０５８ｃを延出させること及びこれらの開口部内で枢動ピン１０５８ｃを固定させてヒンジ部分１０５８ａ及び１０５８ｂの一方又は両方を枢動ピン１０５８ｃの枢軸ＰＡの周りで回転させることができるによって）、枢動ピン１０５８ｃを介して第２のヒンジ部分１０５８ｂと接続する。
【０９８８】
この方法では、丸みのある端部１０５０ａがリザーバ１の外側に位置している開放位置と丸みのある端部１０５０ａがリザーバ１内の少なくとも一部に位置し、封止構造１０５４に隣接している閉鎖位置との間でキャップ１０５０が枢動される。閉鎖位置にあるとき、キャップ１０５０は、リザーバ１内に封止構造１０５４による流体封止を提供し、リザーバ１に対して、キャップ１０５０を封止する。特定の実施形態では、１つ以上のラッチ、クリップ、又は他の固定機構がキャップ１０５０、リザーバ１、若しくはその両方に提供され、閉鎖位置で選択的にキャップ１０５０が固定され、リザーバ１の閉鎖位置から、キャップ１０５０の偶発的な開口がないように、又は認められていない開口がないようする。他の実施形態では、丸みのある端部１０５０ａ及び封止構造１０５４が、閉鎖位置でキャップ１０５０を保持するのに十分な摩擦嵌合を提供する。
【０９８９】
特定の実施形態では、キャップ１０５０がリザーバ１に対して閉鎖位置にあるとき、キャップ１０５０の本体の隆起部分１０５０ｃは、リザーバ１の外側に位置するように構成される（いくつかの実施形態では、リザーバ１の開口端部の周りでリザーバ１の上縁部に隣接する）。こうした実施形態では、キャップ１０５０が閉鎖位置にあるとき、隆起部分１０５０ｃがリザーバ１の上縁部と重なり合うように、隆起部分１０５０ｃは、リザーバ１の開口端部の開口部の外径を超える直径を有する外側周辺縁部を有する。更なる実施形態では、キャップ１０５０が閉鎖位置にあるとき、１つ以上の封止部は、隆起部分１０５０ｃ及びリザーバ１の上縁部の一方又は両方に配置され、隆起部分１０５０ｃとリザーバ１の上縁部との間に流体封止部を提供してもよい。
【０９９０】
図８４及び図８５の実施形態では、第１のヒンジ部分１０５８ａは、キャップ１０５０の中心線（経路１０５２を介して延びる）から放射状に最大距離で位置するように、キャップ１０５０の本体の隆起部分１０５０ｃに固定される。第２のヒンジ部分１０５８ｂは、リザーバ１の本体、例えば、リザーバ１の上縁部に若しくはその付近に固定される。したがって、第１及び第２のヒンジ部分１０５８ａ及び１０５８ｂがヒンジピン１０５８ｃにより共に枢動接続されるとき、キャップ１０５０の本体の丸みのある端部１０５０ａが十分にリザーバ１の外側にある開放位置に対して、キャップ１０５０を十分な距離、一方向に選択的に枢動させることができる。加えて、キャップ１０５０は、第２の方向（１つの方向とは反対側の）で、開放位置から、キャップ１０５０の本体の丸みのある端部１０５０ａが封止構造１０５４に隣接している（かつ封止している）閉鎖位置に選択的に枢動させることができる。閉鎖位置では、キャップ１０５０は、リザーバ１により封止されるが、経路１０５２を介して、例えば注入セットチューブ（チューブ５２など）まで針を有さない流体経路を提供する。
【０９９１】
更に、本明細書全体における本発明の実施形態の代表図では、簡易にするためにキャップ４をリザーバ１なしで示すこともあるが、本発明の実施形態により、キャップ４は、リザーバ１に連結され得ることは、当業者に既知である。
【０９９２】
７．キャップロックを有する移送ガード
本明細書に記載の様々な実施形態では、キャップに連結される前に（又は基部／リザーバ／キャップユニットにおいて）、リザーバ１には（一部又は完全に）注入媒体が充填されていてもよい。注入媒体は、注入ポンプデバイス（以下に限定されないが、注入ポンプデバイス３０など）又は他の送達デバイスからの分配が可能である任意の好適な流体であってもよい。特定の実施形態では、注入媒体としては、糖尿病治療用のインスリン又はインスリン製剤が挙げられる。他の実施形態では、注入媒体としては、医薬用、治療用又は以下に限定されないが、癌、ヒト免疫不全ウイルス（ＨＩＶ）、後天性免疫不全症候群（ＡＩＤＳ）又は他の疾患若しくは状態の治療用の製剤など、他の目的のための他の好適な物質若しくは製剤が挙げられる。
【０９９３】
特定の実施形態では、移送ガードデバイスを用いて、注入媒体のバイアル瓶又は他の容器をリザーバに接続し、流体媒体をバイアル瓶又は他の容器からリザーバに移送させる。移送ガードデバイス１０６０の例示的実施形態は、図８７及び図８８を参照して記載する。
【０９９４】
移送ガードデバイス１０６０は、流体媒体のバイアル瓶１０６２又は他の容器をリザーバ１に選択的に接続し、バイアル瓶１０６２からリザーバ１に移送させるように（リザーバ１に流体媒体を一部又は完全に充填するため）構成される。バイアル瓶１０６２又は他の容器には、以下に限定されないが、本明細書に記載の注入媒体例など、任意の好適な流体媒体を収容してもよい。
【０９９５】
充填操作のために又はその操作の間、移送ガードデバイス１０６０をリザーバ１に、又はバイアル瓶１０６２若しくは他の容器と接続するように構成される。特定の実施形態では、移送ガードデバイス１０６０は、充填操作終了前に、移送ガードデバイス１０６０とリザーバとの接続が遮断されないように（偶発的又は認められていない遮断）構成される。したがって、リザーバ１の頂部（又は他のいずれにおいても）でのバイアル瓶１０６２又は他の容器からの流体媒体の偶発的又は認められていない排出を回避するか、又は最小限に抑えることができる。移送ガードデバイス１０６０は、充填操作終了後、リザーバ１からの（又はリザーバ１及びバイアル瓶１０６２からの）接続が遮断され、本明細書に記載されるように、リザーバ１をキャップと連結させることができるように（例えば、基部／リザーバ／キャップユニット内で）構成される。
【０９９６】
図８７及び図８８を参照して、移送ガードデバイス１０６０は、リザーバ１のポート端部を受容し、かつ、少なくとも一部囲い込むように構成されたカップ型キャップ又は囲い部１０６４を有する第１の端部を含む。移送ガードデバイス１０６０は、流体媒体のバイアル瓶１０６２又は他の容器のポート端部を受容し、かつ少なくとも一部囲い込むように構成される第２のカップ型キャップ又は囲い部１０６６を有する第２の端部を含む。
【０９９７】
また、リザーバ１のポート端部及びバイアル瓶１０６２又は他の容器のポート端部がそれぞれ第１及び第２の囲い込み部１０６４及び１０６６に受容されたとき、移送ガード１０６０は、リザーバ１とバイアル瓶１０６２又は他の容器とで流体連通するように配置された１つ以上の中空針又はチューブ構造１０６８により形成された流体チャネルを含む。特定の実施形態では、リザーバ１のポート端部が第１の囲い部１０６４内に十分に受容されたとき、流体チャネルは、リザーバ１内で隔膜を穿刺し、リザーバ１の内部と流体連通するように配置された第１の鋭角端部１０６８ａを有する中空針構造を含む。
【０９９８】
第１の囲い部１０６４は、リザーバ１に取り付けられた基部１０７０に嵌合する（基部１０７０は、本明細書に記載の基部２と類似しているが、後述のような穴を有してもよい）。特定の実施形態では、基部１０７０は、回転させない方法で（基部１０７０をリザーバ１に対して回転させることができないように）リザーバ１のポート端部に取り付けられる。また、特定の実施形態では、第１の囲い部１０６４は、軸ＡＡＡの周りで、回転運動によってリザーバ１のポート端部に取り付ける（例えば、以下に限定されないが、時計方向など一方向に回転させる）。同様に、第１の囲い部１０６４は、軸ＡＡＡの周りで回転運動（例えば、以下に限定されないが反時計方向など、第２の方向に回転させること）によってリザーバ１のポート端部から離す。こうした実施形態では、第１の囲い部１０６４及びリザーバ１のポート端部（又はリザーバ１のポート端部の基部１０７０）には、以下に限定されないが、ネジ山、スロット及びタブ構造又は第１の囲い部１０６４及びリザーバ１のポート端部をこれらの部品間での相対的回転運動（即ち、軸ＡＡＡの周りの回転運動）によって選択的に接続及び接続の遮断が可能な他の好適な構造など、回転式接続構造が提供される。
【０９９９】
流体チャネルの１つ以上の中空針又はチューブ構造１０６８は、バイアル瓶１０６２又は他の容器のポート端部が第２の囲い部１０６６内に十分に受容されたとき、バイアル瓶１０６２又は他の容器において隔膜を穿刺するように配置され、及びバイアル瓶１０６２又は他の容器の内部と流体連通されている第２の鋭角端部１０６８ｂを含む。特定の実施形態では、第２の囲い部１０６６は、バイアル瓶１０６２又は他の容器のポート端部に嵌合し、スナップ留め又は摩擦嵌合によりバイアル瓶１０６２又は他の容器のポート端部に接続するように構成される。
【１０００】
移送ガードデバイス１０６０は、第１及び第２の囲い込み部１０６４と１０６６とを共に接続する部位１０７１を含む。流体チャネルの１つ以上の中空針又はチューブ構造１０６８は、部位１０７１を介して延びる。加えて、１つ以上の（又は複数の）可動部材１０７２は、部位１０７１上に又はその長さに沿って配置される。特定の実施形態では、それぞれの可動部材１０７２は、軸ＡＡＡの長手方向に選択的移動を行うために、第１及び第２の囲い込み部１０６４及び１０６６によって支持される好適な硬質材料のピン、ポスト又はプレートを含む。
【１００１】
図８７及び図８８の実施形態では、それぞれの可動部材１０７２は、第１の囲い部１０６４内で開口部１０６４ａを介して延びる第１の端部１０７２ａを有する。加えて、それぞれの可動部材１０７２は、第２の囲い部１０６６において開口部１０６６ａを介して延びる第２の端部１０７２ｂを有する。それぞれの可動部材１０７２の第２の端部１０７２ｂは、バイアル瓶１０６２又は他の容器のポート端部が第２の囲い部１０６６内に受容されたとき、バイアル瓶１０６２又は他の容器のポート端部に係合し、隣接するように配置される。具体的には、バイアル瓶１０６２又は他の容器のポート端部が第２の囲い部１０６６内に受容されたとき、バイアル瓶１０６２又は他の容器のポート端部は、それぞれの可動部材１０７２の第２の端部１０７２ｂに隣接し、押し付け、それぞれの可動部材１０７２を軸方向ＡＡＡに第１の位置から第２の位置に（図８７及び図８８の配向に下向きに）移動させる。
【１００２】
より具体的には、バイアル瓶１０６２又は他の容器のポート端部が第２の囲い部１０６６内に受容される前に（図８７に示すように）、それぞれの可動部材１０７２は、図８７に示す第１の位置にある。しかし、バイアル瓶１０６２又は他の容器のポート端部が第２の囲い部１０６６内に十分に受容される（図８８に示すように）とき、それぞれの可動部材１０７２は、図８８に示す第２の位置にある。可動部材（複数可）１０７２の第１の位置（図８７）では、それぞれの可動部材１０７２の第１の端部１０７２ａは、基部１０７０の開口部１０７０ａから分離され及びその外側になる。しかし、可動部材（複数可）１０７２の第２の位置（図８８）では、それぞれの可動部材１０７２の第１の端部１０７２ａは、基部１０７０内で少なくとも一部、それぞれの開口部１０７０ａに延出する。
【１００３】
したがって、それぞれの可動部材１０７２は、図８７に示す第１の位置にあるとき、移送ガード１０６０は、リザーバ１（及びリザーバ１に取り付けられた基部１０７０）に対する軸ＡＡＡの周りで回転させることができる。したがって、可動部材（複数可）１０７２の第１の位置では、移送ガード１０６０は、リザーバ１に対して回転させることができ、リザーバ１のポート端部からの移送ガード１０６０の囲い部１０６４の回転接続（又は接続の遮断）が可能である。この点では、バイアル瓶１０６２若しくは他の容器のポート端部が第２の囲い部１０６６内に受容される前に、又はバイアル瓶１０６２若しくは他の容器のポート端部を第２の囲い部１０６６から取り外した後に（図８７に示すように）、移送ガード１０６０は、リザーバ１に対して選択的に回転させることができ、囲い部１０６４とリザーバ１のポート端部との選択的接続又は接続の遮断が可能である。
【１００４】
しかし、可動部材１０７２が図８８に示す第２の位置にあるとき、可動部材１０７２は、少なくとも一部、基部１０７０内の開口部１０７０ａに延出し、基部１０７０及びリザーバ１に対して、移送ガード１０６０が軸ＡＡＡの周りで回転しないようにする。したがって、可動部材（複数可）１０７２の第２の位置では、移送ガード１０６０は、リザーバ１に対して回転しないようにし、このため、移送ガード１０６０の囲い部１０６４とリザーバ１のポート端部との接続の遮断が阻止される。この点では、バイアル瓶１０６２又は他の容器のポート端部が第２の囲い部１０６６内に十分に受容されたとき（図８８に示すように）、移送ガード１０６０は、リザーバ１に対して回転しないようにし、このため、囲い部１０６４がリザーバ１のポート端部との接続の遮断が阻止される。
【１００５】
このため、バイアル瓶１０６２又は他の容器のポート端部が囲い込み部１０６６内に十分に受容されている限りは、移送ガード１０６０のリザーバ１からの偶発的に又は認められない取り外しが行われることがない。このため、移送ガード１０６０は、更なる安全性を提供し、リザーバ１の好ましくない接続の遮断を防止することができ、バイアル瓶１０６２又は他の容器は、移送ガード１０６０内で流体チャネル１０６８と流体連通される。
【１００６】
移送ガードデバイス１０６０及びこれらの構成部品は、以下に限定されないが、プラスチック、金属、セラミック、木材、複合材料など又はこれらの任意の組み合わせなど、本明細書に記載されるように操作するために十分な剛性及び強度を有する任意の好適な硬質材料製であってもよい。本明細書に記載の様々な実施形態は、リザーバを注入ポンプデバイス３０に装着する前に、移送ガード１０６０を用いてリザーバに充填してもよく、他の実施形態は、リザーバに充填する他の好適な機構及び手法を用いるか、又は前もって充填させたリザーバを用いる。
【１００７】
上記の説明は本発明の特定の実施形態に関し、これらの趣旨から逸脱することなく多くの変更形態が作製されることは理解されるであろう。添付の特許請求の範囲は、本発明の真の範囲及び趣旨にある限りこうした変化形態を網羅することを目的としている。このため、本明細書にて開示する実施形態は、あらゆる態様を図示するものとして考慮し、限定するものではなく、本発明の範囲は、前述の明細書よりも添付の特許請求の範囲によって示され、このため、特許請求の範囲の等価の意味及び範囲となる全ての変更が本明細書に包含されることを意図している。
【図１】
2018149337.tif 000003
【図２】
2018149337.tif 000004
【図３】
2018149337.tif 000005
【図４Ａ】
2018149337.tif 000006
【図４Ｂ】
2018149337.tif 000007
【図４Ｃ】
2018149337.tif 000008
【図４Ｄ】
2018149337.tif 000009
【図４Ｅ】
2018149337.tif 000010
【図４Ｆ】
2018149337.tif 000011
【図４Ｇ】
2018149337.tif 000012
【図４Ｈ】
2018149337.tif 000013
【図４Ｉ】
2018149337.tif 000014
【図４Ｊ】
2018149337.tif 000015
【図４Ｋ】
2018149337.tif 000016
【図４Ｌ】
2018149337.tif 000017
【図４Ｍ】
2018149337.tif 000018
【図４Ｎ】
2018149337.tif 000019
【図４Ｏ】
2018149337.tif 000020
【図４Ｐ】
2018149337.tif 000021
【図４Ｑ】
2018149337.tif 000022
【図４Ｒ】
2018149337.tif 000023
【図４Ｓ】
2018149337.tif 000024
【図４Ｔａ】
2018149337.tif 000025
【図４Ｔｂ】
2018149337.tif 000026
【図４Ｔｃ】
2018149337.tif 000027
【図４Ｔｄ】
2018149337.tif 000028
【図４Ｕ】
2018149337.tif 000029
【図４Ｖ】
2018149337.tif 000030
【図５】
2018149337.tif 000031
【図６】
2018149337.tif 000032
【図７】
2018149337.tif 000033
【図８】
2018149337.tif 000034
【図９】
2018149337.tif 000035
【図１０】
2018149337.tif 000036
【図１１】
2018149337.tif 000037
【図１２】
2018149337.tif 000038
【図１３】
2018149337.tif 000039
【図１４】
2018149337.tif 000040
【図１５】
2018149337.tif 000041
【図１６】
2018149337.tif 000042
【図１７】
2018149337.tif 000043
【図１８】
2018149337.tif 000044
【図１９】
2018149337.tif 000045
【図２０】
2018149337.tif 000046
【図２１】
2018149337.tif 000047
【図２２】
2018149337.tif 000048
【図２３Ａ】
2018149337.tif 000049
【図２３Ｂ】
2018149337.tif 000050
【図２３Ｃ】
2018149337.tif 000051
【図２３Ｄ】
2018149337.tif 000052
【図２３Ｅ】
2018149337.tif 000053
【図２４】
2018149337.tif 000054
【図２５】
2018149337.tif 000055
【図２６】
2018149337.tif 000056
【図２７】
2018149337.tif 000057
【図２８Ａ】
2018149337.tif 000058
【図２８Ｂ】
2018149337.tif 000059
【図２９Ａ】
2018149337.tif 000060
【図２９Ｂ】
2018149337.tif 000061
【図３０Ａ】
2018149337.tif 000062
【図３０Ｂ】
2018149337.tif 000063
【図３１】
2018149337.tif 000064
【図３２】
2018149337.tif 000065
【図３３】
2018149337.tif 000066
【図３４】
2018149337.tif 000067
【図３５】
2018149337.tif 000068
【図３６】
2018149337.tif 000069
【図３７】
2018149337.tif 000070
【図３８】
2018149337.tif 000071
【図３９】
2018149337.tif 000072
【図４０】
2018149337.tif 000073
【図４１】
2018149337.tif 000074
【図４２】
2018149337.tif 000075
【図４３】
2018149337.tif 000076
【図４４】
2018149337.tif 000077
【図４５】
2018149337.tif 000078
【図４６】
2018149337.tif 000079
【図４７】
2018149337.tif 000080
【図４８】
2018149337.tif 000081
【図４９】
2018149337.tif 000082
【図５０】
2018149337.tif 000083
【図５１】
2018149337.tif 000084
【図５２】
2018149337.tif 000085
【図５３】
2018149337.tif 000086
【図５４】
2018149337.tif 000087
【図５５】
2018149337.tif 000088
【図５６】
2018149337.tif 000089
【図５７】
2018149337.tif 000090
【図５８】
2018149337.tif 000091
【図５９】
2018149337.tif 000092
【図６０】
2018149337.tif 000093
【図６１】
2018149337.tif 000094
【図６２】
2018149337.tif 000095
【図６３】
2018149337.tif 000096
【図６４】
2018149337.tif 000097
【図６５】
2018149337.tif 000098
【図６６】
2018149337.tif 000099
【図６７】
2018149337.tif 000100
【図６８】
2018149337.tif 000101
【図６９】
2018149337.tif 000102
【図７０】
2018149337.tif 000103
【図７１】
2018149337.tif 000104
【図７２】
2018149337.tif 000105
【図７３】
2018149337.tif 000106
【図７４】
2018149337.tif 000107
【図７５】
2018149337.tif 000108
【図７６】
2018149337.tif 000109
【図７７】
2018149337.tif 000110
【図７８】
2018149337.tif 000111
【図７９】
2018149337.tif 000112
【図８０】
2018149337.tif 000113
【図８１】
2018149337.tif 000114
【図８２】
2018149337.tif 000115
【図８３】
2018149337.tif 000116
【図８４】
2018149337.tif 000117
【図８５】
2018149337.tif 000118
【図８６】
2018149337.tif 000119
【図８７】
2018149337.tif 000120
【図８８】
2018149337.tif 000121